(57)【要約】本発明の実施形態は、データ送信方法および装置を提供し、通信技術の分野に関する。本方法は、端末によって、アップリンクデータまたはアップリンク制御情報を送信するために使用されるアップリンクリソースの第１の指示情報を取得するステップを含む。アップリンクリソースの第１の指示情報は、アップリンクリソースがタイプ１のアップリンクリソースであるか、またはタイプ２のアップリンクリソースであるかを示すために使用される情報を含む。タイプ１のアップリンクリソースが、周波数領域内の少なくとも１つのサブキャリアを含み、サブキャリア数が２以上の場合、サブキャリアが互いに直交し、サブキャリア間隔が３．７５ｋＨｚであるか、または、タイプ１のアップリンクリソースが、周波数領域内の少なくとも１つのサブチャネルを含み、各サブチャネルの幅が３．７５ｋＨｚである。タイプ２のアップリンクリソースは、周波数領域内の少なくとも１つのサブキャリアを含み、サブキャリア数が２以上の場合、サブキャリアが互いに直交し、サブキャリア間隔が１５ｋＨｚである。アップリンクリソースの第１の指示情報が、タイプ１のアップリンクリソースまたはタイプ２のアップリンクリソースの時間領域情報および／または周波数領域情報をさらに含む。
2019501597.tif 000002
【特許請求の範囲】
【請求項１】
データ送信方法であって、
端末によって、アップリンクデータまたはアップリンク制御情報を送信するために使用されるアップリンクリソースの第１の指示情報を取得するステップを備え、
前記アップリンクリソースの前記第１の指示情報が、前記アップリンクリソースがタイプ１のアップリンクリソースであるか、またはタイプ２のアップリンクリソースであるかを示すために使用される情報を備え、前記タイプ１のアップリンクリソースが、周波数領域内の少なくとも１つのサブキャリアと、時間領域内の少なくとも１つのＳＣ−ＦＤＭＡシンボルとを備え、サブキャリア数が２以上の場合、サブキャリアが互いに直交し、サブキャリア間隔が３．７５ｋＨｚであるか、または、前記タイプ１のアップリンクリソースが、周波数領域内の少なくとも１つのサブチャネルと、時間領域内の少なくとも１つの周波数分割多元接続ＦＤＭＡシンボルとを備え、各サブチャネルの幅が３．７５ｋＨｚであり、前記タイプ２のアップリンクリソースが、前記周波数領域内の少なくとも１つのサブキャリアと、前記時間領域内の少なくとも１つのシングルキャリア周波数分割多元接続ＳＣ−ＦＤＭＡシンボルとを備え、サブキャリア数が２以上の場合、サブキャリアが互いに直交し、サブキャリア間隔が１５ｋＨｚであり、
前記アップリンクリソースの前記第１の指示情報が、前記タイプ１のアップリンクリソースまたは前記タイプ２のアップリンクリソースの時間領域情報および／または周波数領域情報をさらに備える
方法。
【請求項２】
端末によって、アップリンクデータまたはアップリンク制御情報を送信するために使用されるアップリンクリソースの第１の指示情報を取得する前記ステップが、具体的には、
前記端末によって、基地局によって送信されたシステム情報を受信するステップであり、前記システム情報が、前記タイプ１のアップリンクリソースの前記時間領域情報および／もしくは前記周波数領域情報、ならびに／または前記タイプ２のアップリンクリソースの前記時間領域情報および／もしくは前記周波数領域情報を備える請求項１に記載の方法。
【請求項３】
前記端末がタイプ１の端末能力をサポートする場合、前記第１の指示情報が、前記アップリンクリソースが前記タイプ１のアップリンクリソースであることを示すために使用され、
前記端末がタイプ２の端末能力もしくはタイプ３の端末能力をサポートする場合、前記第１の指示情報が、前記アップリンクリソースが前記タイプ２のアップリンクリソースであることを示すために使用され、または、
前記端末がタイプ１の端末能力とタイプ２の端末能力とをサポートする場合、もしくは前記端末がタイプ１の端末能力とタイプ３の端末能力とをサポートする場合、前記第１の指示情報が、前記アップリンクリソースが前記タイプ１のアップリンクリソースであるか、前記タイプ２のアップリンクリソースであるかを示すために使用される請求項１または２に記載の方法。
【請求項４】
端末によって、第１の指示情報を取得する前記ステップの後、前記方法が、
前記端末が前記タイプ１の端末能力をサポートする場合、前記端末によって、前記タイプ１のアップリンクリソース上で前記アップリンクデータまたは前記アップリンク制御情報を送信するステップ、
前記端末が前記タイプ２の端末能力もしくは前記タイプ３の端末能力をサポートする場合、前記端末によって、前記タイプ２のアップリンクリソース上で前記アップリンクデータまたは前記アップリンク制御情報を送信するステップ、または、
前記端末が前記タイプ１の端末能力と前記タイプ２の端末能力とをサポートするか、もしくは前記端末が前記タイプ１の端末能力と前記タイプ３の端末能力とをサポートする場合、前記端末によって、前記タイプ１のアップリンクリソースまたは前記タイプ２のアップリンクリソース上で前記アップリンクデータまたは前記アップリンク制御情報を送信するステップ
をさらに備える請求項１乃至３のいずれか一項に記載の方法。
【請求項５】
前記方法が、
前記端末によって、前記アップリンクデータを送信するために使用される前記アップリンクリソースの第２の指示情報を取得するステップであって、前記第２の指示情報が、前記端末によって前記アップリンクデータを送信するために使用される前記タイプ１のアップリンクリソースもしくは前記タイプ２のアップリンクリソースのサブキャリア情報またはサブチャネル情報を備えるステップをさらに備え、
前記サブキャリア情報が、サブキャリア数、サブキャリアインデックス、または前記周波数領域におけるサブキャリアの位置またはインデックスを示すために使用される情報のうちの少なくとも１つを備え、
前記サブチャネル情報が、サブチャネル数、サブチャネルインデックス、または前記周波数領域におけるサブチャネルの位置またはインデックスを示すために使用される情報のうちの少なくとも１つを備える請求項１乃至４のいずれか一項に記載の方法。
【請求項６】
前記端末によって、前記アップリンクデータを送信するために使用される前記アップリンクリソースの第２の指示情報を取得する前記ステップが、具体的には、
前記端末によって、前記基地局によって送信されたダウンリンク制御情報ＤＣＩまたはランダムアクセス応答ＲＡＲを受信するステップであり、前記ＤＣＩまたは前記ＲＡＲが第２の指示情報を備える請求項５に記載の方法。
【請求項７】
前記ＤＣＩまたは前記ＲＡＲが、前記端末によって、前記基地局によって送信されたＤＣＩまたはＲＡＲを受信する前記ステップの後に、前記端末が前記アップリンクデータを送信するようにスケジューリングするために使用されるスケジューリング情報をさらに備える場合、
前記端末が前記タイプ１の端末能力をサポートする場合、前記端末によって、前記タイプ１のアップリンクリソース上で前記アップリンクデータを送信するステップ、
前記端末が前記タイプ２の端末能力もしくは前記タイプ３の端末能力をサポートする場合、前記端末によって、前記タイプ２のアップリンクリソース上で前記アップリンクデータを送信するステップ、または、
前記端末が前記タイプ１の端末能力と前記タイプ２の端末能力とをサポートするか、もしくは前記端末が前記タイプ１の端末能力と前記タイプ３の端末能力とをサポートする場合、前記端末によって、前記タイプ１のアップリンクリソースまたは前記タイプ２のアップリンクリソース上で前記アップリンクデータを送信するステップ
をさらに備える請求項６に記載の方法。
【請求項８】
前記端末によって、前記タイプ１のアップリンクリソース上で前記アップリンクデータを送信する前記ステップが、具体的には、
前記端末によって、前記タイプ１のアップリンクリソースに対応する第１のタイミング関係に従って、前記タイプ１のアップリンクリソース上で、前記スケジューリング情報を使用することによってスケジューリングされた前記アップリンクデータを送信するステップであり、前記タイプ１のアップリンクリソースに対応する前記第１のタイミング関係が、前記ＤＣＩまたは前記ＲＡＲに備えられる前記スケジューリング情報と、前記スケジューリング情報を使用することによってスケジューリングされた前記アップリンクデータとの間のタイミング関係を示すために使用される請求項７に記載の方法。
【請求項９】
前記方法が、
前記端末が前記スケジューリング情報を使用することによってスケジューリングされた前記アップリンクデータを送信した後、前記端末によって、前記タイプ１のアップリンクリソースに対応する第２のタイミング関係に従って、前記タイプ１のダウンリンクリソース上で、前記基地局によって送信された応答フィードバック情報を受信するステップをさらに備え、前記タイプ１のアップリンクリソースに対応する前記第２のタイミング関係が、前記端末によって送信された前記アップリンクデータと、前記アップリンクデータに対応する前記応答フィードバック情報との間のタイミング関係を示すために使用される請求項８に記載の方法。
【請求項１０】
前記端末によって、前記タイプ２のアップリンクリソース上で前記アップリンクデータを送信する前記ステップが、具体的には、
前記端末によって、前記タイプ２のアップリンクリソースに対応する第１のタイミング関係に従って、前記タイプ２のアップリンクリソース上で、前記スケジューリング情報を使用することによってスケジューリングされた前記アップリンクデータを送信するステップであり、前記タイプ２のアップリンクリソースに対応する前記第１のタイミング関係が、前記ＤＣＩまたは前記ＲＡＲに備えられる前記スケジューリング情報と、前記スケジューリング情報を使用することによってスケジューリングされた前記アップリンクデータとの間のタイミング関係を示すために使用される請求項７に記載の方法。
【請求項１１】
前記方法が、
前記端末が前記スケジューリング情報を使用することによってスケジューリングされた前記アップリンクデータを送信した後、前記端末によって、前記タイプ２のアップリンクリソースに対応する第２のタイミング関係に従って、前記タイプ２のダウンリンクリソース上で、前記基地局によって送信された応答フィードバック情報を受信するステップをさらに備え、前記タイプ２のアップリンクリソースに対応する前記第２のタイミング関係が、前記端末によって送信された前記アップリンクデータと、前記アップリンクデータに対応する前記応答フィードバック情報との間のタイミング関係を示すために使用される請求項１０に記載の方法。
【請求項１２】
前記端末が前記タイプ１の端末能力をサポートする場合、前記端末によって、前記基地局によって送信されたＤＣＩまたはＲＡＲを受信する前記ステップが、具体的には、前記端末によって、前記タイプ１のダウンリンクリソース上で、前記ＤＣＩまたは前記ＲＡＲを検出するステップであって、前記ＤＣＩまたは前記ＲＡＲが、前記端末が前記アップリンクデータを送信するようにスケジューリングするために使用される前記スケジューリング情報をさらに備えるステップであり、
前記端末が前記タイプ２の端末能力と前記タイプ３の端末能力とをサポートする場合、前記端末によって、前記基地局によって送信されたＤＣＩまたはＲＡＲを受信する前記ステップが、具体的には、前記端末によって、前記タイプ２のダウンリンクリソース上で、前記ＤＣＩまたは前記ＲＡＲを検出するステップであって、前記ＤＣＩまたは前記ＲＡＲが、前記端末が前記アップリンクデータを送信するようにスケジューリングするために使用される前記スケジューリング情報を備えるステップであるか、または、
前記端末が前記タイプ１の端末能力と前記タイプ２の端末能力とをサポートする場合、もしくは、前記端末が前記タイプ１の端末能力と前記タイプ３の端末能力とをサポートする場合、前記端末によって、前記基地局によって送信されたＤＣＩまたはＲＡＲを受信する前記ステップが、具体的には、前記端末によって、前記タイプ１のダウンリンクリソースおよび／または前記タイプ２のダウンリンクリソース上で、前記ＤＣＩまたは前記ＲＡＲを検出するステップであって、前記ＤＣＩまたは前記ＲＡＲが、前記端末が前記アップリンクデータを送信するようにスケジューリングするために使用される前記スケジューリング情報を備えるステップである請求項６乃至１１のいずれか一項に記載の方法。
【請求項１３】
前記端末が前記タイプ１の端末能力と前記タイプ２の端末能力とをサポートする場合、または、前記端末が前記タイプ１の端末能力と前記タイプ３の端末能力とをサポートする場合、前記ＤＣＩまたは前記ＲＡＲが、前記端末によって前記アップリンクデータを送信するために使用される前記アップリンクリソースが前記タイプ１のアップリンクリソースであるか、前記タイプ２のアップリンクリソースであるかを示すために使用される第３の指示情報をさらに備える請求項６乃至１２のいずれか一項に記載の方法。
【請求項１４】
前記受信されたＤＣＩが第１のＤＣＩフォーマットである場合、前記第３の指示情報が、前記端末によって前記アップリンクデータを送信するために使用される前記タイプ１のアップリンクリソースのサブキャリア情報もしくはサブチャネル情報を示し、または、前記受信されたＤＣＩが第２のＤＣＩフォーマットである場合、前記第３の指示情報が、前記端末によって前記アップリンクデータを送信するために使用される前記タイプ２のアップリンクリソースのサブキャリア情報もしくはサブチャネル情報を示し、または、
前記ＤＣＩ内の巡回冗長検査ＣＲＣが第１のスクランブリングコードを使用することによってスクランブリングされている場合、前記第３の指示情報が、前記端末によって前記アップリンクデータを送信するために使用される前記タイプ１のアップリンクリソースのサブキャリア情報もしくはサブチャネル情報を示し、または、前記ＤＣＩ内のＣＲＣが第２のスクランブリングコードを使用することによってスクランブリングされている場合、前記第３の指示情報が、前記端末によって前記アップリンクデータを送信するために使用される前記タイプ２のアップリンクリソースのサブキャリア情報もしくはサブチャネル情報を示す請求項１３に記載の方法。
【請求項１５】
前記端末によって、前記基地局によって送信されたＤＣＩまたはＲＡＲを受信する前記ステップの前に、
前記端末によって、物理ランダムアクセスチャネルＰＲＡＣＨ上でランダムアクセス情報を送信するステップをさらに備え、前記周波数領域における各ＰＲＡＣＨチャネルによって占有される帯域幅が３．７５ｋＨｚまたは１５ｋＨｚであるか、または１５ｋＨｚより大きく１８０ｋＨｚ以下であり、前記ランダムアクセス情報がランダムプリアンブル、直交シーケンスコード、または変調シンボルである請求項５乃至１４のいずれか一項に記載の方法。
【請求項１６】
前記端末によって、ＰＲＡＣＨ上でランダムアクセス情報を送信する前記ステップの前に、
前記端末によって、前記基地局によって送信されたシステム情報を受信するステップをさらに備え、前記システム情報が前記ＰＲＡＣＨチャネルの構成情報を備え、前記ＰＲＡＣＨチャネルの前記構成情報が、タイプ１のＰＲＡＣＨチャネルに関する情報および／またはタイプ２のＰＲＡＣＨチャネルに関する情報を備え、
前記周波数領域における各タイプ１のＰＲＡＣＨチャネルによって占有される帯域幅が３．７５ｋＨｚまたは１５ｋＨｚであり、前記タイプ１のＰＲＡＣＨチャネルに関する前記情報が、前記周波数領域におけるタイプ１のＰＲＡＣＨチャネルの数、または前記周波数領域における前記タイプ１のＰＲＡＣＨチャネルのインデックスもしくは位置情報のうちの少なくとも１つを備え、
前記周波数領域における各タイプ２のＰＲＡＣＨチャネルによって占有される帯域幅が１５ｋＨｚより大きく１８０ｋＨｚ以下であり、前記タイプ２のＰＲＡＣＨチャネルに関する前記情報が、前記周波数領域におけるタイプ２のＰＲＡＣＨチャネルの数、または前記周波数領域における前記タイプ２のＰＲＡＣＨチャネルのインデックスもしくは位置情報のうちの少なくとも１つを備える請求項１５に記載の方法。
【請求項１７】
前記端末が、各ランダムアクセス情報送信機会において、ランダムに選択されたＰＲＡＣＨチャネル上でランダムに選択されたランダムプリアンブルもしくは直交シーケンスコードを前記基地局に送信するか、または、
前記端末が、ランダムプリアンブルまたは直交シーケンスコードを前記基地局にｎ回送信し、前記ランダムプリアンブルまたは前記直交シーケンスコードのセグメントを送信し、各ランダムアクセス情報送信機会において前記端末がＰＲＡＣＨチャネルを占有し、ｎが１以上の整数である請求項１５または１６に記載の方法。
【請求項１８】
前記端末が前記タイプ１の端末能力および／もしくは前記タイプ２の端末能力をサポートする場合、前記端末が前記タイプ１のＰＲＡＣＨチャネル上で前記基地局に前記ランダムアクセス情報を送信し、または、
前記端末が前記タイプ１の端末能力および／もしくは前記タイプ３の端末能力をサポートする場合、前記端末が前記タイプ２のＰＲＡＣＨチャネル上で前記ランダムアクセス情報を前記基地局に送信する請求項１５または１６に記載の方法。
【請求項１９】
前記端末が前記タイプ１の端末能力および／もしくは前記タイプ２の端末能力をサポートする場合、
前記端末が前記タイプ１のＰＲＡＣＨチャネル上で前記ランダムアクセス情報を前記基地局に送信した後、前記方法が、
前記端末によって、前記タイプ１のＰＲＡＣＨチャネルに対応するダウンリンクリソース上で、また前記タイプ１のＰＲＡＣＨチャネルに対応するタイミング関係に従って、基地局によって前記送信された前記ＲＡＲを受信するステップをさらに備え、前記タイプ１のＰＲＡＣＨチャネルに対応する前記タイミング関係が、前記端末によって送信された前記ランダムアクセス情報と前記基地局によって送信された前記ＲＡＲとの間のタイミング関係を示すために使用される請求項１８に記載の方法。
【請求項２０】
前記端末が前記タイプ１の端末能力および／もしくは前記タイプ３の端末能力をサポートする場合、
前記端末が前記タイプ２のＰＲＡＣＨチャネル上で前記ランダムアクセス情報を前記基地局に送信した後、前記方法が、
前記端末によって、前記タイプ２のＰＲＡＣＨチャネルに対応するダウンリンクリソース上で、また前記タイプ２のＰＲＡＣＨチャネルに対応するタイミング関係に従って、前記基地局によって送信された前記ＲＡＲを受信するステップをさらに備え、前記タイプ２のＰＲＡＣＨチャネルに対応する前記タイミング関係が、前記端末によって送信された前記ランダムアクセス情報と前記基地局によって送信された前記ＲＡＲとの間のタイミング関係を示すために使用される請求項１８に記載の方法。
【請求項２１】
データ送信方法であって、
基地局によって、システム情報を端末に送信するステップを備え、前記システム情報が、前記端末によってアップリンクデータまたはアップリンク制御情報を送信するために使用されるアップリンクリソースを示すために使用される第１の指示情報を備え、
前記アップリンクリソースの前記第１の指示情報が、前記アップリンクリソースがタイプ１のアップリンクリソースであるか、またはタイプ２のアップリンクリソースであるかを示すために使用される情報を備え、前記タイプ１のアップリンクリソースが、周波数領域内の少なくとも１つのサブキャリアと、時間領域内の少なくとも１つのシングルキャリア周波数分割多元接続ＳＣ−ＦＤＭＡシンボルとを備え、サブキャリア数が２以上の場合、サブキャリアが互いに直交し、サブキャリア間隔が３．７５ｋＨｚであるか、または、前記タイプ１のアップリンクリソースが、周波数領域内の少なくとも１つのサブチャネルと、時間領域内の少なくとも１つの周波数分割多元接続ＦＤＭＡシンボルとを備え、各サブチャネルの幅が３．７５ｋＨｚであり、前記タイプ２のアップリンクリソースが、前記周波数領域内の少なくとも１つのサブキャリアと、前記時間領域内の少なくとも１つのＳＣ−ＦＤＭＡシンボルとを備え、サブキャリア数が２以上の場合、サブキャリアが互いに直交し、サブキャリア間隔が１５ｋＨｚであり、
前記アップリンクリソースの前記第１の指示情報が、前記タイプ１のアップリンクリソースまたは前記タイプ２のアップリンクリソースの時間領域情報および／または周波数領域情報をさらに備える
方法。
【請求項２２】
前記端末がタイプ１の端末能力をサポートする場合、前記第１の指示情報が、前記アップリンクリソースが前記タイプ１のアップリンクリソースであることを示すために使用され、
前記端末がタイプ２の端末能力もしくはタイプ３の端末能力をサポートする場合、前記第１の指示情報が、前記アップリンクリソースが前記タイプ２のアップリンクリソースであることを示すために使用され、または、
前記端末がタイプ１の端末能力とタイプ２の端末能力とをサポートする場合、もしくは前記端末がタイプ１の端末能力とタイプ３の端末能力とをサポートする場合、前記第１の指示情報が、前記アップリンクリソースが前記タイプ１のアップリンクリソースであるか、前記タイプ２のアップリンクリソースであるかを示すために使用される請求項２１に記載の方法。
【請求項２３】
前記方法が、
前記基地局によって、ダウンリンク制御情報ＤＣＩまたはランダムアクセス応答ＲＡＲを前記端末に送信するステップをさらに備え、前記ＤＣＩまたは前記ＲＡＲが、前記端末によって前記アップリンクデータを送信するために使用される前記アップリンクリソースを示すために使用される第２の指示情報を備え、
前記第２の指示情報が、前記端末によって前記アップリンクデータを送信するために使用される前記タイプ１のアップリンクリソースもしくは前記タイプ２のアップリンクリソースのサブキャリア情報またはサブチャネル情報を備え、
前記サブキャリア情報が、サブキャリア数、サブキャリアインデックス、または前記周波数領域におけるサブキャリアの位置またはインデックスを示すために使用される情報のうちの少なくとも１つを備え、
前記サブチャネル情報が、サブチャネル数、サブチャネルインデックス、または前記周波数領域におけるサブチャネルの位置またはインデックスを示すために使用される情報のうちの少なくとも１つを備える請求項２１または２２に記載の方法。
【請求項２４】
前記ＤＣＩまたは前記ＲＡＲが、前記端末が前記アップリンクデータを送信するようにスケジューリングするために使用されるスケジューリング情報をさらに備え、前記基地局によって、ＤＣＩまたはＲＡＲを前記端末に送信する前記ステップの後、
前記タイプ１のアップリンクリソース上で、前記タイプ１の端末能力をサポートする前記端末によって前記タイプ１のアップリンクリソース上で送信された前記アップリンクデータを受信するステップ、または、
前記タイプ２のアップリンクリソース上で、前記タイプ２の端末能力もしくは前記タイプ３の端末能力をサポートする前記端末によって前記タイプ２のアップリンクリソース上で送信された前記アップリンクデータを受信するステップ、または、
前記タイプ１のアップリンクリソース上で、前記タイプ１の端末能力と前記タイプ２の端末能力とをサポートする前記端末によって前記タイプ１のアップリンクリソース上で送信された前記アップリンクデータを受信するステップ、または、前記タイプ２のアップリンクリソース上で、前記タイプ１の端末能力と前記タイプ２の端末能力とをサポートする前記端末によって前記タイプ２のアップリンクリソース上で送信された前記アップリンクデータを受信するステップをさらに備える請求項２３に記載の方法。
【請求項２５】
前記タイプ１のアップリンクリソース上で、前記基地局によって、前記タイプ１のアップリンクリソース上で前記端末によって送信された前記アップリンクデータを受信する前記ステップが、具体的には、
前記基地局によって、前記タイプ１のアップリンクリソースに対応する第１のタイミング関係に従って、前記タイプ１のアップリンクリソース上で、前記スケジューリング情報を使用することによってスケジューリングされ、前記端末によって送信された、前記アップリンクデータを受信するステップであり、前記タイプ１のアップリンクリソースに対応する前記第１のタイミング関係が、前記ＤＣＩまたは前記ＲＡＲに備えられる前記スケジューリング情報と、前記スケジューリング情報を使用することによってスケジューリングされた前記アップリンクデータとの間のタイミング関係を示すために使用される請求項２４に記載の方法。
【請求項２６】
前記方法が、
前記基地局が、前記タイプ１のアップリンクリソース上で、前記スケジューリング情報を使用することによってスケジューリングされ、前記端末によって送信された前記アップリンクデータを受信した後、前記基地局によって、前記タイプ１のアップリンクリソースに対応する第２のタイミング関係に従って、前記タイプ１のダウンリンクリソース上で、応答フィードバック情報を前記端末に前記送信するステップをさらに備え、前記タイプ１のアップリンクリソースに対応する前記第２のタイミング関係が、前記端末によって送信された前記アップリンクデータと、前記アップリンクデータに対応する前記応答フィードバック情報との間のタイミング関係を示すために使用される請求項２５に記載の方法。
【請求項２７】
前記基地局によって、前記タイプ２のアップリンクリソース上で、前記端末によって前記タイプ２のアップリンクリソース上で送信された前記アップリンクデータを受信する前記ステップが、具体的には、
前記基地局によって、前記タイプ２のアップリンクリソースに対応する第１のタイミング関係に従って、前記タイプ２のアップリンクリソース上で、前記スケジューリング情報を使用することによってスケジューリングされ、前記端末によって送信された、前記アップリンクデータを受信するステップであり、前記タイプ２のアップリンクリソースに対応する前記第１のタイミング関係が、前記ＤＣＩまたは前記ＲＡＲに備えられる前記スケジューリング情報と、前記スケジューリング情報を使用することによってスケジューリングされた前記アップリンクデータとの間のタイミング関係を示すために使用される請求項２４に記載の方法。
【請求項２８】
前記方法が、
前記基地局が、前記タイプ２のアップリンクリソース上で、前記スケジューリング情報を使用することによってスケジューリングされ、前記端末によって送信された前記アップリンクデータを受信した後、前記基地局によって、前記タイプ２のアップリンクリソースに対応する第２のタイミング関係に従って、前記タイプ２のダウンリンクリソース上で、応答フィードバック情報を前記端末に送信するステップをさらに備え、前記タイプ２のアップリンクリソースに対応する前記第２のタイミング関係が、前記端末によって送信された前記アップリンクデータと、前記アップリンクデータに対応する前記応答フィードバック情報との間のタイミング関係を示すために使用される請求項２７に記載の方法。
【請求項２９】
前記端末が前記タイプ１の端末能力をサポートする場合、前記基地局によって、ＤＣＩまたはＲＡＲを前記端末に送信する前記ステップは、具体的には、前記基地局によって、前記タイプ１のダウンリンクリソース上で、前記ＤＣＩまたは前記ＲＡＲを送信するステップであり、前記ＤＣＩまたは前記ＲＡＲが、前記端末が前記アップリンクデータを送信するようにスケジューリングするために使用される前記スケジューリング情報をさらに備え、
前記端末が前記タイプ２の端末能力と前記タイプ３の端末能力をサポートする場合、前記基地局によって、ＤＣＩまたはＲＡＲを前記端末に前記送信する前記ステップは、具体的には、前記基地局によって、前記タイプ２のダウンリンクリソース上で、前記ＤＣＩまたは前記ＲＡＲを送信するステップであって、前記ＤＣＩまたは前記ＲＡＲが、前記端末が前記アップリンクデータを送信するようにスケジューリングするために使用される前記スケジューリング情報を備えるステップであるか、または、
前記端末が前記タイプ１の端末能力と前記タイプ２の端末能力とをサポートする場合、もしくは、前記端末が前記タイプ１の端末能力と前記タイプ３の端末能力とをサポートする場合、前記基地局によって、ＤＣＩまたはＲＡＲを前記端末に送信する前記ステップが、具体的には、前記基地局によって、前記タイプ１のダウンリンクリソースおよび／または前記タイプ２のダウンリンクリソース上で、前記ＤＣＩまたは前記ＲＡＲを送信するステップであって、前記ＤＣＩまたは前記ＲＡＲが、前記端末が前記アップリンクデータを送信するようにスケジューリングするために使用される前記スケジューリング情報を備えるステップである請求項２３乃至２８のいずれか一項に記載の方法。
【請求項３０】
前記ＤＣＩまたは前記ＲＡＲが前記第２の指示情報を備え、前記端末が前記タイプ１の端末能力と前記タイプ２の端末能力とをサポートするか、または前記端末が前記タイプ１の端末能力と前記タイプ３の端末能力とをサポートする場合、前記ＤＣＩまたは前記ＲＡＲが、前記端末によって前記アップリンクデータを送信するために使用される前記アップリンクリソースが前記タイプ１のアップリンクリソースであるか、前記タイプ２のアップリンクリソースであるかを示すために使用される第３の指示情報をさらに備える請求項２２乃至２９のいずれか一項に記載の方法。
【請求項３１】
前記ＤＣＩが第１のＤＣＩフォーマットである場合、前記第３の指示情報が、前記端末によって前記アップリンクデータを送信するために使用される前記タイプ１のアップリンクリソースのサブキャリア情報もしくはサブチャネル情報を示し、または、前記ＤＣＩが第２のＤＣＩフォーマットである場合、前記第３の指示情報が、前記端末によって前記アップリンクデータを送信するために使用される前記タイプ２のアップリンクリソースのサブキャリア情報もしくはサブチャネル情報を示し、または、
前記ＤＣＩ内の巡回冗長検査ＣＲＣが第１のスクランブリングコードを使用することによってスクランブリングされている場合、前記第３の指示情報が、前記端末によって前記アップリンクデータを送信するために使用される前記タイプ１のアップリンクリソースのサブキャリア情報もしくはサブチャネル情報を示し、または、前記ＤＣＩ内のＣＲＣが第２のスクランブリングコードを使用することによってスクランブリングされている場合、前記第３の指示情報が、前記端末によって前記アップリンクデータを送信するために使用される前記タイプ２のアップリンクリソースのサブキャリア情報もしくはサブチャネル情報を示す請求項３０に記載の方法。
【請求項３２】
前記基地局によって、ＤＣＩまたはＲＡＲを前記端末に送信する前記ステップの前に、前記方法が、
前記基地局によって、前記端末によって物理ランダムアクセスチャネルＰＲＡＣＨ上で送信されたランダムアクセス情報を受信するステップをさらに備え、前記周波数領域における各ＰＲＡＣＨチャネルによって占有される帯域幅が３．７５ｋＨｚまたは１５ｋＨｚであるか、または１５ｋＨｚより大きく１８０ｋＨｚ以下であり、前記ランダムアクセス情報がランダムプリアンブル、直交シーケンスコード、または変調シンボルである請求項２２乃至３１のいずれか一項に記載の方法。
【請求項３３】
前記基地局によって、前記端末によってＰＲＡＣＨ上で送信されたランダムアクセス情報を受信する前記ステップの前に、
前記基地局によって、システム情報を前記端末に送信するステップをさらに備え、前記システム情報が前記ＰＲＡＣＨチャネルの構成情報を備え、前記ＰＲＡＣＨチャネルの前記構成情報が、タイプ１のＰＲＡＣＨチャネルに関する情報および／またはタイプ２のＰＲＡＣＨチャネルに関する情報を備え、
前記周波数領域における各タイプ１のＰＲＡＣＨチャネルによって占有される帯域幅は３．７５ｋＨｚまたは１５ｋＨｚであり、前記タイプ１のＰＲＡＣＨチャネルに関する前記情報が、前記周波数領域におけるタイプ１のＰＲＡＣＨチャネルの数、または前記周波数領域における前記タイプ１のＰＲＡＣＨチャネルのインデックスもしくは位置情報のうちの少なくとも１つを備え、
前記周波数領域における各タイプ２のＰＲＡＣＨチャネルによって占有される帯域幅が１５ｋＨｚより大きく１８０ｋＨｚ以下であり、前記タイプ２のＰＲＡＣＨチャネルに関する前記情報が、前記周波数領域におけるタイプ２のＰＲＡＣＨチャネルの数、または前記周波数領域における前記タイプ２のＰＲＡＣＨチャネルのインデックスもしくは位置情報のうちの少なくとも１つを備える請求項３２に記載の方法。
【請求項３４】
前記基地局によって、前記端末によってＰＲＡＣＨ上で送信されたランダムアクセス情報を受信する前記ステップが、具体的には、
前記基地局によって、各ランダムアクセス情報送信機会において、前記端末によってランダムに選択されたＰＲＡＣＨチャネル上で送信されたランダムに選択されたランダムプリアンブルもしくは直交シーケンスコードを受信するステップであるか、または、
前記基地局によって、前記端末によってｎ回送信されたランダムプリアンブルもしくは直交シーケンスコードを受信し、前記ランダムプリアンブルもしくは前記直交シーケンスコードのセグメントを送信するステップであり、各ランダムアクセス情報送信機会において前記端末がＰＲＡＣＨチャネルを占有し、ｎが１以上の整数である請求項３２または３３に記載の方法。
【請求項３５】
前記端末が前記タイプ１の端末能力および／もしくは前記タイプ２の端末能力をサポートする場合、前記基地局が、前記タイプ１のＰＲＡＣＨチャネル上で、前記端末によって送信された前記ランダムアクセス情報を受信するか、または、
前記端末が前記タイプ３の端末能力をサポートする場合、前記基地局が、前記タイプ２のＰＲＡＣＨチャネル上で、前記端末によって送信された前記ランダムアクセス情報を受信する請求項３２または３３に記載の方法。
【請求項３６】
前記端末が前記タイプ１の端末能力および／もしくは前記タイプ２の端末能力をサポートする場合、
前記基地局が、前記タイプ１のＰＲＡＣＨチャネル上で、前記端末によって送信された前記ランダムアクセス情報を受信した後、前記方法が、
前記基地局によって、前記タイプ１のＰＲＡＣＨチャネルに対応するダウンリンクリソース上で、また前記タイプ１のＰＲＡＣＨチャネルに対応するタイミング関係に従って、前記ＲＡＲを前記端末に送信するステップをさらに備え、前記タイプ１のＰＲＡＣＨチャネルに対応する前記タイミング関係が、前記端末によって送信された前記ランダムアクセス情報と前記基地局によって送信された前記ＲＡＲとの間のタイミング関係を示すために使用される請求項３５に記載の方法。
【請求項３７】
前記端末が前記タイプ３の端末能力をサポートする場合、
前記基地局が、前記タイプ２のＰＲＡＣＨチャネル上で、前記端末によって送信された前記ランダムアクセス情報を受信した後、前記方法が、
前記基地局によって、前記タイプ２のＰＲＡＣＨチャネルに対応するダウンリンクリソース上で、また前記タイプ２のＰＲＡＣＨチャネルに対応するタイミング関係に従って、前記ＲＡＲを前記端末に送信するステップをさらに備え、前記タイプ２のＰＲＡＣＨチャネルに対応する前記タイミング関係が、前記端末によって送信された前記ランダムアクセス情報と前記基地局によって送信された前記ＲＡＲとの間のタイミング関係を示すために使用される請求項３５に記載の方法。
【請求項３８】
端末であって、前記端末が、プロセッサと、メモリと、システムバスと、通信インターフェースとを備え、
前記メモリが、コンピュータ実行可能命令を記憶するように構成され、前記プロセッサが、前記システムバスを使用することによって前記メモリに接続され、前記基地局が動作する時、前記プロセッサが、前記端末が請求項１乃至２０のいずれか一項に記載の前記データ送信方法を実行するように、前記メモリに記憶された前記コンピュータ実行可能命令を実行する、端末。
【請求項３９】
基地局であって、前記基地局が、プロセッサと、メモリと、システムバスと、通信インターフェースとを備え、
前記メモリが、コンピュータ実行可能命令を記憶するように構成され、前記プロセッサが、前記システムバスを使用することによって前記メモリに接続され、前記基地局が動作する時、前記プロセッサが、前記端末が請求項２１乃至３７のいずれか一項に記載の前記データ送信方法を実行するように、前記メモリに記憶された前記コンピュータ実行可能命令を実行する、基地局。
【発明の詳細な説明】
【技術分野】
【０００１】
本発明は、通信技術の分野に関し、具体的には、データ送信方法および装置に関する。
【背景技術】
【０００２】
現在、ロングタームエボリューションＬＴＥシステムにおいて、ユーザ機器ＵＥは、ダウンリンクサブフレームにおいてダウンリンク制御情報ＤＣＩを検出する。ＤＣＩは、物理アップリンク共有チャネルＰＵＳＣＨを送信するためにＵＥによって使用されるスケジューリング情報と、物理ダウンリンク共有チャネルＰＤＳＣＨを受信するためにＵＥによって使用されるスケジューリング情報、たとえば、周波数領域において使用される物理リソースブロックの量、使用される変調および符号化方式または変調方式、ならびに搬送されるトランスポートブロックに含まれるビット量とを含む。ＰＵＳＣＨチャネルは、主に、端末によって送信されたアップリンクデータを搬送し、シングルキャリア周波数分割多元接続ＳＣ−ＦＤＭＡによって送信される。周波数領域における最小スケジューリング粒度は、１つの物理リソースブロックＰＲＢである。１つのＰＲＢは、周波数領域において１２個の直交サブキャリアを含み、サブキャリア間隔は１５ｋＨｚである。したがって、１つのＰＲＢは１８０ｋＨｚの周波数リソースを含む。
【０００３】
しかしながら、通信技術の急速な発展に伴い、複数のタイプの端末能力をサポートできるＬＴＥ端末が利用可能となっている。たとえば、端末がタイプ１の端末能力をサポートするということは、端末が、アップリンクにおいて３．７５ｋＨｚの直交サブキャリア間隔でＳＣ−ＦＤＭＡによって単一のサブキャリアを送信すること、または、アップリンクにおいて３．７５ｋＨｚのサブチャネル帯域幅でＦＤＭＡによって単一のサブチャネルを送信することができることを意味し、端末がタイプ２の端末能力をサポートするということは、端末が、アップリンクにおいて１５ｋＨｚの直交サブキャリア間隔でＳＣ−ＦＤＭＡによって単一のサブキャリアを送信できることを意味し、または、端末がタイプ２の端末能力をサポートするということは、端末が、アップリンクにおいて１５ｋＨｚの直交サブキャリア間隔でＳＣ−ＦＤＭＡによって複数のサブキャリアを送信できることを意味する。３つのタイプの端末能力のすべてをサポートする端末は、ダウンリンクにおける直交周波数分割多元接続ＯＦＤＭＡ技術をサポートし、サブキャリア間隔は１５ｋＨｚである。端末は、３つのタイプの端末能力のうちの任意の１つまたは複数をサポートすることができる。
【発明の概要】
【発明が解決しようとする課題】
【０００４】
しかしながら、ＬＴＥシステムの最小スケジューリング粒度は１つのＰＲＢ、すなわち１８０ｋＨｚの周波数リソースであり、単一のサブキャリアまたは複数のサブキャリアのスケジューリングはサポートされず、タイプ１の端末能力とタイプ２の端末能力とをサポートする端末の無線周波数帯域幅は３．７５ｋＨｚから１８０ｋＨｚの範囲である。したがって、既存のＬＴＥシステムでは、ＬＴＥシステムは、同期チャネルまたはブロードキャストチャネルに関する情報を受信することができず、正常に通信を実行することができない。この場合、データ送信方法および装置が緊急に必要とされる。
【課題を解決するための手段】
【０００５】
従来技術の問題を解決するために、本発明の実施形態は、データ処理方法および装置を提供する。
【０００６】
第１の態様によれば、データ送信方法が提供され、本方法は、
端末によって、アップリンクデータまたはアップリンク制御情報を送信するために使用されるアップリンクリソースの第１の指示情報を取得するステップを含み、
アップリンクリソースの第１の指示情報が、アップリンクリソースがタイプ１のアップリンクリソースであるか、またはタイプ２のアップリンクリソースであるかを示すために使用される情報を含み、タイプ１のアップリンクリソースが、周波数領域内の少なくとも１つのサブキャリアと、時間領域内の少なくとも１つのＳＣ−ＦＤＭＡシンボルとを含み、サブキャリア数が２以上の場合、サブキャリアが互いに直交し、サブキャリア間隔が３．７５ｋＨｚであるか、または、タイプ１のアップリンクリソースが、周波数領域内の少なくとも１つのサブチャネルと、時間領域内の少なくとも１つの周波数分割多元接続ＦＤＭＡシンボルとを含み、各サブチャネルの幅が３．７５ｋＨｚであり、タイプ２のアップリンクリソースが、周波数領域内の少なくとも１つのサブキャリアと、時間領域内の少なくとも１つのシングルキャリア周波数分割多元接続ＳＣ−ＦＤＭＡシンボルとを含み、サブキャリア数が２以上の場合、サブキャリアが互いに直交し、サブキャリア間隔が１５ｋＨｚであり、
アップリンクリソースの第１の指示情報が、タイプ１のアップリンクリソースまたはタイプ２のアップリンクリソースの時間領域情報および／または周波数領域情報をさらに含む。
【０００７】
第１の態様に関して、第１の態様の第１の可能な実装形態では、端末によって、アップリンクデータまたはアップリンク制御情報を送信するために使用されるアップリンクリソースの第１の指示情報を取得するステップは、具体的には、
端末によって、基地局によって送信されたシステム情報を受信するステップであり、システム情報は、タイプ１のアップリンクリソースの時間領域情報および／もしくは周波数領域情報、ならびに／またはタイプ２のアップリンクリソースの時間領域情報および／もしくは周波数領域情報を含む。
【０００８】
第１の態様、または第１の態様の第１の可能な実装形態に関して、第１の態様の第２の可能な実装形態では、
端末がタイプ１の端末能力をサポートする場合、第１の指示情報は、アップリンクリソースがタイプ１のアップリンクリソースであることを示すために使用され、
端末がタイプ２の端末能力もしくはタイプ３の端末能力をサポートする場合、第１の指示情報は、アップリンクリソースがタイプ２のアップリンクリソースであることを示すために使用され、または、
端末がタイプ１の端末能力とタイプ２の端末能力とをサポートする場合、もしくは端末がタイプ１の端末能力とタイプ３の端末能力とをサポートする場合、第１の指示情報は、アップリンクリソースがタイプ１のアップリンクリソースであるか、タイプ２のアップリンクリソースであるかを示すために使用される。
【０００９】
第１の態様から第１の態様の第２の可能な実装形態のうちのいずれか１つに関して、第１の態様の第３の可能な実装形態では、端末によって、第１の指示情報を取得するステップの後、本方法は、
端末がタイプ１の端末能力をサポートする場合、端末によって、タイプ１のアップリンクリソース上でアップリンクデータまたはアップリンク制御情報を送信するステップ、
端末がタイプ２の端末能力もしくはタイプ３の端末能力をサポートする場合、端末によって、タイプ２のアップリンクリソース上でアップリンクデータまたはアップリンク制御情報を送信するステップ、または、
端末がタイプ１の端末能力とタイプ２の端末能力とをサポートするか、もしくは端末がタイプ１の端末能力とタイプ３の端末能力とをサポートする場合、端末によって、タイプ１のアップリンクリソースまたはタイプ２のアップリンクリソース上でアップリンクデータまたはアップリンク制御情報を送信するステップをさらに含む。
【００１０】
第１の態様から第１の態様の第３の可能な実装形態のうちのいずれか１つに関して、第１の態様の第４の可能な実装形態では、本方法は、
端末によって、アップリンクデータを送信するために使用されるアップリンクリソースの第２の指示情報を取得するステップであって、第２の指示情報が、端末によってアップリンクデータを送信するために使用されるタイプ１のアップリンクリソースもしくはタイプ２のアップリンクリソースのサブキャリア情報またはサブチャネル情報を含むステップをさらに含み、
サブキャリア情報が、サブキャリア数、サブキャリアインデックス、または周波数領域におけるサブキャリアの位置またはインデックスを示すために使用される情報のうちの少なくとも１つを含み、
サブチャネル情報が、サブチャネル数、サブチャネルインデックス、または周波数領域におけるサブチャネルの位置またはインデックスを示すために使用される情報のうちの少なくとも１つを含む。
【００１１】
第１の態様の第４の可能な実装形態に関して、第１の態様の第５の可能な実装形態では、端末によって、アップリンクデータを送信するために使用されるアップリンクリソースの第２の指示情報を取得するステップは、具体的には、
端末によって、基地局によって送信されたダウンリンク制御情報ＤＣＩまたはランダムアクセス応答ＲＡＲを受信するステップであり、ＤＣＩまたはＲＡＲは第２の指示情報を含む。
【００１２】
第１の態様の第５の可能な実装形態に関して、第１の態様の第６の可能な実装形態では、ＤＣＩまたはＲＡＲが、端末によって、基地局によって送信されたＤＣＩまたはＲＡＲを受信するステップの後に、端末がアップリンクデータを送信するようにスケジューリングするために使用されるスケジューリング情報をさらに含む場合、本方法は、
端末がタイプ１の端末能力をサポートする場合、端末によって、タイプ１のアップリンクリソース上でアップリンクデータを送信するステップ、
端末がタイプ２の端末能力もしくはタイプ３の端末能力をサポートする場合、端末によって、タイプ２のアップリンクリソース上でアップリンクデータを送信するステップ、または、
端末がタイプ１の端末能力とタイプ２の端末能力とをサポートするか、もしくは端末がタイプ１の端末能力とタイプ３の端末能力とをサポートする場合、端末によって、タイプ１のアップリンクリソースまたはタイプ２のアップリンクリソース上でアップリンクデータを送信するステップをさらに含む。
【００１３】
第１の態様の第６の可能な実装形態に関して、第１の態様の第７の可能な実装形態では、端末によって、タイプ１のアップリンクリソース上でアップリンクデータを送信するステップは、具体的には、
端末によって、タイプ１のアップリンクリソースに対応する第１のタイミング関係に従って、タイプ１のアップリンクリソース上で、スケジューリング情報を使用することによってスケジューリングされたアップリンクデータを送信するステップであり、タイプ１のアップリンクリソースに対応する第１のタイミング関係は、ＤＣＩまたはＲＡＲに含まれるスケジューリング情報と、スケジューリング情報を使用することによってスケジューリングされたアップリンクデータとの間のタイミング関係を示すために使用される。
【００１４】
第１の態様の第７の可能な実装形態に関して、第１の態様の第８の可能な実装形態では、本方法は、
端末がスケジューリング情報を使用することによってスケジューリングされたアップリンクデータを送信した後、端末によって、タイプ１のアップリンクリソースに対応する第２のタイミング関係に従って、タイプ１のダウンリンクリソース上で、基地局によって送信された応答フィードバック情報を受信するステップをさらに含み、タイプ１のアップリンクリソースに対応する第２のタイミング関係は、端末によって送信されたアップリンクデータと、アップリンクデータに対応する応答フィードバック情報との間のタイミング関係を示すために使用される。
【００１５】
第１の態様の第６の可能な実装形態に関して、第１の態様の第９の可能な実装形態では、端末によって、タイプ２のアップリンクリソース上でアップリンクデータを送信するステップは、具体的には、
端末によって、タイプ２のアップリンクリソースに対応する第１のタイミング関係に従って、タイプ２のアップリンクリソース上で、スケジューリング情報を使用することによってスケジューリングされたアップリンクデータを送信するステップであり、タイプ２のアップリンクリソースに対応する第１のタイミング関係は、ＤＣＩまたはＲＡＲに含まれるスケジューリング情報と、スケジューリング情報を使用することによってスケジューリングされたアップリンクデータとの間のタイミング関係を示すために使用される。
【００１６】
第１の態様の第９の可能な実装形態に関して、第１の態様の第１０の可能な実装形態では、本方法は、
端末がスケジューリング情報を使用することによってスケジューリングされたアップリンクデータを送信した後、端末によって、タイプ２のアップリンクリソースに対応する第２のタイミング関係に従って、タイプ２のダウンリンクリソース上で、基地局によって送信された応答フィードバック情報を受信するステップをさらに含み、タイプ２のアップリンクリソースに対応する第２のタイミング関係は、端末によって送信されたアップリンクデータと、アップリンクデータに対応する応答フィードバック情報との間のタイミング関係を示すために使用される。
【００１７】
第１の態様の第５の可能な実装形態から、第１の態様の第１０の可能な実装形態のうちのいずれか１つに関して、第１の態様の第１１の可能な実装形態では、
端末がタイプ１の端末能力をサポートする場合、端末によって、基地局によって送信されたＤＣＩまたはＲＡＲを受信するステップは、具体的には、端末によって、タイプ１のダウンリンクリソース上で、ＤＣＩまたはＲＡＲを検出するステップであって、ＤＣＩまたはＲＡＲが、端末がアップリンクデータを送信するようにスケジューリングするために使用されるスケジューリング情報をさらに含むステップであり、
端末がタイプ２の端末能力とタイプ３の端末能力とをサポートする場合、端末によって、基地局によって送信されたＤＣＩまたはＲＡＲを受信するステップは、具体的には、端末によって、タイプ２のダウンリンクリソース上で、ＤＣＩまたはＲＡＲを検出するステップであって、ＤＣＩまたはＲＡＲは、端末がアップリンクデータを送信するようにスケジューリングするために使用されるスケジューリング情報を含むステップであるか、または、
端末がタイプ１の端末能力とタイプ２の端末能力とをサポートする場合、もしくは、端末がタイプ１の端末能力とタイプ３の端末能力とをサポートする場合、端末によって、基地局によって送信されたＤＣＩまたはＲＡＲを受信するステップは、具体的には、端末によって、タイプ１のダウンリンクリソースおよび／またはタイプ２のダウンリンクリソース上で、ＤＣＩまたはＲＡＲを検出するステップであって、ＤＣＩまたはＲＡＲが、端末がアップリンクデータを送信するようにスケジューリングするために使用されるスケジューリング情報を含むステップである。
【００１８】
第１の態様の第５の可能な実装形態から、第１の態様の第１１の可能な実装形態のうちのいずれか１つに関して、第１の態様の第１２の可能な実装形態では、端末がタイプ１の端末能力とタイプ２の端末能力とをサポートする場合、または、端末がタイプ１の端末能力とタイプ３の端末能力とをサポートする場合、ＤＣＩまたはＲＡＲは、端末によってアップリンクデータを送信するために使用されるアップリンクリソースがタイプ１のアップリンクリソースであるか、タイプ２のアップリンクリソースであるかを示すために使用される第３の指示情報をさらに含む。
【００１９】
第１の態様の第１２の可能な実装形態に関して、第１の態様の第１３の可能な実装形態では、
受信されたＤＣＩが第１のＤＣＩフォーマットである場合、第３の指示情報は、端末によってアップリンクデータを送信するために使用されるタイプ１のアップリンクリソースのサブキャリア情報もしくはサブチャネル情報を示し、または、受信されたＤＣＩが第２のＤＣＩフォーマットである場合、第３の指示情報は、端末によってアップリンクデータを送信するために使用されるタイプ２のアップリンクリソースのサブキャリア情報もしくはサブチャネル情報を示し、または、
ＤＣＩ内の巡回冗長検査ＣＲＣが第１のスクランブリングコードを使用することによってスクランブリングされている場合、第３の指示情報は、端末によってアップリンクデータを送信するために使用されるタイプ１のアップリンクリソースのサブキャリア情報もしくはサブチャネル情報を示し、または、ＤＣＩ内のＣＲＣが第２のスクランブリングコードを使用することによってスクランブリングされている場合、第３の指示情報は、端末によってアップリンクデータを送信するために使用されるタイプ２のアップリンクリソースのサブキャリア情報もしくはサブチャネル情報を示す。
【００２０】
第１の態様の第４の可能な実装形態から、第１の態様の第１３の可能な実装形態のうちのいずれか１つに関して、第１の態様の第１４の可能な実装形態では、端末によって、基地局によって送信されたＤＣＩまたはＲＡＲを受信するステップの前に、本方法は、
端末によって、物理ランダムアクセスチャネルＰＲＡＣＨ上でランダムアクセス情報を送信するステップをさらに含み、周波数領域における各ＰＲＡＣＨチャネルによって占有される帯域幅は３．７５ｋＨｚまたは１５ｋＨｚであるか、または１５ｋＨｚより大きく１８０ｋＨｚ以下であり、ランダムアクセス情報はランダムプリアンブル、直交シーケンスコード、または変調シンボルである。
【００２１】
第１の態様の第１４の可能な実装形態に関して、第１の態様の第１５の可能な実装形態では、端末によって、ＰＲＡＣＨ上でランダムアクセス情報を送信するステップの前に、本方法は、
端末によって、基地局によって送信されたシステム情報を受信するステップをさらに含み、システム情報はＰＲＡＣＨチャネルの構成情報を含み、ＰＲＡＣＨチャネルの構成情報は、タイプ１のＰＲＡＣＨチャネルに関する情報および／またはタイプ２のＰＲＡＣＨチャネルに関する情報を含み、
周波数領域における各タイプ１のＰＲＡＣＨチャネルによって占有される帯域幅は３．７５ｋＨｚまたは１５ｋＨｚであり、タイプ１のＰＲＡＣＨチャネルに関する情報は、周波数領域におけるタイプ１のＰＲＡＣＨチャネルの数、または周波数領域におけるタイプ１のＰＲＡＣＨチャネルのインデックスもしくは位置情報のうちの少なくとも１つを含み、
周波数領域における各タイプ２のＰＲＡＣＨチャネルによって占有される帯域幅は１５ｋＨｚより大きく１８０ｋＨｚ以下であり、タイプ２のＰＲＡＣＨチャネルに関する情報は、周波数領域におけるタイプ２のＰＲＡＣＨチャネルの数、または周波数領域におけるタイプ２のＰＲＡＣＨチャネルのインデックスもしくは位置情報のうちの少なくとも１つを含む。
【００２２】
第１の態様の第１４の可能な実装形態、または第１の態様の第１５の可能な実装形態に関して、第１の態様の第１６の可能な実装形態では、端末は、各ランダムアクセス情報送信機会において、ランダムに選択されたＰＲＡＣＨチャネル上でランダムに選択されたランダムプリアンブルもしくは直交シーケンスコードを基地局に送信するか、または、
端末は、ランダムプリアンブルまたは直交シーケンスコードを基地局にｎ回送信し、ランダムプリアンブルまたは直交シーケンスコードのセグメントを送信し、各ランダムアクセス情報送信機会において端末がＰＲＡＣＨチャネルを占有し、ｎは１以上の整数である。
【００２３】
第１の態様の第１４の可能な実装形態、または第１の態様の第１５の可能な実装形態に関して、第１の態様の第１７の可能な実装形態では、端末がタイプ１の端末能力および／もしくはタイプ２の端末能力をサポートする場合、端末はタイプ１のＰＲＡＣＨチャネル上で基地局にランダムアクセス情報を送信し、または、
端末がタイプ１の端末能力および／もしくはタイプ３の端末能力をサポートする場合、端末はタイプ２のＰＲＡＣＨチャネル上でランダムアクセス情報を基地局に送信する。
【００２４】
第１の態様の第１７の可能な実装形態に関して、第１の態様の第１８の可能な実装形態では、端末がタイプ１の端末能力および／もしくはタイプ２の端末能力をサポートする場合、
端末がタイプ１のＰＲＡＣＨチャネル上でランダムアクセス情報を基地局に送信した後、本方法は、
端末によって、タイプ１のＰＲＡＣＨチャネルに対応するダウンリンクリソース上で、またタイプ１のＰＲＡＣＨチャネルに対応するタイミング関係に従って、基地局によって送信されたＲＡＲを受信するステップをさらに含み、タイプ１のＰＲＡＣＨチャネルに対応するタイミング関係は、端末によって送信されたランダムアクセス情報と基地局によって送信されたＲＡＲとの間のタイミング関係を示すために使用される。
【００２５】
第１の態様の第１７の可能な実装形態に関して、第１の態様の第１９の可能な実装形態では、端末がタイプ１の端末能力および／もしくはタイプ３の端末能力をサポートする場合、
端末がタイプ２のＰＲＡＣＨチャネル上でランダムアクセス情報を基地局に送信した後、本方法は、
端末によって、タイプ２のＰＲＡＣＨチャネルに対応するダウンリンクリソース上で、またタイプ２のＰＲＡＣＨチャネルに対応するタイミング関係に従って、基地局によって送信されたＲＡＲを受信するステップをさらに含み、タイプ２のＰＲＡＣＨチャネルに対応するタイミング関係は、端末によって送信されたランダムアクセス情報と基地局によって送信されたＲＡＲとの間のタイミング関係を示すために使用される。
【００２６】
第２の態様によれば、データ送信方法が提供され、本方法は、
基地局によって、システム情報を端末に送信するステップを含み、システム情報は、端末によってアップリンクデータまたはアップリンク制御情報を送信するために使用されるアップリンクリソースを示すために使用される第１の指示情報を含み、
アップリンクリソースの第１の指示情報が、アップリンクリソースがタイプ１のアップリンクリソースであるか、またはタイプ２のアップリンクリソースであるかを示すために使用される情報を含み、タイプ１のアップリンクリソースが、周波数領域内の少なくとも１つのサブキャリアと、時間領域内の少なくとも１つのシングルキャリア周波数分割多元接続ＳＣ−ＦＤＭＡシンボルとを含み、サブキャリア数が２以上の場合、サブキャリアが互いに直交し、サブキャリア間隔が３．７５ｋＨｚであるか、または、タイプ１のアップリンクリソースが、周波数領域内の少なくとも１つのサブチャネルと、時間領域内の少なくとも１つの周波数分割多元接続ＦＤＭＡシンボルとを含み、各サブチャネルの幅が３．７５ｋＨｚであり、タイプ２のアップリンクリソースが、周波数領域内の少なくとも１つのサブキャリアと、時間領域内の少なくとも１つのＳＣ−ＦＤＭＡシンボルとを含み、サブキャリア数が２以上の場合、サブキャリアが互いに直交し、サブキャリア間隔が１５ｋＨｚであり、
アップリンクリソースの第１の指示情報が、タイプ１のアップリンクリソースまたはタイプ２のアップリンクリソースの時間領域情報および／または周波数領域情報をさらに含むステップを含む。
【００２７】
第２の態様に関して、第２の態様の第１の可能な実装形態では、
端末がタイプ１の端末能力をサポートする場合、第１の指示情報は、アップリンクリソースがタイプ１のアップリンクリソースであることを示すために使用され、
端末がタイプ２の端末能力もしくはタイプ３の端末能力をサポートする場合、第１の指示情報は、アップリンクリソースがタイプ２のアップリンクリソースであることを示すために使用され、または、
端末がタイプ１の端末能力とタイプ２の端末能力とをサポートする場合、もしくは端末がタイプ１の端末能力とタイプ３の端末能力とをサポートする場合、第１の指示情報は、アップリンクリソースがタイプ１のアップリンクリソースであるか、タイプ２のアップリンクリソースであるかを示すために使用される。
【００２８】
第２の態様、または第２の態様の第１の可能な実装形態に関して、第２の態様の第２の可能な実装形態では、本方法は、
基地局によって、ダウンリンク制御情報ＤＣＩまたはランダムアクセス応答ＲＡＲを端末に送信するステップをさらに含み、ＤＣＩまたはＲＡＲは、端末によってアップリンクデータを送信するために使用されるアップリンクリソースを示すために使用される第２の指示情報を含み、
第２の指示情報が、端末によってアップリンクデータを送信するために使用されるタイプ１のアップリンクリソースもしくはタイプ２のアップリンクリソースのサブキャリア情報またはサブチャネル情報を含み、
サブキャリア情報が、サブキャリア数、サブキャリアインデックス、または周波数領域におけるサブキャリアの位置またはインデックスを示すために使用される情報のうちの少なくとも１つを含み、
サブチャネル情報が、サブチャネル数、サブチャネルインデックス、または周波数領域におけるサブチャネルの位置またはインデックスを示すために使用される情報のうちの少なくとも１つを含む。
【００２９】
第２の態様の第２の可能な実装形態に関して、第２の態様の第３の可能な実装形態では、ＤＣＩまたはＲＡＲは、端末がアップリンクデータを送信するようにスケジューリングするために使用されるスケジューリング情報をさらに含み、基地局によって、ＤＣＩまたはＲＡＲを端末に送信するステップの後、本方法は、
タイプ１のアップリンクリソース上で、タイプ１の端末能力をサポートする端末によってタイプ１のアップリンクリソース上で送信されたアップリンクデータを受信するステップ、または、
タイプ２のアップリンクリソース上で、タイプ２の端末能力もしくはタイプ３の端末能力をサポートする端末によってタイプ２のアップリンクリソース上で送信されたアップリンクデータを受信するステップ、または、
タイプ１のアップリンクリソース上で、タイプ１の端末能力とタイプ２の端末能力とをサポートする端末によってタイプ１のアップリンクリソース上で送信されたアップリンクデータを受信するステップ、または、タイプ２のアップリンクリソース上で、タイプ１の端末能力とタイプ２の端末能力とをサポートする端末によってタイプ２のアップリンクリソース上で送信されたアップリンクデータを受信するステップをさらに含む。
【００３０】
第２の態様の第３の可能な実装形態に関して、第２の態様の第４の可能な実装形態では、タイプ１のアップリンクリソース上で、基地局によって、タイプ１のアップリンクリソース上で端末によって送信されたアップリンクデータを受信するステップは、具体的には、
基地局によって、タイプ１のアップリンクリソースに対応する第１のタイミング関係に従って、タイプ１のアップリンクリソース上で、スケジューリング情報を使用することによってスケジューリングされ、端末によって送信された、アップリンクデータを受信するステップであり、タイプ１のアップリンクリソースに対応する第１のタイミング関係は、ＤＣＩまたはＲＡＲに含まれるスケジューリング情報と、スケジューリング情報を使用することによってスケジューリングされたアップリンクデータとの間のタイミング関係を示すために使用される。
【００３１】
第２の態様の第４の可能な実装形態に関して、第２の態様の第５の可能な実装形態では、
基地局が、タイプ１のアップリンクリソース上で、スケジューリング情報を使用することによってスケジューリングされ、端末によって送信されたアップリンクデータを受信した後、基地局によって、タイプ１のアップリンクリソースに対応する第２のタイミング関係に従って、タイプ１のダウンリンクリソース上で、応答フィードバック情報を端末に送信し、タイプ１のアップリンクリソースに対応する第２のタイミング関係は、端末によって送信されたアップリンクデータと、アップリンクデータに対応する応答フィードバック情報との間のタイミング関係を示すために使用される。
【００３２】
第２の態様の第３の可能な実装形態に関して、第２の態様の第６の可能な実装形態では、基地局によって、タイプ２のアップリンクリソース上で、端末によってタイプ２のアップリンクリソース上で送信されたアップリンクデータを受信するステップは、具体的には、
基地局によって、タイプ２のアップリンクリソースに対応する第１のタイミング関係に従って、タイプ２のアップリンクリソース上で、スケジューリング情報を使用することによってスケジューリングされ、端末によって送信された、アップリンクデータを受信するステップであり、タイプ２のアップリンクリソースに対応する第１のタイミング関係は、ＤＣＩまたはＲＡＲに含まれるスケジューリング情報と、スケジューリング情報を使用することによってスケジューリングされたアップリンクデータとの間のタイミング関係を示すために使用される。
【００３３】
第２の態様の第６の可能な実装形態に関して、第２の態様の第７の可能な実装形態では、方法は、
基地局が、タイプ２のアップリンクリソース上で、スケジューリング情報を使用することによってスケジューリングされ、端末によって送信されたアップリンクデータを受信した後、基地局によって、タイプ２のアップリンクリソースに対応する第２のタイミング関係に従って、タイプ２のダウンリンクリソース上で、応答フィードバック情報を端末に送信するステップをさらに含み、タイプ２のアップリンクリソースに対応する第２のタイミング関係は、端末によって送信されたアップリンクデータと、アップリンクデータに対応する応答フィードバック情報との間のタイミング関係を示すために使用される。
【００３４】
第２の態様の第２の可能な実装形態から、第２の態様の第７の可能な実装形態のうちのいずれか１つに関して、第２の態様の第８の可能な実装形態では、端末がタイプ１の端末能力をサポートする場合、基地局によって、ＤＣＩまたはＲＡＲを端末に送信するステップは、具体的には、基地局によって、タイプ１のダウンリンクリソース上で、ＤＣＩまたはＲＡＲを送信するステップであり、ＤＣＩまたはＲＡＲは、端末がアップリンクデータを送信するようにスケジューリングするために使用されるスケジューリング情報をさらに含み、
端末がタイプ２の端末能力とタイプ３の端末能力をサポートする場合、基地局によって、ＤＣＩまたはＲＡＲを端末に送信するステップは、具体的には、基地局によって、タイプ２のダウンリンクリソース上で、ＤＣＩまたはＲＡＲを送信するステップであって、ＤＣＩまたはＲＡＲは、端末がアップリンクデータを送信するようにスケジューリングするために使用されるスケジューリング情報を含むステップであるか、または、
端末がタイプ１の端末能力とタイプ２の端末能力とをサポートする場合、もしくは、端末がタイプ１の端末能力とタイプ３の端末能力とをサポートする場合、基地局によって、ＤＣＩまたはＲＡＲを端末に送信するステップは、具体的には、基地局によって、タイプ１のダウンリンクリソースおよび／またはタイプ２のダウンリンクリソース上で、ＤＣＩまたはＲＡＲを送信するステップであって、ＤＣＩまたはＲＡＲが、端末がアップリンクデータを送信するようにスケジューリングするために使用されるスケジューリング情報を含むステップである。
【００３５】
第２の態様の第１の可能な実装形態から、第２の態様の第８の可能な実装形態のうちのいずれか１つに関して、第２の態様の第９の可能な実装形態では、ＤＣＩまたはＲＡＲが第２の指示情報を含み、端末がタイプ１の端末能力とタイプ２の端末能力とをサポートするか、または端末がタイプ１の端末能力とタイプ３の端末能力とをサポートする場合、ＤＣＩまたはＲＡＲは、端末によってアップリンクデータを送信するために使用されるアップリンクリソースがタイプ１のアップリンクリソースであるか、タイプ２のアップリンクリソースであるかを示すために使用される第３の指示情報をさらに含む。
【００３６】
第２の態様の第９の可能な実装形態に関して、第２の態様の第１０の可能な実装形態では、ＤＣＩが第１のＤＣＩフォーマットである場合、第３の指示情報は、端末によってアップリンクデータを送信するために使用されるタイプ１のアップリンクリソースのサブキャリア情報もしくはサブチャネル情報を示し、または、ＤＣＩが第２のＤＣＩフォーマットである場合、第３の指示情報は、端末によってアップリンクデータを送信するために使用されるタイプ２のアップリンクリソースのサブキャリア情報もしくはサブチャネル情報を示し、または、
ＤＣＩ内の巡回冗長検査ＣＲＣが第１のスクランブリングコードを使用することによってスクランブリングされている場合、第３の指示情報は、端末によってアップリンクデータを送信するために使用されるタイプ１のアップリンクリソースのサブキャリア情報もしくはサブチャネル情報を示し、または、ＤＣＩ内のＣＲＣが第２のスクランブリングコードを使用することによってスクランブリングされている場合、第３の指示情報は、端末によってアップリンクデータを送信するために使用されるタイプ２のアップリンクリソースのサブキャリア情報もしくはサブチャネル情報を示す。
【００３７】
第２の態様の第１の可能な実装形態から、第２の態様の第１０の可能な実装形態のうちのいずれか１つに関して、第２の態様の第１１の可能な実装形態では、基地局によって、ＤＣＩまたはＲＡＲを端末に送信するステップの前に、本方法は、
基地局によって、端末によって物理ランダムアクセスチャネルＰＲＡＣＨ上で送信されたランダムアクセス情報を受信するステップをさらに含み、周波数領域における各ＰＲＡＣＨチャネルによって占有される帯域幅は３．７５ｋＨｚまたは１５ｋＨｚであるか、または１５ｋＨｚより大きく１８０ｋＨｚ以下であり、ランダムアクセス情報はランダムプリアンブル、直交シーケンスコード、または変調シンボルである。
【００３８】
第２の態様の第１１の可能な実装形態に関して、第２の態様の第１２の可能な実装形態では、基地局によって、端末によってＰＲＡＣＨ上で送信されたランダムアクセス情報を受信するステップの前に、本方法は、
基地局によって、システム情報を端末に送信するステップをさらに含み、システム情報はＰＲＡＣＨチャネルの構成情報を含み、ＰＲＡＣＨチャネルの構成情報は、タイプ１のＰＲＡＣＨチャネルに関する情報および／またはタイプ２のＰＲＡＣＨチャネルに関する情報を含み、
周波数領域における各タイプ１のＰＲＡＣＨチャネルによって占有される帯域幅は３．７５ｋＨｚまたは１５ｋＨｚであり、タイプ１のＰＲＡＣＨチャネルに関する情報は、周波数領域におけるタイプ１のＰＲＡＣＨチャネルの数、または周波数領域におけるタイプ１のＰＲＡＣＨチャネルのインデックスもしくは位置情報のうちの少なくとも１つを含み、
周波数領域における各タイプ２のＰＲＡＣＨチャネルによって占有される帯域幅は１５ｋＨｚより大きく１８０ｋＨｚ以下であり、タイプ２のＰＲＡＣＨチャネルに関する情報は、周波数領域におけるタイプ２のＰＲＡＣＨチャネルの数、または周波数領域におけるタイプ２のＰＲＡＣＨチャネルのインデックスもしくは位置情報のうちの少なくとも１つを含む。
【００３９】
第２の態様の第１１の可能な実装形態、または第２の態様の第１２の可能な実装形態に関して、第２の態様の第１３の可能な実装形態では、基地局によって、端末によってＰＲＡＣＨ上で送信されたランダムアクセス情報を受信するステップは、具体的には、
基地局によって、各ランダムアクセス情報送信機会において、端末によってランダムに選択されたＰＲＡＣＨチャネル上で送信されたランダムに選択されたランダムプリアンブルもしくは直交シーケンスコードを受信するステップであるか、または、
基地局によって、端末によってｎ回送信されたランダムプリアンブルもしくは直交シーケンスコードを受信し、ランダムプリアンブルもしくは直交シーケンスコードのセグメントを送信するステップであり、各ランダムアクセス情報送信機会において端末がＰＲＡＣＨチャネルを占有し、ｎは１以上の整数である。
【００４０】
第２の態様の第１１の可能な実装形態または第２の態様の第１２の可能な実装形態に関して、第２の態様の第１４の可能な実装形態では、端末がタイプ１の端末能力および／もしくはタイプ２の端末能力をサポートする場合、基地局は、タイプ１のＰＲＡＣＨチャネル上で、端末によって送信されたランダムアクセス情報を受信するか、または、
端末がタイプ３の端末能力をサポートする場合、基地局は、タイプ２のＰＲＡＣＨチャネル上で、端末によって送信されたランダムアクセス情報を受信する。
【００４１】
第２の態様の第１４の可能な実装形態に関して、第２の態様の第１５の可能な実装形態では、端末がタイプ１の端末能力および／もしくはタイプ２の端末能力をサポートする場合、
基地局が、タイプ１のＰＲＡＣＨチャネル上で、端末によって送信されたランダムアクセス情報を受信した後、本方法は、
基地局によって、タイプ１のＰＲＡＣＨチャネルに対応するダウンリンクリソース上で、またタイプ１のＰＲＡＣＨチャネルに対応するタイミング関係に従って、ＲＡＲを端末に送信するステップをさらに含み、タイプ１のＰＲＡＣＨチャネルに対応するタイミング関係は、端末によって送信されたランダムアクセス情報と基地局によって送信されたＲＡＲとの間のタイミング関係を示すために使用される。
【００４２】
第２の態様の第１４の可能な実装形態に関して、第２の態様の第１６の可能な実装形態では、端末がタイプ３の端末能力をサポートする場合、
基地局が、タイプ２のＰＲＡＣＨチャネル上で、端末によって送信されたランダムアクセス情報を受信した後、本方法は、
基地局によって、タイプ２のＰＲＡＣＨチャネルに対応するダウンリンクリソース上で、またタイプ２のＰＲＡＣＨチャネルに対応するタイミング関係に従って、ＲＡＲを端末に送信するステップをさらに含み、タイプ２のＰＲＡＣＨチャネルに対応するタイミング関係は、端末によって送信されたランダムアクセス情報と基地局によって送信されたＲＡＲとの間のタイミング関係を示すために使用される。
【００４３】
第３の態様によれば、端末が提供され、端末は、
アップリンクデータまたはアップリンク制御情報を送信するために使用されるアップリンクリソースの第１の指示情報を取得するように構成された取得ユニットを含み、
アップリンクリソースの第１の指示情報が、アップリンクリソースがタイプ１のアップリンクリソースであるか、またはタイプ２のアップリンクリソースであるかを示すために使用される情報を含み、タイプ１のアップリンクリソースが、周波数領域内の少なくとも１つのサブキャリアと、時間領域内の少なくとも１つのＳＣ−ＦＤＭＡシンボルとを含み、サブキャリア数が２以上の場合、サブキャリアが互いに直交し、サブキャリア間隔が３．７５ｋＨｚであるか、または、タイプ１のアップリンクリソースが、周波数領域内の少なくとも１つのサブチャネルと、時間領域内の少なくとも１つの周波数分割多元接続ＦＤＭＡシンボルとを含み、各サブチャネルの幅が３．７５ｋＨｚであり、タイプ２のアップリンクリソースが、周波数領域内の少なくとも１つのサブキャリアと、時間領域内の少なくとも１つのシングルキャリア周波数分割多元接続ＳＣ−ＦＤＭＡシンボルとを含み、サブキャリア数が２以上の場合、サブキャリアが互いに直交し、サブキャリア間隔が１５ｋＨｚであり、
アップリンクリソースの第１の指示情報が、タイプ１のアップリンクリソースまたはタイプ２のアップリンクリソースの時間領域情報および／または周波数領域情報をさらに含む。
【００４４】
第３の態様に関して、第３の態様の第１の可能な実装形態では、取得ユニットは、具体的には、
基地局によって送信されたシステム情報を受信するように構成され、システム情報は、タイプ１のアップリンクリソースの時間領域情報および／もしくは周波数領域情報、ならびに／またはタイプ２のアップリンクリソースの時間領域情報および／もしくは周波数領域情報を含む。
【００４５】
第３の態様、または第３の態様の第１の可能な実装形態に関して、第３の態様の第２の可能な実装形態では、
端末がタイプ１の端末能力をサポートする場合、第１の指示情報は、アップリンクリソースがタイプ１のアップリンクリソースであることを示すために使用され、
端末がタイプ２の端末能力もしくはタイプ３の端末能力をサポートする場合、第１の指示情報は、アップリンクリソースがタイプ２のアップリンクリソースであることを示すために使用され、または、
端末がタイプ１の端末能力とタイプ２の端末能力とをサポートする場合、もしくは端末がタイプ１の端末能力とタイプ３の端末能力とをサポートする場合、第１の指示情報は、アップリンクリソースがタイプ１のアップリンクリソースであるか、タイプ２のアップリンクリソースであるかを示すために使用される。
【００４６】
第３の態様から、第３の態様の第２の可能な実装形態のうちのいずれか１つに関して、第３の態様の第３の可能な実装形態では、端末は、
端末がタイプ１の端末能力をサポートする場合、タイプ１のアップリンクリソース上でアップリンクデータもしくはアップリンク制御情報を送信し、
端末がタイプ２の端末能力もしくはタイプ３の端末能力をサポートする場合、タイプ２のアップリンクリソース上でアップリンクデータまたはアップリンク制御情報を送信し、または、
端末がタイプ１の端末能力とタイプ２の端末能力とをサポートする場合、または端末がタイプ１の端末能力とタイプ３の端末能力とをサポートする場合、タイプ１のアップリンクリソースまたはタイプ２のアップリンクリソース上でアップリンクデータまたはアップリンク制御情報を送信する
ように構成された送信ユニットをさらに含む。
【００４７】
第３の態様から第３の態様の第３の可能な実装形態のうちのいずれか１つに関して、第３の態様の第４の可能な実装形態では、取得ユニットは、アップリンクデータを送信するために使用されるアップリンクリソースの第２の指示情報を取得するようにさらに構成され、第２の指示情報が、端末によってアップリンクデータを送信するために使用されるタイプ１のアップリンクリソースもしくはタイプ２のアップリンクリソースのサブキャリア情報またはサブチャネル情報を含み、
サブキャリア情報が、サブキャリア数、サブキャリアインデックス、または周波数領域におけるサブキャリアの位置またはインデックスを示すために使用される情報のうちの少なくとも１つを含み、
サブチャネル情報が、サブチャネル数、サブチャネルインデックス、または周波数領域におけるサブチャネルの位置またはインデックスを示すために使用される情報のうちの少なくとも１つを含む
ようにさらに構成される。
【００４８】
第３の態様の第４の可能な実装形態に関して、第３の態様の第５の可能な実装形態では、取得ユニットが、アップリンクデータを送信するために使用されるアップリンクリソースの第２の指示情報を取得するように構成されることは、具体的には、
基地局によって送信されたダウンリンク制御情報ＤＣＩまたはランダムアクセス応答ＲＡＲを受信することであり、ＤＣＩまたはＲＡＲは第２の指示情報を含む。
【００４９】
第３の態様の第５の可能な実装形態に関して、第３の態様の第６の可能な実装形態では、送信ユニットは、
端末がタイプ１の端末能力をサポートする場合、タイプ１のアップリンクリソース上でアップリンクデータを送信するか、
端末がタイプ２の端末能力もしくはタイプ３の端末能力をサポートする場合、タイプ２のアップリンクリソース上でアップリンクデータを送信するか、または、
端末がタイプ１の端末能力とタイプ２の端末能力とをサポートする場合、または端末がタイプ１の端末能力とタイプ３の端末能力とをサポートする場合、タイプ１のアップリンクリソースまたはタイプ２のアップリンクリソース上でアップリンクデータを送信する
ようにさらに構成される。
【００５０】
第３の態様の第６の可能な実装形態に関して、第３の態様の第７の可能な実装形態では、送信ユニットがタイプ１のアップリンクリソース上でアップリンクデータを送信するように構成されることは、具体的には、
タイプ１のアップリンクリソースに対応する第１のタイミング関係に従って、タイプ１のアップリンクリソース上で、スケジューリング情報を使用することによってスケジューリングされたアップリンクデータを送信することであり、タイプ１のアップリンクリソースに対応する第１のタイミング関係は、ＤＣＩまたはＲＡＲに含まれるスケジューリング情報と、スケジューリング情報を使用することによってスケジューリングされたアップリンクデータとの間のタイミング関係を示すために使用される。
【００５１】
第３の態様の第７の可能な実装形態に関して、第３の態様の第８の可能な実装形態では、取得ユニットは、送信ユニットがスケジューリング情報を使用することによってスケジューリングされたアップリンクデータを送信した後、タイプ１のアップリンクリソースに対応する第２のタイミング関係に従って、タイプ１のダウンリンクリソース上で、基地局によって送信された応答フィードバック情報を受信するようにさらに構成され、タイプ１のアップリンクリソースに対応する第２のタイミング関係は、端末によって送信されたアップリンクデータと、アップリンクデータに対応する応答フィードバック情報との間のタイミング関係を示すために使用される。
【００５２】
第３の態様の第６の可能な実装形態に関して、第３の態様の第９の可能な実装形態では、送信ユニットがタイプ２のアップリンクリソース上でアップリンクデータを送信するように構成されることは、具体的には、
タイプ２のアップリンクリソースに対応する第１のタイミング関係に従って、タイプ２のアップリンクリソース上で、スケジューリング情報を使用することによってスケジューリングされたアップリンクデータを送信することであり、タイプ２のアップリンクリソースに対応する第１のタイミング関係は、ＤＣＩまたはＲＡＲに含まれるスケジューリング情報と、スケジューリング情報を使用することによってスケジューリングされたアップリンクデータとの間のタイミング関係を示すために使用される。
【００５３】
第３の態様の第９の可能な実装形態に関して、第３の態様の第１０の可能な実装形態では、取得ユニットは、送信ユニットがスケジューリング情報を使用することによってスケジューリングされたアップリンクデータを送信した後、タイプ２のアップリンクリソースに対応する第２のタイミング関係に従って、タイプ２のダウンリンクリソース上で、基地局によって送信された応答フィードバック情報を受信するようにさらに構成され、タイプ２のアップリンクリソースに対応する第２のタイミング関係は、端末によって送信されたアップリンクデータと、アップリンクデータに対応する応答フィードバック情報との間のタイミング関係を示すために使用される。
【００５４】
第３の態様の第５の可能な実装形態から、第３の態様の第１０の可能な実装形態のうちのいずれか１つに関して、第３の態様の第１１の可能な実装形態では、取得ユニットが、基地局によって送信されたＤＣＩまたはＲＡＲを受信するように構成されることは、具体的には、
端末がタイプ１の端末能力をサポートする場合、取得ユニットによって、タイプ１のダウンリンクリソース上で、ＤＣＩまたはＲＡＲを検出することであって、ＤＣＩまたはＲＡＲは、端末がアップリンクデータを送信するようにスケジューリングするために使用されるスケジューリング情報をさらに含むこと、
端末がタイプ２の端末能力とタイプ３の端末能力とをサポートする場合、取得ユニットによって、タイプ２のダウンリンクリソース上で、ＤＣＩまたはＲＡＲを検出することであって、ＤＣＩまたはＲＡＲは、端末がアップリンクデータを送信するようにスケジューリングするために使用されるスケジューリング情報を含むこと、または、
端末がタイプ１の端末能力とタイプ２の端末能力とをサポートする場合、もしくは、端末がタイプ１の端末能力とタイプ３の端末能力とをサポートする場合、取得ユニットによって、タイプ１のダウンリンクリソースおよび／またはタイプ２のダウンリンクリソース上で、ＤＣＩまたはＲＡＲを検出することであって、ＤＣＩまたはＲＡＲは、端末がアップリンクデータを送信するようにスケジューリングするために使用されるスケジューリング情報を含むこと
である。
【００５５】
第３の態様の第５の可能な実装形態から、第３の態様の第１１の可能な実装形態に関して、第３の態様の第１２の可能な実装形態では、端末がタイプ１の端末能力とタイプ２の端末能力とをサポートする場合、または、端末がタイプ１の端末能力とタイプ３の端末能力とをサポートする場合、ＤＣＩまたはＲＡＲは、端末によってアップリンクデータを送信するために使用されるアップリンクリソースがタイプ１のアップリンクリソースであるか、タイプ２のアップリンクリソースであるかを示すために使用される第３の指示情報をさらに含む。
【００５６】
第３の態様の第１２の可能な実装形態に関して、第３の態様の第１３の可能な実装形態では、受信されたＤＣＩが第１のＤＣＩフォーマットである場合、第３の指示情報は、端末によってアップリンクデータを送信するために使用されるタイプ１のアップリンクリソースのサブキャリア情報もしくはサブチャネル情報を示し、または、受信されたＤＣＩが第２のＤＣＩフォーマットである場合、第３の指示情報は、端末によってアップリンクデータを送信するために使用されるタイプ２のアップリンクリソースのサブキャリア情報もしくはサブチャネル情報を示し、または、
ＤＣＩ内の巡回冗長検査ＣＲＣが第１のスクランブリングコードを使用することによってスクランブリングされている場合、第３の指示情報は、端末によってアップリンクデータを送信するために使用されるタイプ１のアップリンクリソースのサブキャリア情報もしくはサブチャネル情報を示し、または、ＤＣＩ内のＣＲＣが第２のスクランブリングコードを使用することによってスクランブリングされている場合、第３の指示情報は、端末によってアップリンクデータを送信するために使用されるタイプ２のアップリンクリソースのサブキャリア情報もしくはサブチャネル情報を示す。
【００５７】
第３の態様の第４の可能な実装形態から、第３の態様の第１３の可能な実装形態のうちのいずれか１つに関して、第３の態様の第１４の可能な実装形態では、送信ユニットは、物理ランダムアクセスチャネルＰＲＡＣＨ上でランダムアクセス情報を送信するようにさらに構成され、周波数領域における各ＰＲＡＣＨチャネルによって占有される帯域幅は３．７５ｋＨｚまたは１５ｋＨｚであるか、または１５ｋＨｚより大きく１８０ｋＨｚ以下であり、ランダムアクセス情報はランダムプリアンブル、直交シーケンスコード、または変調シンボルである。
【００５８】
第３の態様の第１４の可能な実装形態に関して、第３の態様の第１５の可能な実装形態では、取得ユニットは、基地局によって送信されたシステム情報を受信するようにさらに構成され、システム情報はＰＲＡＣＨチャネルの構成情報を含み、ＰＲＡＣＨチャネルの構成情報は、タイプ１のＰＲＡＣＨチャネルに関する情報および／またはタイプ２のＰＲＡＣＨチャネルに関する情報を含み、
周波数領域における各タイプ１のＰＲＡＣＨチャネルによって占有される帯域幅は３．７５ｋＨｚまたは１５ｋＨｚであり、タイプ１のＰＲＡＣＨチャネルに関する情報は、周波数領域におけるタイプ１のＰＲＡＣＨチャネルの数、または周波数領域におけるタイプ１のＰＲＡＣＨチャネルのインデックスもしくは位置情報のうちの少なくとも１つを含み、
周波数領域における各タイプ２のＰＲＡＣＨチャネルによって占有される帯域幅は１５ｋＨｚより大きく１８０ｋＨｚ以下であり、タイプ２のＰＲＡＣＨチャネルに関する情報は、周波数領域におけるタイプ２のＰＲＡＣＨチャネルの数、または周波数領域におけるタイプ２のＰＲＡＣＨチャネルのインデックスもしくは位置情報のうちの少なくとも１つを含む。
【００５９】
第３の態様の第１４の可能な実装形態または第３の態様の第１５の可能な実装形態に関して、第３の態様の第１６の可能な実装形態では、送信ユニットが、ＰＲＡＣＨ上でランダムアクセス情報を送信するように構成されることは、具体的には、
各ランダムアクセス情報送信機会において、ランダムに選択されたＰＲＡＣＨチャネル上でランダムに選択されたランダムプリアンブルもしくは直交シーケンスコードを基地局に送信すること、または、
ランダムプリアンブルまたは直交シーケンスコードを基地局にｎ回送信し、ランダムプリアンブルまたは直交シーケンスコードのセグメントを送信することであり、ＰＲＡＣＨチャネルが各ランダムアクセス情報送信機会において占有され、ｎは１以上の整数である。
【００６０】
第３の態様の第１４の可能な実装形態または第３の態様の第１５の可能な実装形態に関して、第３の態様の第１７の可能な実装形態では、送信ユニットが、ＰＲＡＣＨ上でランダムアクセス情報を送信するように構成されることは、具体的には、
端末がタイプ１の端末能力および／もしくはタイプ２の端末能力をサポートする場合、タイプ１のＰＲＡＣＨチャネル上でランダムアクセス情報を基地局に送信すること、または
端末がタイプ１の端末能力および／もしくはタイプ３の端末能力をサポートする場合、タイプ２のＰＲＡＣＨチャネル上でランダムアクセス情報を基地局に送信することである。
【００６１】
第３の態様の第１７の可能な実装形態に関して、第３の態様の第１８の可能な実装形態では、端末がタイプ１の端末能力および／もしくはタイプ２の端末能力をサポートする場合、取得ユニットは、
タイプ１のＰＲＡＣＨチャネルに対応するダウンリンクリソース上で、またタイプ１のＰＲＡＣＨチャネルに対応するタイミング関係に従って、基地局によって送信されたＲＡＲを受信するようにさらに構成され、タイプ１のＰＲＡＣＨチャネルに対応するタイミング関係は、端末によって送信されたランダムアクセス情報と基地局によって送信されたＲＡＲとの間のタイミング関係を示すために使用される。
【００６２】
第１の態様の第１７の可能な実装形態に関して、第１の態様の第１９の可能な実装形態では、端末がタイプ１の端末能力および／もしくはタイプ３の端末能力をサポートする場合、取得ユニットは、
タイプ２のＰＲＡＣＨチャネルに対応するダウンリンクリソース上で、またタイプ２のＰＲＡＣＨチャネルに対応するタイミング関係に従って、基地局によって送信されたＲＡＲを受信するようにさらに構成され、タイプ２のＰＲＡＣＨチャネルに対応するタイミング関係は、端末によって送信されたランダムアクセス情報と基地局によって送信されたＲＡＲとの間のタイミング関係を示すために使用される。
【００６３】
第４の態様によれば、基地局が提供され、基地局は、
システム情報を端末に送信するように構成された送信ユニットを含み、システム情報は、端末によってアップリンクデータまたはアップリンク制御情報を送信するために使用されるアップリンクリソースを示すために使用される第１の指示情報を含み、
アップリンクリソースの第１の指示情報が、アップリンクリソースがタイプ１のアップリンクリソースであるか、またはタイプ２のアップリンクリソースであるかを示すために使用される情報を含み、タイプ１のアップリンクリソースが、周波数領域内の少なくとも１つのサブキャリアと、時間領域内の少なくとも１つのシングルキャリア周波数分割多元接続ＳＣ−ＦＤＭＡシンボルとを含み、サブキャリア数が２以上の場合、サブキャリアが互いに直交し、サブキャリア間隔が３．７５ｋＨｚであるか、または、タイプ１のアップリンクリソースが、周波数領域内の少なくとも１つのサブチャネルと、時間領域内の少なくとも１つの周波数分割多元接続ＦＤＭＡシンボルとを含み、各サブチャネルの幅が３．７５ｋＨｚであり、タイプ２のアップリンクリソースが、周波数領域内の少なくとも１つのサブキャリアと、時間領域内の少なくとも１つのＳＣ−ＦＤＭＡシンボルとを含み、サブキャリア数が２以上の場合、サブキャリアが互いに直交し、サブキャリア間隔が１５ｋＨｚであり、
アップリンクリソースの第１の指示情報が、タイプ１のアップリンクリソースまたはタイプ２のアップリンクリソースの時間領域情報および／または周波数領域情報をさらに含む。
【００６４】
第４の態様に関して、第４の態様の第１の可能な実装形態では、
端末がタイプ１の端末能力をサポートする場合、第１の指示情報は、アップリンクリソースがタイプ１のアップリンクリソースであることを示すために使用され、
端末がタイプ２の端末能力もしくはタイプ３の端末能力をサポートする場合、第１の指示情報は、アップリンクリソースがタイプ２のアップリンクリソースであることを示すために使用され、または、
端末がタイプ１の端末能力とタイプ２の端末能力とをサポートする場合、もしくは端末がタイプ１の端末能力とタイプ３の端末能力とをサポートする場合、第１の指示情報は、アップリンクリソースがタイプ１のアップリンクリソースであるか、タイプ２のアップリンクリソースであるかを示すために使用される。
【００６５】
第４の態様、または第４の態様の第１の可能な実装形態に関して、第４の態様の第２の可能な実装形態では、送信ユニットは、ＤＣＩまたはＲＡＲを端末に送信するようにさらに構成され、ＤＣＩまたはＲＡＲは、端末によってアップリンクデータを送信するために使用されるアップリンクリソースを示すために使用される第２の指示情報を含み、
第２の指示情報が、端末によってアップリンクデータを送信するために使用されるタイプ１のアップリンクリソースもしくはタイプ２のアップリンクリソースのサブキャリア情報またはサブチャネル情報を含み、
サブキャリア情報が、サブキャリア数、サブキャリアインデックス、または周波数領域におけるサブキャリアの位置またはインデックスを示すために使用される情報のうちの少なくとも１つを含み、
サブチャネル情報が、サブチャネル数、サブチャネルインデックス、または周波数領域におけるサブチャネルの位置またはインデックスを示すために使用される情報のうちの少なくとも１つを含む。
【００６６】
第４の態様の第２の可能な実装形態に関して、第４の態様の第３の可能な実装形態では、基地局は、
タイプ１のアップリンクリソース上で、タイプ１の端末能力をサポートする端末によってタイプ１のアップリンクリソース上で送信されたアップリンクデータを受信すること、または、
タイプ２のアップリンクリソース上で、タイプ２の端末能力もしくはタイプ３の端末能力をサポートする端末によってタイプ２のアップリンクリソース上で送信されたアップリンクデータを受信すること、または、
タイプ１のアップリンクリソース上で、タイプ１の端末能力とタイプ２の端末能力とをサポートする端末によってタイプ１のアップリンクリソース上で送信されたアップリンクデータを受信すること、または、タイプ２のアップリンクリソース上で、タイプ１の端末能力もしくはタイプ２の端末能力をサポートする端末によってタイプ２のアップリンクリソース上で送信されたアップリンクデータを受信すること
を行うように構成された受信ユニットをさらに含む。
【００６７】
第４の態様の第３の可能な実装形態に関して、第４の態様の第４の可能な実装形態では、受信ユニットが、タイプ１のアップリンクリソース上で、タイプ１のアップリンクリソース上で端末によって送信されたアップリンクデータを受信することは、具体的には、
タイプ１のアップリンクリソースに対応する第１のタイミング関係に従って、タイプ１のアップリンクリソース上で、スケジューリング情報を使用することによってスケジューリングされ、端末によって送信されたアップリンクデータを受信することであり、タイプ１のアップリンクリソースに対応する第１のタイミング関係は、ＤＣＩまたはＲＡＲに含まれるスケジューリング情報と、スケジューリング情報を使用することによってスケジューリングされたアップリンクデータとの間のタイミング関係を示すために使用される。
【００６８】
第４の態様の第４の可能な実装形態に関して、第４の態様の第５の可能な実装形態では、送信ユニットは、スケジューリング情報を使用することによってスケジューリングされ、端末によって送信されたアップリンクデータがタイプ１のアップリンクリソース上で受信された後、タイプ１のアップリンクリソースに対応する第２のタイミング関係に従って、タイプ１のダウンリンクリソース上で、応答フィードバック情報を端末に送信するようにさらに構成され、タイプ１のアップリンクリソースに対応する第２のタイミング関係は、端末によって送信されたアップリンクデータと、アップリンクデータに対応する応答フィードバック情報との間のタイミング関係を示すために使用される。
【００６９】
第４の態様の第３の可能な実装形態に関して、第４の態様の第６の可能な実装形態では、受信ユニットが、タイプ２のアップリンクリソース上で、端末によってタイプ２のアップリンクリソース上で送信されたアップリンクデータを受信することは、具体的には、
タイプ２のアップリンクリソースに対応する第１のタイミング関係に従って、タイプ２のアップリンクリソース上で、スケジューリング情報を使用することによってスケジューリングされ、端末によって送信されたアップリンクデータを受信することであり、タイプ２のアップリンクリソースに対応する第１のタイミング関係は、ＤＣＩまたはＲＡＲに含まれるスケジューリング情報と、スケジューリング情報を使用することによってスケジューリングされたアップリンクデータとの間のタイミング関係を示すために使用される。
【００７０】
第４の態様の第６の可能な実装形態に関して、第４の態様の第７の可能な実装形態では、送信ユニットは、スケジューリング情報を使用することによってスケジューリングされ、端末によって送信されたアップリンクデータがタイプ２のアップリンクリソース上で受信された後、タイプ２のアップリンクリソースに対応する第２のタイミング関係に従って、タイプ２のダウンリンクリソース上で、応答フィードバック情報を端末に送信するようにさらに構成され、タイプ２のアップリンクリソースに対応する第２のタイミング関係は、端末によって送信されたアップリンクデータと、アップリンクデータに対応する応答フィードバック情報との間のタイミング関係を示すために使用される。
【００７１】
第４の態様の第２の可能な実装形態から第４の態様の第７の可能な実装形態のうちのいずれか１つに関して、第４の態様の第８の可能な実装形態では、送信ユニットが、ＤＣＩまたはＲＡＲを端末に送信するように構成されることは、具体的には、
端末がタイプ１の端末能力をサポートする場合、タイプ１のダウンリンクリソース上で、ＤＣＩまたはＲＡＲを送信することであって、ＤＣＩまたはＲＡＲは、端末がアップリンクデータを送信するようにスケジューリングするために使用されるスケジューリング情報をさらに含むこと、
端末がタイプ２の端末能力とタイプ３の端末能力とサポートする場合、タイプ２のダウンリンクリソース上で、ＤＣＩまたはＲＡＲを送信することであって、ＤＣＩまたはＲＡＲは、端末がアップリンクデータを送信するようにスケジューリングするために使用されるスケジューリング情報を含むこと、または、
端末がタイプ１の端末能力とタイプ２の端末能力とをサポートする場合、もしくは、端末がタイプ１の端末能力とタイプ３の端末能力とをサポートする場合、タイプ１のダウンリンクリソースおよび／またはタイプ２のダウンリンクリソース上で、ＤＣＩまたはＲＡＲを送信することであって、ＤＣＩまたはＲＡＲは、端末がアップリンクデータを送信するようにスケジューリングするために使用されるスケジューリング情報を含むことである。
【００７２】
第４の態様の第１の可能な実装形態から第４の態様の第８の可能な実装形態のうちのいずれか１つに関して、第４の態様の第９の可能な実装形態では、ＤＣＩまたはＲＡＲは第２の指示情報を含み、端末がタイプ１の端末能力とタイプ２の端末能力とをサポートするか、または端末がタイプ１の端末能力とタイプ３の端末能力とをサポートする場合、ＤＣＩまたはＲＡＲは、端末によってアップリンクデータを送信するために使用されるアップリンクリソースがタイプ１のアップリンクリソースであるか、タイプ２のアップリンクリソースであるかを示すために使用される第３の指示情報をさらに含む。
【００７３】
第４の態様の第９の可能な実装形態に関して、第４の態様の第１０の可能な実装形態では、
ＤＣＩが第１のＤＣＩフォーマットである場合、第３の指示情報は、端末によってアップリンクデータを送信するために使用されるタイプ１のアップリンクリソースのサブキャリア情報もしくはサブチャネル情報を示し、または、ＤＣＩが第２のＤＣＩフォーマットである場合、第３の指示情報は、端末によってアップリンクデータを送信するために使用されるタイプ２のアップリンクリソースのサブキャリア情報もしくはサブチャネル情報を示し、または、
ＤＣＩ内の巡回冗長検査ＣＲＣが第１のスクランブリングコードを使用することによってスクランブリングされている場合、第３の指示情報は、端末によってアップリンクデータを送信するために使用されるタイプ１のアップリンクリソースのサブキャリア情報もしくはサブチャネル情報を示し、または、ＤＣＩ内のＣＲＣが第２のスクランブリングコードを使用することによってスクランブリングされている場合、第３の指示情報は、端末によってアップリンクデータを送信するために使用されるタイプ２のアップリンクリソースのサブキャリア情報もしくはサブチャネル情報を示す。
【００７４】
第４の態様の第１の可能な実装形態から第４の態様の第１０の可能な実装形態のうちのいずれか１つに関して、第４の態様の第１１の可能な実装形態では、受信ユニットは、端末によってＰＲＡＣＨ上で送信されたランダムアクセス情報を受信するようにさらに構成され、周波数領域における各ＰＲＡＣＨチャネルによって占有される帯域幅は３．７５ｋＨｚまたは１５ｋＨｚであるか、または１５ｋＨｚより大きく１８０ｋＨｚ以下であり、ランダムアクセス情報はランダムプリアンブル、直交シーケンスコード、または変調シンボルである。
【００７５】
第４の態様の第１１の可能な実装形態に関して、第４の態様の第１２の可能な実装形態では、送信ユニットは、システム情報を端末に送信するようにさらに構成され、システム情報はＰＲＡＣＨチャネルの構成情報を含み、ＰＲＡＣＨチャネルの構成情報は、タイプ１のＰＲＡＣＨチャネルに関する情報および／またはタイプ２のＰＲＡＣＨチャネルに関する情報を含み、
周波数領域における各タイプ１のＰＲＡＣＨチャネルによって占有される帯域幅は３．７５ｋＨｚまたは１５ｋＨｚであり、タイプ１のＰＲＡＣＨチャネルに関する情報は、周波数領域におけるタイプ１のＰＲＡＣＨチャネルの数、または周波数領域におけるタイプ１のＰＲＡＣＨチャネルのインデックスもしくは位置情報のうちの少なくとも１つを含み、
周波数領域における各タイプ２のＰＲＡＣＨチャネルによって占有される帯域幅は１５ｋＨｚより大きく１８０ｋＨｚ以下であり、タイプ２のＰＲＡＣＨチャネルに関する情報は、周波数領域におけるタイプ２のＰＲＡＣＨチャネルの数、または周波数領域におけるタイプ２のＰＲＡＣＨチャネルのインデックスもしくは位置情報のうちの少なくとも１つを含む。
【００７６】
第４の態様の第１１の可能な実装形態または第４の態様の第１２の可能な実装形態に関して、第４の態様の第１３の可能な実装形態では、受信ユニットが、端末によってＰＲＡＣＨ上で送信されたランダムアクセス情報を受信するように構成されることは、具体的には、
各ランダムアクセス情報送信機会において、端末によってランダムに選択されたＰＲＡＣＨチャネル上で送信されたランダムに選択されたランダムプリアンブルまたは直交シーケンスコードを受信することであるか、または、
端末によってｎ回送信されたランダムプリアンブルまたは直交シーケンスコードを受信し、ランダムプリアンブルまたは直交シーケンスコードのセグメントを送信することであり、各ランダムアクセス情報送信機会において端末がＰＲＡＣＨチャネルを占有し、ｎは１以上の整数である。
【００７７】
第４の態様の第１１の可能な実装形態または第４の態様の第１２の可能な実装形態に関して、第４の態様の第１４の可能な実装形態では、受信ユニットが、端末によってＰＲＡＣＨ上で送信されたランダムアクセス情報を受信するように構成されることは、具体的には、
端末がタイプ１の端末能力および／もしくはタイプ２の端末能力をサポートする場合、タイプ１のＰＲＡＣＨチャネル上で、端末によって送信されたランダムアクセス情報を受信することであり、または、
端末がタイプ３の端末能力をサポートする場合、タイプ２のＰＲＡＣＨチャネル上で、端末によって送信されたランダムアクセス情報を受信することである。
【００７８】
第４の態様の第１４の可能な実装形態に関して、第４の態様の第１５の可能な実装形態では、送信ユニットが、タイプ１のＰＲＡＣＨチャネル上で、端末によって送信されたランダムアクセス情報を受信するように構成されることは、具体的には、タイプ１のＰＲＡＣＨチャネルに対応するダウンリンクリソース上で、またタイプ１のＰＲＡＣＨチャネルに対応するタイミング関係に従って、ＲＡＲを端末に送信することであり、タイプ１のＰＲＡＣＨチャネルに対応するタイミング関係は、端末によって送信されたランダムアクセス情報と基地局によって送信されたＲＡＲとの間のタイミング関係を示すために使用される。
【００７９】
第４の態様の第１４の可能な実装形態に関して、第４の態様の第１６の可能な実装形態では、送信ユニットが、タイプ２のＰＲＡＣＨチャネル上で、端末によって送信されたランダムアクセス情報を受信するように構成されることは、具体的には、タイプ２のＰＲＡＣＨチャネルに対応するダウンリンクリソース上で、またタイプ２のＰＲＡＣＨチャネルに対応するタイミング関係に従って、ＲＡＲを端末に送信することであり、タイプ２のＰＲＡＣＨチャネルに対応するタイミング関係は、端末によって送信されたランダムアクセス情報と基地局によって送信されたＲＡＲとの間のタイミング関係を示すために使用される。
【００８０】
第５の態様によれば、端末が提供され、端末は、プロセッサと、メモリと、システムバスと、通信インターフェースとを含み、
メモリは、コンピュータ実行可能命令を記憶するように構成され、プロセッサは、システムバスを使用することによってメモリに接続され、基地局が動作する時、プロセッサは、端末が第１の態様から第１の態様の第９の可能な実装形態のいずれか１つに記載のデータ送信方法を実行するように、メモリに記憶されたコンピュータ実行可能命令を実行する。
【００８１】
第６の態様によれば、基地局が提供され、基地局は、プロセッサと、メモリと、システムバスと、通信インターフェースとを含み、
メモリは、コンピュータ実行可能命令を記憶するように構成され、プロセッサは、システムバスを使用することによってメモリに接続され、基地局が動作する時、プロセッサは、基地局が第２の態様から第２の態様の第６の可能な実装形態のいずれか１つに記載のデータ送信方法を実行するように、メモリに記憶されたコンピュータ実行可能命令を実行する。
【発明の効果】
【００８２】
本発明の実施形態において提供されるデータ送信方法および装置によれば、基地局はシステム情報を端末に送信し、システム情報は、端末によってアップリンクデータまたはアップリンク制御情報を送信するために使用されるアップリンクリソースを示すために使用される第１の指示情報を含み、第１の指示情報は、アップリンクリソースがタイプ１のアップリンクリソースであるか、第２のアップリンクリソースであるかを示すために使用される情報と、タイプ１のアップリンクリソースまたはタイプ２のアップリンクリソースの時間領域情報および／または周波数領域情報とを含み、次いで、端末は、アップリンクデータまたはアップリンク制御情報を送信するために使用されるアップリンクリソースの第１の指示情報を取得し、第１の指示情報に基づいて、対応するアップリンクリソースおよびダウンリンクリソース上で送受信されるアップリンクデータおよびダウンリンクデータを送信する。このように、既存のＬＴＥシステムに基づいて、基地局は、タイプ１の端末能力、タイプ２の端末能力、またはタイプ３の端末能力のうちのいずれか１つ、２つ、または３つをサポートする端末とのアップリンクデータ送信およびダウンリンクデータ送信を実行することができる。これにより、ＬＴＥシステムおよび基地局の利用効率が向上する。
【図面の簡単な説明】
【００８３】
本発明の実施形態における技術的解決策をより明確に説明するために、以下で、実施形態または従来技術を説明するために必要な添付図面を簡単に説明する。以下の説明における添付の図面は、本発明のいくつかの実施形態を示すにすぎず、当業者は依然として、創造的な努力なしに、これらの添付の図面から他の図面を導き出すことができることは明らかである。
【００８４】
【図１】本発明の実施形態による通信システムのシステムアーキテクチャ図である。
【図２】本発明の実施形態による、第１のデータ送信方法の概略的なフローチャートである。
【図３】本発明の実施形態による、第２のデータ送信方法の概略的なフローチャートである。
【図４】本発明の実施形態による、第３のデータ送信方法の概略的なフローチャートである。
【図４Ａ】本発明の実施形態による、タイプ１のアップリンクリソースの第１のタイミング関係の概略図である。
【図５】本発明の実施形態による、第４のデータ送信方法の概略的なフローチャートである。
【図５Ａ】本発明の実施形態による、タイプ１のアップリンクリソースの第２のタイミング関係の概略図である。
【図５Ｂ】本発明の実施形態による、タイプ２のアップリンクリソースの第１のタイミング関係の概略図である。
【図５Ｃ】本発明の実施形態による、タイプ２のアップリンクリソースの第２のタイミング関係の概略図である。
【図６】本発明の実施形態による、第５のデータ送信方法の概略的なフローチャートである。
【図７】本発明の実施形態による、プリアンブル送信フォーマットの概略図である。
【図８】本発明の実施形態による、別のプリアンブル送信フォーマットの概略図である。
【図９】本発明の実施形態による、別のプリアンブル送信フォーマットの概略図である。
【図１０】本発明の実施形態による、第６のデータ送信方法の概略的なフローチャートである。
【図１０Ａ】本発明の実施形態による、タイプ１のＰＲＡＣＨチャネルに対応するタイミング関係の概略図である。
【図１０Ｂ】本発明の実施形態による、タイプ２のＰＲＡＣＨチャネルに対応するタイミング関係の概略図である。
【図１１】本発明の実施形態による、端末の概略構成図である。
【図１２】本発明の実施形態による、別の端末の概略構成図である。
【図１３】本発明の実施形態による、基地局の概略構成図である。
【図１４】本発明の実施形態による、別の基地局の概略構成図である。
【図１５】本発明の実施形態による、別の端末の概略構成図である。
【図１６】本発明の実施形態による、別の基地局の概略構成図である。
【発明を実施するための形態】
【００８５】
以下は、本発明の実施形態における技術的解決策を、本発明の実施形態における添付の図面を参照して、明確かつ完全に説明する。説明された実施形態は、本発明の実施形態の一部にすぎず、すべてではないことは明らかである。本発明の実施形態に基づいて、創作努力なしに当業者によって得られる他のすべての実施形態は、本発明の保護範囲内に入るものとする。
【００８６】
本発明において使用される重要な概念および用語、ならびに適用シナリオは、本発明が説明される前に簡単に説明される。
【００８７】
関連する重要な概念および用語は次の通りである。
【００８８】
１．３つのタイプの端末能力（集合的に、新しい端末能力と呼ばれる）。
【００８９】
３つのタイプの端末能力は、端末によってサポートされるアップリンク直交サブキャリア間隔、および／または端末によってサポートされるサブキャリアもしくはサブチャネルの数に従って定義される。詳細は以下の通りである。
【００９０】
タイプ１の端末能力：アップリンクにおいて３．７５ｋＨｚの直交サブキャリア間隔でＳＣ−ＦＤＭＡによって単一のサブキャリアを送信すること、または、アップリンクにおいて３．７５ｋＨｚのサブチャネル帯域幅でＦＤＭＡによって単一のサブチャネルを送信することを可能にする。
【００９１】
タイプ２の端末能力：アップリンクにおいて１５ｋＨｚの直交サブキャリア間隔でＳＣ−ＦＤＭＡによって単一のサブキャリアを送信することを可能にする。
【００９２】
タイプ３の端末能力：アップリンクにおいて１５ｋＨｚの直交サブキャリア間隔でＳＣ−ＦＤＭＡによって複数のサブキャリアを送信することを可能にする。
【００９３】
本発明の実施形態におけるユーザ端末は、既存のＬＴＥ端末であってもよく、上述のタイプの端末能力のうちの１つまたは複数を有する端末（以下では、新しい端末と呼ばれる）であってもよい点に留意されたい。既存のＬＴＥ端末は、アップリンクにおいて１５ｋＨｚのサブキャリア間隔でＳＣ−ＦＤＭＡによって直交サブキャリアを送信することができる。最小スケジューリング粒度は、１２個の直交サブキャリア、すなわち１８０ｋＨｚを含む１つのＰＲＢである。単一のサブキャリアまたは複数のサブキャリアのスケジューリングはサポートされない。
【００９４】
さらに、本発明の実施形態では、端末能力と端末タイプとの間に必要的な対応関係はない。端末によってサポートされる端末能力に応じて端末タイプを区別するための方法は、複数存在してもよい。たとえば、上述の３つのタイプの端末能力は、３つの異なる端末タイプに対応し得、すなわち、１つのタイプの端末能力をサポートする端末は、ある端末タイプとして分類される。別の例として、タイプ１の端末能力とタイプ２の端末能力との両方をサポートする端末はある端末タイプとして分類され、タイプ１の端末能力とタイプ３の端末能力との両方をサポートする端末は別の端末タイプとして分類される。確かに、上述は、説明のための例としてのみ使用される。具体的な分類は、実際の場合に応じて実行され得、本発明の実施形態に限定されるものではない。
【００９５】
さらに、本発明の実施形態における新しい端末は、主にインターネットオブシングス（Ｉｎｔｅｒｎｅｔ  ｏｆ  Ｔｈｉｎｇｓ：モノのインターネット）通信に適用され、したがって、新しい端末をサポートするシステムは、狭帯域インターネットオブシングスＮＢＩＯＴシステムと呼ばれ得る。
【００９６】
２．２つのタイプのアップリンクリソースと２つのタイプのダウンリンクリソース
【００９７】
本発明の実施形態において、２つのタイプのアップリンクリソースは、タイプ１のアップリンクリソースとタイプ２のアップリンクリソースとを含み、２つのタイプのダウンリンクリソースは、タイプ１のダウンリンクリソースとタイプ２のダウンリンクリソースとを含む。詳細は以下の通りである。
【００９８】
タイプ１のアップリンクリソース：タイプ１のアップリンクリソースが、周波数領域内の少なくとも１つのサブキャリアと、時間領域内の少なくとも１つのシングルキャリア周波数分割多元接続ＳＣ−ＦＤＭＡシンボルとを含み、サブキャリア数が２以上の場合、サブキャリアが互いに直交し、サブキャリア間隔が３．７５ｋＨｚであるか、または、タイプ１のアップリンクリソースが、周波数領域内の少なくとも１つのサブチャネルと、時間領域内の少なくとも１つの周波数分割多元接続ＦＤＭＡシンボルとを含み、各サブチャネルの幅が３．７５ｋＨｚである。
【００９９】
タイプ２のアップリンクリソース：タイプ２のアップリンクリソースが、周波数領域内の少なくとも１つのサブキャリアと、時間領域内の少なくとも１つのＳＣ−ＦＤＭＡシンボルとを含み、サブキャリア数が２以上の場合、サブキャリアが互いに直交し、サブキャリア間隔が１５ｋＨｚである。
【０１００】
タイプ１のダウンリンクリソースおよびタイプ２のダウンリンクリソース：タイプ１のダウンリンクリソースはタイプ１のアップリンクリソースに対応し、タイプ２のダウンリンクリソースはタイプ２のアップリンクリソースに対応する。本明細書における対応関係は、アップリンクリソースとダウンリンクリソースのタイプとの間の対応関係であり、アップリンクリソースの数とダウンリンクリソースの数との間の対応関係を表すものではない。たとえば、タイプ１のダウンリンクリソースは、１つの物理リソースブロックＰＲＢ、すなわち１８０ｋＨｚであり、タイプ１のアップリンクリソースは３０ｋＨｚの帯域幅を有し、１８０ｋＨｚのタイプ１のダウンリンクリソースは、少なくとも１つの３０ｋＨｚのタイプ１のアップリンクリソースに対応し得る。特定の対応関係があらかじめ設定されていてもよい。たとえば、対応関係はシステムにおいて使用されている周波数帯域に関連し、規格または仕様において明確に指定されており、対応関係はダウンリンク同期信号またはシステムによって送信される基準信号に従って取得され、または通知がシステム情報において提供され得る。これは、本発明の実施形態において限定されない。さらに、タイプ１のダウンリンクリソースとタイプ２のダウンリンクリソースとは、時間領域および周波数領域において同じであってもよく、異なっていてもよい。タイプ１のダウンリンクリソースとタイプ２のダウンリンクリソースが時間領域および周波数領域において同じである場合、タイプ１のダウンリンクリソースとタイプ２のダウンリンクリソースは同じダウンリンクリソースを示す。この場合、同じダウンリンクリソースは、タイプ１のアップリンクリソースとタイプ２のアップリンクリソースとの両方に対応し得る。タイプ１のダウンリンクリソースと、タイプ２のダウンリンクリソースとが、時間領域において、もしくは周波数領域において、または時間領域と周波数領域との両方において異なる場合、ダウンリンクリソースが時間領域において異なることは、異なる開始点、異なる期間、または異なる持続時間のうちの少なくとも１つを含み、ダウンリンクリソースが周波数領域において異なることは、異なる占有される周波数範囲、異なる占有される周波数開始点、異なる占有されるサブキャリアの数などのうちの少なくとも１つを含む。さらに、直交周波数分割多重ＯＦＤＭシンボルは、タイプ１のダウンリンクリソースとタイプ２のダウンリンクリソースとの両方で送信され、サブキャリア間隔は１５ｋＨｚである。
【０１０１】
３．２つのタイプのＰＲＡＣＨチャネル。
【０１０２】
タイプ１のＰＲＡＣＨチャネル：周波数領域においてタイプ１のＰＲＡＣＨチャネルによって占有される帯域幅は、３．７５ｋＨｚまたは１５ｋＨｚである。タイプ１のＰＲＡＣＨチャネルに関する情報は、周波数領域におけるタイプ１のＰＲＡＣＨチャネルの数、または周波数領域におけるタイプ１のＰＲＡＣＨチャネルのインデックスもしくは位置情報のうちの少なくとも１つを含む。
【０１０３】
タイプ２のＰＲＡＣＨチャネル：周波数領域におけるタイプ２のＰＲＡＣＨチャネルによって占有される帯域幅は、１５ｋＨｚより大きく、１８０ｋＨｚ以下である。タイプ２のＰＲＡＣＨチャネルに関する情報は、周波数領域におけるタイプ２のＰＲＡＣＨチャネルの数、または周波数領域におけるタイプ２のＰＲＡＣＨチャネルのインデックスもしくは位置情報のうちの少なくとも１つを含む。
【０１０４】
本発明の実施形態における適用シナリオは、使用される異なる周波数リソースに応じて実質的に３つのタイプに分類され得る。第１のシナリオ、すなわち、独立した展開のシナリオでは、専用の周波数リソースネットワーキングにおいて新しい端末能力がサポートされ、使用される周波数リソースは、ＧＳＭシステムからリサイクルされた周波数帯域におけるリソースであってもよく、３ＧシステムまたはＬＴＥシステムが使用される周波数帯域におけるリソースであってもよい。独立した展開のシナリオでは、システムは、１つまたは複数のタイプの新しい端末能力しか持たず、他の端末能力を持たないＬＴＥ端末をサポートする。第２のシナリオ、すなわち、ガードスペース展開のシナリオでは、システムによって使用される周波数リソースは、ＬＴＥシステムにおいて使用される周波数帯域間のガードスペースに配置される。第３のシナリオ、すなわち、帯域内展開のシナリオでは、使用される周波数リソースは、たとえば１０ＭＨｚまたは２０ＭＨｚの帯域幅内のＬＴＥシステム内の１つの標準的なキャリアに配置され、すなわち、通常のＬＴＥシステム内の１つの標準的なキャリア内で、通常のＬＴＥ端末能力と１つまたは複数のタイプの新しい端末能力との両方がサポートされる。したがって、通常のＬＴＥ端末の正常な通信に影響を与えないために、第３のシナリオでＮＢＩＯＴシステムにおいてダウンリンクチャネルを送信するために使用され得る最大送信電力がより小さくてもよい。
【０１０５】
図１は、本発明の実施形態において使用される通信システムのシステムアーキテクチャを示している。システムアーキテクチャ図は、基地局１０１と、ユーザ端末１０２と、通信チャネル１０３とを含む。
【０１０６】
基地局１０１は、共有チャネルをスケジューリングする機能を有し、すなわち、パケットデータをユーザ端末１０２に送信する履歴に基づいてスケジューリングを実行する。スケジューリングは、複数のユーザ端末１０２が送信リソースを共有する時に、統計的な多重化利得を得るために、物理層リソースを効果的に割り振るためにメカニズムが必要とされることを意味する。
【０１０７】
複数のユーザ端末１０２が存在してもよい。さらに、ユーザ端末１０２は、ユーザ端末１０２と基地局１０１との間に確立された通信チャネル１０３を使用することによってデータを送受信する機能を有する。ユーザ端末１０２は、スケジューリング制御チャネルを使用することによって送信された情報に従って、共有チャネル上で送受信処理を実行する。さらに、ユーザ端末１０２は、移動局、モバイル電話、コンピュータ、ポータブル端末などであり得る。ユーザ端末１０２のタイプは同じであってもよく、異なっていてもよい。
【０１０８】
データは、通信チャネル１０３を使用することによって、基地局１０１とユーザ端末１０２との間で送受信される。通信チャネル１０３は、無線通信チャネルであり得る。無線通信チャネルは、少なくとも共有チャネルとスケジューリング制御チャネルとを含む。共有チャネルは、パケットを送受信するために複数のユーザ端末１０２間で共有される。スケジューリング制御チャネルは、共有チャネル割振り、対応するスケジューリング結果などを送信するために使用される。
【０１０９】
図２は、本発明の実施形態による、データ送信方法の概略的なフローチャートである。図２を参照すると、本方法は、以下のいくつかのステップを含む。
【０１１０】
ステップ２０１：基地局は、システム情報を端末に送信し、システム情報は、端末によってアップリンクデータまたはアップリンク制御情報を送信するために使用されるアップリンクリソースを示すために使用される第１の指示情報を含む。
【０１１１】
アップリンクリソースの第１の指示情報は、アップリンクリソースがタイプ１のアップリンクリソースであるか、またはタイプ２のアップリンクリソースであるかを示すために使用される情報を含む。タイプ１のアップリンクリソースが、周波数領域内の少なくとも１つのサブキャリアと、時間領域内の少なくとも１つのシングルキャリア周波数分割多元接続ＳＣ−ＦＤＭＡシンボルとを含み、サブキャリア数が２以上の場合、サブキャリアが互いに直交し、サブキャリア間隔が３．７５ｋＨｚであるか、または、タイプ１のアップリンクリソースが、周波数領域内の少なくとも１つのサブチャネルと、時間領域内の少なくとも１つの周波数分割多元接続ＦＤＭＡシンボルとを含み、各サブチャネルの幅が３．７５ｋＨｚである。タイプ２のアップリンクリソースが、周波数領域内の少なくとも１つのサブキャリアと、時間領域内の少なくとも１つのＳＣ−ＦＤＭＡシンボルとを含み、サブキャリア数が２以上の場合、サブキャリアが互いに直交し、サブキャリア間隔が１５ｋＨｚである。
【０１１２】
さらに、アップリンクリソースの第１の指示情報は、タイプ１のアップリンクリソースまたはタイプ２のアップリンクリソースの時間領域情報および／または周波数領域情報をさらに含む。
【０１１３】
第１の指示情報は、端末によってサポートされる異なる能力に応じて、異なる情報コンテンツを示し得る。具体的には、端末がタイプ１の端末能力をサポートする場合、第１の指示情報は、アップリンクリソースがタイプ１のアップリンクリソースであることを示すために使用され、端末がタイプ２の端末能力もしくはタイプ３の端末能力をサポートする場合、第１の指示情報は、アップリンクリソースがタイプ２のアップリンクリソースであることを示すために使用され、または、端末がタイプ１の端末能力とタイプ２の端末能力とをサポートする場合、もしくは端末がタイプ１の端末能力とタイプ３の端末能力とをサポートする場合、第１の指示情報は、アップリンクリソースがタイプ１のアップリンクリソースであるか、タイプ２のアップリンクリソースであるかを示すために使用される。
【０１１４】
基地局によって端末に送信されるシステム情報は、物理ブロードキャストチャネル上で搬送されるシステム情報、たとえば、ＰＢＣＨ、ダウンリンク制御情報に基づいてスケジューリングによって送信されるシステム情報ブロック、または非スケジューリング方式で送信された情報ブロックのうちの少なくとも１つである点に留意されたい。非スケジューリング方式で送信することは、送信するために情報ブロックを時間周波数リソースにマッピングするためのリソースマッピング方式が、あらかじめ設定された方式、たとえば、規格または仕様において明確に指定されたあらかじめ設定された方式であることを意味する。
【０１１５】
さらに、基地局がシステム情報を端末に送信する時、基地局はシステム情報をセル内のすべての端末に送信し得る。システム情報が送信される前に、基地局がセル内のすべての端末によってサポートされる端末能力を知らない場合、システム情報は、タイプ１のアップリンクリソースに関する情報およびタイプ２のアップリンクリソースに関する情報をさらに含み得る。タイプ１のアップリンクリソースに関する情報は、タイプ１の端末能力をサポートする端末、またはタイプ１の端末能力とタイプ２の端末能力、もしくはタイプ１の端末能力とタイプ３の端末能力とをサポートする端末のために使用される。タイプ２のアップリンクリソースに関する情報は、タイプ２の端末能力もしくはタイプ３の端末能力をサポートする端末、またはタイプ１の端末能力とタイプ２の端末能力、もしくはタイプ１の端末能力とタイプ３の端末能力とをサポートする端末のために使用される。
【０１１６】
さらに、アップリンクリソースの第１の指示情報が、タイプ１のアップリンクリソースまたはタイプ２のアップリンクリソースの時間領域情報および／または周波数領域情報をさらに含む。時間領域情報は、タイプ１のアップリンクリソースもしくはタイプ２のアップリンクリソースが利用可能な特定の無線フレーム、タイプ１のアップリンクリソースもしくはタイプ２のアップリンクリソースが利用可能な特定のサブフレーム、またはタイプ１のアップリンクリソースもしくはタイプ２のアップリンクリソースの可用性のための期間、開始点、および持続時間のうちの少なくとも１つを含む。周波数領域情報は、タイプ１のアップリンクリソースもしくはタイプ２のアップリンクリソースに含まれるサブキャリアの数、周波数領域におけるタイプ１のアップリンクリソースもしくはタイプ２のアップリンクリソースのサブキャリアインデックスもしくは位置情報、または、周波数領域におけるタイプ１のアップリンクリソースもしくはタイプ２のアップリンクリソースにおける参照サブキャリアのサブキャリアインデックスもしくは位置情報のうちの少なくとも１つを含む。
【０１１７】
ステップ２０２：端末は、基地局によって送信されたシステム情報を受信し、システム情報は、時間領域および／もしくは周波数領域におけるタイプ１のアップリンクリソースに関する情報、ならびに／または時間領域および／もしくは周波数領域におけるタイプ２のアップリンクリソースに関する情報を含む。
【０１１８】
アップリンクリソースがタイプ１のアップリンクリソースとタイプ２のアップリンクリソースとを含む場合、タイプ１のアップリンクリソースおよびタイプ２のアップリンクリソースに対して時分割多重ＴＤＭが使用され得、システム情報は、時間領域におけるタイプ１のアップリンクリソースに関する情報と、時間領域におけるタイプ２のアップリンクリソースに関する情報とを含み得、または、タイプ１のアップリンクリソースおよびタイプ２のアップリンクリソースに対して周波数分割多重ＦＤＭが使用され得、システム情報は、周波数領域におけるタイプ１のアップリンクリソースに関する情報と、周波数領域におけるタイプ２のアップリンクリソースに関する情報とを含み得、または、タイプ１のアップリンクリソースおよびタイプ２のアップリンクリソースに対してＴＤＭおよびＦＤＭのハイブリッド多重方式が使用され得、システム情報は、時間領域および周波数領域におけるタイプ１のアップリンクリソースに関する情報と、時間領域および周波数領域におけるタイプ２のアップリンクリソースに関する情報とを含み得る。
【０１１９】
時間領域情報は、タイプ１のアップリンクリソースもしくはタイプ２のアップリンクリソースが利用可能な特定の無線フレーム、タイプ１のアップリンクリソースもしくはタイプ２のアップリンクリソースが利用可能な特定のサブフレーム、またはタイプ１のアップリンクリソースもしくはタイプ２のアップリンクリソースの可用性のための期間、開始点、および持続時間のうちの少なくとも１つを含み、周波数領域情報は、タイプ１のアップリンクリソースもしくはタイプ２のアップリンクリソースに含まれるサブキャリアの数、周波数領域におけるタイプ１のアップリンクリソースもしくはタイプ２のアップリンクリソースのサブキャリアインデックスもしくは位置情報、または、周波数領域におけるタイプ１のアップリンクリソースもしくはタイプ２のアップリンクリソースにおける参照サブキャリアのサブキャリアインデックスもしくは位置情報のうちの少なくとも１つを含む点に留意されたい。
【０１２０】
すなわち、タイプ１のアップリンクリソースおよびタイプ２のアップリンクリソースに対してＴＤＭが使用される場合、システム情報は、タイプ１のアップリンクリソースに対応する時間領域情報と、タイプ２のアップリンクリソースに対応する時間領域情報とが互いに排他的であり、すなわち、すなわち、タイプ１のアップリンクリソースが利用可能である場合はタイプ２のアップリンクリソースは利用可能ではない、またはタイプ２のアップリンクリソースが利用可能である場合はタイプ１のアップリンクリソースは利用可能ではないことを示すために使用される。タイプ１のアップリンクリソースおよびタイプ２のアップリンクリソースに対してＦＤＭが使用される場合、システム情報は、タイプ１のアップリンクリソースに対応する周波数領域情報と、タイプ２のアップリンクリソースに対応する周波数領域情報とが互いに排他的であり、すなわち、タイプ１のアップリンクリソースが利用可能な周波数上でタイプ２のアップリンクリソースは利用可能ではない、またはタイプ２のアップリンクリソースが利用可能な周波数上でタイプ１のアップリンクリソースは利用可能ではないことを示すために使用される。タイプ１のアップリンクリソースおよびタイプ２のアップリンクリソースに対してＴＤＭおよびＦＤＭのハイブリッド多重方式が使用される場合、システム情報は、タイプ１のアップリンクリソースに対応する時間領域情報と、タイプ２のアップリンクリソースに対応する時間領域情報とが互いに排他的であり、タイプ１のアップリンクリソースに対応する周波数領域情報と、タイプ２のアップリンクリソースに対応する周波数領域情報とが互いに排他的であることを示すために使用され、すなわち、一定期間内に、タイプ１のアップリンクリソースに対応する時間領域情報と、タイプ２のアップリンクリソースに対応する時間領域情報とが互いに排他的であることを示し、また、別の期間内に、タイプ１のアップリンクリソースに対応する周波数領域情報と、タイプ２のアップリンクリソースに対応する周波数領域情報とが互いに排他的であることを示す。
【０１２１】
具体的には、端末がタイプ１の端末能力をサポートする場合、端末は、タイプ１のアップリンクリソースに関する情報をシステム情報から取得し得る。端末がタイプ２の端末能力および／またはタイプ３の端末能力をサポートする場合、端末は、タイプ２のアップリンクリソースに関する情報をシステム情報から取得し得る。端末がタイプ１の端末能力、タイプ２の端末能力、もしくはタイプ３の端末能力のうちの少なくとも１つをサポートする場合、端末は、タイプ１のアップリンクリソースに関する情報、またはタイプ２のアップリンクリソースに関する情報のうちの少なくとも１つをシステム情報から取得し得る。
【０１２２】
端末は、基地局によって送信されたシステム情報からアップリンクリソースの第１の指示情報を取得することに加えて、あらかじめ設定された情報に従ってアップリンクリソースの第１の指示情報を取得し得る。すなわち、あらかじめ設定された情報は、第１の指示情報によって示される情報コンテンツを含み、あらかじめ設定された情報はあらかじめ設定されていてもよい。あらかじめ設定された情報は、規格または仕様において明確に指定されており、あらかじめ設定された情報と、システム展開のために使用される周波数帯域に関する情報との間には対応関係があり、あらかじめ設定された情報と、システムによってダウンリンクにおいて送信される同期信号または基準信号との間の対応関係があり、対応関係は、規格または仕様などにおいて説明され得る。これは、本発明のこの実施形態では限定されない。
【０１２３】
さらに、図３を参照すると、ステップ２０１の後、本方法は以下のステップをさらに含む。
【０１２４】
ステップ２０３：基地局は、ＤＣＩまたはＲＡＲを端末に送信し、ＤＣＩまたはＲＡＲは、端末によってアップリンクデータを送信するために使用されるアップリンクリソースの第２の指示情報を含む。
【０１２５】
第２の指示情報は、端末によってアップリンクデータを送信するために使用されるタイプ１のアップリンクリソースもしくはタイプ２のアップリンクリソースのサブキャリア情報またはサブチャネル情報を含む。サブキャリア情報は、サブキャリア数、サブキャリアインデックス、または周波数領域におけるサブキャリアの位置またはインデックスを示すために使用される情報のうちの少なくとも１つを含む。サブチャネル情報は、サブチャネル数、サブチャネルインデックス、または周波数領域におけるサブチャネルの位置またはインデックスを示すために使用される情報のうちの少なくとも１つを含む。
【０１２６】
端末は、タイプ１の端末能力、タイプ２の端末能力、もしくはタイプ３の端末能力のうちの１つまたは２つ、または３つのタイプの端末能力のすべてをサポートし得る。したがって、端末によってサポートされる端末能力が異なる場合、基地局は異なる方法を使用することによってＤＣＩまたはＲＡＲを端末に送信する。詳細は以下の通りである。
【０１２７】
端末がタイプ１の端末能力をサポートする場合、基地局がＤＣＩまたはＲＡＲを端末に送信することは、具体的には、基地局によって、タイプ１のダウンリンクリソース上でＤＣＩまたはＲＡＲを送信することであり、ＤＣＩまたはＲＡＲは、端末がアップリンクデータを送信するようにスケジューリングするために使用されるスケジューリング情報をさらに含む。
【０１２８】
端末がタイプ２の端末能力とタイプ３の端末能力とをサポートする場合、基地局がＤＣＩまたはＲＡＲを端末に送信することは、具体的には、基地局によって、タイプ２のダウンリンクリソース上でＤＣＩまたはＲＡＲを送信することであり、ＤＣＩまたはＲＡＲは、端末がアップリンクデータを送信するようにスケジューリングするために使用されるスケジューリング情報を含む。
【０１２９】
端末がタイプ１の端末能力とタイプ２の端末能力とをサポートする場合、または、端末がタイプ１の端末能力とタイプ３の端末能力とをサポートする場合、基地局がＤＣＩまたはＲＡＲを端末に送信することは、具体的には、基地局によって、タイプ１のダウンリンクリソースおよび／またはタイプ２のダウンリンクリソース上でＤＣＩまたはＲＡＲを送信することであり、ＤＣＩまたはＲＡＲは、端末がアップリンクデータを送信するようにスケジューリングするために使用されるスケジューリング情報を含む。
【０１３０】
ＤＣＩまたはＲＡＲは第２の指示情報を含み、端末がタイプ１の端末能力とタイプ２の端末能力とをサポートするか、または端末がタイプ１の端末能力とタイプ３の端末能力とをサポートする場合、ＤＣＩまたはＲＡＲは、端末によってアップリンクデータを送信するために使用されるアップリンクリソースがタイプ１のアップリンクリソースであるか、タイプ２のアップリンクリソースであるかを示すために使用される第３の指示情報をさらに含む。代替として、タイプ１の端末能力、タイプ２の端末能力、もしくはタイプ３の端末能力のうちの１つ、２つ、または３つをサポートしているかどうかにかかわらず、ＤＣＩまたはＲＡＲは、端末によってアップリンクデータを送信するために使用されるアップリンクリソースがタイプ１のアップリンクリソースであるか、タイプ２のアップリンクリソースであるかを示すために使用される第３の指示情報を含む。
【０１３１】
具体的には、ＤＣＩまたはＲＡＲは、１つのインジケータフィールドに関する情報を含む。インジケータフィールドは、異なる値を使用することによって、端末によってアップリンクデータを送信するために使用されるアップリンクリソースがタイプ１のアップリンクリソースであるか、タイプ２のアップリンクリソースであるかを示す。インジケータフィールドはまた、端末によってアップリンクデータを送信するために使用されるタイプ１のアップリンクリソースのサブキャリア情報またはサブチャネル情報を示す。
【０１３２】
代替として、ＤＣＩまたはＲＡＲは、２つのインジケータフィールドに関する情報を含む。一方のインジケータフィールドは、異なる値を使用することによって、端末によってアップリンクデータを送信するために使用されるアップリンクリソースがタイプ１のアップリンクリソースであるか、タイプ２のアップリンクリソースであるかを示し、他方のインジケータフィールドは、端末によってアップリンクデータを送信するために使用されるタイプ１のアップリンクリソースのサブキャリア情報またはサブチャネル情報を示す。
【０１３３】
代替として、ＤＣＩが第１のＤＣＩフォーマットである場合、第３の指示情報は、端末によってアップリンクデータを送信するために使用されるタイプ１のアップリンクリソースのサブキャリア情報もしくはサブチャネル情報を示し、または、ＤＣＩが第２のＤＣＩフォーマットである場合、第３の指示情報は、端末によってアップリンクデータを送信するために使用されるタイプ２のアップリンクリソースのサブキャリア情報もしくはサブチャネル情報を示す。
【０１３４】
代替として、ＤＣＩ内の巡回冗長検査ＣＲＣが第１のスクランブリングコードを使用することによってスクランブリングされている場合、第３の指示情報は、端末によってアップリンクデータを送信するために使用されるタイプ１のアップリンクリソースのサブキャリア情報もしくはサブチャネル情報を示し、または、ＤＣＩ内のＣＲＣが第２のスクランブリングコードを使用することによってスクランブリングされている場合、第３の指示情報は、端末によってアップリンクデータを送信するために使用されるタイプ２のアップリンクリソースのサブキャリア情報もしくはサブチャネル情報を示す。
【０１３５】
タイプ１のダウンリンクリソースはタイプ１のアップリンクリソースに対応し、タイプ２のダウンリンクリソースはタイプ２のアップリンクリソースに対応する点に留意されたい。本明細書における対応関係は、アップリンクリソースとダウンリンクリソースのタイプとの間の対応関係であり、アップリンクリソースの数とダウンリンクリソースの数との間の対応関係を表すものではない。たとえば、タイプ１のダウンリンクリソースは、１つの物理リソースブロックＰＲＢ、すなわち１８０ｋＨｚであり、タイプ１のアップリンクリソースは３０ｋＨｚを含み、１８０ｋＨｚのタイプ１のダウンリンクリソースは、少なくとも１つの３０ｋＨｚのタイプ１のアップリンクリソースに対応し得る。特定の対応関係があらかじめ設定されていてもよい。たとえば、対応関係はシステムにおいて使用されている周波数帯域に関連し、規格または仕様において明確に指定されており、対応関係はダウンリンク同期信号またはシステムによって送信される基準信号に従って取得され、または通知がシステム情報において提供され得る。これは、本発明の実施形態において限定されない。さらに、タイプ１のダウンリンクリソースとタイプ２のダウンリンクリソースとは、時間領域および周波数領域において同じであってもよく、異なっていてもよい。タイプ１のダウンリンクリソースとタイプ２のダウンリンクリソースが時間領域および周波数領域において同じである場合、タイプ１のダウンリンクリソースとタイプ２のダウンリンクリソースは同じダウンリンクリソースを示す。この場合、同じダウンリンクリソースは、タイプ１のアップリンクリソースとタイプ２のアップリンクリソースとの両方に対応し得る。タイプ１のダウンリンクリソースと、タイプ２のダウンリンクリソースとが、時間領域において、もしくは周波数領域において、または時間領域と周波数領域との両方において異なる場合、ダウンリンクリソースが時間領域において異なることは、異なる開始点、異なる期間、または異なる持続時間のうちの少なくとも１つを含み、ダウンリンクリソースが周波数領域において異なることは、異なる占有される周波数範囲、異なる占有される周波数開始点、異なる占有されるサブキャリアの数などのうちの少なくとも１つを含む。さらに、直交周波数分割多重ＯＦＤＭシンボルは、タイプ１のダウンリンクリソースとタイプ２のダウンリンクリソースとの両方で送信され、サブキャリア間隔は１５ｋＨｚである。
【０１３６】
さらに、アップリンクデータを送信するように端末をスケジューリングするために使用され、ＤＣＩまたはＲＡＲに含まれるスケジューリング情報は、アップリンクデータ送信フォーマットを示し、周波数領域において使用されるサブキャリアの数、使用される変調方式、または時間領域において使用されるリソースの量、たとえばサブフレーム数またはトランスポートブロックに含まれるビット量のうちの少なくとも１つを含む。具体的には、端末がタイプ１の端末能力および／もしくはタイプ２の端末能力をサポートする場合、周波数領域において使用されるサブキャリアの数は常に１であり、ＤＣＩまたはＲＡＲはサブキャリア数を含まなくてよく、または、端末がタイプ３の端末能力をサポートする場合、少なくとも１つのサブキャリアおよび最大で１２個のサブキャリアが周波数領域において使用される。
【０１３７】
さらに、端末によって送信されたアップリンクデータは、物理アップリンク共有チャネルにマッピングされる。アップリンクデータと同じ瞬間に送信される必要があるアップリンク制御情報がある場合、アップリンク制御情報とアップリンクデータとの両方が物理アップリンク制御チャネルにマッピングされ得る。アップリンク制御情報は、ダウンリンクデータが正しく受信されたか否かを示すために使用される確認情報、またはチャネル状態情報ＣＳＩを反映する情報を含む。
【０１３８】
さらに、第１のＤＣＩフォーマットおよび第２のＤＣＩフォーマットが送信のために使用される場合、異なる時間−周波数リソースが使用され得、または第１のＤＣＩフォーマットにおけるＤＣＩに含まれるビットの量と第２のＤＣＩフォーマットにおけるＤＣＩに含まれるビットの量とは異なる。代替として、第１のＤＣＩフォーマットおよび第２のＤＣＩフォーマットが送信のために使用される場合、使用される時間−周波数リソースが異なり、第１のＤＣＩフォーマットにおけるＤＣＩに含まれるビットの量と第２のＤＣＩフォーマットにおけるＤＣＩに含まれるビットの量とは異なる。代替として、第１のＤＣＩフォーマットおよび第２のＤＣＩフォーマットが送信のために使用される場合、使用される時間−周波数リソースは同じであり、第１のＤＣＩフォーマットにおけるＤＣＩに含まれるビットの量と第２のＤＣＩフォーマットにおけるＤＣＩに含まれるビットの量とは同じである。
【０１３９】
ステップ２０４：端末は、基地局によって送信されるＤＣＩまたはＲＡＲを受信し、ＤＣＩまたはＲＡＲは第２の指示情報を含む。
【０１４０】
それに対応して、端末がタイプ１の端末能力をサポートする場合、端末は、タイプ１のダウンリンクリソース上で、基地局によって送信されたＤＣＩまたはＲＡＲを受信する。ＤＣＩまたはＲＡＲは、端末がアップリンクデータを送信するようにスケジューリングするために使用されるスケジューリング情報をさらに含む。
【０１４１】
端末がタイプ２の端末能力とタイプ３の端末能力とをサポートする場合、端末は、タイプ２のダウンリンクリソース上で、基地局によって送信されたＤＣＩまたはＲＡＲを受信する。ＤＣＩまたはＲＡＲは、端末がアップリンクデータを送信するようにスケジューリングするために使用されるスケジューリング情報を含む。
【０１４２】
端末がタイプ１の端末能力とタイプ２の端末能力とをサポートする場合、または、端末がタイプ１の端末能力とタイプ３の端末能力とをサポートする場合、端末は、タイプ１のダウンリンクリソース上および／またはタイプ２のダウンリンクリソース上で、基地局によって送信されたＤＣＩまたはＲＡＲを受信し得る。ＤＣＩまたはＲＡＲは、端末がアップリンクデータを送信するようにスケジューリングするために使用されるスケジューリング情報を含む。
【０１４３】
任意選択で、端末がタイプ１の端末能力とタイプ２の端末能力とをサポートする場合、または、端末がタイプ１の端末能力とタイプ３の端末能力とをサポートする場合、無線リソース制御ＲＲＣシグナリング、ＲＲＣ再構成シグナリング、またはメディアアクセス制御ＭＡＣシグナリングなどの上位層のシグナリングは、端末によって使用されるアップリンクリソースがタイプ１のアップリンクリソースであるか、タイプ２のアップリンクリソースであるかを示す。上位層のシグナリングを受信する前に、端末は、タイプ１のダウンリンクリソースとタイプ２のダウンリンクリソースとの両方でＤＣＩまたはＲＡＲを検出し得る。ＤＣＩを検出する場合、端末は、ＤＣＩもしくはＲＡＲに含まれるインジケータフィールド、ＤＣＩフォーマット、またはＤＣＩ内のＣＲＣのための異なるスクランブリングコードを検出し得る。詳細についてはステップ２０３を参照し、本発明のこの実施形態では詳細は再び説明されない。
【０１４４】
ＤＣＩまたはＲＡＲは第２の指示情報を含み、端末がタイプ１の端末能力とタイプ２の端末能力とをサポートするか、または端末がタイプ１の端末能力とタイプ３の端末能力とをサポートする場合、ＤＣＩまたはＲＡＲは、端末によってアップリンクデータを送信するために使用されるアップリンクリソースがタイプ１のアップリンクリソースであるか、タイプ２のアップリンクリソースであるかを示すために使用される第３の指示情報をさらに含む。代替として、タイプ１の端末能力、タイプ２の端末能力、もしくはタイプ３の端末能力のうちの１つ、２つ、または３つをサポートしているかどうかにかかわらず、ＤＣＩまたはＲＡＲは、端末によってアップリンクデータを送信するために使用されるアップリンクリソースがタイプ１のアップリンクリソースであるか、タイプ２のアップリンクリソースであるかを示すために使用される第３の指示情報を含む。
【０１４５】
ステップ２０４における第３の指示情報およびスケジューリング情報は、ステップ２０３における第３の指示情報およびスケジューリング情報とそれぞれ同様であり、本発明のこの実施形態では詳細は再び説明されない点に留意されたい。
【０１４６】
さらに、図４を参照すると、ＤＣＩまたはＲＡＲが、端末がアップリンクデータを送信するようにスケジューリングするために使用されるスケジューリング情報をさらに含む場合、本方法は、ステップ２０４の後に、以下をさらに含む。
【０１４７】
ステップ２０５ａ：端末がタイプ１の端末能力をサポートする場合、端末は、タイプ１のアップリンクリソース上でアップリンクデータまたはアップリンク制御情報を送信する。
【０１４８】
それに対応して、本方法は以下をさらに含む。
【０１４９】
ステップ２０６ａ：基地局は、タイプ１のアップリンクリソース上で、タイプ１の端末能力をサポートする端末によってタイプ１のアップリンクリソース上で送信されたアップリンクデータまたはアップリンク制御情報を受信する。
【０１５０】
代替として、ステップ２０４の後、本方法は以下をさらに含む。
【０１５１】
ステップ２０５ｂ：端末がタイプ２の端末能力またはタイプ３の端末能力をサポートする場合、端末は、タイプ２のアップリンクリソース上でアップリンクデータまたはアップリンク制御情報を送信する。
【０１５２】
それに対応して、本方法は以下をさらに含む。
【０１５３】
ステップ２０６ｂ：基地局は、タイプ２のアップリンクリソース上で、タイプ２の端末能力またはタイプ３の端末能力をサポートする端末によってタイプ２のアップリンクリソース上で送信されたアップリンクデータまたはアップリンク制御情報を受信する。
【０１５４】
代替として、ステップ２０４の後、本方法は以下をさらに含む。
【０１５５】
ステップ２０５ｃ：端末がタイプ１の端末能力とタイプ２の端末能力とをサポートする場合、または端末がタイプ１の端末能力とタイプ３の端末能力とをサポートする場合、端末は、タイプ１のアップリンクリソースまたはタイプ２のアップリンクリソース上でアップリンクデータまたはアップリンク制御情報を送信する。
【０１５６】
それに対応して、本方法は以下をさらに含む。
【０１５７】
ステップ２０６ｃ：基地局は、タイプ１のアップリンクリソース上で、タイプ１の端末能力とタイプ２の端末能力とをサポートする端末によってタイプ１のアップリンクリソース上で送信されたアップリンクデータを受信するか、タイプ２のアップリンクリソース上で、タイプ１の端末能力とタイプ３の端末能力とをサポートする端末によってタイプ２のアップリンクリソース上で送信されたアップリンクデータを受信する。
【０１５８】
３つのステップのグループ、すなわち、ステップ２０５ａおよびステップ２０６ａと、ステップ２０５ｂおよびステップ２０６ｂと、ステップ２０５ｃおよびステップ２０６ｃとを実行する順序は限定されず、３つのステップのグループが並列である点に留意されたい。具体的には、どのステップのグループが基地局および端末によって実行されるかは、端末によってサポートされる端末能力に依存する。
【０１５９】
さらに、端末が、ステップ２０５ａおよびステップ２０５ｃにおいてタイプ１のアップリンクリソース上でアップリンクデータを送信することは、具体的には、端末によって、タイプ１のアップリンクリソースに対応する第１のタイミング関係に従って、タイプ１のアップリンクリソース上で、スケジューリング情報を使用することによってスケジューリングされたアップリンクデータを送信することである。タイプ１のアップリンクリソースにおけるサブキャリア間の間隔は３．７５ｋＨｚであるか、各サブチャネルの帯域幅は３．７５ｋＨｚである。
【０１６０】
タイプ１のアップリンクリソースに対応する第１のタイミング関係は、ＤＣＩまたはＲＡＲに含まれるスケジューリング情報と、スケジューリング情報を使用することによってスケジューリングされたアップリンクデータとの間のタイミング関係を示すために使用される。
【０１６１】
それに対応して、基地局が、タイプ１のアップリンクリソース上で、ステップ２０６ａおよびステップ２０６ｃにおいてタイプ１のアップリンクリソース上で端末によって送信されたアップリンクデータを受信することは、具体的には、基地局によって、タイプ１のアップリンクリソースに対応する第１のタイミング関係に従って、タイプ１のアップリンクリソース上で、スケジューリング情報を使用することによってスケジューリングされ、端末によって送信された、アップリンクデータを受信することである。タイプ１のアップリンクリソースにおけるサブキャリア間の間隔は３．７５ｋＨｚであるか、各サブチャネルの帯域幅は３．７５ｋＨｚである。
【０１６２】
ＤＣＩまたはＲＡＲに含まれるスケジューリング情報と、スケジューリング情報を使用することによってスケジューリングされたアップリンクデータとのタイミング関係は、ＤＣＩまたはＲＡＲを送信するためのエンドサブフレームのサブフレーム番号と、アップリンクデータを送信するための開始サブフレームのサブフレーム番号との間の時間差を指し、フレーム数、サブフレーム数、スケジューリング時間間隔ＴＴＩ量等が単位として使用される点に留意されたい。代替として、ＤＣＩまたはＲＡＲを送信するために複数のサブフレームが占有されている場合、タイミング関係は、ＤＣＩまたはＲＡＲを送信するための開始サブフレームのサブフレーム番号と、アップリンクデータを送信するための開始サブフレームのサブフレーム番号との間の時間差を指してもよく、端末がＤＣＩまたはＲＡＲを正しく受信した場合、ＤＣＩまたはＲＡＲを送信するためのサブフレームのサブフレーム番号と、アップリンクデータを送信するための開始サブフレームのサブフレーム番号との間の時間差を指してもよい。たとえば、図４Ａに示されるように、本発明では、ＤＣＩまたはＲＡＲを送信するためのエンドサブフレームのサブフレーム番号と、アップリンクデータを送信するための開始サブフレームのサブフレーム番号との時間差Ｔ１１が使用される。
【０１６３】
さらに、図５を参照すると、基地局が、タイプ１のアップリンクリソース上で、スケジューリング情報を使用することによってスケジューリングされ、端末によって送信されたアップリンクデータを受信した後、本方法は以下をさらに含む。
【０１６４】
ステップ２０７ａ：基地局は、タイプ１のアップリンクリソースに対応する第２のタイミング関係に従って、タイプ１のダウンリンクリソース上で、端末に応答フィードバック情報を送信する。
【０１６５】
タイプ１のアップリンクリソースに対応する第２のタイミング関係は、端末によって送信されたアップリンクデータと、アップリンクデータに対応する応答フィードバック情報との間のタイミング関係を示すために使用される。
【０１６６】
端末によって送信されたアップリンクデータと、アップリンクデータに対応する応答フィードバック情報との間のタイミング関係は、端末によってアップリンクデータを送信するためのエンドサブフレームのサブフレーム番号と、アップリンクデータに対応する応答フィードバック情報を送信するための開始サブフレームのサブフレーム番号との間の時間差を指し、フレーム数、サブフレーム数、スケジューリング時間間隔ＴＴＩ量等が単位として使用される点に留意されたい。代替として、端末によって送信されたアップリンクデータのために複数のサブフレームが占有されている場合、タイミング関係は、端末によってアップリンクデータを送信するための開始サブフレームのサブフレーム番号と、アップリンクデータに対応する応答フィードバック情報を送信するための開始サブフレームのサブフレーム番号との間の時間差を指してもよく、基地局が端末によって送信されたアップリンクデータを正しく受信した場合、端末がＤＣＩまたはＲＡＲを正しく受信した場合、アップリンクデータを送信するためのサブフレームのサブフレーム番号と、アップリンクデータに対応する応答フィードバック情報を送信するための開始サブフレームのサブフレーム番号との間の時間差を指してもよい。たとえば、図５Ａに示されるように、本発明では、端末によってアップリンクデータを送信するためのエンドサブフレームのサブフレーム番号と、アップリンクデータに対応する応答フィードバック情報を送信するための開始サブフレームのサブフレーム番号との時間差Ｔ１２が使用される。
【０１６７】
さらに、タイプ１のアップリンクリソースに対応する第１のタイミング関係Ｔ１１と、タイプ１のアップリンクリソースに対応する第２のタイミング関係Ｔ１２は、あらかじめ設定されていてもよく、ＤＣＩまたはＲＡＲに含まれていてもよく、システム情報に含まれていてもよい。これは、本発明のこの実施形態において特に限定されない。あらかじめ設定されているとは、規格または仕様において明確に指定されていることを意味する。
【０１６８】
さらに、基地局によってタイプ１のダウンリンクリソース上で端末に送信される応答フィードバック情報は、ＡＣＫ／ＮＡＣＫであり得る。応答フィードバック情報がＡＣＫである場合、端末によって送信されたアップリンクデータを基地局が正しく受信したことを示し、または、応答フィードバック情報がＮＡＣＫである場合、端末によって送信されたアップリンクデータを基地局が受信したが、アップリンクデータを正しく復号しないことを示す。ＡＣＫ／ＮＡＣＫは、専用物理チャネル上で搬送されてもよく、物理チャネルのリソースマッピング方式はあらかじめ設定されており、たとえば、規格または仕様において明確に指定されており、またはＡＣＫ／ＮＡＣＫが、次回に送信されるダウンリンク制御情報ＤＣＩに含まれてもよく、たとえば、ＤＣＩは、ＡＣＫ／ＮＡＣＫを示すために使用されるインジケータフィールドを含む。これは、本発明のこの実施形態では限定されない。
【０１６９】
同様に、端末が、ステップ２０５ｂにおいて、タイプ２のアップリンクリソース上でアップリンクデータを送信することは、具体的には、端末によって、タイプ２のアップリンクリソースに対応する第１のタイミング関係に従って、タイプ２のアップリンクリソース上で、スケジューリング情報を使用することによってスケジューリングされたアップリンクデータを送信することである。タイプ２のアップリンクリソースにおけるサブキャリア間の間隔は１５ｋＨｚである。
【０１７０】
タイプ２のアップリンクリソースに対応する第１のタイミング関係は、ＤＣＩまたはＲＡＲに含まれるスケジューリング情報と、スケジューリング情報を使用することによってスケジューリングされたアップリンクデータとの間のタイミング関係を示すために使用される。
【０１７１】
ＤＣＩまたはＲＡＲに含まれるスケジューリング情報と、スケジューリング情報を使用することによってスケジューリングされたアップリンクデータとのタイミング関係は、ＤＣＩまたはＲＡＲを送信するためのエンドサブフレームのサブフレーム番号と、アップリンクデータを送信するための開始サブフレームのサブフレーム番号との間の時間差を指し、フレーム数、サブフレーム数、スケジューリング時間間隔ＴＴＩ量等が単位として使用される点に留意されたい。代替として、ＤＣＩまたはＲＡＲを送信するために複数のサブフレームが占有されている場合、タイミング関係は、ＤＣＩまたはＲＡＲを送信するための開始サブフレームのサブフレーム番号と、アップリンクデータを送信するための開始サブフレームのサブフレーム番号との間の時間差を指してもよく、端末がＤＣＩまたはＲＡＲを正しく受信した場合、ＤＣＩまたはＲＡＲを送信するためのサブフレームのサブフレーム番号と、アップリンクデータを送信するための開始サブフレームのサブフレーム番号との間の時間差を指してもよい。たとえば、図５Ｂに示されるように、本発明では、ＤＣＩまたはＲＡＲを送信するためのエンドサブフレームのサブフレーム番号と、アップリンクデータを送信するための開始サブフレームのサブフレーム番号との時間差Ｔ２１が使用される。
【０１７２】
それに対応して、基地局が、タイプ２のアップリンクリソース上で、ステップ２０６ｂおよびステップ２０６ｃにおいて端末によってタイプ２のアップリンクリソース上で送信されたアップリンクデータを受信することは、具体的には、基地局によって、タイプ２のアップリンクリソースに対応する第１のタイミング関係に従って、タイプ２のアップリンクリソース上で、スケジューリング情報を使用することによってスケジューリングされ、端末によって送信された、アップリンクデータを受信することである。タイプ２のアップリンクリソースにおけるサブキャリア間の間隔は１５ｋＨｚである。
【０１７３】
さらに、基地局が、タイプ２のアップリンクリソース上で、スケジューリング情報を使用することによってスケジューリングされ、端末によって送信されたアップリンクデータを受信した後、本方法は以下をさらに含む。
【０１７４】
ステップ２０７ｂ：基地局は、タイプ２のアップリンクリソースに対応する第２のタイミング関係に従って、タイプ２のダウンリンクリソース上で、端末に応答フィードバック情報を送信する。
【０１７５】
タイプ２のアップリンクリソースに対応する第２のタイミング関係は、端末によって送信されたアップリンクデータと、アップリンクデータに対応する応答フィードバック情報との間のタイミング関係を示すために使用される。
【０１７６】
端末によって送信されたアップリンクデータと、アップリンクデータに対応する応答フィードバック情報との間のタイミング関係は、端末によってアップリンクデータを送信するためのエンドサブフレームのサブフレーム番号と、アップリンクデータに対応する応答フィードバック情報を送信するための開始サブフレームのサブフレーム番号との間の時間差を指し、フレーム数、サブフレーム数、スケジューリング時間間隔ＴＴＩ量等が単位として使用される点に留意されたい。代替として、端末によって送信されたアップリンクデータのために複数のサブフレームが占有されている場合、タイミング関係は、端末によってアップリンクデータを送信するための開始サブフレームのサブフレーム番号と、アップリンクデータに対応する応答フィードバック情報を送信するための開始サブフレームのサブフレーム番号との間の時間差を指してもよく、基地局が端末によって送信されたアップリンクデータを正しく受信した場合、アップリンクデータを送信するためのサブフレームのサブフレーム番号と、アップリンクデータに対応する応答フィードバック情報を送信するための開始サブフレームのサブフレーム番号との間の時間差を指してもよい。たとえば、図５Ｃに示されるように、本発明では、端末によってアップリンクデータを送信するためのエンドサブフレームのサブフレーム番号と、アップリンクデータに対応する応答フィードバック情報を送信するための開始サブフレームのサブフレーム番号との時間差Ｔ２２が使用される。
【０１７７】
さらに、タイプ２のアップリンクリソースに対応する第１のタイミング関係Ｔ２１と、タイプ２のアップリンクリソースに対応する第２のタイミング関係Ｔ２２は、あらかじめ設定されていてもよく、ＤＣＩまたはＲＡＲに含まれていてもよく、システム情報に含まれていてもよい。これは、本発明のこの実施形態において特に限定されない。あらかじめ設定されているとは、規格または仕様において明確に指定されていることを意味する。
【０１７８】
さらに、基地局によってタイプ２のダウンリンクリソース上で端末に送信される応答フィードバック情報は、ＡＣＫ／ＮＡＣＫであり得る。応答フィードバック情報がＡＣＫである場合、端末によって送信されたアップリンクデータを基地局が正しく受信したことを示し、または、応答フィードバック情報がＮＡＣＫである場合、端末によって送信されたアップリンクデータを基地局が受信したが、アップリンクデータを正しく復号しないことを示す。ＡＣＫ／ＮＡＣＫは、専用物理チャネル上で搬送されてもよく、物理チャネルのリソースマッピング方式はあらかじめ設定されており、たとえば、規格または仕様において明確に指定されており、またはＡＣＫ／ＮＡＣＫが、次回に送信されるダウンリンク制御情報ＤＣＩに含まれてもよく、たとえば、ＤＣＩは、ＡＣＫ／ＮＡＣＫを示すために使用されるインジケータフィールドを含む。これは、本発明のこの実施形態では限定されない。
【０１７９】
さらに、タイプ１のアップリンクリソースに対応する第１のタイミング関係Ｔ１１と、タイプ２のアップリンクリソースに対応する第１のタイミング関係Ｔ２１とは、同じであってもよく、異なっていてもよい。タイプ１のアップリンクリソースに対応する第２のタイミング関係Ｔ１２と、タイプ２のアップリンクリソースに対応する第２のタイミング関係Ｔ２２とは、同じであってもよく、異なっていてもよい。
【０１８０】
ステップ２０７ａおよびステップ２０７ｂを実行する順序は限定されず、２つのステップは並列であり、基地局によってどのステップが実行されるかは、端末によって使用されるアップリンクリソースのタイプに依存する点に留意されたい。
【０１８１】
さらに、図６を参照すると、ステップ２０１の前に、本方法は以下のステップをさらに含む。
【０１８２】
ステップ２０８：端末は、物理ランダムアクセスチャネルＰＲＡＣＨ上でランダムアクセス情報を送信し、周波数領域における各ＰＲＡＣＨチャネルによって占有される帯域幅は３．７５ｋＨｚまたは１５ｋＨｚであるか、または１５ｋＨｚより大きく１８０ｋＨｚ以下であり、ランダムアクセス情報はランダムプリアンブル、直交シーケンスコード、または変調シンボルである。
【０１８３】
任意選択で、周波数領域における各ＰＲＡＣＨチャネルによって占有される帯域幅は、０より大きく、３．７５ｋＨｚ未満である。たとえば、周波数領域における各ＰＲＡＣＨチャネルによって占有される帯域幅が１．２５ｋＨｚまたは２．５ｋＨｚである場合、各ＰＲＡＣＨチャネル上で１つのシングルキャリアランダムアクセス情報のみが送信される。
【０１８４】
ランダムプリアンブルは、巡回プレフィックスＣＰおよびシーケンスＳＥＱを含む。ランダムプリアンブルは、ゼロ相関ゾーンを有するＺａｄｏｆｆ−Ｃｈｕシーケンスによって生成されるか、または１つまたは複数のＺＣルートシーケンスによって生成される。端末は、ネットワーク側で構成されたランダムプリアンブルシーケンスセットを使用する。各セルにおいて利用可能なランダムプリアンブルの数は、ネットワーク側で構成されてもよく、規格または仕様において明確に指定されてもよい。ランダムプリアンブルシーケンスは、まず、ＺＣルートシーケンスを巡回的にシフトすることによって取得される。単一のＺＣルートシーケンスを巡回的にシフトすることによって、各セル内の利用可能なランダムプリアンブルの必要数が生成され得ない場合、別のランダムプリアンブルシーケンスが、後続の論理インデックスに対応するＺＣルートシーケンスから生成される。論理インデックスは巡回的かつ連続的であり、論理インデックスの値の範囲は０から８３７までである。
【０１８５】
ｕ番目のＺＣルートシーケンスｘu（ｎ）が式（１）に示されており、式において、ＮzcはＺＣシーケンスの長さであり、たとえば、長さは１３９、２５１、または８３９などの素数である。ランダムアクセスプリアンブルは、式（２）に従って、Ｎcsによってｕ番目のＺＣルートシーケンスｘu（ｎ）を巡回的にシフトすることによって取得される。
【０１８６】
【数１】
2019501597.tif 000003
【０１８７】
ｘu,v（ｎ）＝ｘu（（ｎ＋Ｃv）ｍｏｄ  Ｎzc）    （２）
【０１８８】
式において、ｕはＺＣルートシーケンスインデックスであり、Ｎcsは巡回シフト長であり、セルカバレッジ半径は巡回シフトＮcsに依存し、Ｃvは巡回シフト値であり、ｖは巡回数であり、ｍｏｄはＭＯＤ関数のシンボルである。各セル内の利用可能なランダムプリアンブルは、異なるｕ値を使用することによって得られる拡張されたシーケンス数およびシーケンス生成のための巡回シフトに従って取得され、端末は、各セルの利用可能なランダムプリアンブルのうちの１つをランダムに選択して送信する。
【０１８９】
ランダムアクセス情報が直交シーケンスコードである場合、直交シーケンスコードはＺＣシーケンスから生成されるのではなく、直交シーケンスコードは、アダマール（Ｈａｄａｍａｒｄ）行列によって生成される直交コードなどの直交性を満たす点に留意されたい。各セルにおいて利用可能な直交シーケンスコードの数は、ネットワーク側で構成されてもよく、規格または仕様において明確に指定されてもよい。セルごとに利用可能な直交シーケンスコードセットは、ネットワーク側で構成されるか、またはあらかじめ設定されたルールに従って生成される。端末は、各セルの利用可能な直交シーケンスコードのうちの１つをランダムに選択して送信する。ランダムアクセス情報が変調シンボルであり、端末がアップリンクデータを送信する必要がある場合、端末が、ＰＲＡＣＨチャネル上で、アップリンクデータを変調することによって取得されたシンボルを直接送信するか、端末がＰＲＡＣＨチャネル上で特定の変調シンボルを送信する。変調シンボルにおいて搬送される情報は、基地局からアップリンクデータを送信するためのリソースを要求するために使用される。
【０１９０】
具体的には、端末は、異なる方法を使用することによってランダムアクセス情報をＰＲＡＣＨ上で基地局に送信し得る。詳細は以下の通りである。
【０１９１】
方法１：端末が、各ランダムアクセス情報送信機会において、ランダムに選択されたＰＲＡＣＨチャネル上でランダムに選択されたランダムプリアンブルまたは直交シーケンスコードを基地局に送信する。
【０１９２】
すなわち、端末によって使用されるランダムプリアンブルまたは直交シーケンスコードのフォーマットは同じであり、使用されるランダムプリアンブルまたは直交シーケンスコードのシーケンスセットは同じである。シーケンスセットは、あらかじめ設定されていてもよく、システム情報において構成されていてもよい。端末は、シーケンスセットから１つのランダムプリアンブルまたは直交シーケンスコードをランダムに選択し、ランダムプリアンブルまたは直交シーケンスコードを送信する。周波数領域における各ＰＲＡＣＨチャネルによって占有される帯域幅は、３．７５ｋＨｚもしくは１５ｋＨｚであるか、１５ｋＨｚより大きく１８０ｋＨｚ以下であるか、または０より大きく３．７５ｋＨｚ未満である。同じ送信時点において周波数領域内に少なくとも１つのＰＲＡＣＨチャネルが存在する場合、端末はランダムにＰＲＡＣＨチャネルを選択し、ＰＲＡＣＨチャネル上でランダムに選択されたランダムプリアンブルまたは直交シーケンスコードを送信する。
【０１９３】
たとえば、図７に示されるように、ランダムプリアンブルまたは直交シーケンスコードは３．７５ｋＨｚ以内で送信され、ランダムプリアンブルのサブキャリア間隔は１．２５ｋＨｚ、３１２．５Ｈｚ、またはそれより小さい。１つのＰＲＢは、４８個の３．７５ｋＨｚサブキャリアまたは１２個の１５ｋＨｚサブキャリアを含む。これらのサブキャリアのすべてまたは一部は、基地局によって、ランダムプリアンブルまたは直交シーケンスコードを送信するように構成され得る。たとえば、各ＰＲＡＣＨチャネルの帯域幅は３．７５ｋＨｚであり、１つのＰＲＢ内の４８個のサブキャリアのすべてがＰＲＡＣＨチャネルとして構成される。端末は、システム情報の構成情報に従って、ランダムプリアンブルまたは直交シーケンスコードのシーケンスセットから１つのランダムプリアンブルまたは直交シーケンスコードをランダムに選択し、ランダムプリアンブルまたは直交シーケンスコードを送信するために４８個のＰＲＡＣＨチャネルのうちの１つをランダムに選択し得る。
【０１９４】
方法２：端末は、ランダムプリアンブルまたは直交シーケンスコードを基地局にｎ回送信し、ランダムプリアンブルまたは直交シーケンスコードのセグメントを送信し、各ランダムアクセス情報送信機会において端末がＰＲＡＣＨチャネルを占有し、ｎは１以上の整数である。
【０１９５】
すなわち、端末によって使用されるランダムプリアンブルまたは直交シーケンスコードのフォーマットは同じであり、使用されるランダムプリアンブルまたは直交シーケンスコードのシーケンスセットは同じである。シーケンスセットは、あらかじめ設定されていてもよく、システム情報において構成されていてもよい。端末は、シーケンスセットから１つのランダムプリアンブルまたは直交シーケンスコードをランダムに選択し、ランダムプリアンブルまたは直交シーケンスコードを送信する。各ランダムプリアンブルは、一度に送信されるのではなく、セグメント化されて、セグメントによって送信される。たとえば、長さが１３９または５７１の長さを有するランダムプリアンブルまたは直交シーケンスコードの場合、
端末は毎回ランダムプリアンブルまたは直交シーケンスコードの３つのシンボルを送信し、周波数領域において３つのサブキャリアを占有し、次の送信で次の３つのサブキャリアを占有し、以下同様である。時間領域においてプリアンブルを送信するフォーマットが図８または図９に示されている。１３９の長さを有するランダムプリアンブルが送信された場合、ＰＲＡＣＨチャネル上でランダムプリアンブルを送信するために使用されるサブキャリア間隔は１．２５ｋＨｚであり、または、５７１の長さを有するランダムプリアンブルが送信された場合、ＰＲＡＣＨチャネル上でランダムプリアンブルを送信するために使用されるサブキャリア間隔は３１２．５Ｈｚである。
【０１９６】
各ランダムアクセス情報送信機会は、ＰＲＡＣＨチャネルの送信時点、すなわち、ＰＲＡＣＨチャネルが送信されることができる特定の無線フレームおよび／またはサブフレームを指し、または、ＰＲＡＣＨチャネルが対応する時点において送信された時にＰＲＡＣＨチャネルによって占有される周波数リソース情報をさらに含む点に留意されたい。ランダムアクセス情報送信機会に関する情報は、システム情報において構成されてもよく、および／または規格または仕様において指定されてもよい。
【０１９７】
さらに、端末がランダムアクセス情報を基地局に送信する前に、本方法は、
基地局によって、システム情報を端末に送信するステップをさらに含み、システム情報はＰＲＡＣＨチャネルの構成情報を含み、ＰＲＡＣＨチャネルの構成情報は、タイプ１のＰＲＡＣＨチャネルに関する情報および／またはタイプ２のＰＲＡＣＨチャネルに関する情報を含む。
【０１９８】
周波数領域における各タイプ１のＰＲＡＣＨチャネルによって占有される帯域幅は３．７５ｋＨｚまたは１５ｋＨｚであるか、０より大きく３．７５ｋＨｚ未満である。タイプ１のＰＲＡＣＨチャネルに関する情報は、タイプ１のＰＲＡＣＨチャネルの数、送信が許可される特定のフレームもしくはサブフレームを含む時間領域情報、周波数領域におけるタイプ１のＰＲＡＣＨチャネルの数、または周波数領域におけるタイプ１のＰＲＡＣＨチャネルのインデックスもしくは位置情報のうちの少なくとも１つを含む。
【０１９９】
周波数領域における各タイプ２のＰＲＡＣＨチャネルによって占有される帯域幅は１５ｋＨｚより大きく１８０ｋＨｚ以下である。タイプ２のＰＲＡＣＨチャネルに関する情報は、タイプ２のＰＲＡＣＨチャネルの数、送信が許可される特定のフレームもしくはサブフレームを含む時間領域情報、周波数領域におけるタイプ２のＰＲＡＣＨチャネルの数、または周波数領域におけるタイプ２のＰＲＡＣＨチャネルのインデックスもしくは位置情報のうちの少なくとも１つを含む。
【０２００】
タイプ１のＰＲＡＣＨチャネルとタイプ２のＰＲＡＣＨチャネルは、ＴＤＭ方式またはＦＤＭ方式で多重化され得る点に留意されたい。すなわち、タイプ１のＰＲＡＣＨチャネルおよびタイプ２のＰＲＡＣＨチャネルにＴＤＭが使用される場合、システム情報は、タイプ１のＰＲＡＣＨチャネルに対応する時間領域情報と、タイプ２のＰＲＡＣＨチャネルに対応する時間領域情報とが互いに排他的であることを示すために使用され、すなわち、タイプ１のＰＲＡＣＨチャネルが利用可能である場合にはタイプ２のＰＲＡＣＨチャネルが利用可能ではなく、またはタイプ２のＰＲＡＣＨチャネルが利用可能である場合にはタイプ１のＰＲＡＣＨチャネルが利用可能ではない。タイプ１のＰＲＡＣＨチャネルおよびタイプ２のＰＲＡＣＨチャネルにＦＤＭが使用される場合、システム情報は、タイプ１のＰＲＡＣＨチャネルに対応する周波数領域情報と、タイプ２のＰＲＡＣＨチャネルに対応する周波数領域情報とが互いに排他的であり、すなわち、タイプ１のＰＲＡＣＨチャネルが利用可能な周波数上でタイプ２のＰＲＡＣＨチャネルは、利用可能ではない、またはタイプ２のＰＲＡＣＨチャネルが利用可能な周波数上でタイプ１のＰＲＡＣＨチャネルは利用可能ではないことを示すために使用される。
【０２０１】
さらに、タイプ１のＰＲＡＣＨチャネルによって占有される時間−周波数リソース位置は、タイプ１のアップリンクリソースによって占有される時間−周波数リソース位置と同じであってもよく、異なっていてもよい。タイプ２のＰＲＡＣＨチャネルによって占有される時間−周波数リソース位置は、タイプ２のアップリンクリソースによって占有される時間−周波数リソース位置と同じであってもよく、異なっていてもよい。
【０２０２】
基地局がシステム情報を端末に送信した後、端末がタイプ１の端末能力および／もしくはタイプ２の端末能力をサポートする場合、端末はタイプ１のＰＲＡＣＨチャネル上で基地局にランダムアクセス情報を送信し、または、端末がタイプ１の端末能力および／もしくはタイプ３の端末能力をサポートする場合、端末はタイプ２のＰＲＡＣＨチャネル上でランダムアクセス情報を基地局に送信する。
【０２０３】
すなわち、ＰＲＡＣＨチャネルは、タイプ１のＰＲＡＣＨチャネルとタイプ２のＰＲＡＣＨチャネルとを含む。タイプ１のＰＲＡＣＨチャネルは、端末がタイプ１の端末能力をサポートする場合にランダムアクセス情報を送信するために使用される。タイプ２のＰＲＡＣＨチャネルは、端末がタイプ２の端末能力および／またはタイプ３の端末能力をサポートする場合にランダムアクセス情報を送信するために使用される。
【０２０４】
タイプ１のＰＲＡＣＨチャネルは、基地局によって構成され、周波数領域における複数の３．７５ｋＨｚのサブキャリアもしくはサブチャネル、または複数の１５ｋＨｚのサブキャリアを含み得る。各ＰＲＡＣＨチャネルは、周波数領域における１つの３．７５ｋＨｚのサブキャリアもしくはサブチャネル、または１つの１５ｋＨｚのサブキャリアを占有する。タイプ２のＰＲＡＣＨチャネルは、周波数領域において１８０ｋＨｚ以下であり、各ＰＲＡＣＨチャネルは、２５１または５７１などの素数を有する１３９個のサブキャリアを占有する。１３９個のサブキャリアが占有される場合、１．２５ｋＨｚのサブキャリア間隔でランダムプリアンブルまたは直交シーケンスコードが送信されるか、５７１個のサブキャリアが占有される場合、３１２．５Ｈｚのサブキャリア間隔でランダムプリアンブルまたは直交シーケンスコードが送信される。具体的には、タイプ１のＰＲＡＣＨチャネルおよびタイプ２のＰＲＡＣＨチャネル上でランダムアクセス情報を送信する処理は方法１と同様であり、本発明のこの実施形態では詳細は再び説明されない。
【０２０５】
端末は、方法１または方法２のいずれかを使用することによってタイプ１のＰＲＡＣＨチャネル上でランダムアクセス情報を基地局に送信し得、これは本発明では特に限定されない点に留意されたい。端末は、方法１もしくは方法２のいずれかを使用することによって、または、ＬＴＥシステムにおいて定義されたランダムアクセスコード送信フォーマットを使用することによって、タイプ２のＰＲＡＣＨチャネル上でランダムアクセス情報を基地局に送信し得、これは本発明において特に限定されない。
【０２０６】
それに対応して、本方法は以下をさらに含む。
【０２０７】
ステップ２０９：基地局は、端末によってＰＲＡＣＨ上で送信されたランダムアクセス情報を受信する。
【０２０８】
端末が方法３を使用することによってランダムアクセス情報を基地局に送信する場合、基地局は、端末によってＰＲＡＣＨ上で送信されたランダムアクセス情報を受信する。具体的には、端末がタイプ１の端末能力および／もしくはタイプ２の端末能力をサポートする場合、基地局は、タイプ１のＰＲＡＣＨチャネル上で、端末によって送信されたランダムアクセス情報を受信するか、または、端末がタイプ３の端末能力をサポートする場合、端末は、タイプ２のＰＲＡＣＨチャネル上で、端末によって送信されたランダムアクセス情報を受信する。
【０２０９】
さらに、図１０を参照すると、端末によってサポートされる端末能力が異なる場合、基地局が端末によって送信されたランダムアクセス情報を受信した後、本方法は異なっていてよく、具体的には、以下の通りである。
【０２１０】
端末がタイプ１の端末能力および／もしくはタイプ２の端末能力をサポートする場合、基地局が、タイプ１のＰＲＡＣＨチャネル上で、端末によって送信されたランダムアクセス情報を受信した後、本方法は以下をさらに含む。
【０２１１】
ステップ２１０ａ：基地局は、タイプ１のＰＲＡＣＨチャネルに対応するダウンリンクリソース上で、またタイプ１のＰＲＡＣＨチャネルに対応するタイミング関係に従って、ＲＡＲを端末に送信する。
【０２１２】
タイプ１のＰＲＡＣＨチャネルに対応するタイミング関係は、端末によって送信されたランダムアクセス情報と基地局によって送信されたＲＡＲとの間のタイミング関係を示すために使用される。
【０２１３】
端末によって送信されたランダムアクセス情報と、基地局によって送信されたＲＡＲとの間のタイミング関係は、端末によってランダムアクセス情報を送信するためのエンドサブフレームのサブフレーム番号と、基地局によってＲＡＲを送信するための開始サブフレームのサブフレーム番号との間の時間差を指し、フレーム数、サブフレーム数、スケジューリング時間間隔ＴＴＩ量等が単位として使用される点に留意されたい。代替として、端末によってランダムアクセス情報を送信するために複数のサブフレームが占有されている場合、タイミング関係は、端末によってランダムアクセス情報を送信するための開始サブフレームのサブフレーム番号と、基地局によってＲＡＲを送信するための開始サブフレームのサブフレーム番号との間の時間差を指してもよく、基地局が端末によって送信されたランダムアクセス情報を正しく受信した場合、ランダムアクセス情報を送信するためのサブフレームのサブフレーム番号と、基地局によってＲＡＲを送信するための開始サブフレームのサブフレーム番号との間の時間差を指してもよい。たとえば、図１０Ａに示されるように、本発明では、端末によってランダムアクセス情報を送信するためのエンドサブフレームのサブフレーム番号と、基地局によってＲＡＲを送信するための開始サブフレームのサブフレーム番号との間の時間差Ｔ３１が使用される。ＲＡＩはランダムアクセス情報を表す。
【０２１４】
さらに、タイプ１のＰＲＡＣＨチャネルに対応するタイミング関係は、あらかじめ設定されていてもよく、システム情報に含まれていてもよく、これは、本発明のこの実施形態において特に限定されない。あらかじめ設定されているとは、規格または仕様において明確に指定されていることを意味する。
【０２１５】
それに対応して、本方法は以下をさらに含む。
【０２１６】
ステップ２１１ａ：端末は、タイプ１のＰＲＡＣＨチャネルに対応するダウンリンクリソース上で、またタイプ１のＰＲＡＣＨチャネルに対応するタイミング関係に従って、基地局によって送信されたＲＡＲを受信する。
【０２１７】
端末がタイプ３の端末能力をサポートする場合、基地局が、タイプ２のＰＲＡＣＨチャネル上で、端末によって送信されたランダムアクセス情報を受信した後、本方法は、以下をさらに含む。
【０２１８】
ステップ２１０ｂ：基地局は、タイプ２のＰＲＡＣＨチャネルに対応するダウンリンクリソース上で、またタイプ２のＰＲＡＣＨチャネルに対応するタイミング関係に従って、ＲＡＲを端末に送信する。
【０２１９】
タイプ２のＰＲＡＣＨチャネルに対応するタイミング関係は、端末によって送信されたランダムアクセス情報と基地局によって送信されたＲＡＲとの間のタイミング関係を示すために使用される。
【０２２０】
端末によって送信されたランダムアクセス情報と、基地局によって送信されたＲＡＲとの間のタイミング関係は、端末によってランダムアクセス情報を送信するためのエンドサブフレームのサブフレーム番号と、基地局によってＲＡＲを送信するための開始サブフレームのサブフレーム番号との間の時間差を指し、フレーム数、サブフレーム数、スケジューリング時間間隔ＴＴＩ量等が単位として使用される点に留意されたい。代替として、端末によってランダムアクセス情報を送信するために複数のサブフレームが占有されている場合、タイミング関係は、端末によってランダムアクセス情報を送信するための開始サブフレームのサブフレーム番号と、基地局によってＲＡＲを送信するための開始サブフレームのサブフレーム番号との間の時間差を指してもよく、基地局が端末によって送信されたランダムアクセス情報を正しく受信した場合、ランダムアクセス情報を送信するためのサブフレームのサブフレーム番号と、基地局によってＲＡＲを送信するための開始サブフレームのサブフレーム番号との間の時間差を指してもよい。たとえば、図１０Ｂに示されるように、本発明では、端末によってランダムアクセス情報を送信するためのエンドサブフレームのサブフレーム番号と、基地局によってＲＡＲを送信するための開始サブフレームのサブフレーム番号との間の時間差Ｔ３２が使用される。
【０２２１】
さらに、タイプ２のＰＲＡＣＨチャネルに対応するタイミング関係は、あらかじめ設定されていてもよく、システム情報に含まれていてもよく、これは、本発明のこの実施形態において特に限定されない。あらかじめ設定されているとは、規格または仕様において明確に指定されていることを意味する。
【０２２２】
さらに、タイプ１のＰＲＡＣＨチャネルに対応するタイミング関係Ｔ３１は、タイプ２のＰＲＡＣＨチャネルに対応するタイミング関係Ｔ３２と同じであってもよく、異なっていてもよい。
【０２２３】
それに対応して、本方法は以下をさらに含む。
【０２２４】
ステップ２１１ｂ：端末は、タイプ２のＰＲＡＣＨチャネルに対応するダウンリンクリソース上で、タイプ２のＰＲＡＣＨチャネルに対応するタイミング関係に従って、基地局によって送信されたＲＡＲを受信する。
【０２２５】
タイプ１のＰＲＡＣＨチャネルはダウンリンクリソースに対応し、タイプ２のＰＲＡＣＨチャネルはダウンリンクリソースに対応する点に留意されたい。本明細書における対応関係は、アップリンクリソースとダウンリンクリソースのタイプとの間の対応関係であり、アップリンクリソースの数とダウンリンクリソースの数との間の対応関係を表すものではない。たとえば、タイプ１のダウンリンクリソースは、１つの物理リソースブロックＰＲＢ、すなわち１８０ｋＨｚであり、周波数領域におけるタイプ１のＰＲＡＣＨチャネルの帯域幅は３．７５ｋＨｚであり、１８０ｋＨｚのタイプ１のダウンリンクリソースは少なくとも１つのタイプ１のＰＲＡＣＨチャネルに対応し得る。特定の対応関係があらかじめ設定されていてもよい。たとえば、対応関係はシステムにおいて使用されている周波数帯域に関連し、規格または仕様において明確に指定されており、対応関係はダウンリンク同期信号またはシステムによって送信される基準信号に従って取得され、または通知がシステム情報において提供され得る。これは、本発明のこの実施形態において限定されない。さらに、タイプ１のＰＲＡＣＨチャネルに対応するダウンリンクリソースとタイプ２のＰＲＡＣＨチャネルに対応するダウンリンクリソースとは、時間領域または周波数領域において同じであってもよく、異なっていてもよい。タイプ１のＰＲＡＣＨチャネルに対応するダウンリンクリソースとタイプ２のＰＲＡＣＨチャネルに対応するダウンリンクリソースが時間領域および周波数領域において同じである場合、タイプ１のＰＲＡＣＨチャネルに対応するダウンリンクリソースとタイプ２のＰＲＡＣＨチャネルに対応するダウンリンクリソースは同じダウンリンクリソースを示す。この場合、同じダウンリンクリソースは、タイプ１のＰＲＡＣＨチャネルとタイプ２のＰＲＡＣＨチャネルとの両方に対応し得る。タイプ１のＰＲＡＣＨチャネルに対応するダウンリンクリソースとタイプ２のＰＲＡＣＨチャネルに対応するダウンリンクリソースとが、時間領域において、もしくは周波数領域において、または時間領域と周波数領域との両方において異なり得る場合、ダウンリンクリソースが時間領域において異なることは、異なる開始点、異なる期間、または異なる持続時間のうちの少なくとも１つを含み、ダウンリンクリソースが周波数領域において異なることは、異なる占有される周波数範囲、異なる占有される周波数開始点、異なる占有されるサブキャリアの数などのうちの少なくとも１つを含む。さらに、直交周波数分割多重ＯＦＤＭシンボルは、タイプ１のＰＲＡＣＨチャネルに対応するダウンリンクリソースとタイプ２のＰＲＡＣＨチャネルに対応するダウンリンクリソースとの両方で送信され、サブキャリア間隔は１５ｋＨｚである。
【０２２６】
さらに、２つのステップのグループ、すなわちステップ２１０ａおよびステップ２１１ａと、ステップ２１０ｂおよびステップ２１１ｂとを実行する順序は限定されず、２つのステップのグループは並列である。具体的には、どのステップのグループが基地局および端末によって実行されるかは、端末によってサポートされる端末能力に依存する。
【０２２７】
本発明のこの実施形態において提供されるデータ送信方法および装置によれば、基地局はシステム情報を端末に送信し、システム情報は、端末によってアップリンクデータまたはアップリンク制御情報を送信するために使用されるアップリンクリソースを示すために使用される第１の指示情報を含み、第１の指示情報は、アップリンクリソースがタイプ１のアップリンクリソースであるか、タイプ２のアップリンクリソースであるかを示すために使用される情報と、タイプ１のアップリンクリソースまたはタイプ２のアップリンクリソースの時間領域情報および／または周波数領域情報とを含み、次いで、端末は、アップリンクデータまたはアップリンク制御情報を送信するために使用されるアップリンクリソースの第１の指示情報を取得し、第１の指示情報に基づいて、対応するアップリンクリソースおよびダウンリンクリソース上で送受信されるアップリンクデータおよびダウンリンクデータを送信し、端末のランダムアクセスを実装する。このように、既存のＬＴＥシステムに基づいて、基地局は、タイプ１の端末能力、タイプ２の端末能力、またはタイプ３の端末能力のうちのいずれか１つ、２つ、または３つをサポートする端末とのアップリンクデータ送信およびダウンリンクデータ送信を実行することができる。これにより、ＬＴＥシステムおよび基地局の利用効率が向上する。
【０２２８】
図１１に示されるように、本発明の実施形態は端末を提供する。端末は、上述の方法において端末によって実行されるステップを実行するように構成される。端末は、対応するステップに対応するモジュールを含み得、たとえば、
アップリンクデータまたはアップリンク制御情報を送信するために使用されるアップリンクリソースの第１の指示情報を取得するように構成された取得ユニット３０１を含み得る。
【０２２９】
アップリンクリソースの第１の指示情報は、アップリンクリソースがタイプ１のアップリンクリソースであるか、またはタイプ２のアップリンクリソースであるかを示すために使用される情報を含む。タイプ１のアップリンクリソースが、周波数領域内の少なくとも１つのサブキャリアと、時間領域内の少なくとも１つのＳＣ−ＦＤＭＡシンボルとを含み、サブキャリア数が２以上の場合、サブキャリアが互いに直交し、サブキャリア間隔が３．７５ｋＨｚであるか、または、タイプ１のアップリンクリソースが、周波数領域内の少なくとも１つのサブチャネルと、時間領域内の少なくとも１つの周波数分割多元接続ＦＤＭＡシンボルとを含み、各サブチャネルの幅が３．７５ｋＨｚである。タイプ２のアップリンクリソースが、周波数領域内の少なくとも１つのサブキャリアと、時間領域内の少なくとも１つのシングルキャリア周波数分割多元接続ＳＣ−ＦＤＭＡシンボルとを含み、サブキャリア数が２以上の場合、サブキャリアが互いに直交し、サブキャリア間隔が１５ｋＨｚである。
【０２３０】
アップリンクリソースの第１の指示情報が、タイプ１のアップリンクリソースまたはタイプ２のアップリンクリソースの時間領域情報および／または周波数領域情報をさらに含む。
【０２３１】
任意選択で、取得ユニット３０１は、具体的には、
基地局によって送信されたシステム情報を受信するように構成され得、システム情報は、タイプ１のアップリンクリソースの時間領域情報および／もしくは周波数領域情報、ならびに／またはタイプ２のアップリンクリソースの時間領域情報および／もしくは周波数領域情報を含む。
【０２３２】
任意選択で、端末がタイプ１の端末能力をサポートする場合、第１の指示情報は、アップリンクリソースがタイプ１のアップリンクリソースであることを示すために使用され、
端末がタイプ２の端末能力もしくはタイプ３の端末能力をサポートする場合、第１の指示情報は、アップリンクリソースがタイプ２のアップリンクリソースであることを示すために使用され、または、
端末がタイプ１の端末能力とタイプ２の端末能力とをサポートする場合、もしくは端末がタイプ１の端末能力とタイプ３の端末能力とをサポートする場合、第１の指示情報は、アップリンクリソースがタイプ１のアップリンクリソースであるか、タイプ２のアップリンクリソースであるかを示すために使用される。
【０２３３】
任意選択で、図１２を参照すると、端末は、
端末がタイプ１の端末能力をサポートする場合、タイプ１のアップリンクリソース上でアップリンクデータもしくはアップリンク制御情報を送信し、
端末がタイプ２の端末能力もしくはタイプ３の端末能力をサポートする場合、タイプ２のアップリンクリソース上でアップリンクデータまたはアップリンク制御情報を送信し、または、
端末がタイプ１の端末能力とタイプ２の端末能力とをサポートする場合、または端末がタイプ１の端末能力とタイプ３の端末能力とをサポートする場合、タイプ１のアップリンクリソースまたはタイプ２のアップリンクリソース上でアップリンクデータまたはアップリンク制御情報を送信する
ように構成された送信ユニット３０２をさらに含む。
【０２３４】
本発明の別の実施形態では、取得ユニット３０１は、アップリンクデータを送信するために使用されるアップリンクリソースの第２の指示情報を取得するようにさらに構成される。第２の指示情報は、端末によってアップリンクデータを送信するために使用されるタイプ１のアップリンクリソースもしくはタイプ２アップリンクリソースのサブキャリア情報またはサブチャネル情報を含む。
【０２３５】
サブキャリア情報は、サブキャリア数、サブキャリアインデックス、または周波数領域におけるサブキャリアの位置またはインデックスを示すために使用される情報のうちの少なくとも１つを含む。
【０２３６】
サブチャネル情報は、サブチャネル数、サブチャネルインデックス、または周波数領域におけるサブチャネルの位置またはインデックスを示すために使用される情報のうちの少なくとも１つを含む。
【０２３７】
本発明の別の実施形態では、取得ユニット３０１は、
基地局によって送信されるダウンリンク制御情報ＤＣＩまたはランダムアクセス応答ＲＡＲを受信するように具体的に構成され得、ＤＣＩまたはＲＡＲは第２の指示情報を含む。
【０２３８】
本発明の別の実施形態では、送信ユニット３０２は、
端末がタイプ１の端末能力をサポートする場合、タイプ１のアップリンクリソース上でアップリンクデータを送信するか、
端末がタイプ２の端末能力もしくはタイプ３の端末能力をサポートする場合、タイプ２のアップリンクリソース上でアップリンクデータを送信するか、または、
端末がタイプ１の端末能力とタイプ２の端末能力とをサポートする場合、または端末がタイプ１の端末能力とタイプ３の端末能力とをサポートする場合、タイプ１のアップリンクリソースまたはタイプ２のアップリンクリソース上でアップリンクデータを送信する
ように具体的に構成され得る。
【０２３９】
本発明の別の実施形態では、送信ユニット３０２は、
タイプ１のアップリンクリソースに対応する第１のタイミング関係に従って、タイプ１のアップリンクリソース上で、スケジューリング情報を使用することによってスケジューリングされたアップリンクデータを送信するようにさらに具体的に構成され、タイプ１のアップリンクリソースに対応する第１のタイミング関係は、ＤＣＩまたはＲＡＲに含まれるスケジューリング情報と、スケジューリング情報を使用することによってスケジューリングされたアップリンクデータとの間のタイミング関係を示すために使用される。
【０２４０】
それに対応して、取得ユニット３０１は、送信ユニット３０２がスケジューリング情報を使用することによってスケジューリングされたアップリンクデータを送信した後、タイプ１のアップリンクリソースに対応する第２のタイミング関係に従って、タイプ１のダウンリンクリソース上で、基地局によって送信された応答フィードバック情報を受信するようにさらに構成される。タイプ１のアップリンクリソースに対応する第２のタイミング関係は、端末によって送信されたアップリンクデータと、アップリンクデータに対応する応答フィードバック情報との間のタイミング関係を示すために使用される。
【０２４１】
本発明の別の実施形態では、送信ユニット３０２は、
タイプ２のアップリンクリソースに対応する第１のタイミング関係に従って、タイプ２のアップリンクリソース上で、スケジューリング情報を使用することによってスケジューリングされたアップリンクデータを送信するようにさらに具体的に構成され、タイプ２のアップリンクリソースに対応する第１のタイミング関係は、ＤＣＩまたはＲＡＲに含まれるスケジューリング情報と、スケジューリング情報を使用することによってスケジューリングされたアップリンクデータとの間のタイミング関係を示すために使用される。
【０２４２】
それに対応して、取得ユニット３０１は、送信ユニット３０２がスケジューリング情報を使用することによってスケジューリングされたアップリンクデータを送信した後、タイプ２のアップリンクリソースに対応する第２のタイミング関係に従って、タイプ２のダウンリンクリソース上で、基地局によって送信された応答フィードバック情報を受信するようにさらに構成される。タイプ２のアップリンクリソースに対応する第２のタイミング関係は、端末によって送信されたアップリンクデータと、アップリンクデータに対応する応答フィードバック情報との間のタイミング関係を示すために使用される。
【０２４３】
本発明の別の実施形態では、取得ユニット３０１は、
端末がタイプ１の端末能力をサポートする場合、タイプ１のダウンリンクリソース上で、ＤＣＩまたはＲＡＲを検出することであって、ＤＣＩまたはＲＡＲは、端末がアップリンクデータを送信するようにスケジューリングするために使用されるスケジューリング情報をさらに含むこと、
端末がタイプ２の端末能力とタイプ３の端末能力とをサポートする場合、タイプ２のダウンリンクリソース上で、ＤＣＩまたはＲＡＲを検出することであって、ＤＣＩまたはＲＡＲは、端末がアップリンクデータを送信するようにスケジューリングするために使用されるスケジューリング情報を含むこと、または、
端末がタイプ１の端末能力とタイプ２の端末能力とをサポートする場合、もしくは、端末がタイプ１の端末能力とタイプ３の端末能力とをサポートする場合、タイプ１のダウンリンクリソースおよび／またはタイプ２のダウンリンクリソース上で、ＤＣＩまたはＲＡＲを検出することであって、ＤＣＩまたはＲＡＲは、端末がアップリンクデータを送信するようにスケジューリングするために使用されるスケジューリング情報を含むこと
を行うようにさらに具体的に構成される。
【０２４４】
任意選択で、端末がタイプ１の端末能力とタイプ２の端末能力とをサポートする場合、または、端末がタイプ１の端末能力とタイプ３の端末能力とをサポートする場合、ＤＣＩまたはＲＡＲは、端末によってアップリンクデータを送信するために使用されるアップリンクリソースがタイプ１のアップリンクリソースであるか、タイプ２のアップリンクリソースであるかを示すために使用される第３の指示情報をさらに含む。
【０２４５】
具体的には、受信されたＤＣＩが第１のＤＣＩフォーマットである場合、第３の指示情報は、端末によってアップリンクデータを送信するために使用されるタイプ１のアップリンクリソースのサブキャリア情報もしくはサブチャネル情報を示し、または、受信されたＤＣＩが第２のＤＣＩフォーマットである場合、第３の指示情報は、端末によってアップリンクデータを送信するために使用されるタイプ２のアップリンクリソースのサブキャリア情報もしくはサブチャネル情報を示し、または、
ＤＣＩ内の巡回冗長検査ＣＲＣが第１のスクランブリングコードを使用することによってスクランブリングされている場合、第３の指示情報は、端末によってアップリンクデータを送信するために使用されるタイプ１のアップリンクリソースのサブキャリア情報もしくはサブチャネル情報を示し、または、ＤＣＩ内のＣＲＣが第２のスクランブリングコードを使用することによってスクランブリングされている場合、第３の指示情報は、端末によってアップリンクデータを送信するために使用されるタイプ２のアップリンクリソースのサブキャリア情報もしくはサブチャネル情報を示す。
【０２４６】
本発明の別の実施形態では、送信ユニット３０２は、物理ランダムアクセスチャネルＰＲＡＣＨ上でランダムアクセス情報を送信するようにさらに構成される。周波数領域における各ＰＲＡＣＨチャネルによって占有される帯域幅は３．７５ｋＨｚまたは１５ｋＨｚであるか、または１５ｋＨｚより大きく１８０ｋＨｚ以下であり、ランダムアクセス情報はランダムプリアンブル、直交シーケンスコード、または変調シンボルである。
【０２４７】
任意選択で、取得ユニット３０１は、基地局によって送信されたシステム情報を受信するようにさらに構成される。システム情報はＰＲＡＣＨチャネルの構成情報を含み、ＰＲＡＣＨチャネルの構成情報は、タイプ１のＰＲＡＣＨチャネルに関する情報および／またはタイプ２のＰＲＡＣＨチャネルに関する情報を含む。
【０２４８】
周波数領域における各タイプ１のＰＲＡＣＨチャネルによって占有される帯域幅は３．７５ｋＨｚまたは１５ｋＨｚであり、タイプ１のＰＲＡＣＨチャネルに関する情報は、周波数領域におけるタイプ１のＰＲＡＣＨチャネルの数、または周波数領域におけるタイプ１のＰＲＡＣＨチャネルのインデックスもしくは位置情報のうちの少なくとも１つを含む。
【０２４９】
周波数領域における各タイプ２のＰＲＡＣＨチャネルによって占有される帯域幅は１５ｋＨｚより大きく１８０ｋＨｚ以下であり、タイプ２のＰＲＡＣＨチャネルに関する情報は、周波数領域におけるタイプ２のＰＲＡＣＨチャネルの数、または周波数領域におけるタイプ２のＰＲＡＣＨチャネルのインデックスもしくは位置情報のうちの少なくとも１つを含む。
【０２５０】
本発明の別の実施形態では、送信ユニット３０２は、
各ランダムアクセス情報送信機会においてランダムに選択されたＰＲＡＣＨチャネル上でランダムに選択されたランダムプリアンブルを基地局に送信すること、または、
ランダムプリアンブルのセグメントを送信するために、ランダムプリアンブルを基地局にｎ回送信することであって、ＰＲＡＣＨチャネルが各ランダムアクセス情報送信機会において占有され、ｎは１以上の整数であること
を行うように具体的に構成される。
【０２５１】
本発明の別の実施形態では、送信ユニット３０２は、
端末がタイプ１の端末能力および／もしくはタイプ２の端末能力をサポートする場合、タイプ１のＰＲＡＣＨチャネル上でランダムアクセス情報を基地局に送信すること、または、
端末がタイプ１の端末能力および／もしくはタイプ３の端末能力をサポートする場合、タイプ２のＰＲＡＣＨチャネル上でランダムアクセス情報を基地局に送信すること
を行うように具体的に構成される。
【０２５２】
さらに、端末がタイプ１の端末能力および／もしくはタイプ２の端末能力をサポートする場合、取得ユニット３０１は、タイプ１のＰＲＡＣＨチャネルに対応するダウンリンクリソース上で、またタイプ１のＰＲＡＣＨチャネルに対応するタイミング関係に従って、基地局によって送信されたＲＡＲを受信するようにさらに構成される。タイプ１のＰＲＡＣＨチャネルに対応するタイミング関係は、端末によって送信されたランダムアクセス情報と基地局によって送信されたＲＡＲとの間のタイミング関係を示すために使用される。
【０２５３】
それに対応して、端末がタイプ１の端末能力および／もしくはタイプ３の端末能力をサポートする場合、送信ユニット３０２は、タイプ２のＰＲＡＣＨチャネルに対応するダウンリンクリソース上で、またタイプ２のＰＲＡＣＨチャネルに対応するタイミング関係に従って、基地局によって送信されたＲＡＲを受信するようにさらに構成される。タイプ２のＰＲＡＣＨチャネルに対応するタイミング関係は、端末によって送信されたランダムアクセス情報と基地局によって送信されたＲＡＲとの間のタイミング関係を示すために使用される。
【０２５４】
本発明のこの実施形態において提供される端末によれば、端末は、アップリンクデータまたはアップリンク制御情報を送信するために使用されるアップリンクリソースの第１の指示情報を取得し、第１の指示情報は、アップリンクリソースがタイプ１のアップリンクリソースであるか、第２のアップリンクリソースであるかを示すために使用される情報と、タイプ１のアップリンクリソースまたはタイプ２のアップリンクリソースの時間領域情報および／または周波数領域情報とを含み、次いで、端末は、第１の指示情報に基づいて、対応するアップリンクリソースおよびダウンリンクリソース上で送受信されるアップリンクデータおよびダウンリンクデータを送信する。このように、既存のＬＴＥシステムに基づいて、基地局は、タイプ１の端末能力、タイプ２の端末能力、またはタイプ３の端末能力のうちのいずれか１つ、２つ、または３つをサポートする端末とのアップリンクデータ送信およびダウンリンクデータ送信を実行することができる。これにより、ＬＴＥシステムおよび基地局の利用効率が向上する。
【０２５５】
図１３に示されるように、本発明の実施形態は、基地局を提供する。基地局は、上述の方法において基地局によって実行されるステップを実行するように構成される。基地局は、対応するステップに対応するモジュールを含み得、たとえば、
システム情報を端末に送信するように構成された送信ユニット４０１を含み、システム情報は、端末によってアップリンクデータまたはアップリンク制御情報を送信するために使用されるアップリンクリソースを示すために使用される第１の指示情報を含む。
【０２５６】
アップリンクリソースの第１の指示情報は、アップリンクリソースがタイプ１のアップリンクリソースであるか、またはタイプ２のアップリンクリソースであるかを示すために使用される情報を含む。タイプ１のアップリンクリソースが、周波数領域内の少なくとも１つのサブキャリアと、時間領域内の少なくとも１つのシングルキャリア周波数分割多元接続ＳＣ−ＦＤＭＡシンボルとを含み、サブキャリア数が２以上の場合、サブキャリアが互いに直交し、サブキャリア間隔が３．７５ｋＨｚであるか、または、タイプ１のアップリンクリソースが、周波数領域内の少なくとも１つのサブチャネルと、時間領域内の少なくとも１つの周波数分割多元接続ＦＤＭＡシンボルとを含み、各サブチャネルの幅が３．７５ｋＨｚであり、タイプ２のアップリンクリソースが、周波数領域内の少なくとも１つのサブキャリアと、時間領域内の少なくとも１つのＳＣ−ＦＤＭＡシンボルとを含み、サブキャリア数が２以上の場合、サブキャリアが互いに直交し、サブキャリア間隔が１５ｋＨｚである。
【０２５７】
アップリンクリソースの第１の指示情報が、タイプ１のアップリンクリソースまたはタイプ２のアップリンクリソースの時間領域情報および／または周波数領域情報をさらに含む。
【０２５８】
任意選択で、端末がタイプ１の端末能力をサポートする場合、第１の指示情報は、アップリンクリソースがタイプ１のアップリンクリソースであることを示すために使用され、
端末がタイプ２の端末能力もしくはタイプ３の端末能力をサポートする場合、第１の指示情報は、アップリンクリソースがタイプ２のアップリンクリソースであることを示すために使用され、または、
端末がタイプ１の端末能力とタイプ２の端末能力とをサポートする場合、もしくは端末がタイプ１の端末能力とタイプ３の端末能力とをサポートする場合、第１の指示情報は、アップリンクリソースがタイプ１のアップリンクリソースであるか、タイプ２のアップリンクリソースであるかを示すために使用される。
【０２５９】
本発明の別の実施形態では、送信ユニット４０１は、ＤＣＩまたはＲＡＲを端末に送信するようにさらに構成される。ＤＣＩまたはＲＡＲは、端末によってアップリンクデータを送信するために使用されるアップリンクリソースを示すために使用される第２の指示情報を含む。
【０２６０】
第２の指示情報は、端末によってアップリンクデータを送信するために使用されるタイプ１のアップリンクリソースもしくはタイプ２のアップリンクリソースのサブキャリア情報またはサブチャネル情報を含む。
【０２６１】
サブキャリア情報は、サブキャリア数、サブキャリアインデックス、または周波数領域におけるサブキャリアの位置またはインデックスを示すために使用される情報のうちの少なくとも１つを含む。
【０２６２】
サブチャネル情報は、サブチャネル数、サブチャネルインデックス、または周波数領域におけるサブチャネルの位置またはインデックスを示すために使用される情報のうちの少なくとも１つを含む。
【０２６３】
本発明の別の実施形態では、受信ユニット４０１は、タイプ１のアップリンクリソース上で、タイプ１の端末能力をサポートする端末によってタイプ１のアップリンクリソース上で送信されたアップリンクデータを受信すること、または、
タイプ２のアップリンクリソース上で、タイプ２の端末能力もしくはタイプ３の端末能力をサポートする端末によってタイプ２のアップリンクリソース上で送信されたアップリンクデータを受信すること、または、
タイプ１のアップリンクリソース上で、タイプ１の端末能力とタイプ２の端末能力とをサポートする端末によってタイプ１のアップリンクリソース上で送信されたアップリンクデータを受信すること、または、タイプ２のアップリンクリソース上で、タイプ１の端末能力とタイプ２の端末能力をサポートする端末によってタイプ２のアップリンクリソース上で送信されたアップリンクデータを受信すること
を行うようにさらに構成される。
【０２６４】
さらに、図１４を参照すると、受信ユニット４０２は、
タイプ１のアップリンクリソースに対応する第１のタイミング関係に従って、タイプ１のアップリンクリソース上で、スケジューリング情報を使用することによってスケジューリングされ、端末によって送信されたアップリンクデータを受信するようにさらに構成され、タイプ１のアップリンクリソースに対応する第１のタイミング関係は、ＤＣＩまたはＲＡＲに含まれるスケジューリング情報と、スケジューリング情報を使用することによってスケジューリングされたアップリンクデータとの間のタイミング関係を示すために使用される。
【０２６５】
それに対応して、送信ユニット４０１は、スケジューリング情報を使用することによってスケジューリングされ、端末によって送信されたアップリンクデータがタイプ１のアップリンクリソース上で受信された後、タイプ１のアップリンクリソースに対応する第２のタイミング関係に従って、タイプ１のダウンリンクリソース上で、応答フィードバック情報を端末に送信するようにさらに構成される。タイプ１のアップリンクリソースに対応する第２のタイミング関係は、端末によって送信されたアップリンクデータと、アップリンクデータに対応する応答フィードバック情報との間のタイミング関係を示すために使用される。
【０２６６】
本発明の別の実施形態では、受信ユニット４０１は、
タイプ２のアップリンクリソースに対応する第１のタイミング関係に従って、タイプ２のアップリンクリソース上で、スケジューリング情報を使用することによってスケジューリングされ、端末によって送信されたアップリンクデータを受信するようにさらに構成され、タイプ２のアップリンクリソースに対応する第１のタイミング関係は、ＤＣＩまたはＲＡＲに含まれるスケジューリング情報と、スケジューリング情報を使用することによってスケジューリングされたアップリンクデータとの間のタイミング関係を示すために使用される。
【０２６７】
それに対応して、送信ユニット４０２は、スケジューリング情報を使用することによってスケジューリングされ、端末によって送信されたアップリンクデータがタイプ２のアップリンクリソース上で受信された後、タイプ２のアップリンクリソースに対応する第２のタイミング関係に従って、タイプ２のダウンリンクリソース上で、応答フィードバック情報を端末に送信するようにさらに構成される。タイプ２のアップリンクリソースに対応する第２のタイミング関係は、端末によって送信されたアップリンクデータと、アップリンクデータに対応する応答フィードバック情報との間のタイミング関係を示すために使用される。
【０２６８】
さらに、送信ユニット４０２は、
端末がタイプ１の端末能力をサポートする場合、タイプ１のダウンリンクリソース上で、ＤＣＩまたはＲＡＲを送信することであって、ＤＣＩまたはＲＡＲは、端末がアップリンクデータを送信するようにスケジューリングするために使用されるスケジューリング情報をさらに含むこと、
端末がタイプ２の端末能力とタイプ３の端末能力とをサポートする場合、タイプ２のダウンリンクリソース上で、ＤＣＩまたはＲＡＲを送信することであって、ＤＣＩまたはＲＡＲは、端末がアップリンクデータを送信するようにスケジューリングするために使用されるスケジューリング情報を含むこと、または、
端末がタイプ１の端末能力とタイプ２の端末能力とをサポートする場合、もしくは、端末がタイプ１の端末能力とタイプ３の端末能力とをサポートする場合、タイプ１のダウンリンクリソースおよび／またはタイプ２のダウンリンクリソース上で、ＤＣＩまたはＲＡＲを送信することであって、ＤＣＩまたはＲＡＲは、端末がアップリンクデータを送信するようにスケジューリングするために使用されるスケジューリング情報を含むこと
を行うようにさらに構成される。
【０２６９】
本発明の別の実施形態では、ＤＣＩまたはＲＡＲは第２の指示情報を含み、端末がタイプ１の端末能力とタイプ２の端末能力とをサポートするか、または端末がタイプ１の端末能力とタイプ３の端末能力とをサポートする場合、ＤＣＩまたはＲＡＲは、端末によってアップリンクデータを送信するために使用されるアップリンクリソースがタイプ１のアップリンクリソースであるか、タイプ２のアップリンクリソースであるかを示すために使用される第３の指示情報をさらに含む。
【０２７０】
具体的には、ＤＣＩが第１のＤＣＩフォーマットである場合、第３の指示情報は、端末によってアップリンクデータを送信するために使用されるタイプ１のアップリンクリソースのサブキャリア情報もしくはサブチャネル情報を示し、または、ＤＣＩが第２のＤＣＩフォーマットである場合、第３の指示情報は、端末によってアップリンクデータを送信するために使用されるタイプ２のアップリンクリソースのサブキャリア情報もしくはサブチャネル情報を示し、または、
ＤＣＩ内の巡回冗長検査ＣＲＣが第１のスクランブリングコードを使用することによってスクランブリングされている場合、第３の指示情報は、端末によってアップリンクデータを送信するために使用されるタイプ１のアップリンクリソースのサブキャリア情報もしくはサブチャネル情報を示し、または、ＤＣＩ内のＣＲＣが第２のスクランブリングコードを使用することによってスクランブリングされている場合、第３の指示情報は、端末によってアップリンクデータを送信するために使用されるタイプ２のアップリンクリソースのサブキャリア情報もしくはサブチャネル情報を示す。
【０２７１】
本発明の別の実施形態では、受信ユニット４０１は、端末によって物理ランダムアクセスチャネルＰＲＡＣＨ上で送信されたランダムアクセス情報を受信するようにさらに構成される。周波数領域における各ＰＲＡＣＨチャネルによって占有される帯域幅は３．７５ｋＨｚまたは１５ｋＨｚであるか、または１５ｋＨｚより大きく１８０ｋＨｚ以下であり、ランダムアクセス情報はランダムプリアンブル、直交シーケンスコード、または変調シンボルである。
【０２７２】
本発明の別の実施形態では、送信ユニット４０１は、システム情報を端末に送信するようにさらに構成される。システム情報はＰＲＡＣＨチャネルの構成情報を含み、ＰＲＡＣＨチャネルの構成情報は、タイプ１のＰＲＡＣＨチャネルに関する情報および／またはタイプ２のＰＲＡＣＨチャネルに関する情報を含む。
【０２７３】
周波数領域における各タイプ１のＰＲＡＣＨチャネルによって占有される帯域幅は３．７５ｋＨｚまたは１５ｋＨｚであり、タイプ１のＰＲＡＣＨチャネルに関する情報は、周波数領域におけるタイプ１のＰＲＡＣＨチャネルの数、または周波数領域におけるタイプ１のＰＲＡＣＨチャネルのインデックスもしくは位置情報のうちの少なくとも１つを含む。
【０２７４】
周波数領域における各タイプ２のＰＲＡＣＨチャネルによって占有される帯域幅は１５ｋＨｚより大きく１８０ｋＨｚ以下であり、タイプ２のＰＲＡＣＨチャネルに関する情報は、周波数領域におけるタイプ２のＰＲＡＣＨチャネルの数、または周波数領域におけるタイプ２のＰＲＡＣＨチャネルのインデックスもしくは位置情報のうちの少なくとも１つを含む。
【０２７５】
本発明の別の実施形態では、受信ユニット４０２は、具体的には、
各ランダムアクセス情報送信機会において、端末によってランダムに選択されたＰＲＡＣＨチャネル上で送信されたランダムに選択されたランダムプリアンブルを受信すること、または、
ランダムプリアンブルのセグメントを送信するために、端末によって送信されたランダムプリアンブルをｎ回受信することであって、各ランダムアクセス情報送信機会において端末がＰＲＡＣＨチャネルを占有し、ｎは１以上の整数であること
を行うように構成される。
【０２７６】
本発明の別の実施形態では、受信ユニット４０２は、
端末がタイプ１の端末能力および／もしくはタイプ２の端末能力をサポートする場合、タイプ１のＰＲＡＣＨチャネル上で、端末によって送信されたランダムアクセス情報を受信すること、または、
端末がタイプ３の端末能力をサポートする場合、タイプ２のＰＲＡＣＨチャネル上で、端末によって送信されたランダムアクセス情報を受信すること
を行うようにさらに具体的に構成される。
【０２７７】
本発明の別の実施形態では、送信ユニット４０１は、タイプ１のＰＲＡＣＨチャネルに対応するダウンリンクリソース上で、またタイプ１のＰＲＡＣＨチャネルに対応するタイミング関係に従って、ＲＡＲを端末に送信するようにさらに構成される。タイプ１のＰＲＡＣＨチャネルに対応するタイミング関係は、端末によって送信されたランダムアクセス情報と基地局によって送信されたＲＡＲとの間のタイミング関係を示すために使用される。
【０２７８】
それに対応して、送信ユニット４０１は、タイプ２のＰＲＡＣＨチャネルに対応するダウンリンクリソース上で、またタイプ２のＰＲＡＣＨチャネルに対応するタイミング関係に従って、ＲＡＲを端末に送信するようにさらに構成される。タイプ２のＰＲＡＣＨチャネルに対応するタイミング関係は、端末によって送信されたランダムアクセス情報と基地局によって送信されたＲＡＲとの間のタイミング関係を示すために使用される。
【０２７９】
本発明のこの実施形態において提供される基地局によれば、基地局はシステム情報を端末に送信し、システム情報は、端末によってアップリンクデータまたはアップリンク制御情報を送信するために使用されるアップリンクリソースを示すために使用される第１の指示情報を含み、第１の指示情報は、アップリンクリソースがタイプ１のアップリンクリソースであるか、第２のアップリンクリソースであるかを示すために使用される情報と、タイプ１のアップリンクリソースまたはタイプ２のアップリンクリソースの時間領域情報および／または周波数領域情報とを含み、次いで、端末は、アップリンクデータまたはアップリンク制御情報を送信するために使用されるアップリンクリソースの第１の指示情報を取得し、第１の指示情報に基づいて、対応するアップリンクリソースおよびダウンリンクリソース上で送受信されるアップリンクデータおよびダウンリンクデータを送信する。このように、既存のＬＴＥシステムに基づいて、基地局は、タイプ１の端末能力、タイプ２の端末能力、またはタイプ３の端末能力のうちのいずれか１つ、２つ、または３つをサポートする端末とのアップリンクデータ送信およびダウンリンクデータ送信を実行することができる。これにより、ＬＴＥシステムおよび基地局の利用効率が向上する。
【０２８０】
図１５は、本発明の実施形態による、端末の概略構成図である。図１５に示されるように、端末は、プロセッサ５１と、メモリ５２と、システムバス５３と、通信インターフェース５４とを含む。
【０２８１】
当業者であれば、図１５に示される構造は一例にすぎず、端末の構造上の制限として解釈されるものではないことが理解できる。たとえば、端末は、図１５に示されているものよりもより多数またはより少数の構成要素を代替として含んでもよく、図１５に示される構成と異なる構成を有してもよい。
【０２８２】
以下で、端末の各構成部分について詳細に説明する。
【０２８３】
メモリ５２はコンピュータ実行可能命令を記憶するように構成され、プロセッサ５１はシステムバス５３を使用することによってメモリ５２に接続され、端末が動作する時、プロセッサ５１は、メモリ５２に記憶されたコンピュータ実行可能命令を実行し、端末が図２、図３、図４、図５、図６、または図１０のいずれかに示される方法プロセスにおいて、端末によって実行されるステップを実行できるようにする。特定の方法については、図２、図３、図４、図５、図６、または図１０のいずれかにおける実施形態の関連する説明を参照されたい。本明細書では詳細は再び説明されない。
【０２８４】
この実施形態は、記憶媒体をさらに提供する。記憶媒体はメモリ５２を含み得る。
【０２８５】
プロセッサ５１は、中央処理装置（英語：ｃｅｎｔｒａｌ  ｐｒｏｃｅｓｓｉｎｇ  ｕｎｉｔ、略してＣＰＵ）であり得る。代替として、プロセッサ５１は、別の汎用プロセッサ、デジタル信号プロセッサ（英語：ｄｉｇｉｔａｌ  ｓｉｇｎａｌ  ｐｒｏｃｅｓｓｏｒ、略してＤＳＰ）、特定用途向け集積回路（英語：ａｐｐｌｉｃａｔｉｏｎ  ｓｐｅｃｉｆｉｃ  ｉｎｔｅｇｒａｔｅｄ  ｃｉｒｃｕｉｔ、略してＡＳＩＣ）、フィールドプログラマブルゲートアレイ（英語：ｆｉｅｌｄ−ｐｒｏｇｒａｍｍａｂｌｅ  ｇａｔｅ  ａｒｒａｙ、略してＦＰＧＡ）または別のプログラマブルロジックデバイス、ディスクリートゲートまたはトランジスタロジックデバイス、ディスクリートハードウェアアセンブリなどであり得る。汎用プロセッサはマイクロプロセッサであってもよく、プロセッサは任意の従来のプロセッサなどであってもよい。
【０２８６】
プロセッサ５１は、専用プロセッサであり得る。専用プロセッサは、ベースバンド処理チップ、無線周波数処理チップなどのうちの少なくとも１つを含み得る。さらに、専用プロセッサは、端末の別の専用処理機能を有するチップをさらに含み得る。
【０２８７】
メモリ５２は、ランダムアクセスメモリ（英語：ｒａｎｄｏｍ−ａｃｃｅｓｓ  ｍｅｍｏｒｙ、略してＲＡＭ）などの揮発性メモリ（英語：ｖｏｌａｔｉｌｅ  ｍｅｍｏｒｙ）を含んでもよく、メモリ５２は、読出し専用メモリ（英語：ｒｅａｄ−ｏｎｌｙ  ｍｅｍｏｒｙ、略してＲＯＭ）、フラッシュメモリ（英語：ｆｌａｓｈ  ｍｅｍｏｒｙ）、ハードディスクドライブ（英語：ｈａｒｄ  ｄｉｓｋ  ｄｒｉｖｅ、略してＨＤＤ）、またはソリッドステートドライブ（英語：ｓｏｌｉｄ−ｓｔａｔｅ  ｄｒｉｖｅ、略してＳＳＤ）などの不揮発性メモリ（英語：ｎｏｎ−ｖｏｌａｔｉｌｅ  ｍｅｍｏｒｙ）を含んでもよく、メモリ５２は、上述のタイプのメモリの組合せを含んでもよい。
【０２８８】
システムバス５３は、データバス、電源バス、制御バス、信号ステータスバスなどを含み得る。この実施形態における明確な説明のために、図２２における様々なバスがシステムバス５３としてマーク付けされている。
【０２８９】
通信インターフェース５４は、具体的には、端末上のトランシーバであり得る。トランシーバは、無線トランシーバであり得る。たとえば、無線トランシーバは、端末のアンテナ等であり得る。プロセッサ５１は、通信インターフェース５４を使用することによって、基地局などの別のデバイスからデータを受信するか、またはそこにデータを送信する。
【０２９０】
特定の実装形態プロセスにおいて、図２、図３、図４、図５、図６、または図１０のいずれか１つに示される方法プロセスにおいて端末によって実行されるすべてのステップは、ハードウェア形式のプロセッサ５１によって、メモリ５２に記憶されたソフトウェア形式のコンピュータ実行可能命令を実行することによって実装され得る。重複を避けるために、本明細書では詳細は再び説明されない。
【０２９１】
本発明のこの実施形態において提供される端末によれば、端末は、アップリンクデータまたはアップリンク制御情報を送信するために使用されるアップリンクリソースの第１の指示情報を取得し、第１の指示情報は、アップリンクリソースがタイプ１のアップリンクリソースであるか、第２のアップリンクリソースであるかを示すために使用される情報と、タイプ１のアップリンクリソースまたはタイプ２のアップリンクリソースの時間領域情報および／または周波数領域情報とを含み、次いで、端末は、第１の指示情報に基づいて、対応するアップリンクリソースおよびダウンリンクリソース上で送受信されるアップリンクデータおよびダウンリンクデータを送信する。このように、既存のＬＴＥシステムに基づいて、基地局は、タイプ１の端末能力、タイプ２の端末能力、またはタイプ３の端末能力のうちのいずれか１つ、２つ、または３つをサポートする端末とのアップリンクデータ送信およびダウンリンクデータ送信を実行することができる。これにより、ＬＴＥシステムおよび基地局の利用効率が向上する。
【０２９２】
図１６は、本発明の実施形態による、基地局の概略構成図である。図１６を参照すると、基地局は、プロセッサ６１と、メモリ６２と、システムバス６３と、通信インターフェース６４とを含む。
【０２９３】
当業者であれば、図１６に示される構造は一例にすぎず、基地局の構造上の制限として解釈されるものではないことが理解できる。たとえば、基地局は、図１６に示されているものよりもより多数またはより少数の構成要素を代替として含んでもよく、図１６に示される構成と異なる構成を有してもよい。
【０２９４】
以下で、基地局の各構成部分について詳細に説明する。
【０２９５】
メモリ６２はコンピュータ実行可能命令を記憶するように構成され、プロセッサ６２はシステムバス６３を使用することによってメモリ６２に接続され、基地局が動作する時、プロセッサ６１は、メモリ６２に記憶されたコンピュータ実行可能命令を実行し、基地局が図２、図３、図４、図５、図６、または図１０のいずれかに示される方法において、基地局によって実行されるステップを実行できるようにする。特定の方法については、図２、図３、図４、図５、図６、または図１０のいずれかにおける実施形態の関連する説明を参照されたい。本明細書では詳細は再び説明されない。
【０２９６】
この実施形態は、記憶媒体をさらに提供する。記憶媒体はメモリ６２を含み得る。
【０２９７】
プロセッサ６１は、ＣＰＵであり得る。代替として、プロセッサ６１は、別の汎用プロセッサ、ＤＳＰ、ＡＳＩＣ、ＦＰＧＡまたは別のプログラマブルロジックデバイス、ディスクリートゲートまたはトランジスタロジックデバイス、ディスクリートハードウェアアセンブリなどであり得る。汎用プロセッサはマイクロプロセッサであってもよく、プロセッサは任意の従来のプロセッサなどであってもよい。
【０２９８】
プロセッサ６１は、専用プロセッサであり得る。専用プロセッサは、ベースバンド処理チップ、無線周波数処理チップなどのうちの少なくとも１つを含み得る。さらに、専用プロセッサは、基地局の別の専用処理機能を有するチップをさらに含み得る。
【０２９９】
メモリ６２は、揮発性メモリ、たとえばランダムアクセスメモリＲＡＭを含んでもよく、メモリ６２は、不揮発性メモリ、たとえば読出し専用メモリＲＯＭ、フラッシュメモリ、ＨＤＤ、またはＳＳＤを含んでもよく、メモリ６２は、上述のタイプのメモリの組合せを含んでもよい。
【０３００】
システムバス６３は、データバス、電源バス、制御バス、信号ステータスバスなどを含み得る。この実施形態における明確な説明のために、図２３における様々なバスがシステムバス６３としてマーク付けされている。
【０３０１】
通信インターフェース６４は、具体的には、基地局上のトランシーバであり得る。トランシーバは、無線トランシーバであり得る。たとえば、無線トランシーバは、基地局のアンテナ等であり得る。プロセッサ６１は、通信インターフェース６６を使用することによって、端末などの別のデバイスからデータを受信するか、またはそこにデータを送信する。
【０３０２】
特定の実装形態プロセスにおいて、図２、図３、図４、図５、図６、または図１０のいずれか１つに示される方法プロセスにおいて基地局によって実行されるすべてのステップは、ハードウェア形式のプロセッサ６１によって、メモリ６２に記憶されたソフトウェア形式のコンピュータ実行可能命令を実行することによって実装され得る。重複を避けるために、本明細書では詳細は再び説明されない。
【０３０３】
本発明のこの実施形態において提供される基地局によれば、基地局は、システム情報を端末に送信し、システム情報は、端末によってアップリンクデータまたはアップリンク制御情報を送信するために使用されるアップリンクリソースを示すために使用される第１の指示情報を含み、第１の指示情報は、アップリンクリソースがタイプ１のアップリンクリソースであるか、第２のアップリンクリソースであるかを示すために使用される情報と、タイプ１のアップリンクリソースまたはタイプ２のアップリンクリソースの時間領域情報および／または周波数領域情報とを含み、次いで、端末は、アップリンクデータまたはアップリンク制御情報を送信するために使用されるアップリンクリソースの第１の指示情報を取得し、第１の指示情報に基づいて、対応するアップリンクリソースおよびダウンリンクリソース上で送受信されるアップリンクデータおよびダウンリンクデータを送信する。このように、既存のＬＴＥシステムに基づいて、基地局は、タイプ１の端末能力、タイプ２の端末能力、またはタイプ３の端末能力のうちのいずれか１つ、２つ、または３つをサポートする端末とのアップリンクデータ送信およびダウンリンクデータ送信を実行することができる。これにより、ＬＴＥシステムおよび基地局の利用効率が向上する。
【０３０４】
最後に、上述の実施形態は、本発明の技術的解決策を説明することが意図されるにすぎず、本発明を限定するためのものではない点に留意されたい。本発明は、上述の実施形態を参照して詳細に説明されているが、当業者は、本発明の実施形態の技術的解決策の趣旨および範囲から逸脱することなしに、上述の実施形態において説明された技術的解決策を依然として変更してもよく、それらのいくつかの技術的特徴を同等に置き換えてもよいことを理解するべきである。
【図１】
2019501597.tif 000004
【図２】
2019501597.tif 000005
【図３】
2019501597.tif 000006
【図４】
2019501597.tif 000007
【図４Ａ】
2019501597.tif 000008
【図５】
2019501597.tif 000009
【図５Ａ】
2019501597.tif 000010
【図５Ｂ】
2019501597.tif 000011
【図５Ｃ】
2019501597.tif 000012
【図６】
2019501597.tif 000013
【図７】
2019501597.tif 000014
【図８】
2019501597.tif 000015
【図９】
2019501597.tif 000016
【図１０】
2019501597.tif 000017
【図１０Ａ】
2019501597.tif 000018
【図１０Ｂ】
2019501597.tif 000019
【図１１】
2019501597.tif 000020
【図１２】
2019501597.tif 000021
【図１３】
2019501597.tif 000022
【図１４】
2019501597.tif 000023
【図１５】
2019501597.tif 000024
【図１６】
2019501597.tif 000025
【手続補正書】
【提出日】平成30年8月14日(2018.8.14)
【手続補正１】
【補正対象書類名】特許請求の範囲
【補正対象項目名】全文
【補正方法】変更
【補正の内容】
【特許請求の範囲】
【請求項１】
データ送信方法であって、
端末によって、アップリンクデータまたはアップリンク制御情報を送信するために使用されるアップリンクリソースの第１の指示情報を取得するステップを備え、
前記アップリンクリソースの前記第１の指示情報が、前記アップリンクリソースがタイプ１のアップリンクリソースであるか、またはタイプ２のアップリンクリソースであるかを示すために使用される情報を備え、前記タイプ１のアップリンクリソースが、周波数領域内の少なくとも１つのサブキャリアと、時間領域内の少なくとも１つのシングルキャリア周波数分割多元接続（ＳＣ−ＦＤＭＡ）シンボルとを備え、サブキャリア数が２以上の場合、サブキャリアが互いに直交し、サブキャリア間隔が３．７５ｋＨｚであるか、または、前記タイプ１のアップリンクリソースが、周波数領域内の少なくとも１つのサブチャネルと、時間領域内の少なくとも１つの周波数分割多元接続（ＦＤＭＡ）シンボルとを備え、各サブチャネルの幅が３．７５ｋＨｚであり、前記タイプ２のアップリンクリソースが、前記周波数領域内の少なくとも１つのサブキャリアと、前記時間領域内の少なくとも１つのＳＣ−ＦＤＭＡシンボルとを備え、サブキャリア数が２以上の場合、サブキャリアが互いに直交し、サブキャリア間隔が１５ｋＨｚであり、
前記アップリンクリソースの前記第１の指示情報が、前記タイプ１のアップリンクリソースまたは前記タイプ２のアップリンクリソースの時間領域情報および／または周波数領域情報をさらに備える
方法。
【請求項２】
端末によって、アップリンクデータまたはアップリンク制御情報を送信するために使用されるアップリンクリソースの第１の指示情報を取得する前記ステップが、具体的には、
前記端末によって、基地局によって送信されたシステム情報を受信するステップであり、前記システム情報が、前記タイプ１のアップリンクリソースの前記時間領域情報および／もしくは前記周波数領域情報、ならびに／または前記タイプ２のアップリンクリソースの前記時間領域情報および／もしくは前記周波数領域情報を備える請求項１に記載の方法。
【請求項３】
前記端末がタイプ１の端末能力をサポートする場合、前記第１の指示情報が、前記アップリンクリソースが前記タイプ１のアップリンクリソースであることを示すために使用され、または、
前記端末がタイプ２の端末能力もしくはタイプ３の端末能力をサポートする場合、前記第１の指示情報が、前記アップリンクリソースが前記タイプ２のアップリンクリソースであることを示すために使用され、または、
前記端末がタイプ１の端末能力とタイプ２の端末能力とをサポートする場合、もしくは前記端末がタイプ１の端末能力とタイプ３の端末能力とをサポートする場合、前記第１の指示情報が、前記アップリンクリソースが前記タイプ１のアップリンクリソースであるか、前記タイプ２のアップリンクリソースであるかを示すために使用される請求項１に記載の方法。
【請求項４】
端末によって、第１の指示情報を取得する前記ステップの後、前記方法が、
前記端末が前記タイプ１の端末能力をサポートする場合、前記端末によって、前記タイプ１のアップリンクリソース上で前記アップリンクデータまたは前記アップリンク制御情報を送信するステップ、または、
前記端末が前記タイプ２の端末能力もしくは前記タイプ３の端末能力をサポートする場合、前記端末によって、前記タイプ２のアップリンクリソース上で前記アップリンクデータまたは前記アップリンク制御情報を送信するステップ、または、
前記端末が前記タイプ１の端末能力と前記タイプ２の端末能力とをサポートするか、もしくは前記端末が前記タイプ１の端末能力と前記タイプ３の端末能力とをサポートする場合、前記端末によって、前記タイプ１のアップリンクリソースまたは前記タイプ２のアップリンクリソース上で前記アップリンクデータまたは前記アップリンク制御情報を送信するステップ
をさらに備える請求項１乃至３のいずれか一項に記載の方法。
【請求項５】
前記方法が、
前記端末によって、前記アップリンクデータを送信するために使用される前記アップリンクリソースの第２の指示情報を取得するステップであって、前記第２の指示情報が、前記端末によって前記アップリンクデータを送信するために使用される前記タイプ１のアップリンクリソースもしくは前記タイプ２のアップリンクリソースのサブキャリア情報またはサブチャネル情報を備えるステップをさらに備え、
前記サブキャリア情報が、サブキャリア数、サブキャリアインデックス、または前記周波数領域におけるサブキャリアの位置またはインデックスを示すために使用される情報のうちの少なくとも１つを備え、
前記サブチャネル情報が、サブチャネル数、サブチャネルインデックス、または前記周波数領域におけるサブチャネルの位置またはインデックスを示すために使用される情報のうちの少なくとも１つを備える請求項１乃至４のいずれか一項に記載の方法。
【請求項６】
前記端末によって、前記アップリンクデータを送信するために使用される前記アップリンクリソースの第２の指示情報を取得する前記ステップが、具体的には、
前記端末によって、前記基地局によって送信されたダウンリンク制御情報（ＤＣＩ）またはランダムアクセス応答（ＲＡＲ）を受信するステップであり、前記ＤＣＩまたは前記ＲＡＲが第２の指示情報を備える請求項５に記載の方法。
【請求項７】
前記端末によって、前記基地局によって送信されたＤＣＩまたはＲＡＲを受信する前記ステップの後に、
前記端末が前記タイプ１の端末能力をサポートする場合、前記端末によって、前記タイプ１のアップリンクリソース上で前記アップリンクデータを送信するステップ、または、
前記端末が前記タイプ２の端末能力もしくは前記タイプ３の端末能力をサポートする場合、前記端末によって、前記タイプ２のアップリンクリソース上で前記アップリンクデータを送信するステップ、または、
前記端末が前記タイプ１の端末能力と前記タイプ２の端末能力とをサポートするか、もしくは前記端末が前記タイプ１の端末能力と前記タイプ３の端末能力とをサポートする場合、前記端末によって、前記タイプ１のアップリンクリソースまたは前記タイプ２のアップリンクリソース上で前記アップリンクデータを送信するステップ
をさらに備える請求項６に記載の方法。
【請求項８】
前記端末によって、前記タイプ１のアップリンクリソース上で前記アップリンクデータを送信する前記ステップが、具体的には、
前記端末によって、前記タイプ１のアップリンクリソースに対応する第１のタイミング関係に従って、前記タイプ１のアップリンクリソース上で、前記スケジューリング情報を使用することによってスケジューリングされた前記アップリンクデータを送信するステップであり、前記タイプ１のアップリンクリソースに対応する前記第１のタイミング関係が、前記ＤＣＩまたは前記ＲＡＲに備えられる前記スケジューリング情報と、前記スケジューリング情報を使用することによってスケジューリングされた前記アップリンクデータとの間のタイミング関係を示すために使用される請求項７に記載の方法。
【請求項９】
前記方法が、
前記端末が前記スケジューリング情報を使用することによってスケジューリングされた前記アップリンクデータを送信した後、前記端末によって、前記タイプ１のアップリンクリソースに対応する第２のタイミング関係に従って、タイプ１のダウンリンクリソース上で、前記基地局によって送信された応答フィードバック情報を受信するステップをさらに備え、前記タイプ１のアップリンクリソースに対応する前記第２のタイミング関係が、前記端末によって送信された前記アップリンクデータと、前記アップリンクデータに対応する前記応答フィードバック情報との間のタイミング関係を示すために使用される請求項８に記載の方法。
【請求項１０】
前記端末によって、前記タイプ２のアップリンクリソース上で前記アップリンクデータを送信する前記ステップが、具体的には、
前記端末によって、前記タイプ２のアップリンクリソースに対応する第１のタイミング関係に従って、前記タイプ２のアップリンクリソース上で、前記スケジューリング情報を使用することによってスケジューリングされた前記アップリンクデータを送信するステップであり、前記タイプ２のアップリンクリソースに対応する前記第１のタイミング関係が、前記ＤＣＩまたは前記ＲＡＲに備えられる前記スケジューリング情報と、前記スケジューリング情報を使用することによってスケジューリングされた前記アップリンクデータとの間のタイミング関係を示すために使用される請求項７に記載の方法。
【請求項１１】
前記方法が、
前記端末が前記スケジューリング情報を使用することによってスケジューリングされた前記アップリンクデータを送信した後、前記端末によって、前記タイプ２のアップリンクリソースに対応する第２のタイミング関係に従って、タイプ２のダウンリンクリソース上で、前記基地局によって送信された応答フィードバック情報を受信するステップをさらに備え、前記タイプ２のアップリンクリソースに対応する前記第２のタイミング関係が、前記端末によって送信された前記アップリンクデータと、前記アップリンクデータに対応する前記応答フィードバック情報との間のタイミング関係を示すために使用される請求項１０に記載の方法。
【請求項１２】
前記端末が前記タイプ１の端末能力をサポートする場合、前記端末によって、前記基地局によって送信されたＤＣＩまたはＲＡＲを受信する前記ステップが、具体的には、前記端末によって、前記タイプ１のダウンリンクリソース上で、前記ＤＣＩまたは前記ＲＡＲを検出するステップであって、前記ＤＣＩまたは前記ＲＡＲが、前記端末が前記アップリンクデータを送信するようにスケジューリングするために使用される前記スケジューリング情報をさらに備えるステップであり、または、
前記端末が前記タイプ２の端末能力または前記タイプ３の端末能力とをサポートする場合、前記端末によって、前記基地局によって送信されたＤＣＩまたはＲＡＲを受信する前記ステップが、具体的には、前記端末によって、前記タイプ２のダウンリンクリソース上で、前記ＤＣＩまたは前記ＲＡＲを検出するステップであって、前記ＤＣＩまたは前記ＲＡＲが、前記端末が前記アップリンクデータを送信するようにスケジューリングするために使用される前記スケジューリング情報を備えるステップであるか、または、
前記端末が前記タイプ１の端末能力と前記タイプ２の端末能力とをサポートする場合、もしくは、前記端末が前記タイプ１の端末能力と前記タイプ３の端末能力とをサポートする場合、前記端末によって、前記基地局によって送信されたＤＣＩまたはＲＡＲを受信する前記ステップが、具体的には、前記端末によって、前記タイプ１のダウンリンクリソースおよび／または前記タイプ２のダウンリンクリソース上で、前記ＤＣＩまたは前記ＲＡＲを検出するステップであって、前記ＤＣＩまたは前記ＲＡＲが、前記端末が前記アップリンクデータを送信するようにスケジューリングするために使用される前記スケジューリング情報を備えるステップである請求項６乃至１１のいずれか一項に記載の方法。
【請求項１３】
前記端末が前記タイプ１の端末能力と前記タイプ２の端末能力とをサポートする場合、または、前記端末が前記タイプ１の端末能力と前記タイプ３の端末能力とをサポートする場合、前記ＤＣＩまたは前記ＲＡＲが、前記端末によって前記アップリンクデータを送信するために使用される前記アップリンクリソースが前記タイプ１のアップリンクリソースであるか、前記タイプ２のアップリンクリソースであるかを示すために使用される第３の指示情報をさらに備える請求項６乃至１２のいずれか一項に記載の方法。
【請求項１４】
前記端末によって、前記基地局によって送信されたＤＣＩまたはＲＡＲを受信する前記ステップの前に、
前記端末によって、物理ランダムアクセスチャネル（ＰＲＡＣＨ）上でランダムアクセス情報を送信するステップをさらに備え、前記周波数領域における各ＰＲＡＣＨチャネルによって占有される帯域幅が３．７５ｋＨｚまたは１５ｋＨｚであるか、または１５ｋＨｚより大きく１８０ｋＨｚ以下であり、前記ランダムアクセス情報がランダムプリアンブル、直交シーケンスコード、または変調シンボルである請求項５乃至１３のいずれか一項に記載の方法。
【請求項１５】
データ送信方法であって、
基地局によって、システム情報を端末に送信するステップを備え、前記システム情報が、前記端末によってアップリンクデータまたはアップリンク制御情報を送信するために使用されるアップリンクリソースを示すために使用される第１の指示情報を備え、
前記アップリンクリソースの前記第１の指示情報が、前記アップリンクリソースがタイプ１のアップリンクリソースであるか、またはタイプ２のアップリンクリソースであるかを示すために使用される情報を備え、前記タイプ１のアップリンクリソースが、周波数領域内の少なくとも１つのサブキャリアと、時間領域内の少なくとも１つのシングルキャリア周波数分割多元接続（ＳＣ−ＦＤＭＡ）シンボルとを備え、サブキャリア数が２以上の場合、サブキャリアが互いに直交し、サブキャリア間隔が３．７５ｋＨｚであるか、または、前記タイプ１のアップリンクリソースが、周波数領域内の少なくとも１つのサブチャネルと、時間領域内の少なくとも１つの周波数分割多元接続（ＦＤＭＡ）シンボルとを備え、各サブチャネルの幅が３．７５ｋＨｚであり、前記タイプ２のアップリンクリソースが、前記周波数領域内の少なくとも１つのサブキャリアと、前記時間領域内の少なくとも１つのＳＣ−ＦＤＭＡシンボルとを備え、サブキャリア数が２以上の場合、サブキャリアが互いに直交し、サブキャリア間隔が１５ｋＨｚであり、
前記アップリンクリソースの前記第１の指示情報が、前記タイプ１のアップリンクリソースまたは前記タイプ２のアップリンクリソースの時間領域情報および／または周波数領域情報をさらに備える
方法。
【請求項１６】
前記端末がタイプ１の端末能力をサポートする場合、前記第１の指示情報が、前記アップリンクリソースが前記タイプ１のアップリンクリソースであることを示すために使用され、または、
前記端末がタイプ２の端末能力もしくはタイプ３の端末能力をサポートする場合、前記第１の指示情報が、前記アップリンクリソースが前記タイプ２のアップリンクリソースであることを示すために使用され、または、
前記端末がタイプ１の端末能力とタイプ２の端末能力とをサポートする場合、もしくは前記端末がタイプ１の端末能力とタイプ３の端末能力とをサポートする場合、前記第１の指示情報が、前記アップリンクリソースが前記タイプ１のアップリンクリソースであるか、前記タイプ２のアップリンクリソースであるかを示すために使用される請求項１５に記載の方法。
【請求項１７】
前記方法が、
前記基地局によって、ダウンリンク制御情報（ＤＣＩ）またはランダムアクセス応答（ＲＡＲ）を前記端末に送信するステップをさらに備え、前記ＤＣＩまたは前記ＲＡＲが、前記端末によって前記アップリンクデータを送信するために使用される前記アップリンクリソースを示すために使用される第２の指示情報を備え、
前記第２の指示情報が、前記端末によって前記アップリンクデータを送信するために使用される前記タイプ１のアップリンクリソースもしくは前記タイプ２のアップリンクリソースのサブキャリア情報またはサブチャネル情報を備え、
前記サブキャリア情報が、サブキャリア数、サブキャリアインデックス、または前記周波数領域におけるサブキャリアの位置またはインデックスを示すために使用される情報のうちの少なくとも１つを備え、
前記サブチャネル情報が、サブチャネル数、サブチャネルインデックス、または前記周波数領域におけるサブチャネルの位置またはインデックスを示すために使用される情報のうちの少なくとも１つを備える請求項１５または１６に記載の方法。
【請求項１８】
前記基地局によって、ＤＣＩまたはＲＡＲを前記端末に送信する前記ステップの後、
前記タイプ１のアップリンクリソース上で、前記タイプ１の端末能力をサポートする前記端末によって前記タイプ１のアップリンクリソース上で送信された前記アップリンクデータを受信するステップ、または、
前記タイプ２のアップリンクリソース上で、前記タイプ２の端末能力もしくは前記タイプ３の端末能力をサポートする前記端末によって前記タイプ２のアップリンクリソース上で送信された前記アップリンクデータを受信するステップ、または、
前記タイプ１のアップリンクリソース上で、前記タイプ１の端末能力と前記タイプ２の端末能力とをサポートする前記端末によって前記タイプ１のアップリンクリソース上で送信された前記アップリンクデータを受信するステップ、または、前記タイプ２のアップリンクリソース上で、前記タイプ１の端末能力と前記タイプ２の端末能力とをサポートする前記端末によって前記タイプ２のアップリンクリソース上で送信された前記アップリンクデータを受信するステップをさらに備える請求項１７に記載の方法。
【請求項１９】
前記タイプ１のアップリンクリソース上で、前記基地局によって、前記タイプ１のアップリンクリソース上で前記端末によって送信された前記アップリンクデータを受信する前記ステップが、具体的には、
前記基地局によって、前記タイプ１のアップリンクリソースに対応する第１のタイミング関係に従って、前記タイプ１のアップリンクリソース上で、前記スケジューリング情報を使用することによってスケジューリングされ、前記端末によって送信された、前記アップリンクデータを受信するステップであり、前記タイプ１のアップリンクリソースに対応する前記第１のタイミング関係が、前記ＤＣＩまたは前記ＲＡＲに備えられる前記スケジューリング情報と、前記スケジューリング情報を使用することによってスケジューリングされた前記アップリンクデータとの間のタイミング関係を示すために使用される請求項１８に記載の方法。
【請求項２０】
前記基地局によって、前記タイプ２のアップリンクリソース上で、前記端末によって前記タイプ２のアップリンクリソース上で送信された前記アップリンクデータを受信する前記ステップが、具体的には、
前記基地局によって、前記タイプ２のアップリンクリソースに対応する第１のタイミング関係に従って、前記タイプ２のアップリンクリソース上で、前記スケジューリング情報を使用することによってスケジューリングされ、前記端末によって送信された、前記アップリンクデータを受信するステップであり、前記タイプ２のアップリンクリソースに対応する前記第１のタイミング関係が、前記ＤＣＩまたは前記ＲＡＲに備えられる前記スケジューリング情報と、前記スケジューリング情報を使用することによってスケジューリングされた前記アップリンクデータとの間のタイミング関係を示すために使用される請求項１８に記載の方法。
【請求項２１】
前記端末が前記タイプ１の端末能力をサポートする場合、前記基地局によって、ＤＣＩまたはＲＡＲを前記端末に送信する前記ステップは、具体的には、前記基地局によって、前記タイプ１のダウンリンクリソース上で、前記ＤＣＩまたは前記ＲＡＲを送信するステップであり、前記ＤＣＩまたは前記ＲＡＲが、前記端末が前記アップリンクデータを送信するようにスケジューリングするために使用される前記スケジューリング情報をさらに備え、または、
前記端末が前記タイプ２の端末能力と前記タイプ３の端末能力をサポートする場合、前記基地局によって、ＤＣＩまたはＲＡＲを前記端末に前記送信する前記ステップは、具体的には、前記基地局によって、前記タイプ２のダウンリンクリソース上で、前記ＤＣＩまたは前記ＲＡＲを送信するステップであって、前記ＤＣＩまたは前記ＲＡＲが、前記端末が前記アップリンクデータを送信するようにスケジューリングするために使用される前記スケジューリング情報を備えるステップであるか、または、
前記端末が前記タイプ１の端末能力と前記タイプ２の端末能力とをサポートする場合、もしくは、前記端末が前記タイプ１の端末能力と前記タイプ３の端末能力とをサポートする場合、前記基地局によって、ＤＣＩまたはＲＡＲを前記端末に送信する前記ステップが、具体的には、前記基地局によって、前記タイプ１のダウンリンクリソースおよび／または前記タイプ２のダウンリンクリソース上で、前記ＤＣＩまたは前記ＲＡＲを送信するステップであって、前記ＤＣＩまたは前記ＲＡＲが、前記端末が前記アップリンクデータを送信するようにスケジューリングするために使用される前記スケジューリング情報を備えるステップである請求項１５乃至２０のいずれか一項に記載の方法。
【請求項２２】
前記ＤＣＩまたは前記ＲＡＲが前記第２の指示情報を備え、前記端末が前記タイプ１の端末能力と前記タイプ２の端末能力とをサポートするか、または前記端末が前記タイプ１の端末能力と前記タイプ３の端末能力とをサポートする場合、前記ＤＣＩまたは前記ＲＡＲが、前記端末によって前記アップリンクデータを送信するために使用される前記アップリンクリソースが前記タイプ１のアップリンクリソースであるか、前記タイプ２のアップリンクリソースであるかを示すために使用される第３の指示情報をさらに備える請求項１５乃至２１のいずれか一項に記載の方法。
【請求項２３】
前記基地局によって、ＤＣＩまたはＲＡＲを前記端末に送信する前記ステップの前に、前記方法が、
前記基地局によって、前記端末によって物理ランダムアクセスチャネル（ＰＲＡＣＨ）上で送信されたランダムアクセス情報を受信するステップをさらに備え、前記周波数領域における各ＰＲＡＣＨチャネルによって占有される帯域幅が３．７５ｋＨｚまたは１５ｋＨｚであるか、または１５ｋＨｚより大きく１８０ｋＨｚ以下であり、前記ランダムアクセス情報がランダムプリアンブル、直交シーケンスコード、または変調シンボルである請求項１５乃至２２のいずれか一項に記載の方法。
【請求項２４】
端末であって、前記端末が、プロセッサと、メモリと、システムバスと、通信インターフェースとを備え、
前記メモリが、コンピュータ実行可能命令を記憶するように構成され、前記プロセッサが、前記システムバスを使用することによって前記メモリに接続され、前記端末が動作する時、前記プロセッサが、前記端末が請求項１乃至１４のいずれか一項に記載の前記データ送信方法を実行するように、前記メモリに記憶された前記コンピュータ実行可能命令を実行する、端末。
【請求項２５】
基地局であって、前記基地局が、プロセッサと、メモリと、システムバスと、通信インターフェースとを備え、
前記メモリが、コンピュータ実行可能命令を記憶するように構成され、前記プロセッサが、前記システムバスを使用することによって前記メモリに接続され、前記基地局が動作する時、前記プロセッサが、前記基地局が請求項１５乃至２３のいずれか一項に記載の前記データ送信方法を実行するように、前記メモリに記憶された前記コンピュータ実行可能命令を実行する、基地局。
【手続補正２】
【補正対象書類名】明細書
【補正対象項目名】全文
【補正方法】変更
【補正の内容】
【発明の詳細な説明】
【技術分野】
【０００１】
本発明は、通信技術の分野に関し、具体的には、データ送信方法および装置に関する。
【背景技術】
【０００２】
現在、ロングタームエボリューション（ＬＴＥ）システムにおいて、ユーザ機器（ＵＥ）は、ダウンリンクサブフレームにおいてダウンリンク制御情報（ＤＣＩ）を検出する。ＤＣＩは、物理アップリンク共有チャネル（ＰＵＳＣＨ）を送信するためにＵＥによって使用されるスケジューリング情報と、物理ダウンリンク共有チャネル（ＰＤＳＣＨ）を受信するためにＵＥによって使用されるスケジューリング情報、たとえば、周波数領域において使用される物理リソースブロックの量、使用される変調および符号化方式または変調方式、ならびに搬送されるトランスポートブロックに含まれるビット量とを含む。ＰＵＳＣＨチャネルは、主に、端末によって送信されたアップリンクデータを搬送し、シングルキャリア周波数分割多元接続（ＳＣ−ＦＤＭＡ）によって送信される。周波数領域における最小スケジューリング粒度は、１つの物理リソースブロック（ＰＲＢ）である。１つのＰＲＢは、周波数領域において１２個の直交サブキャリアを含み、サブキャリア間隔は１５ｋＨｚである。したがって、１つのＰＲＢは１８０ｋＨｚの周波数リソースを含む。
【０００３】
しかしながら、通信技術の急速な発展に伴い、複数のタイプの端末能力をサポートできるＬＴＥ端末が利用可能となっている。たとえば、端末がタイプ１の端末能力をサポートするということは、端末が、アップリンクにおいて３．７５ｋＨｚの直交サブキャリア間隔でＳＣ−ＦＤＭＡによって単一のサブキャリアを送信すること、または、アップリンクにおいて３．７５ｋＨｚのサブチャネル帯域幅でＦＤＭＡによって単一のサブチャネルを送信することができることを意味し、端末がタイプ２の端末能力をサポートするということは、端末が、アップリンクにおいて１５ｋＨｚの直交サブキャリア間隔でＳＣ−ＦＤＭＡによって単一のサブキャリアを送信できることを意味し、または、端末がタイプ３の端末能力をサポートするということは、端末が、アップリンクにおいて１５ｋＨｚの直交サブキャリア間隔でＳＣ−ＦＤＭＡによって複数のサブキャリアを送信できることを意味する。３つのタイプの端末能力のすべてをサポートする端末は、ダウンリンクにおける直交周波数分割多元接続（ＯＦＤＭＡ）技術をサポートし、サブキャリア間隔は１５ｋＨｚである。端末は、３つのタイプの端末能力のうちの任意の１つまたは複数をサポートすることができる。
【発明の概要】
【発明が解決しようとする課題】
【０００４】
しかしながら、ＬＴＥシステムの最小スケジューリング粒度は１つのＰＲＢ、すなわち１８０ｋＨｚの周波数リソースであり、単一のサブキャリアまたは複数のサブキャリアのスケジューリングはサポートされず、タイプ１の端末能力とタイプ２の端末能力とをサポートする端末の無線周波数帯域幅は３．７５ｋＨｚから１８０ｋＨｚの範囲である。したがって、既存のＬＴＥシステムでは、ＬＴＥシステムは、同期チャネルまたはブロードキャストチャネルに関する情報を受信することができず、正常に通信を実行することができない。この場合、データ送信方法および装置が緊急に必要とされる。
【課題を解決するための手段】
【０００５】
従来技術の問題を解決するために、本発明の実施形態は、データ処理方法および装置を提供する。
【０００６】
第１の態様によれば、データ送信方法が提供され、本方法は、
端末によって、アップリンクデータまたはアップリンク制御情報を送信するために使用されるアップリンクリソースの第１の指示情報を取得するステップを含み、
アップリンクリソースの第１の指示情報が、アップリンクリソースがタイプ１のアップリンクリソースであるか、またはタイプ２のアップリンクリソースであるかを示すために使用される情報を含み、タイプ１のアップリンクリソースが、周波数領域内の少なくとも１つのサブキャリアと、時間領域内の少なくとも１つのＳＣ−ＦＤＭＡシンボルとを含み、サブキャリア数が２以上の場合、サブキャリアが互いに直交し、サブキャリア間隔が３．７５ｋＨｚであるか、または、タイプ１のアップリンクリソースが、周波数領域内の少なくとも１つのサブチャネルと、時間領域内の少なくとも１つの周波数分割多元接続（ＦＤＭＡ）シンボルとを含み、各サブチャネルの幅が３．７５ｋＨｚであり、タイプ２のアップリンクリソースが、周波数領域内の少なくとも１つのサブキャリアと、時間領域内の少なくとも１つのシングルキャリア周波数分割多元接続（ＳＣ−ＦＤＭＡ）シンボルとを含み、サブキャリア数が２以上の場合、サブキャリアが互いに直交し、サブキャリア間隔が１５ｋＨｚであり、
アップリンクリソースの第１の指示情報が、タイプ１のアップリンクリソースまたはタイプ２のアップリンクリソースの時間領域情報および／または周波数領域情報をさらに含む。
【０００７】
第１の態様に関して、第１の態様の第１の可能な実装形態では、端末によって、アップリンクデータまたはアップリンク制御情報を送信するために使用されるアップリンクリソースの第１の指示情報を取得するステップは、
端末によって、基地局によって送信されたシステム情報を受信するステップであり、システム情報は、タイプ１のアップリンクリソースの時間領域情報および／もしくは周波数領域情報、ならびに／またはタイプ２のアップリンクリソースの時間領域情報および／もしくは周波数領域情報を含む。
【０００８】
第１の態様、または第１の態様の第１の可能な実装形態に関して、第１の態様の第２の可能な実装形態では、
端末がタイプ１の端末能力をサポートする場合、第１の指示情報は、アップリンクリソースがタイプ１のアップリンクリソースであることを示すために使用され、または、
端末がタイプ２の端末能力もしくはタイプ３の端末能力をサポートする場合、第１の指示情報は、アップリンクリソースがタイプ２のアップリンクリソースであることを示すために使用され、または、
端末がタイプ１の端末能力とタイプ２の端末能力とをサポートする場合、もしくは端末がタイプ１の端末能力とタイプ３の端末能力とをサポートする場合、第１の指示情報は、アップリンクリソースがタイプ１のアップリンクリソースであるか、タイプ２のアップリンクリソースであるかを示すために使用される。
【０００９】
第１の態様から第１の態様の第２の可能な実装形態のうちのいずれか１つに関して、第１の態様の第３の可能な実装形態では、端末によって、第１の指示情報を取得するステップの後、本方法は、
端末がタイプ１の端末能力をサポートする場合、端末によって、タイプ１のアップリンクリソース上でアップリンクデータまたはアップリンク制御情報を送信するステップ、または、
端末がタイプ２の端末能力もしくはタイプ３の端末能力をサポートする場合、端末によって、タイプ２のアップリンクリソース上でアップリンクデータまたはアップリンク制御情報を送信するステップ、または、
端末がタイプ１の端末能力とタイプ２の端末能力とをサポートするか、もしくは端末がタイプ１の端末能力とタイプ３の端末能力とをサポートする場合、端末によって、タイプ１のアップリンクリソースまたはタイプ２のアップリンクリソース上でアップリンクデータまたはアップリンク制御情報を送信するステップをさらに含む。
【００１０】
第１の態様から第１の態様の第３の可能な実装形態のうちのいずれか１つに関して、第１の態様の第４の可能な実装形態では、本方法は、
端末によって、アップリンクデータを送信するために使用されるアップリンクリソースの第２の指示情報を取得するステップであって、第２の指示情報が、端末によってアップリンクデータを送信するために使用されるタイプ１のアップリンクリソースもしくはタイプ２のアップリンクリソースのサブキャリア情報またはサブチャネル情報を含むステップをさらに含み、
サブキャリア情報が、サブキャリア数、サブキャリアインデックス、または周波数領域におけるサブキャリアの位置またはインデックスを示すために使用される情報のうちの少なくとも１つを含み、
サブチャネル情報が、サブチャネル数、サブチャネルインデックス、または周波数領域におけるサブチャネルの位置またはインデックスを示すために使用される情報のうちの少なくとも１つを含む。
【００１１】
第１の態様の第４の可能な実装形態に関して、第１の態様の第５の可能な実装形態では、端末によって、アップリンクデータを送信するために使用されるアップリンクリソースの第２の指示情報を取得するステップは、具体的には、
端末によって、基地局によって送信されたダウンリンク制御情報（ＤＣＩ）またはランダムアクセス応答（ＲＡＲ）を受信するステップであり、ＤＣＩまたはＲＡＲは第２の指示情報を含む。
【００１２】
第１の態様の第５の可能な実装形態に関して、第１の態様の第６の可能な実装形態では、ＤＣＩまたはＲＡＲが、端末によって、基地局によって送信されたＤＣＩまたはＲＡＲを受信するステップの後に、端末がアップリンクデータを送信するようにスケジューリングするために使用されるスケジューリング情報をさらに含む場合、本方法は、
端末がタイプ１の端末能力をサポートする場合、端末によって、タイプ１のアップリンクリソース上でアップリンクデータを送信するステップ、
端末がタイプ２の端末能力もしくはタイプ３の端末能力をサポートする場合、端末によって、タイプ２のアップリンクリソース上でアップリンクデータを送信するステップ、または、
端末がタイプ１の端末能力とタイプ２の端末能力とをサポートするか、もしくは端末がタイプ１の端末能力とタイプ３の端末能力とをサポートする場合、端末によって、タイプ１のアップリンクリソースまたはタイプ２のアップリンクリソース上でアップリンクデータを送信するステップをさらに含む。
【００１３】
第１の態様の第６の可能な実装形態に関して、第１の態様の第７の可能な実装形態では、端末によって、タイプ１のアップリンクリソース上でアップリンクデータを送信するステップは、具体的には、
端末によって、タイプ１のアップリンクリソースに対応する第１のタイミング関係に従って、タイプ１のアップリンクリソース上で、スケジューリング情報を使用することによってスケジューリングされたアップリンクデータを送信するステップであり、タイプ１のアップリンクリソースに対応する第１のタイミング関係は、ＤＣＩまたはＲＡＲに含まれるスケジューリング情報と、スケジューリング情報を使用することによってスケジューリングされたアップリンクデータとの間のタイミング関係を示すために使用される。
【００１４】
第１の態様の第７の可能な実装形態に関して、第１の態様の第８の可能な実装形態では、本方法は、
端末がスケジューリング情報を使用することによってスケジューリングされたアップリンクデータを送信した後、端末によって、タイプ１のアップリンクリソースに対応する第２のタイミング関係に従って、タイプ１のダウンリンクリソース上で、基地局によって送信された応答フィードバック情報を受信するステップをさらに含み、タイプ１のアップリンクリソースに対応する第２のタイミング関係は、端末によって送信されたアップリンクデータと、アップリンクデータに対応する応答フィードバック情報との間のタイミング関係を示すために使用される。
【００１５】
第１の態様の第６の可能な実装形態に関して、第１の態様の第９の可能な実装形態では、端末によって、タイプ２のアップリンクリソース上でアップリンクデータを送信するステップは、具体的には、
端末によって、タイプ２のアップリンクリソースに対応する第１のタイミング関係に従って、タイプ２のアップリンクリソース上で、スケジューリング情報を使用することによってスケジューリングされたアップリンクデータを送信するステップであり、タイプ２のアップリンクリソースに対応する第１のタイミング関係は、ＤＣＩまたはＲＡＲに含まれるスケジューリング情報と、スケジューリング情報を使用することによってスケジューリングされたアップリンクデータとの間のタイミング関係を示すために使用される。
【００１６】
第１の態様の第９の可能な実装形態に関して、第１の態様の第１０の可能な実装形態では、本方法は、
端末がスケジューリング情報を使用することによってスケジューリングされたアップリンクデータを送信した後、端末によって、タイプ２のアップリンクリソースに対応する第２のタイミング関係に従って、タイプ２のダウンリンクリソース上で、基地局によって送信された応答フィードバック情報を受信するステップをさらに含み、タイプ２のアップリンクリソースに対応する第２のタイミング関係は、端末によって送信されたアップリンクデータと、アップリンクデータに対応する応答フィードバック情報との間のタイミング関係を示すために使用される。
【００１７】
第１の態様の第５の可能な実装形態から、第１の態様の第１０の可能な実装形態のうちのいずれか１つに関して、第１の態様の第１１の可能な実装形態では、
端末がタイプ１の端末能力をサポートする場合、端末によって、基地局によって送信されたＤＣＩまたはＲＡＲを受信するステップは、具体的には、端末によって、タイプ１のダウンリンクリソース上で、ＤＣＩまたはＲＡＲを検出するステップであって、ＤＣＩまたはＲＡＲが、端末がアップリンクデータを送信するようにスケジューリングするために使用されるスケジューリング情報をさらに含むステップであり、
端末がタイプ２の端末能力とタイプ３の端末能力とをサポートする場合、端末によって、基地局によって送信されたＤＣＩまたはＲＡＲを受信するステップは、具体的には、端末によって、タイプ２のダウンリンクリソース上で、ＤＣＩまたはＲＡＲを検出するステップであって、ＤＣＩまたはＲＡＲは、端末がアップリンクデータを送信するようにスケジューリングするために使用されるスケジューリング情報を含むステップであるか、または、
端末がタイプ１の端末能力とタイプ２の端末能力とをサポートする場合、もしくは、端末がタイプ１の端末能力とタイプ３の端末能力とをサポートする場合、端末によって、基地局によって送信されたＤＣＩまたはＲＡＲを受信するステップは、具体的には、端末によって、タイプ１のダウンリンクリソースおよび／またはタイプ２のダウンリンクリソース上で、ＤＣＩまたはＲＡＲを検出するステップであって、ＤＣＩまたはＲＡＲが、端末がアップリンクデータを送信するようにスケジューリングするために使用されるスケジューリング情報を含むステップである。
【００１８】
第１の態様の第５の可能な実装形態から、第１の態様の第１１の可能な実装形態のうちのいずれか１つに関して、第１の態様の第１２の可能な実装形態では、端末がタイプ１の端末能力とタイプ２の端末能力とをサポートする場合、または、端末がタイプ１の端末能力とタイプ３の端末能力とをサポートする場合、ＤＣＩまたはＲＡＲは、端末によってアップリンクデータを送信するために使用されるアップリンクリソースがタイプ１のアップリンクリソースであるか、タイプ２のアップリンクリソースであるかを示すために使用される第３の指示情報をさらに含む。
【００１９】
第１の態様の第１２の可能な実装形態に関して、第１の態様の第１３の可能な実装形態では、
受信されたＤＣＩが第１のＤＣＩフォーマットである場合、第３の指示情報は、端末によってアップリンクデータを送信するために使用されるタイプ１のアップリンクリソースのサブキャリア情報もしくはサブチャネル情報を示し、または、受信されたＤＣＩが第２のＤＣＩフォーマットである場合、第３の指示情報は、端末によってアップリンクデータを送信するために使用されるタイプ２のアップリンクリソースのサブキャリア情報もしくはサブチャネル情報を示し、または、
ＤＣＩ内の巡回冗長検査ＣＲＣが第１のスクランブリングコードを使用することによってスクランブリングされている場合、第３の指示情報は、端末によってアップリンクデータを送信するために使用されるタイプ１のアップリンクリソースのサブキャリア情報もしくはサブチャネル情報を示し、または、ＤＣＩ内のＣＲＣが第２のスクランブリングコードを使用することによってスクランブリングされている場合、第３の指示情報は、端末によってアップリンクデータを送信するために使用されるタイプ２のアップリンクリソースのサブキャリア情報もしくはサブチャネル情報を示す。
【００２０】
第１の態様の第４の可能な実装形態から、第１の態様の第１３の可能な実装形態のうちのいずれか１つに関して、第１の態様の第１４の可能な実装形態では、端末によって、基地局によって送信されたＤＣＩまたはＲＡＲを受信するステップの前に、本方法は、
端末によって、物理ランダムアクセスチャネルＰＲＡＣＨ上でランダムアクセス情報を送信するステップをさらに含み、周波数領域における各ＰＲＡＣＨチャネルによって占有される帯域幅は３．７５ｋＨｚまたは１５ｋＨｚであるか、または１５ｋＨｚより大きく１８０ｋＨｚ以下であり、ランダムアクセス情報はランダムプリアンブル、直交シーケンスコード、または変調シンボルである。
【００２１】
第１の態様の第１４の可能な実装形態に関して、第１の態様の第１５の可能な実装形態では、端末によって、ＰＲＡＣＨ上でランダムアクセス情報を送信するステップの前に、本方法は、
端末によって、基地局によって送信されたシステム情報を受信するステップをさらに含み、システム情報はＰＲＡＣＨチャネルの構成情報を含み、ＰＲＡＣＨチャネルの構成情報は、タイプ１のＰＲＡＣＨチャネルに関する情報および／またはタイプ２のＰＲＡＣＨチャネルに関する情報を含み、
周波数領域における各タイプ１のＰＲＡＣＨチャネルによって占有される帯域幅は３．７５ｋＨｚまたは１５ｋＨｚであり、タイプ１のＰＲＡＣＨチャネルに関する情報は、周波数領域におけるタイプ１のＰＲＡＣＨチャネルの数、または周波数領域におけるタイプ１のＰＲＡＣＨチャネルのインデックスもしくは位置情報のうちの少なくとも１つを含み、
周波数領域における各タイプ２のＰＲＡＣＨチャネルによって占有される帯域幅は１５ｋＨｚより大きく１８０ｋＨｚ以下であり、タイプ２のＰＲＡＣＨチャネルに関する情報は、周波数領域におけるタイプ２のＰＲＡＣＨチャネルの数、または周波数領域におけるタイプ２のＰＲＡＣＨチャネルのインデックスもしくは位置情報のうちの少なくとも１つを含む。
【００２２】
第１の態様の第１４の可能な実装形態、または第１の態様の第１５の可能な実装形態に関して、第１の態様の第１６の可能な実装形態では、端末は、各ランダムアクセス情報送信機会において、ランダムに選択されたＰＲＡＣＨチャネル上でランダムに選択されたランダムプリアンブルもしくは直交シーケンスコードを基地局に送信するか、または、
端末は、ランダムプリアンブルまたは直交シーケンスコードを基地局にｎ回送信し、ランダムプリアンブルまたは直交シーケンスコードのセグメントを送信し、各ランダムアクセス情報送信機会において端末がＰＲＡＣＨチャネルを占有し、ｎは１以上の整数である。
【００２３】
第１の態様の第１４の可能な実装形態、または第１の態様の第１５の可能な実装形態に関して、第１の態様の第１７の可能な実装形態では、端末がタイプ１の端末能力および／もしくはタイプ２の端末能力をサポートする場合、端末はタイプ１のＰＲＡＣＨチャネル上で基地局にランダムアクセス情報を送信し、または、
端末がタイプ１の端末能力および／もしくはタイプ３の端末能力をサポートする場合、端末はタイプ２のＰＲＡＣＨチャネル上でランダムアクセス情報を基地局に送信する。
【００２４】
第１の態様の第１７の可能な実装形態に関して、第１の態様の第１８の可能な実装形態では、端末がタイプ１の端末能力および／もしくはタイプ２の端末能力をサポートする場合、
端末がタイプ１のＰＲＡＣＨチャネル上でランダムアクセス情報を基地局に送信した後、本方法は、
端末によって、タイプ１のＰＲＡＣＨチャネルに対応するダウンリンクリソース上で、またタイプ１のＰＲＡＣＨチャネルに対応するタイミング関係に従って、基地局によって送信されたＲＡＲを受信するステップをさらに含み、タイプ１のＰＲＡＣＨチャネルに対応するタイミング関係は、端末によって送信されたランダムアクセス情報と基地局によって送信されたＲＡＲとの間のタイミング関係を示すために使用される。
【００２５】
第１の態様の第１７の可能な実装形態に関して、第１の態様の第１９の可能な実装形態では、端末がタイプ１の端末能力および／もしくはタイプ３の端末能力をサポートする場合、
端末がタイプ２のＰＲＡＣＨチャネル上でランダムアクセス情報を基地局に送信した後、本方法は、
端末によって、タイプ２のＰＲＡＣＨチャネルに対応するダウンリンクリソース上で、またタイプ２のＰＲＡＣＨチャネルに対応するタイミング関係に従って、基地局によって送信されたＲＡＲを受信するステップをさらに含み、タイプ２のＰＲＡＣＨチャネルに対応するタイミング関係は、端末によって送信されたランダムアクセス情報と基地局によって送信されたＲＡＲとの間のタイミング関係を示すために使用される。
【００２６】
第２の態様によれば、データ送信方法が提供され、本方法は、
基地局によって、システム情報を端末に送信するステップを含み、システム情報は、端末によってアップリンクデータまたはアップリンク制御情報を送信するために使用されるアップリンクリソースを示すために使用される第１の指示情報を含み、
アップリンクリソースの第１の指示情報が、アップリンクリソースがタイプ１のアップリンクリソースであるか、またはタイプ２のアップリンクリソースであるかを示すために使用される情報を含み、タイプ１のアップリンクリソースが、周波数領域内の少なくとも１つのサブキャリアと、時間領域内の少なくとも１つのシングルキャリア周波数分割多元接続ＳＣ−ＦＤＭＡシンボルとを含み、サブキャリア数が２以上の場合、サブキャリアが互いに直交し、サブキャリア間隔が３．７５ｋＨｚであるか、または、タイプ１のアップリンクリソースが、周波数領域内の少なくとも１つのサブチャネルと、時間領域内の少なくとも１つの周波数分割多元接続ＦＤＭＡシンボルとを含み、各サブチャネルの幅が３．７５ｋＨｚであり、タイプ２のアップリンクリソースが、周波数領域内の少なくとも１つのサブキャリアと、時間領域内の少なくとも１つのＳＣ−ＦＤＭＡシンボルとを含み、サブキャリア数が２以上の場合、サブキャリアが互いに直交し、サブキャリア間隔が１５ｋＨｚであり、
アップリンクリソースの第１の指示情報が、タイプ１のアップリンクリソースまたはタイプ２のアップリンクリソースの時間領域情報および／または周波数領域情報をさらに含むステップを含む。
【００２７】
第２の態様に関して、第２の態様の第１の可能な実装形態では、
端末がタイプ１の端末能力をサポートする場合、第１の指示情報は、アップリンクリソースがタイプ１のアップリンクリソースであることを示すために使用され、
端末がタイプ２の端末能力もしくはタイプ３の端末能力をサポートする場合、第１の指示情報は、アップリンクリソースがタイプ２のアップリンクリソースであることを示すために使用され、または、
端末がタイプ１の端末能力とタイプ２の端末能力とをサポートする場合、もしくは端末がタイプ１の端末能力とタイプ３の端末能力とをサポートする場合、第１の指示情報は、アップリンクリソースがタイプ１のアップリンクリソースであるか、タイプ２のアップリンクリソースであるかを示すために使用される。
【００２８】
第２の態様、または第２の態様の第１の可能な実装形態に関して、第２の態様の第２の可能な実装形態では、本方法は、
基地局によって、ダウンリンク制御情報ＤＣＩまたはランダムアクセス応答ＲＡＲを端末に送信するステップをさらに含み、ＤＣＩまたはＲＡＲは、端末によってアップリンクデータを送信するために使用されるアップリンクリソースを示すために使用される第２の指示情報を含み、
第２の指示情報が、端末によってアップリンクデータを送信するために使用されるタイプ１のアップリンクリソースもしくはタイプ２のアップリンクリソースのサブキャリア情報またはサブチャネル情報を含み、
サブキャリア情報が、サブキャリア数、サブキャリアインデックス、または周波数領域におけるサブキャリアの位置またはインデックスを示すために使用される情報のうちの少なくとも１つを含み、
サブチャネル情報が、サブチャネル数、サブチャネルインデックス、または周波数領域におけるサブチャネルの位置またはインデックスを示すために使用される情報のうちの少なくとも１つを含む。
【００２９】
第２の態様の第２の可能な実装形態に関して、第２の態様の第３の可能な実装形態では、ＤＣＩまたはＲＡＲは、端末がアップリンクデータを送信するようにスケジューリングするために使用されるスケジューリング情報をさらに含み、基地局によって、ＤＣＩまたはＲＡＲを端末に送信するステップの後、本方法は、
タイプ１のアップリンクリソース上で、タイプ１の端末能力をサポートする端末によってタイプ１のアップリンクリソース上で送信されたアップリンクデータを受信するステップ、または、
タイプ２のアップリンクリソース上で、タイプ２の端末能力もしくはタイプ３の端末能力をサポートする端末によってタイプ２のアップリンクリソース上で送信されたアップリンクデータを受信するステップ、または、
タイプ１のアップリンクリソース上で、タイプ１の端末能力とタイプ２の端末能力とをサポートする端末によってタイプ１のアップリンクリソース上で送信されたアップリンクデータを受信するステップ、または、タイプ２のアップリンクリソース上で、タイプ１の端末能力とタイプ２の端末能力とをサポートする端末によってタイプ２のアップリンクリソース上で送信されたアップリンクデータを受信するステップをさらに含む。
【００３０】
第２の態様の第３の可能な実装形態に関して、第２の態様の第４の可能な実装形態では、タイプ１のアップリンクリソース上で、基地局によって、タイプ１のアップリンクリソース上で端末によって送信されたアップリンクデータを受信するステップは、具体的には、
基地局によって、タイプ１のアップリンクリソースに対応する第１のタイミング関係に従って、タイプ１のアップリンクリソース上で、スケジューリング情報を使用することによってスケジューリングされ、端末によって送信された、アップリンクデータを受信するステップであり、タイプ１のアップリンクリソースに対応する第１のタイミング関係は、ＤＣＩまたはＲＡＲに含まれるスケジューリング情報と、スケジューリング情報を使用することによってスケジューリングされたアップリンクデータとの間のタイミング関係を示すために使用される。
【００３１】
第２の態様の第４の可能な実装形態に関して、第２の態様の第５の可能な実装形態では、
基地局が、タイプ１のアップリンクリソース上で、スケジューリング情報を使用することによってスケジューリングされ、端末によって送信されたアップリンクデータを受信した後、基地局によって、タイプ１のアップリンクリソースに対応する第２のタイミング関係に従って、タイプ１のダウンリンクリソース上で、応答フィードバック情報を端末に送信し、タイプ１のアップリンクリソースに対応する第２のタイミング関係は、端末によって送信されたアップリンクデータと、アップリンクデータに対応する応答フィードバック情報との間のタイミング関係を示すために使用される。
【００３２】
第２の態様の第３の可能な実装形態に関して、第２の態様の第６の可能な実装形態では、基地局によって、タイプ２のアップリンクリソース上で、端末によってタイプ２のアップリンクリソース上で送信されたアップリンクデータを受信するステップは、具体的には、
基地局によって、タイプ２のアップリンクリソースに対応する第１のタイミング関係に従って、タイプ２のアップリンクリソース上で、スケジューリング情報を使用することによってスケジューリングされ、端末によって送信された、アップリンクデータを受信するステップであり、タイプ２のアップリンクリソースに対応する第１のタイミング関係は、ＤＣＩまたはＲＡＲに含まれるスケジューリング情報と、スケジューリング情報を使用することによってスケジューリングされたアップリンクデータとの間のタイミング関係を示すために使用される。
【００３３】
第２の態様の第６の可能な実装形態に関して、第２の態様の第７の可能な実装形態では、方法は、
基地局が、タイプ２のアップリンクリソース上で、スケジューリング情報を使用することによってスケジューリングされ、端末によって送信されたアップリンクデータを受信した後、基地局によって、タイプ２のアップリンクリソースに対応する第２のタイミング関係に従って、タイプ２のダウンリンクリソース上で、応答フィードバック情報を端末に送信するステップをさらに含み、タイプ２のアップリンクリソースに対応する第２のタイミング関係は、端末によって送信されたアップリンクデータと、アップリンクデータに対応する応答フィードバック情報との間のタイミング関係を示すために使用される。
【００３４】
第２の態様の第２の可能な実装形態から、第２の態様の第７の可能な実装形態のうちのいずれか１つに関して、第２の態様の第８の可能な実装形態では、端末がタイプ１の端末能力をサポートする場合、基地局によって、ＤＣＩまたはＲＡＲを端末に送信するステップは、具体的には、基地局によって、タイプ１のダウンリンクリソース上で、ＤＣＩまたはＲＡＲを送信するステップであり、ＤＣＩまたはＲＡＲは、端末がアップリンクデータを送信するようにスケジューリングするために使用されるスケジューリング情報をさらに含み、
端末がタイプ２の端末能力とタイプ３の端末能力をサポートする場合、基地局によって、ＤＣＩまたはＲＡＲを端末に送信するステップは、具体的には、基地局によって、タイプ２のダウンリンクリソース上で、ＤＣＩまたはＲＡＲを送信するステップであって、ＤＣＩまたはＲＡＲは、端末がアップリンクデータを送信するようにスケジューリングするために使用されるスケジューリング情報を含むステップであるか、または、
端末がタイプ１の端末能力とタイプ２の端末能力とをサポートする場合、もしくは、端末がタイプ１の端末能力とタイプ３の端末能力とをサポートする場合、基地局によって、ＤＣＩまたはＲＡＲを端末に送信するステップは、具体的には、基地局によって、タイプ１のダウンリンクリソースおよび／またはタイプ２のダウンリンクリソース上で、ＤＣＩまたはＲＡＲを送信するステップであって、ＤＣＩまたはＲＡＲが、端末がアップリンクデータを送信するようにスケジューリングするために使用されるスケジューリング情報を含むステップである。
【００３５】
第２の態様の第１の可能な実装形態から、第２の態様の第８の可能な実装形態のうちのいずれか１つに関して、第２の態様の第９の可能な実装形態では、ＤＣＩまたはＲＡＲが第２の指示情報を含み、端末がタイプ１の端末能力とタイプ２の端末能力とをサポートするか、または端末がタイプ１の端末能力とタイプ３の端末能力とをサポートする場合、ＤＣＩまたはＲＡＲは、端末によってアップリンクデータを送信するために使用されるアップリンクリソースがタイプ１のアップリンクリソースであるか、タイプ２のアップリンクリソースであるかを示すために使用される第３の指示情報をさらに含む。
【００３６】
第２の態様の第９の可能な実装形態に関して、第２の態様の第１０の可能な実装形態では、ＤＣＩが第１のＤＣＩフォーマットである場合、第３の指示情報は、端末によってアップリンクデータを送信するために使用されるタイプ１のアップリンクリソースのサブキャリア情報もしくはサブチャネル情報を示し、または、ＤＣＩが第２のＤＣＩフォーマットである場合、第３の指示情報は、端末によってアップリンクデータを送信するために使用されるタイプ２のアップリンクリソースのサブキャリア情報もしくはサブチャネル情報を示し、または、
ＤＣＩ内の巡回冗長検査ＣＲＣが第１のスクランブリングコードを使用することによってスクランブリングされている場合、第３の指示情報は、端末によってアップリンクデータを送信するために使用されるタイプ１のアップリンクリソースのサブキャリア情報もしくはサブチャネル情報を示し、または、ＤＣＩ内のＣＲＣが第２のスクランブリングコードを使用することによってスクランブリングされている場合、第３の指示情報は、端末によってアップリンクデータを送信するために使用されるタイプ２のアップリンクリソースのサブキャリア情報もしくはサブチャネル情報を示す。
【００３７】
第２の態様の第１の可能な実装形態から、第２の態様の第１０の可能な実装形態のうちのいずれか１つに関して、第２の態様の第１１の可能な実装形態では、基地局によって、ＤＣＩまたはＲＡＲを端末に送信するステップの前に、本方法は、
基地局によって、端末によって物理ランダムアクセスチャネルＰＲＡＣＨ上で送信されたランダムアクセス情報を受信するステップをさらに含み、周波数領域における各ＰＲＡＣＨチャネルによって占有される帯域幅は３．７５ｋＨｚまたは１５ｋＨｚであるか、または１５ｋＨｚより大きく１８０ｋＨｚ以下であり、ランダムアクセス情報はランダムプリアンブル、直交シーケンスコード、または変調シンボルである。
【００３８】
第２の態様の第１１の可能な実装形態に関して、第２の態様の第１２の可能な実装形態では、基地局によって、端末によってＰＲＡＣＨ上で送信されたランダムアクセス情報を受信するステップの前に、本方法は、
基地局によって、システム情報を端末に送信するステップをさらに含み、システム情報はＰＲＡＣＨチャネルの構成情報を含み、ＰＲＡＣＨチャネルの構成情報は、タイプ１のＰＲＡＣＨチャネルに関する情報および／またはタイプ２のＰＲＡＣＨチャネルに関する情報を含み、
周波数領域における各タイプ１のＰＲＡＣＨチャネルによって占有される帯域幅は３．７５ｋＨｚまたは１５ｋＨｚであり、タイプ１のＰＲＡＣＨチャネルに関する情報は、周波数領域におけるタイプ１のＰＲＡＣＨチャネルの数、または周波数領域におけるタイプ１のＰＲＡＣＨチャネルのインデックスもしくは位置情報のうちの少なくとも１つを含み、
周波数領域における各タイプ２のＰＲＡＣＨチャネルによって占有される帯域幅は１５ｋＨｚより大きく１８０ｋＨｚ以下であり、タイプ２のＰＲＡＣＨチャネルに関する情報は、周波数領域におけるタイプ２のＰＲＡＣＨチャネルの数、または周波数領域におけるタイプ２のＰＲＡＣＨチャネルのインデックスもしくは位置情報のうちの少なくとも１つを含む。
【００３９】
第２の態様の第１１の可能な実装形態、または第２の態様の第１２の可能な実装形態に関して、第２の態様の第１３の可能な実装形態では、基地局によって、端末によってＰＲＡＣＨ上で送信されたランダムアクセス情報を受信するステップは、具体的には、
基地局によって、各ランダムアクセス情報送信機会において、端末によってランダムに選択されたＰＲＡＣＨチャネル上で送信されたランダムに選択されたランダムプリアンブルもしくは直交シーケンスコードを受信するステップであるか、または、
基地局によって、端末によってｎ回送信されたランダムプリアンブルもしくは直交シーケンスコードを受信し、ランダムプリアンブルもしくは直交シーケンスコードのセグメントを送信するステップであり、各ランダムアクセス情報送信機会において端末がＰＲＡＣＨチャネルを占有し、ｎは１以上の整数である。
【００４０】
第２の態様の第１１の可能な実装形態または第２の態様の第１２の可能な実装形態に関して、第２の態様の第１４の可能な実装形態では、端末がタイプ１の端末能力および／もしくはタイプ２の端末能力をサポートする場合、基地局は、タイプ１のＰＲＡＣＨチャネル上で、端末によって送信されたランダムアクセス情報を受信するか、または、
端末がタイプ３の端末能力をサポートする場合、基地局は、タイプ２のＰＲＡＣＨチャネル上で、端末によって送信されたランダムアクセス情報を受信する。
【００４１】
第２の態様の第１４の可能な実装形態に関して、第２の態様の第１５の可能な実装形態では、端末がタイプ１の端末能力および／もしくはタイプ２の端末能力をサポートする場合、
基地局が、タイプ１のＰＲＡＣＨチャネル上で、端末によって送信されたランダムアクセス情報を受信した後、本方法は、
基地局によって、タイプ１のＰＲＡＣＨチャネルに対応するダウンリンクリソース上で、またタイプ１のＰＲＡＣＨチャネルに対応するタイミング関係に従って、ＲＡＲを端末に送信するステップをさらに含み、タイプ１のＰＲＡＣＨチャネルに対応するタイミング関係は、端末によって送信されたランダムアクセス情報と基地局によって送信されたＲＡＲとの間のタイミング関係を示すために使用される。
【００４２】
第２の態様の第１４の可能な実装形態に関して、第２の態様の第１６の可能な実装形態では、端末がタイプ３の端末能力をサポートする場合、
基地局が、タイプ２のＰＲＡＣＨチャネル上で、端末によって送信されたランダムアクセス情報を受信した後、本方法は、
基地局によって、タイプ２のＰＲＡＣＨチャネルに対応するダウンリンクリソース上で、またタイプ２のＰＲＡＣＨチャネルに対応するタイミング関係に従って、ＲＡＲを端末に送信するステップをさらに含み、タイプ２のＰＲＡＣＨチャネルに対応するタイミング関係は、端末によって送信されたランダムアクセス情報と基地局によって送信されたＲＡＲとの間のタイミング関係を示すために使用される。
【００４３】
第３の態様によれば、端末が提供され、端末は、
アップリンクデータまたはアップリンク制御情報を送信するために使用されるアップリンクリソースの第１の指示情報を取得するように構成された取得ユニットを含み、
アップリンクリソースの第１の指示情報が、アップリンクリソースがタイプ１のアップリンクリソースであるか、またはタイプ２のアップリンクリソースであるかを示すために使用される情報を含み、タイプ１のアップリンクリソースが、周波数領域内の少なくとも１つのサブキャリアと、時間領域内の少なくとも１つのＳＣ−ＦＤＭＡシンボルとを含み、サブキャリア数が２以上の場合、サブキャリアが互いに直交し、サブキャリア間隔が３．７５ｋＨｚであるか、または、タイプ１のアップリンクリソースが、周波数領域内の少なくとも１つのサブチャネルと、時間領域内の少なくとも１つの周波数分割多元接続ＦＤＭＡシンボルとを含み、各サブチャネルの幅が３．７５ｋＨｚであり、タイプ２のアップリンクリソースが、周波数領域内の少なくとも１つのサブキャリアと、時間領域内の少なくとも１つのシングルキャリア周波数分割多元接続ＳＣ−ＦＤＭＡシンボルとを含み、サブキャリア数が２以上の場合、サブキャリアが互いに直交し、サブキャリア間隔が１５ｋＨｚであり、
アップリンクリソースの第１の指示情報が、タイプ１のアップリンクリソースまたはタイプ２のアップリンクリソースの時間領域情報および／または周波数領域情報をさらに含む。
【００４４】
第３の態様に関して、第３の態様の第１の可能な実装形態では、取得ユニットは、具体的には、
基地局によって送信されたシステム情報を受信するように構成され、システム情報は、タイプ１のアップリンクリソースの時間領域情報および／もしくは周波数領域情報、ならびに／またはタイプ２のアップリンクリソースの時間領域情報および／もしくは周波数領域情報を含む。
【００４５】
第３の態様、または第３の態様の第１の可能な実装形態に関して、第３の態様の第２の可能な実装形態では、
端末がタイプ１の端末能力をサポートする場合、第１の指示情報は、アップリンクリソースがタイプ１のアップリンクリソースであることを示すために使用され、
端末がタイプ２の端末能力もしくはタイプ３の端末能力をサポートする場合、第１の指示情報は、アップリンクリソースがタイプ２のアップリンクリソースであることを示すために使用され、または、
端末がタイプ１の端末能力とタイプ２の端末能力とをサポートする場合、もしくは端末がタイプ１の端末能力とタイプ３の端末能力とをサポートする場合、第１の指示情報は、アップリンクリソースがタイプ１のアップリンクリソースであるか、タイプ２のアップリンクリソースであるかを示すために使用される。
【００４６】
第３の態様から、第３の態様の第２の可能な実装形態のうちのいずれか１つに関して、第３の態様の第３の可能な実装形態では、端末は、
端末がタイプ１の端末能力をサポートする場合、タイプ１のアップリンクリソース上でアップリンクデータもしくはアップリンク制御情報を送信し、
端末がタイプ２の端末能力もしくはタイプ３の端末能力をサポートする場合、タイプ２のアップリンクリソース上でアップリンクデータまたはアップリンク制御情報を送信し、または、
端末がタイプ１の端末能力とタイプ２の端末能力とをサポートする場合、または端末がタイプ１の端末能力とタイプ３の端末能力とをサポートする場合、タイプ１のアップリンクリソースまたはタイプ２のアップリンクリソース上でアップリンクデータまたはアップリンク制御情報を送信する
ように構成された送信ユニットをさらに含む。
【００４７】
第３の態様から第３の態様の第３の可能な実装形態のうちのいずれか１つに関して、第３の態様の第４の可能な実装形態では、取得ユニットは、アップリンクデータを送信するために使用されるアップリンクリソースの第２の指示情報を取得するようにさらに構成され、第２の指示情報が、端末によってアップリンクデータを送信するために使用されるタイプ１のアップリンクリソースもしくはタイプ２のアップリンクリソースのサブキャリア情報またはサブチャネル情報を含み、
サブキャリア情報が、サブキャリア数、サブキャリアインデックス、または周波数領域におけるサブキャリアの位置またはインデックスを示すために使用される情報のうちの少なくとも１つを含み、
サブチャネル情報が、サブチャネル数、サブチャネルインデックス、または周波数領域におけるサブチャネルの位置またはインデックスを示すために使用される情報のうちの少なくとも１つを含む
ようにさらに構成される。
【００４８】
第３の態様の第４の可能な実装形態に関して、第３の態様の第５の可能な実装形態では、取得ユニットが、基地局によって送信されたダウンリンク制御情報ＤＣＩまたはランダムアクセス応答ＲＡＲを受信し、ＤＣＩまたはＲＡＲは第２の指示情報を含む
ようにさらに構成される。
【００４９】
第３の態様の第５の可能な実装形態に関して、第３の態様の第６の可能な実装形態では、送信ユニットは、
端末がタイプ１の端末能力をサポートする場合、タイプ１のアップリンクリソース上でアップリンクデータを送信するか、
端末がタイプ２の端末能力もしくはタイプ３の端末能力をサポートする場合、タイプ２のアップリンクリソース上でアップリンクデータを送信するか、または、
端末がタイプ１の端末能力とタイプ２の端末能力とをサポートする場合、または端末がタイプ１の端末能力とタイプ３の端末能力とをサポートする場合、タイプ１のアップリンクリソースまたはタイプ２のアップリンクリソース上でアップリンクデータを送信する
ようにさらに構成される。
【００５０】
第３の態様の第６の可能な実装形態に関して、第３の態様の第７の可能な実装形態では、送信ユニットがタイプ１のアップリンクリソース上でアップリンクデータを送信するように構成されることは、具体的には、
タイプ１のアップリンクリソースに対応する第１のタイミング関係に従って、タイプ１のアップリンクリソース上で、スケジューリング情報を使用することによってスケジューリングされたアップリンクデータを送信することであり、タイプ１のアップリンクリソースに対応する第１のタイミング関係は、ＤＣＩまたはＲＡＲに含まれるスケジューリング情報と、スケジューリング情報を使用することによってスケジューリングされたアップリンクデータとの間のタイミング関係を示すために使用される。
【００５１】
第３の態様の第７の可能な実装形態に関して、第３の態様の第８の可能な実装形態では、取得ユニットは、送信ユニットがスケジューリング情報を使用することによってスケジューリングされたアップリンクデータを送信した後、タイプ１のアップリンクリソースに対応する第２のタイミング関係に従って、タイプ１のダウンリンクリソース上で、基地局によって送信された応答フィードバック情報を受信するようにさらに構成され、タイプ１のアップリンクリソースに対応する第２のタイミング関係は、端末によって送信されたアップリンクデータと、アップリンクデータに対応する応答フィードバック情報との間のタイミング関係を示すために使用される。
【００５２】
第３の態様の第６の可能な実装形態に関して、第３の態様の第９の可能な実装形態では、送信ユニットがタイプ２のアップリンクリソース上でアップリンクデータを送信するように構成されることは、具体的には、
タイプ２のアップリンクリソースに対応する第１のタイミング関係に従って、タイプ２のアップリンクリソース上で、スケジューリング情報を使用することによってスケジューリングされたアップリンクデータを送信することであり、タイプ２のアップリンクリソースに対応する第１のタイミング関係は、ＤＣＩまたはＲＡＲに含まれるスケジューリング情報と、スケジューリング情報を使用することによってスケジューリングされたアップリンクデータとの間のタイミング関係を示すために使用される。
【００５３】
第３の態様の第９の可能な実装形態に関して、第３の態様の第１０の可能な実装形態では、取得ユニットは、送信ユニットがスケジューリング情報を使用することによってスケジューリングされたアップリンクデータを送信した後、タイプ２のアップリンクリソースに対応する第２のタイミング関係に従って、タイプ２のダウンリンクリソース上で、基地局によって送信された応答フィードバック情報を受信するようにさらに構成され、タイプ２のアップリンクリソースに対応する第２のタイミング関係は、端末によって送信されたアップリンクデータと、アップリンクデータに対応する応答フィードバック情報との間のタイミング関係を示すために使用される。
【００５４】
第３の態様の第５の可能な実装形態から、第３の態様の第１０の可能な実装形態のうちのいずれか１つに関して、第３の態様の第１１の可能な実装形態では、取得ユニットが、基地局によって送信されたＤＣＩまたはＲＡＲを受信するように構成されることは、具体的には、
端末がタイプ１の端末能力をサポートする場合、取得ユニットによって、タイプ１のダウンリンクリソース上で、ＤＣＩまたはＲＡＲを検出することであって、ＤＣＩまたはＲＡＲは、端末がアップリンクデータを送信するようにスケジューリングするために使用されるスケジューリング情報をさらに含むこと、
端末がタイプ２の端末能力とタイプ３の端末能力とをサポートする場合、取得ユニットによって、タイプ２のダウンリンクリソース上で、ＤＣＩまたはＲＡＲを検出することであって、ＤＣＩまたはＲＡＲは、端末がアップリンクデータを送信するようにスケジューリングするために使用されるスケジューリング情報を含むこと、または、
端末がタイプ１の端末能力とタイプ２の端末能力とをサポートする場合、もしくは、端末がタイプ１の端末能力とタイプ３の端末能力とをサポートする場合、取得ユニットによって、タイプ１のダウンリンクリソースおよび／またはタイプ２のダウンリンクリソース上で、ＤＣＩまたはＲＡＲを検出することであって、ＤＣＩまたはＲＡＲは、端末がアップリンクデータを送信するようにスケジューリングするために使用されるスケジューリング情報を含むこと
である。
【００５５】
第３の態様の第５の可能な実装形態から、第３の態様の第１１の可能な実装形態に関して、第３の態様の第１２の可能な実装形態では、端末がタイプ１の端末能力とタイプ２の端末能力とをサポートする場合、または、端末がタイプ１の端末能力とタイプ３の端末能力とをサポートする場合、ＤＣＩまたはＲＡＲは、端末によってアップリンクデータを送信するために使用されるアップリンクリソースがタイプ１のアップリンクリソースであるか、タイプ２のアップリンクリソースであるかを示すために使用される第３の指示情報をさらに含む。
【００５６】
第３の態様の第１２の可能な実装形態に関して、第３の態様の第１３の可能な実装形態では、受信されたＤＣＩが第１のＤＣＩフォーマットである場合、第３の指示情報は、端末によってアップリンクデータを送信するために使用されるタイプ１のアップリンクリソースのサブキャリア情報もしくはサブチャネル情報を示し、または、受信されたＤＣＩが第２のＤＣＩフォーマットである場合、第３の指示情報は、端末によってアップリンクデータを送信するために使用されるタイプ２のアップリンクリソースのサブキャリア情報もしくはサブチャネル情報を示し、または、
ＤＣＩ内の巡回冗長検査ＣＲＣが第１のスクランブリングコードを使用することによってスクランブリングされている場合、第３の指示情報は、端末によってアップリンクデータを送信するために使用されるタイプ１のアップリンクリソースのサブキャリア情報もしくはサブチャネル情報を示し、または、ＤＣＩ内のＣＲＣが第２のスクランブリングコードを使用することによってスクランブリングされている場合、第３の指示情報は、端末によってアップリンクデータを送信するために使用されるタイプ２のアップリンクリソースのサブキャリア情報もしくはサブチャネル情報を示す。
【００５７】
第３の態様の第４の可能な実装形態から、第３の態様の第１３の可能な実装形態のうちのいずれか１つに関して、第３の態様の第１４の可能な実装形態では、送信ユニットは、物理ランダムアクセスチャネルＰＲＡＣＨ上でランダムアクセス情報を送信するようにさらに構成され、周波数領域における各ＰＲＡＣＨチャネルによって占有される帯域幅は３．７５ｋＨｚまたは１５ｋＨｚであるか、または１５ｋＨｚより大きく１８０ｋＨｚ以下であり、ランダムアクセス情報はランダムプリアンブル、直交シーケンスコード、または変調シンボルである。
【００５８】
第３の態様の第１４の可能な実装形態に関して、第３の態様の第１５の可能な実装形態では、取得ユニットは、基地局によって送信されたシステム情報を受信するようにさらに構成され、システム情報はＰＲＡＣＨチャネルの構成情報を含み、ＰＲＡＣＨチャネルの構成情報は、タイプ１のＰＲＡＣＨチャネルに関する情報および／またはタイプ２のＰＲＡＣＨチャネルに関する情報を含み、
周波数領域における各タイプ１のＰＲＡＣＨチャネルによって占有される帯域幅は３．７５ｋＨｚまたは１５ｋＨｚであり、タイプ１のＰＲＡＣＨチャネルに関する情報は、周波数領域におけるタイプ１のＰＲＡＣＨチャネルの数、または周波数領域におけるタイプ１のＰＲＡＣＨチャネルのインデックスもしくは位置情報のうちの少なくとも１つを含み、
周波数領域における各タイプ２のＰＲＡＣＨチャネルによって占有される帯域幅は１５ｋＨｚより大きく１８０ｋＨｚ以下であり、タイプ２のＰＲＡＣＨチャネルに関する情報は、周波数領域におけるタイプ２のＰＲＡＣＨチャネルの数、または周波数領域におけるタイプ２のＰＲＡＣＨチャネルのインデックスもしくは位置情報のうちの少なくとも１つを含む。
【００５９】
第３の態様の第１４の可能な実装形態または第３の態様の第１５の可能な実装形態に関して、第３の態様の第１６の可能な実装形態では、送信ユニットが、ＰＲＡＣＨ上でランダムアクセス情報を送信するように構成されることは、具体的には、
各ランダムアクセス情報送信機会において、ランダムに選択されたＰＲＡＣＨチャネル上でランダムに選択されたランダムプリアンブルもしくは直交シーケンスコードを基地局に送信すること、または、
ランダムプリアンブルまたは直交シーケンスコードを基地局にｎ回送信し、ランダムプリアンブルまたは直交シーケンスコードのセグメントを送信することであり、ＰＲＡＣＨチャネルが各ランダムアクセス情報送信機会において占有され、ｎは１以上の整数である。
【００６０】
第３の態様の第１４の可能な実装形態または第３の態様の第１５の可能な実装形態に関して、第３の態様の第１７の可能な実装形態では、送信ユニットが、ＰＲＡＣＨ上でランダムアクセス情報を送信するように構成されることは、具体的には、
端末がタイプ１の端末能力および／もしくはタイプ２の端末能力をサポートする場合、タイプ１のＰＲＡＣＨチャネル上でランダムアクセス情報を基地局に送信すること、または
端末がタイプ１の端末能力および／もしくはタイプ３の端末能力をサポートする場合、タイプ２のＰＲＡＣＨチャネル上でランダムアクセス情報を基地局に送信することである。
【００６１】
第３の態様の第１７の可能な実装形態に関して、第３の態様の第１８の可能な実装形態では、端末がタイプ１の端末能力および／もしくはタイプ２の端末能力をサポートする場合、取得ユニットは、
タイプ１のＰＲＡＣＨチャネルに対応するダウンリンクリソース上で、またタイプ１のＰＲＡＣＨチャネルに対応するタイミング関係に従って、基地局によって送信されたＲＡＲを受信するようにさらに構成され、タイプ１のＰＲＡＣＨチャネルに対応するタイミング関係は、端末によって送信されたランダムアクセス情報と基地局によって送信されたＲＡＲとの間のタイミング関係を示すために使用される。
【００６２】
第３の態様の第１７の可能な実装形態に関して、第３の態様の第１９の可能な実装形態では、端末がタイプ１の端末能力および／もしくはタイプ３の端末能力をサポートする場合、取得ユニットは、
タイプ２のＰＲＡＣＨチャネルに対応するダウンリンクリソース上で、またタイプ２のＰＲＡＣＨチャネルに対応するタイミング関係に従って、基地局によって送信されたＲＡＲを受信するようにさらに構成され、タイプ２のＰＲＡＣＨチャネルに対応するタイミング関係は、端末によって送信されたランダムアクセス情報と基地局によって送信されたＲＡＲとの間のタイミング関係を示すために使用される。
【００６３】
第４の態様によれば、基地局が提供され、基地局は、
システム情報を端末に送信するように構成された送信ユニットを含み、システム情報は、端末によってアップリンクデータまたはアップリンク制御情報を送信するために使用されるアップリンクリソースを示すために使用される第１の指示情報を含み、
アップリンクリソースの第１の指示情報が、アップリンクリソースがタイプ１のアップリンクリソースであるか、またはタイプ２のアップリンクリソースであるかを示すために使用される情報を含み、タイプ１のアップリンクリソースが、周波数領域内の少なくとも１つのサブキャリアと、時間領域内の少なくとも１つのシングルキャリア周波数分割多元接続ＳＣ−ＦＤＭＡシンボルとを含み、サブキャリア数が２以上の場合、サブキャリアが互いに直交し、サブキャリア間隔が３．７５ｋＨｚであるか、または、タイプ１のアップリンクリソースが、周波数領域内の少なくとも１つのサブチャネルと、時間領域内の少なくとも１つの周波数分割多元接続ＦＤＭＡシンボルとを含み、各サブチャネルの幅が３．７５ｋＨｚであり、タイプ２のアップリンクリソースが、周波数領域内の少なくとも１つのサブキャリアと、時間領域内の少なくとも１つのＳＣ−ＦＤＭＡシンボルとを含み、サブキャリア数が２以上の場合、サブキャリアが互いに直交し、サブキャリア間隔が１５ｋＨｚであり、
アップリンクリソースの第１の指示情報が、タイプ１のアップリンクリソースまたはタイプ２のアップリンクリソースの時間領域情報および／または周波数領域情報をさらに含む。
【００６４】
第４の態様に関して、第４の態様の第１の可能な実装形態では、
端末がタイプ１の端末能力をサポートする場合、第１の指示情報は、アップリンクリソースがタイプ１のアップリンクリソースであることを示すために使用され、
端末がタイプ２の端末能力もしくはタイプ３の端末能力をサポートする場合、第１の指示情報は、アップリンクリソースがタイプ２のアップリンクリソースであることを示すために使用され、または、
端末がタイプ１の端末能力とタイプ２の端末能力とをサポートする場合、もしくは端末がタイプ１の端末能力とタイプ３の端末能力とをサポートする場合、第１の指示情報は、アップリンクリソースがタイプ１のアップリンクリソースであるか、タイプ２のアップリンクリソースであるかを示すために使用される。
【００６５】
第４の態様、または第４の態様の第１の可能な実装形態に関して、第４の態様の第２の可能な実装形態では、送信ユニットは、ＤＣＩまたはＲＡＲを端末に送信するようにさらに構成され、ＤＣＩまたはＲＡＲは、端末によってアップリンクデータを送信するために使用されるアップリンクリソースを示すために使用される第２の指示情報を含み、
第２の指示情報が、端末によってアップリンクデータを送信するために使用されるタイプ１のアップリンクリソースもしくはタイプ２のアップリンクリソースのサブキャリア情報またはサブチャネル情報を含み、
サブキャリア情報が、サブキャリア数、サブキャリアインデックス、または周波数領域におけるサブキャリアの位置またはインデックスを示すために使用される情報のうちの少なくとも１つを含み、
サブチャネル情報が、サブチャネル数、サブチャネルインデックス、または周波数領域におけるサブチャネルの位置またはインデックスを示すために使用される情報のうちの少なくとも１つを含む。
【００６６】
第４の態様の第２の可能な実装形態に関して、第４の態様の第３の可能な実装形態では、基地局は、
タイプ１のアップリンクリソース上で、タイプ１の端末能力をサポートする端末によってタイプ１のアップリンクリソース上で送信されたアップリンクデータを受信すること、または、
タイプ２のアップリンクリソース上で、タイプ２の端末能力もしくはタイプ３の端末能力をサポートする端末によってタイプ２のアップリンクリソース上で送信されたアップリンクデータを受信すること、または、
タイプ１のアップリンクリソース上で、タイプ１の端末能力とタイプ２の端末能力とをサポートする端末によってタイプ１のアップリンクリソース上で送信されたアップリンクデータを受信すること、または、タイプ２のアップリンクリソース上で、タイプ１の端末能力もしくはタイプ２の端末能力をサポートする端末によってタイプ２のアップリンクリソース上で送信されたアップリンクデータを受信すること
を行うように構成された受信ユニットをさらに含む。
【００６７】
第４の態様の第３の可能な実装形態に関して、第４の態様の第４の可能な実装形態では、受信ユニットが、タイプ１のアップリンクリソース上で、タイプ１のアップリンクリソース上で端末によって送信されたアップリンクデータを受信することは、具体的には、
タイプ１のアップリンクリソースに対応する第１のタイミング関係に従って、タイプ１のアップリンクリソース上で、スケジューリング情報を使用することによってスケジューリングされ、端末によって送信されたアップリンクデータを受信することであり、タイプ１のアップリンクリソースに対応する第１のタイミング関係は、ＤＣＩまたはＲＡＲに含まれるスケジューリング情報と、スケジューリング情報を使用することによってスケジューリングされたアップリンクデータとの間のタイミング関係を示すために使用される。
【００６８】
第４の態様の第４の可能な実装形態に関して、第４の態様の第５の可能な実装形態では、送信ユニットは、スケジューリング情報を使用することによってスケジューリングされ、端末によって送信されたアップリンクデータがタイプ１のアップリンクリソース上で受信された後、タイプ１のアップリンクリソースに対応する第２のタイミング関係に従って、タイプ１のダウンリンクリソース上で、応答フィードバック情報を端末に送信するようにさらに構成され、タイプ１のアップリンクリソースに対応する第２のタイミング関係は、端末によって送信されたアップリンクデータと、アップリンクデータに対応する応答フィードバック情報との間のタイミング関係を示すために使用される。
【００６９】
第４の態様の第３の可能な実装形態に関して、第４の態様の第６の可能な実装形態では、受信ユニットが、タイプ２のアップリンクリソース上で、端末によってタイプ２のアップリンクリソース上で送信されたアップリンクデータを受信することは、具体的には、
タイプ２のアップリンクリソースに対応する第１のタイミング関係に従って、タイプ２のアップリンクリソース上で、スケジューリング情報を使用することによってスケジューリングされ、端末によって送信されたアップリンクデータを受信することであり、タイプ２のアップリンクリソースに対応する第１のタイミング関係は、ＤＣＩまたはＲＡＲに含まれるスケジューリング情報と、スケジューリング情報を使用することによってスケジューリングされたアップリンクデータとの間のタイミング関係を示すために使用される。
【００７０】
第４の態様の第６の可能な実装形態に関して、第４の態様の第７の可能な実装形態では、送信ユニットは、スケジューリング情報を使用することによってスケジューリングされ、端末によって送信されたアップリンクデータがタイプ２のアップリンクリソース上で受信された後、タイプ２のアップリンクリソースに対応する第２のタイミング関係に従って、タイプ２のダウンリンクリソース上で、応答フィードバック情報を端末に送信するようにさらに構成され、タイプ２のアップリンクリソースに対応する第２のタイミング関係は、端末によって送信されたアップリンクデータと、アップリンクデータに対応する応答フィードバック情報との間のタイミング関係を示すために使用される。
【００７１】
第４の態様の第２の可能な実装形態から第４の態様の第７の可能な実装形態のうちのいずれか１つに関して、第４の態様の第８の可能な実装形態では、送信ユニットが、ＤＣＩまたはＲＡＲを端末に送信するように構成されることは、具体的には、
端末がタイプ１の端末能力をサポートする場合、タイプ１のダウンリンクリソース上で、ＤＣＩまたはＲＡＲを送信することであって、ＤＣＩまたはＲＡＲは、端末がアップリンクデータを送信するようにスケジューリングするために使用されるスケジューリング情報をさらに含むこと、
端末がタイプ２の端末能力とタイプ３の端末能力とサポートする場合、タイプ２のダウンリンクリソース上で、ＤＣＩまたはＲＡＲを送信することであって、ＤＣＩまたはＲＡＲは、端末がアップリンクデータを送信するようにスケジューリングするために使用されるスケジューリング情報を含むこと、または、
端末がタイプ１の端末能力とタイプ２の端末能力とをサポートする場合、もしくは、端末がタイプ１の端末能力とタイプ３の端末能力とをサポートする場合、タイプ１のダウンリンクリソースおよび／またはタイプ２のダウンリンクリソース上で、ＤＣＩまたはＲＡＲを送信することであって、ＤＣＩまたはＲＡＲは、端末がアップリンクデータを送信するようにスケジューリングするために使用されるスケジューリング情報を含むことである。
【００７２】
第４の態様の第１の可能な実装形態から第４の態様の第８の可能な実装形態のうちのいずれか１つに関して、第４の態様の第９の可能な実装形態では、ＤＣＩまたはＲＡＲは第２の指示情報を含み、端末がタイプ１の端末能力とタイプ２の端末能力とをサポートするか、または端末がタイプ１の端末能力とタイプ３の端末能力とをサポートする場合、ＤＣＩまたはＲＡＲは、端末によってアップリンクデータを送信するために使用されるアップリンクリソースがタイプ１のアップリンクリソースであるか、タイプ２のアップリンクリソースであるかを示すために使用される第３の指示情報をさらに含む。
【００７３】
第４の態様の第９の可能な実装形態に関して、第４の態様の第１０の可能な実装形態では、
ＤＣＩが第１のＤＣＩフォーマットである場合、第３の指示情報は、端末によってアップリンクデータを送信するために使用されるタイプ１のアップリンクリソースのサブキャリア情報もしくはサブチャネル情報を示し、または、ＤＣＩが第２のＤＣＩフォーマットである場合、第３の指示情報は、端末によってアップリンクデータを送信するために使用されるタイプ２のアップリンクリソースのサブキャリア情報もしくはサブチャネル情報を示し、または、
ＤＣＩ内の巡回冗長検査ＣＲＣが第１のスクランブリングコードを使用することによってスクランブリングされている場合、第３の指示情報は、端末によってアップリンクデータを送信するために使用されるタイプ１のアップリンクリソースのサブキャリア情報もしくはサブチャネル情報を示し、または、ＤＣＩ内のＣＲＣが第２のスクランブリングコードを使用することによってスクランブリングされている場合、第３の指示情報は、端末によってアップリンクデータを送信するために使用されるタイプ２のアップリンクリソースのサブキャリア情報もしくはサブチャネル情報を示す。
【００７４】
第４の態様の第１の可能な実装形態から第４の態様の第１０の可能な実装形態のうちのいずれか１つに関して、第４の態様の第１１の可能な実装形態では、受信ユニットは、端末によってＰＲＡＣＨ上で送信されたランダムアクセス情報を受信するようにさらに構成され、周波数領域における各ＰＲＡＣＨチャネルによって占有される帯域幅は３．７５ｋＨｚまたは１５ｋＨｚであるか、または１５ｋＨｚより大きく１８０ｋＨｚ以下であり、ランダムアクセス情報はランダムプリアンブル、直交シーケンスコード、または変調シンボルである。
【００７５】
第４の態様の第１１の可能な実装形態に関して、第４の態様の第１２の可能な実装形態では、送信ユニットは、システム情報を端末に送信するようにさらに構成され、システム情報はＰＲＡＣＨチャネルの構成情報を含み、ＰＲＡＣＨチャネルの構成情報は、タイプ１のＰＲＡＣＨチャネルに関する情報および／またはタイプ２のＰＲＡＣＨチャネルに関する情報を含み、
周波数領域における各タイプ１のＰＲＡＣＨチャネルによって占有される帯域幅は３．７５ｋＨｚまたは１５ｋＨｚであり、タイプ１のＰＲＡＣＨチャネルに関する情報は、周波数領域におけるタイプ１のＰＲＡＣＨチャネルの数、または周波数領域におけるタイプ１のＰＲＡＣＨチャネルのインデックスもしくは位置情報のうちの少なくとも１つを含み、
周波数領域における各タイプ２のＰＲＡＣＨチャネルによって占有される帯域幅は１５ｋＨｚより大きく１８０ｋＨｚ以下であり、タイプ２のＰＲＡＣＨチャネルに関する情報は、周波数領域におけるタイプ２のＰＲＡＣＨチャネルの数、または周波数領域におけるタイプ２のＰＲＡＣＨチャネルのインデックスもしくは位置情報のうちの少なくとも１つを含む。
【００７６】
第４の態様の第１１の可能な実装形態または第４の態様の第１２の可能な実装形態に関して、第４の態様の第１３の可能な実装形態では、受信ユニットが、端末によってＰＲＡＣＨ上で送信されたランダムアクセス情報を受信するように構成されることは、具体的には、
各ランダムアクセス情報送信機会において、端末によってランダムに選択されたＰＲＡＣＨチャネル上で送信されたランダムに選択されたランダムプリアンブルまたは直交シーケンスコードを受信することであるか、または、
端末によってｎ回送信されたランダムプリアンブルまたは直交シーケンスコードを受信し、ランダムプリアンブルまたは直交シーケンスコードのセグメントを送信することであり、各ランダムアクセス情報送信機会において端末がＰＲＡＣＨチャネルを占有し、ｎは１以上の整数である。
【００７７】
第４の態様の第１１の可能な実装形態または第４の態様の第１２の可能な実装形態に関して、第４の態様の第１４の可能な実装形態では、受信ユニットが、端末によってＰＲＡＣＨ上で送信されたランダムアクセス情報を受信するように構成されることは、具体的には、
端末がタイプ１の端末能力および／もしくはタイプ２の端末能力をサポートする場合、タイプ１のＰＲＡＣＨチャネル上で、端末によって送信されたランダムアクセス情報を受信することであり、または、
端末がタイプ３の端末能力をサポートする場合、タイプ２のＰＲＡＣＨチャネル上で、端末によって送信されたランダムアクセス情報を受信することである。
【００７８】
第４の態様の第１４の可能な実装形態に関して、第４の態様の第１５の可能な実装形態では、送信ユニットが、タイプ１のＰＲＡＣＨチャネル上で、端末によって送信されたランダムアクセス情報を受信するように構成されることは、具体的には、タイプ１のＰＲＡＣＨチャネルに対応するダウンリンクリソース上で、またタイプ１のＰＲＡＣＨチャネルに対応するタイミング関係に従って、ＲＡＲを端末に送信することであり、タイプ１のＰＲＡＣＨチャネルに対応するタイミング関係は、端末によって送信されたランダムアクセス情報と基地局によって送信されたＲＡＲとの間のタイミング関係を示すために使用される。
【００７９】
第４の態様の第１４の可能な実装形態に関して、第４の態様の第１６の可能な実装形態では、送信ユニットが、タイプ２のＰＲＡＣＨチャネル上で、端末によって送信されたランダムアクセス情報を受信するように構成されることは、具体的には、タイプ２のＰＲＡＣＨチャネルに対応するダウンリンクリソース上で、またタイプ２のＰＲＡＣＨチャネルに対応するタイミング関係に従って、ＲＡＲを端末に送信することであり、タイプ２のＰＲＡＣＨチャネルに対応するタイミング関係は、端末によって送信されたランダムアクセス情報と基地局によって送信されたＲＡＲとの間のタイミング関係を示すために使用される。
【００８０】
第５の態様によれば、端末が提供され、端末は、プロセッサと、メモリと、システムバスと、通信インターフェースとを含み、
メモリは、コンピュータ実行可能命令を記憶するように構成され、プロセッサは、システムバスを使用することによってメモリに接続され、基地局が動作する時、プロセッサは、端末が第１の態様から第１の態様の第９の可能な実装形態のいずれか１つに記載のデータ送信方法を実行するように、メモリに記憶されたコンピュータ実行可能命令を実行する。
【００８１】
第６の態様によれば、基地局が提供され、基地局は、プロセッサと、メモリと、システムバスと、通信インターフェースとを含み、
メモリは、コンピュータ実行可能命令を記憶するように構成され、プロセッサは、システムバスを使用することによってメモリに接続され、基地局が動作する時、プロセッサは、基地局が第２の態様から第２の態様の第６の可能な実装形態のいずれか１つに記載のデータ送信方法を実行するように、メモリに記憶されたコンピュータ実行可能命令を実行する。
【発明の効果】
【００８２】
本発明の実施形態において提供されるデータ送信方法および装置によれば、基地局はシステム情報を端末に送信し、システム情報は、端末によってアップリンクデータまたはアップリンク制御情報を送信するために使用されるアップリンクリソースを示すために使用される第１の指示情報を含み、第１の指示情報は、アップリンクリソースがタイプ１のアップリンクリソースであるか、第２のアップリンクリソースであるかを示すために使用される情報と、タイプ１のアップリンクリソースまたはタイプ２のアップリンクリソースの時間領域情報および／または周波数領域情報とを含み、次いで、端末は、アップリンクデータまたはアップリンク制御情報を送信するために使用されるアップリンクリソースの第１の指示情報を取得し、第１の指示情報に基づいて、対応するアップリンクリソースおよびダウンリンクリソース上で送受信されるアップリンクデータおよびダウンリンクデータを送信する。このように、既存のＬＴＥシステムに基づいて、基地局は、タイプ１の端末能力、タイプ２の端末能力、またはタイプ３の端末能力のうちのいずれか１つ、２つ、または３つをサポートする端末とのアップリンクデータ送信およびダウンリンクデータ送信を実行することができる。これにより、ＬＴＥシステムおよび基地局のリソース利用効率が向上する。
【図面の簡単な説明】
【００８３】
【図１】本発明の実施形態による通信システムのシステムアーキテクチャ図である。
【図２】本発明の実施形態による、第１のデータ送信方法の概略的なフローチャートである。
【図３】本発明の実施形態による、第２のデータ送信方法の概略的なフローチャートである。
【図４】本発明の実施形態による、第３のデータ送信方法の概略的なフローチャートである。
【図４Ａ】本発明の実施形態による、タイプ１のアップリンクリソースの第１のタイミング関係の概略図である。
【図５】本発明の実施形態による、第４のデータ送信方法の概略的なフローチャートである。
【図５Ａ】本発明の実施形態による、タイプ１のアップリンクリソースの第２のタイミング関係の概略図である。
【図５Ｂ】本発明の実施形態による、タイプ２のアップリンクリソースの第１のタイミング関係の概略図である。
【図５Ｃ】本発明の実施形態による、タイプ２のアップリンクリソースの第２のタイミング関係の概略図である。
【図６】本発明の実施形態による、第５のデータ送信方法の概略的なフローチャートである。
【図７】本発明の実施形態による、プリアンブル送信フォーマットの概略図である。
【図８】本発明の実施形態による、別のプリアンブル送信フォーマットの概略図である。
【図９】本発明の実施形態による、別のプリアンブル送信フォーマットの概略図である。
【図１０】本発明の実施形態による、第６のデータ送信方法の概略的なフローチャートである。
【図１０Ａ】本発明の実施形態による、タイプ１のＰＲＡＣＨチャネルに対応するタイミング関係の概略図である。
【図１０Ｂ】本発明の実施形態による、タイプ２のＰＲＡＣＨチャネルに対応するタイミング関係の概略図である。
【図１１】本発明の実施形態による、端末の概略構成図である。
【図１２】本発明の実施形態による、別の端末の概略構成図である。
【図１３】本発明の実施形態による、基地局の概略構成図である。
【図１４】本発明の実施形態による、別の基地局の概略構成図である。
【図１５】本発明の実施形態による、別の端末の概略構成図である。
【図１６】本発明の実施形態による、別の基地局の概略構成図である。
【発明を実施するための形態】
【００８４】
本発明において使用される重要な概念および用語、ならびに適用シナリオは、本発明が説明される前に簡単に説明される。
【００８５】
関連する重要な概念および用語は次の通りである。
【００８６】
１．３つのタイプの端末能力（集合的に、新しい端末能力と呼ばれる）。
【００８７】
３つのタイプの端末能力は、端末によってサポートされるアップリンク直交サブキャリア間隔、および／または端末によってサポートされるサブキャリアもしくはサブチャネルの数に従って定義される。詳細は以下の通りである。
【００８８】
タイプ１の端末能力：アップリンクにおいて３．７５ｋＨｚの直交サブキャリア間隔でＳＣ−ＦＤＭＡによって単一のサブキャリアを送信すること、または、アップリンクにおいて３．７５ｋＨｚのサブチャネル帯域幅でＦＤＭＡによって単一のサブチャネルを送信することを可能にする。
【００８９】
タイプ２の端末能力：アップリンクにおいて１５ｋＨｚの直交サブキャリア間隔でＳＣ−ＦＤＭＡによって単一のサブキャリアを送信することを可能にする。
【００９０】
タイプ３の端末能力：アップリンクにおいて１５ｋＨｚの直交サブキャリア間隔でＳＣ−ＦＤＭＡによって複数のサブキャリアを送信することを可能にする。
【００９１】
本発明の実施形態におけるユーザ端末は、既存のＬＴＥ端末であってもよく、上述のタイプの端末能力のうちの１つまたは複数を有する端末（以下では、新しい端末と呼ばれる）であってもよい点に留意されたい。既存のＬＴＥ端末は、アップリンクにおいて１５ｋＨｚのサブキャリア間隔でＳＣ−ＦＤＭＡによって直交サブキャリアを送信することができる。最小スケジューリング粒度は、１２個の直交サブキャリア、すなわち１８０ｋＨｚを含む１つのＰＲＢである。単一のサブキャリアまたは複数のサブキャリアのスケジューリングはサポートされない。
【００９２】
さらに、本発明の実施形態では、端末能力と端末タイプとの間に必要的な対応関係はない。端末によってサポートされる端末能力に応じて端末タイプを区別するための方法は、複数存在してもよい。たとえば、上述の３つのタイプの端末能力は、３つの異なる端末タイプに対応し得、すなわち、１つのタイプの端末能力をサポートする端末は、ある端末タイプとして分類される。別の例として、タイプ１の端末能力とタイプ２の端末能力との両方をサポートする端末はある端末タイプとして分類され、タイプ１の端末能力とタイプ３の端末能力との両方をサポートする端末は別の端末タイプとして分類される。確かに、上述は、説明のための例としてのみ使用される。具体的な分類は、実際の場合に応じて実行され得、本発明の実施形態に限定されるものではない。
【００９３】
さらに、本発明の実施形態における新しい端末は、主にインターネットオブシングス（Ｉｎｔｅｒｎｅｔ  ｏｆ  Ｔｈｉｎｇｓ：モノのインターネット）通信に適用され、したがって、新しい端末をサポートするシステムは、狭帯域インターネットオブシングスＮＢＩＯＴシステムと呼ばれ得る。
【００９４】
２．２つのタイプのアップリンクリソースと２つのタイプのダウンリンクリソース
【００９５】
本発明の実施形態において、２つのタイプのアップリンクリソースは、タイプ１のアップリンクリソースとタイプ２のアップリンクリソースとを含み、２つのタイプのダウンリンクリソースは、タイプ１のダウンリンクリソースとタイプ２のダウンリンクリソースとを含む。詳細は以下の通りである。
【００９６】
タイプ１のアップリンクリソース：タイプ１のアップリンクリソースが、周波数領域内の少なくとも１つのサブキャリアと、時間領域内の少なくとも１つのシングルキャリア周波数分割多元接続ＳＣ−ＦＤＭＡシンボルとを含み、サブキャリア数が２以上の場合、サブキャリアが互いに直交し、サブキャリア間隔が３．７５ｋＨｚであるか、または、タイプ１のアップリンクリソースが、周波数領域内の少なくとも１つのサブチャネルと、時間領域内の少なくとも１つの周波数分割多元接続ＦＤＭＡシンボルとを含み、各サブチャネルの幅が３．７５ｋＨｚである。
【００９７】
タイプ２のアップリンクリソース：タイプ２のアップリンクリソースが、周波数領域内の少なくとも１つのサブキャリアと、時間領域内の少なくとも１つのＳＣ−ＦＤＭＡシンボルとを含み、サブキャリア数が２以上の場合、サブキャリアが互いに直交し、サブキャリア間隔が１５ｋＨｚである。
【００９８】
タイプ１のダウンリンクリソースおよびタイプ２のダウンリンクリソース：タイプ１のダウンリンクリソースはタイプ１のアップリンクリソースに対応し、タイプ２のダウンリンクリソースはタイプ２のアップリンクリソースに対応する。本明細書における対応関係は、アップリンクリソースとダウンリンクリソースのタイプとの間の対応関係であり、アップリンクリソースの数とダウンリンクリソースの数との間の対応関係を表すものではない。たとえば、タイプ１のダウンリンクリソースは、１つの物理リソースブロックＰＲＢ、すなわち１８０ｋＨｚであり、タイプ１のアップリンクリソースは３０ｋＨｚの帯域幅を有し、１８０ｋＨｚのタイプ１のダウンリンクリソースは、少なくとも１つの３０ｋＨｚのタイプ１のアップリンクリソースに対応し得る。特定の対応関係があらかじめ設定されていてもよい。たとえば、対応関係はシステムにおいて使用されている周波数帯域に関連し、規格または仕様において明確に指定されており、対応関係はダウンリンク同期信号またはシステムによって送信される基準信号に従って取得され、または通知がシステム情報において提供され得る。これは、本発明の実施形態において限定されない。さらに、タイプ１のダウンリンクリソースとタイプ２のダウンリンクリソースとは、時間領域および周波数領域において同じであってもよく、異なっていてもよい。タイプ１のダウンリンクリソースとタイプ２のダウンリンクリソースが時間領域および周波数領域において同じである場合、タイプ１のダウンリンクリソースとタイプ２のダウンリンクリソースは同じダウンリンクリソースを示す。この場合、同じダウンリンクリソースは、タイプ１のアップリンクリソースとタイプ２のアップリンクリソースとの両方に対応し得る。タイプ１のダウンリンクリソースと、タイプ２のダウンリンクリソースとが、時間領域において、もしくは周波数領域において、または時間領域と周波数領域との両方において異なる場合、ダウンリンクリソースが時間領域において異なることは、異なる開始点、異なる期間、または異なる持続時間のうちの少なくとも１つを含み、ダウンリンクリソースが周波数領域において異なることは、異なる占有される周波数範囲、異なる占有される周波数開始点、異なる占有されるサブキャリアの数などのうちの少なくとも１つを含む。さらに、直交周波数分割多重ＯＦＤＭシンボルは、タイプ１のダウンリンクリソースとタイプ２のダウンリンクリソースとの両方で送信され、サブキャリア間隔は１５ｋＨｚである。
【００９９】
３．２つのタイプのＰＲＡＣＨチャネル。
【０１００】
タイプ１のＰＲＡＣＨチャネル：周波数領域においてタイプ１のＰＲＡＣＨチャネルによって占有される帯域幅は、３．７５ｋＨｚまたは１５ｋＨｚである。タイプ１のＰＲＡＣＨチャネルに関する情報は、周波数領域におけるタイプ１のＰＲＡＣＨチャネルの数、または周波数領域におけるタイプ１のＰＲＡＣＨチャネルのインデックスもしくは位置情報のうちの少なくとも１つを含む。
【０１０１】
タイプ２のＰＲＡＣＨチャネル：周波数領域におけるタイプ２のＰＲＡＣＨチャネルによって占有される帯域幅は、１５ｋＨｚより大きく、１８０ｋＨｚ以下である。タイプ２のＰＲＡＣＨチャネルに関する情報は、周波数領域におけるタイプ２のＰＲＡＣＨチャネルの数、または周波数領域におけるタイプ２のＰＲＡＣＨチャネルのインデックスもしくは位置情報のうちの少なくとも１つを含む。
【０１０２】
本発明の実施形態における適用シナリオは、使用される異なる周波数リソースに応じて実質的に３つのタイプに分類され得る。第１のシナリオ、すなわち、独立した展開のシナリオでは、専用の周波数リソースネットワーキングにおいて新しい端末能力がサポートされ、使用される周波数リソースは、ＧＳＭシステムからリサイクルされた周波数帯域におけるリソースであってもよく、３ＧシステムまたはＬＴＥシステムが使用される周波数帯域におけるリソースであってもよい。独立した展開のシナリオでは、システムは、１つまたは複数のタイプの新しい端末能力しか持たず、他の端末能力を持たないＬＴＥ端末をサポートする。第２のシナリオ、すなわち、ガードスペース展開のシナリオでは、システムによって使用される周波数リソースは、ＬＴＥシステムにおいて使用される周波数帯域間のガードスペースに配置される。第３のシナリオ、すなわち、帯域内展開のシナリオでは、使用される周波数リソースは、たとえば１０ＭＨｚまたは２０ＭＨｚの帯域幅内のＬＴＥシステム内の１つの標準的なキャリアに配置され、すなわち、通常のＬＴＥシステム内の１つの標準的なキャリア内で、通常のＬＴＥ端末能力と１つまたは複数のタイプの新しい端末能力との両方がサポートされる。したがって、通常のＬＴＥ端末の正常な通信に影響を与えないために、第３のシナリオでＮＢＩＯＴシステムにおいてダウンリンクチャネルを送信するために使用され得る最大送信電力がより小さくてもよい。
【０１０３】
図１は、本発明の実施形態において使用される通信システムのシステムアーキテクチャを示している。システムアーキテクチャは、基地局１０１と、ユーザ端末１０２と、通信チャネル１０３とを含む。
【０１０４】
基地局１０１は、共有チャネルをスケジューリングする機能を有し、すなわち、パケットデータをユーザ端末１０２に送信する履歴に基づいてスケジューリングを実行する。スケジューリングは、複数のユーザ端末１０２が送信リソースを共有する時に、統計的な多重化利得を得るために、物理層リソースを効果的に割り振るためにメカニズムが必要とされることを意味する。
【０１０５】
複数のユーザ端末１０２が存在してもよい。さらに、ユーザ端末１０２は、ユーザ端末１０２と基地局１０１との間に確立された通信チャネル１０３を使用することによってデータを送受信する機能を有する。ユーザ端末１０２は、スケジューリング制御チャネルを使用することによって送信された情報に従って、共有チャネル上で送受信処理を実行する。さらに、ユーザ端末１０２は、移動局、モバイル電話、コンピュータ、ポータブル端末などであり得る。ユーザ端末１０２のタイプは同じであってもよく、異なっていてもよい。
【０１０６】
データは、通信チャネル１０３を使用することによって、基地局１０１とユーザ端末１０２との間で送受信される。通信チャネル１０３は、無線通信チャネルであり得る。無線通信チャネルは、少なくとも共有チャネルとスケジューリング制御チャネルとを含む。共有チャネルは、パケットデータを送受信するために複数のユーザ端末１０２間で共有される。スケジューリング制御チャネルは、共有チャネル割振り、対応するスケジューリング結果などを送信するために使用される。
【０１０７】
図２は、本発明の実施形態による、データ送信方法の概略的なフローチャートである。図２を参照すると、本方法は、以下のいくつかのステップを含む。
【０１０８】
ステップ２０１：基地局は、システム情報を端末に送信し、システム情報は、端末によってアップリンクデータまたはアップリンク制御情報を送信するために使用されるアップリンクリソースを示すために使用される第１の指示情報を含む。
【０１０９】
アップリンクリソースの第１の指示情報は、アップリンクリソースがタイプ１のアップリンクリソースであるか、またはタイプ２のアップリンクリソースであるかを示すために使用される情報を含む。タイプ１のアップリンクリソースが、周波数領域内の少なくとも１つのサブキャリアと、時間領域内の少なくとも１つのシングルキャリア周波数分割多元接続ＳＣ−ＦＤＭＡシンボルとを含み、サブキャリア数が２以上の場合、サブキャリアが互いに直交し、サブキャリア間隔が３．７５ｋＨｚであるか、または、タイプ１のアップリンクリソースが、周波数領域内の少なくとも１つのサブチャネルと、時間領域内の少なくとも１つの周波数分割多元接続ＦＤＭＡシンボルとを含み、各サブチャネルの幅が３．７５ｋＨｚである。タイプ２のアップリンクリソースが、周波数領域内の少なくとも１つのサブキャリアと、時間領域内の少なくとも１つのＳＣ−ＦＤＭＡシンボルとを含み、サブキャリア数が２以上の場合、サブキャリアが互いに直交し、サブキャリア間隔が１５ｋＨｚである。
【０１１０】
さらに、アップリンクリソースの第１の指示情報は、タイプ１のアップリンクリソースまたはタイプ２のアップリンクリソースの時間領域情報および／または周波数領域情報をさらに含む。
【０１１１】
第１の指示情報は、端末によってサポートされる異なる能力に応じて、異なる情報コンテンツを示し得る。具体的には、端末がタイプ１の端末能力をサポートする場合、第１の指示情報は、アップリンクリソースがタイプ１のアップリンクリソースであることを示すために使用され、端末がタイプ２の端末能力もしくはタイプ３の端末能力をサポートする場合、第１の指示情報は、アップリンクリソースがタイプ２のアップリンクリソースであることを示すために使用され、または、端末がタイプ１の端末能力とタイプ２の端末能力とをサポートする場合、もしくは端末がタイプ１の端末能力とタイプ３の端末能力とをサポートする場合、第１の指示情報は、アップリンクリソースがタイプ１のアップリンクリソースであるか、タイプ２のアップリンクリソースであるかを示すために使用される。
【０１１２】
基地局によって端末に送信されるシステム情報は、物理ブロードキャストチャネル（ＰＢＣＨ）上で搬送されるシステム情報、ダウンリンク制御情報に基づいてスケジューリングによって送信されるシステム情報ブロック、または非スケジューリング方式で送信された情報ブロックのうちの少なくとも１つである点に留意されたい。非スケジューリング方式で送信することは、送信するために情報ブロックを時間周波数リソースにマッピングするためのリソースマッピング方式が、あらかじめ設定された方式、たとえば、規格または仕様において明確に指定されたあらかじめ設定された方式であることを意味する。
【０１１３】
さらに、基地局がシステム情報を端末に送信する時、基地局はシステム情報をセル内のすべての端末に送信し得る。システム情報が送信される前に、基地局がセル内のすべての端末によってサポートされる端末能力を知らない場合、システム情報は、タイプ１のアップリンクリソースに関する情報およびタイプ２のアップリンクリソースに関する情報をさらに含み得る。タイプ１のアップリンクリソースに関する情報は、タイプ１の端末能力をサポートする端末、またはタイプ１の端末能力とタイプ２の端末能力、もしくはタイプ１の端末能力とタイプ３の端末能力とをサポートする端末のために使用される。タイプ２のアップリンクリソースに関する情報は、タイプ２の端末能力もしくはタイプ３の端末能力をサポートする端末、またはタイプ１の端末能力とタイプ２の端末能力、もしくはタイプ１の端末能力とタイプ３の端末能力とをサポートする端末のために使用される。
【０１１４】
さらに、アップリンクリソースの第１の指示情報が、タイプ１のアップリンクリソースまたはタイプ２のアップリンクリソースの時間領域情報および／または周波数領域情報をさらに含む。時間領域情報は、タイプ１のアップリンクリソースもしくはタイプ２のアップリンクリソースが利用可能な特定の無線フレーム、タイプ１のアップリンクリソースもしくはタイプ２のアップリンクリソースが利用可能な特定のサブフレーム、またはタイプ１のアップリンクリソースもしくはタイプ２のアップリンクリソースの可用性のための期間、開始点、および持続時間のうちの少なくとも１つを含む。周波数領域情報は、タイプ１のアップリンクリソースもしくはタイプ２のアップリンクリソースに含まれるサブキャリアの数、周波数領域におけるタイプ１のアップリンクリソースもしくはタイプ２のアップリンクリソースのサブキャリアインデックスもしくは位置情報、または、周波数領域におけるタイプ１のアップリンクリソースもしくはタイプ２のアップリンクリソースにおける参照サブキャリアのサブキャリアインデックスもしくは位置情報のうちの少なくとも１つを含む。
【０１１５】
ステップ２０２：端末は、基地局によって送信されたシステム情報を受信し、システム情報は、時間領域および／もしくは周波数領域におけるタイプ１のアップリンクリソースに関する情報、ならびに／または時間領域および／もしくは周波数領域におけるタイプ２のアップリンクリソースに関する情報を含む。
【０１１６】
アップリンクリソースがタイプ１のアップリンクリソースとタイプ２のアップリンクリソースとを含む場合、タイプ１のアップリンクリソースおよびタイプ２のアップリンクリソースに対して時分割多重ＴＤＭが使用され得、システム情報は、時間領域におけるタイプ１のアップリンクリソースに関する情報と、時間領域におけるタイプ２のアップリンクリソースに関する情報とを含み得、または、タイプ１のアップリンクリソースおよびタイプ２のアップリンクリソースに対して周波数分割多重ＦＤＭが使用され得、システム情報は、周波数領域におけるタイプ１のアップリンクリソースに関する情報と、周波数領域におけるタイプ２のアップリンクリソースに関する情報とを含み得、または、タイプ１のアップリンクリソースおよびタイプ２のアップリンクリソースに対してＴＤＭおよびＦＤＭのハイブリッド多重方式が使用され得、システム情報は、時間領域および周波数領域におけるタイプ１のアップリンクリソースに関する情報と、時間領域および周波数領域におけるタイプ２のアップリンクリソースに関する情報とを含み得る。
【０１１７】
時間領域情報は、タイプ１のアップリンクリソースもしくはタイプ２のアップリンクリソースが利用可能な特定の無線フレーム、タイプ１のアップリンクリソースもしくはタイプ２のアップリンクリソースが利用可能な特定のサブフレーム、またはタイプ１のアップリンクリソースもしくはタイプ２のアップリンクリソースの可用性のための期間、開始点、および持続時間のうちの少なくとも１つを含み、周波数領域情報は、タイプ１のアップリンクリソースもしくはタイプ２のアップリンクリソースに含まれるサブキャリアの数、周波数領域におけるタイプ１のアップリンクリソースもしくはタイプ２のアップリンクリソースのサブキャリアインデックスもしくは位置情報、または、周波数領域におけるタイプ１のアップリンクリソースもしくはタイプ２のアップリンクリソースにおける参照サブキャリアのサブキャリアインデックスもしくは位置情報のうちの少なくとも１つを含む点に留意されたい。
【０１１８】
すなわち、タイプ１のアップリンクリソースおよびタイプ２のアップリンクリソースに対してＴＤＭが使用される場合、システム情報は、タイプ１のアップリンクリソースに対応する時間領域情報と、タイプ２のアップリンクリソースに対応する時間領域情報とが互いに排他的であり、すなわち、すなわち、タイプ１のアップリンクリソースが利用可能である場合はタイプ２のアップリンクリソースは利用可能ではない、またはタイプ２のアップリンクリソースが利用可能である場合はタイプ１のアップリンクリソースは利用可能ではないことを示すために使用される。タイプ１のアップリンクリソースおよびタイプ２のアップリンクリソースに対してＦＤＭが使用される場合、システム情報は、タイプ１のアップリンクリソースに対応する周波数領域情報と、タイプ２のアップリンクリソースに対応する周波数領域情報とが互いに排他的であり、すなわち、タイプ１のアップリンクリソースが利用可能な周波数上でタイプ２のアップリンクリソースは利用可能ではない、またはタイプ２のアップリンクリソースが利用可能な周波数上でタイプ１のアップリンクリソースは利用可能ではないことを示すために使用される。タイプ１のアップリンクリソースおよびタイプ２のアップリンクリソースに対してＴＤＭおよびＦＤＭのハイブリッド多重方式が使用される場合、システム情報は、タイプ１のアップリンクリソースに対応する時間領域情報と、タイプ２のアップリンクリソースに対応する時間領域情報とが互いに排他的であり、タイプ１のアップリンクリソースに対応する周波数領域情報と、タイプ２のアップリンクリソースに対応する周波数領域情報とが互いに排他的であることを示すために使用され、すなわち、一定期間内に、タイプ１のアップリンクリソースに対応する時間領域情報と、タイプ２のアップリンクリソースに対応する時間領域情報とが互いに排他的であることを示し、また、別の期間内に、タイプ１のアップリンクリソースに対応する周波数領域情報と、タイプ２のアップリンクリソースに対応する周波数領域情報とが互いに排他的であることを示す。
【０１１９】
具体的には、端末がタイプ１の端末能力をサポートする場合、端末は、タイプ１のアップリンクリソースに関する情報をシステム情報から取得し得る。端末がタイプ２の端末能力および／またはタイプ３の端末能力をサポートする場合、端末は、タイプ２のアップリンクリソースに関する情報をシステム情報から取得し得る。端末がタイプ１の端末能力、タイプ２の端末能力、もしくはタイプ３の端末能力のうちの少なくとも１つをサポートする場合、端末は、タイプ１のアップリンクリソースに関する情報、またはタイプ２のアップリンクリソースに関する情報のうちの少なくとも１つをシステム情報から取得し得る。
【０１２０】
端末は、基地局によって送信されたシステム情報からアップリンクリソースの第１の指示情報を取得することに加えて、あらかじめ設定された情報に従ってアップリンクリソースの第１の指示情報を取得し得る。すなわち、あらかじめ設定された情報は、第１の指示情報によって示される情報コンテンツを含み、あらかじめ設定された情報はあらかじめ設定されていてもよい。あらかじめ設定された情報は、規格または仕様において明確に指定されており、あらかじめ設定された情報と、システム展開のために使用される周波数帯域に関する情報との間には対応関係があり、あらかじめ設定された情報と、システムによってダウンリンクにおいて送信される同期信号または基準信号との間の対応関係があり、対応関係は、規格または仕様などにおいて説明され得る。これは、本発明のこの実施形態では限定されない。
【０１２１】
さらに、図３を参照すると、ステップ２０２の後、本方法は以下のステップをさらに含む。
【０１２２】
ステップ２０３：基地局は、ＤＣＩまたはＲＡＲを端末に送信し、ＤＣＩまたはＲＡＲは、端末によってアップリンクデータを送信するために使用されるアップリンクリソースの第２の指示情報を含む。
【０１２３】
第２の指示情報は、端末によってアップリンクデータを送信するために使用されるタイプ１のアップリンクリソースもしくはタイプ２のアップリンクリソースのサブキャリア情報またはサブチャネル情報を含む。サブキャリア情報は、サブキャリア数、サブキャリアインデックス、または周波数領域におけるサブキャリアの位置またはインデックスを示すために使用される情報のうちの少なくとも１つを含む。サブチャネル情報は、サブチャネル数、サブチャネルインデックス、または周波数領域におけるサブチャネルの位置またはインデックスを示すために使用される情報のうちの少なくとも１つを含む。
【０１２４】
端末は、タイプ１の端末能力、タイプ２の端末能力、もしくはタイプ３の端末能力のうちの１つまたは２つ、または３つのタイプの端末能力のすべてをサポートし得る。したがって、端末によってサポートされる端末能力が異なる場合、基地局は異なる方法を使用することによってＤＣＩまたはＲＡＲを端末に送信する。詳細は以下の通りである。
【０１２５】
端末がタイプ１の端末能力をサポートする場合、基地局がＤＣＩまたはＲＡＲを端末に送信することは、具体的には、基地局によって、タイプ１のダウンリンクリソース上でＤＣＩまたはＲＡＲを送信することであり、ＤＣＩまたはＲＡＲは、端末がアップリンクデータを送信するようにスケジューリングするために使用されるスケジューリング情報をさらに含む。
【０１２６】
端末がタイプ２の端末能力とタイプ３の端末能力とをサポートする場合、基地局がＤＣＩまたはＲＡＲを端末に送信することは、具体的には、基地局によって、タイプ２のダウンリンクリソース上でＤＣＩまたはＲＡＲを送信することであり、ＤＣＩまたはＲＡＲは、端末がアップリンクデータを送信するようにスケジューリングするために使用されるスケジューリング情報を含む。
【０１２７】
端末がタイプ１の端末能力とタイプ２の端末能力とをサポートする場合、または、端末がタイプ１の端末能力とタイプ３の端末能力とをサポートする場合、基地局がＤＣＩまたはＲＡＲを端末に送信することは、具体的には、基地局によって、タイプ１のダウンリンクリソースおよび／またはタイプ２のダウンリンクリソース上でＤＣＩまたはＲＡＲを送信することであり、ＤＣＩまたはＲＡＲは、端末がアップリンクデータを送信するようにスケジューリングするために使用されるスケジューリング情報を含む。
【０１２８】
ＤＣＩまたはＲＡＲは第２の指示情報を含み、端末がタイプ１の端末能力とタイプ２の端末能力とをサポートするか、または端末がタイプ１の端末能力とタイプ３の端末能力とをサポートする場合、ＤＣＩまたはＲＡＲは、端末によってアップリンクデータを送信するために使用されるアップリンクリソースがタイプ１のアップリンクリソースであるか、タイプ２のアップリンクリソースであるかを示すために使用される第３の指示情報をさらに含む。代替として、タイプ１の端末能力、タイプ２の端末能力、もしくはタイプ３の端末能力のうちの１つ、２つ、または３つをサポートしているかどうかにかかわらず、ＤＣＩまたはＲＡＲは、端末によってアップリンクデータを送信するために使用されるアップリンクリソースがタイプ１のアップリンクリソースであるか、タイプ２のアップリンクリソースであるかを示すために使用される第３の指示情報を含む。
【０１２９】
具体的には、ＤＣＩまたはＲＡＲは、１つのインジケータフィールドに関する情報を含む。インジケータフィールドは、異なる値を使用することによって、端末によってアップリンクデータを送信するために使用されるアップリンクリソースがタイプ１のアップリンクリソースであるか、タイプ２のアップリンクリソースであるかを示す。インジケータフィールドはまた、端末によってアップリンクデータを送信するために使用されるタイプ１のアップリンクリソースのサブキャリア情報またはサブチャネル情報を示す。
【０１３０】
代替として、ＤＣＩまたはＲＡＲは、２つのインジケータフィールドに関する情報を含む。一方のインジケータフィールドは、異なる値を使用することによって、端末によってアップリンクデータを送信するために使用されるアップリンクリソースがタイプ１のアップリンクリソースであるか、タイプ２のアップリンクリソースであるかを示し、他方のインジケータフィールドは、端末によってアップリンクデータを送信するために使用されるタイプ１のアップリンクリソースのサブキャリア情報またはサブチャネル情報を示す。
【０１３１】
代替として、ＤＣＩが第１のＤＣＩフォーマットである場合、第３の指示情報は、端末によってアップリンクデータを送信するために使用されるタイプ１のアップリンクリソースのサブキャリア情報もしくはサブチャネル情報を示し、または、ＤＣＩが第２のＤＣＩフォーマットである場合、第３の指示情報は、端末によってアップリンクデータを送信するために使用されるタイプ２のアップリンクリソースのサブキャリア情報もしくはサブチャネル情報を示す。
【０１３２】
代替として、ＤＣＩ内の巡回冗長検査ＣＲＣが第１のスクランブリングコードを使用することによってスクランブリングされている場合、第３の指示情報は、端末によってアップリンクデータを送信するために使用されるタイプ１のアップリンクリソースのサブキャリア情報もしくはサブチャネル情報を示し、または、ＤＣＩ内のＣＲＣが第２のスクランブリングコードを使用することによってスクランブリングされている場合、第３の指示情報は、端末によってアップリンクデータを送信するために使用されるタイプ２のアップリンクリソースのサブキャリア情報もしくはサブチャネル情報を示す。
【０１３３】
タイプ１のダウンリンクリソースはタイプ１のアップリンクリソースに対応し、タイプ２のダウンリンクリソースはタイプ２のアップリンクリソースに対応する点に留意されたい。本明細書における対応関係は、アップリンクリソースとダウンリンクリソースのタイプとの間の対応関係であり、アップリンクリソースの数とダウンリンクリソースの数との間の対応関係を表すものではない。たとえば、タイプ１のダウンリンクリソースは、１つの物理リソースブロックＰＲＢ、すなわち１８０ｋＨｚであり、タイプ１のアップリンクリソースは３０ｋＨｚを含み、１８０ｋＨｚのタイプ１のダウンリンクリソースは、少なくとも１つの３０ｋＨｚのタイプ１のアップリンクリソースに対応し得る。特定の対応関係があらかじめ設定されていてもよい。たとえば、対応関係はシステムにおいて使用されている周波数帯域に関連し、規格または仕様において明確に指定されており、対応関係はダウンリンク同期信号またはシステムによって送信される基準信号に従って取得され、または通知がシステム情報において提供され得る。これは、本発明の実施形態において限定されない。さらに、タイプ１のダウンリンクリソースとタイプ２のダウンリンクリソースとは、時間領域および周波数領域において同じであってもよく、異なっていてもよい。タイプ１のダウンリンクリソースとタイプ２のダウンリンクリソースが時間領域および周波数領域において同じである場合、タイプ１のダウンリンクリソースとタイプ２のダウンリンクリソースは同じダウンリンクリソースを示す。この場合、同じダウンリンクリソースは、タイプ１のアップリンクリソースとタイプ２のアップリンクリソースとの両方に対応し得る。タイプ１のダウンリンクリソースと、タイプ２のダウンリンクリソースとが、時間領域において、もしくは周波数領域において、または時間領域と周波数領域との両方において異なる場合、ダウンリンクリソースが時間領域において異なることは、異なる開始点、異なる期間、または異なる持続時間のうちの少なくとも１つを含み、ダウンリンクリソースが周波数領域において異なることは、異なる占有される周波数範囲、異なる占有される周波数開始点、異なる占有されるサブキャリアの数などのうちの少なくとも１つを含む。さらに、直交周波数分割多重ＯＦＤＭシンボルは、タイプ１のダウンリンクリソースとタイプ２のダウンリンクリソースとの両方で送信され、サブキャリア間隔は１５ｋＨｚである。
【０１３４】
さらに、アップリンクデータを送信するように端末をスケジューリングするために使用され、ＤＣＩまたはＲＡＲに含まれるスケジューリング情報は、アップリンクデータ送信フォーマットを示し、周波数領域において使用されるサブキャリアの数、使用される変調方式、または時間領域において使用されるリソースの量、たとえばサブフレーム数またはトランスポートブロックに含まれるビット量のうちの少なくとも１つを含む。具体的には、端末がタイプ１の端末能力および／もしくはタイプ２の端末能力をサポートする場合、周波数領域において使用されるサブキャリアの数は常に１であり、ＤＣＩまたはＲＡＲはサブキャリア数を含まなくてよく、または、端末がタイプ３の端末能力をサポートする場合、少なくとも１つのサブキャリアおよび最大で１２個のサブキャリアが周波数領域において使用される。
【０１３５】
さらに、端末によって送信されたアップリンクデータは、物理アップリンク共有チャネルにマッピングされる。アップリンクデータと同じ瞬間に送信される必要があるアップリンク制御情報がある場合、アップリンク制御情報とアップリンクデータとの両方が物理アップリンク共有チャネルにマッピングされ得る。アップリンク制御情報は、ダウンリンクデータが正しく受信されたか否かを示すために使用される確認情報、またはチャネル状態情報ＣＳＩを反映する情報を含む。
【０１３６】
さらに、第１のＤＣＩフォーマットおよび第２のＤＣＩフォーマットが送信のために使用される場合、異なる時間−周波数リソースが使用され得、または第１のＤＣＩフォーマットにおけるＤＣＩに含まれるビットの量と第２のＤＣＩフォーマットにおけるＤＣＩに含まれるビットの量とは異なる。代替として、第１のＤＣＩフォーマットおよび第２のＤＣＩフォーマットが送信のために使用される場合、使用される時間−周波数リソースが異なり、第１のＤＣＩフォーマットにおけるＤＣＩに含まれるビットの量と第２のＤＣＩフォーマットにおけるＤＣＩに含まれるビットの量とは異なる。代替として、第１のＤＣＩフォーマットおよび第２のＤＣＩフォーマットが送信のために使用される場合、使用される時間−周波数リソースは同じであり、第１のＤＣＩフォーマットにおけるＤＣＩに含まれるビットの量と第２のＤＣＩフォーマットにおけるＤＣＩに含まれるビットの量とは同じである。
【０１３７】
ステップ２０４：端末は、基地局によって送信されるＤＣＩまたはＲＡＲを受信し、ＤＣＩまたはＲＡＲは第２の指示情報を含む。
【０１３８】
それに対応して、端末がタイプ１の端末能力をサポートする場合、端末は、タイプ１のダウンリンクリソース上で、基地局によって送信されたＤＣＩまたはＲＡＲを受信する。ＤＣＩまたはＲＡＲは、端末がアップリンクデータを送信するようにスケジューリングするために使用されるスケジューリング情報をさらに含む。
【０１３９】
端末がタイプ２の端末能力とタイプ３の端末能力とをサポートする場合、端末は、タイプ２のダウンリンクリソース上で、基地局によって送信されたＤＣＩまたはＲＡＲを受信する。ＤＣＩまたはＲＡＲは、端末がアップリンクデータを送信するようにスケジューリングするために使用されるスケジューリング情報を含む。
【０１４０】
端末がタイプ１の端末能力とタイプ２の端末能力とをサポートする場合、または、端末がタイプ１の端末能力とタイプ３の端末能力とをサポートする場合、端末は、タイプ１のダウンリンクリソース上および／またはタイプ２のダウンリンクリソース上で、基地局によって送信されたＤＣＩまたはＲＡＲを受信し得る。ＤＣＩまたはＲＡＲは、端末がアップリンクデータを送信するようにスケジューリングするために使用されるスケジューリング情報を含む。
【０１４１】
任意選択で、端末がタイプ１の端末能力とタイプ２の端末能力とをサポートする場合、または、端末がタイプ１の端末能力とタイプ３の端末能力とをサポートする場合、無線リソース制御（ＲＲＣ）シグナリング、ＲＲＣ再構成シグナリング、またはメディアアクセス制御（ＭＡＣ）シグナリングなどの上位層のシグナリングは、端末によって使用されるアップリンクリソースがタイプ１のアップリンクリソースであるか、タイプ２のアップリンクリソースであるかを示す。上位層のシグナリングを受信する前に、端末は、タイプ１のダウンリンクリソースとタイプ２のダウンリンクリソースとの両方でＤＣＩまたはＲＡＲを検出し得る。ＤＣＩを検出する場合、端末は、ＤＣＩもしくはＲＡＲに含まれるインジケータフィールド、ＤＣＩフォーマット、またはＤＣＩ内のＣＲＣのための異なるスクランブリングコードを検出し得る。詳細についてはステップ２０３を参照し、本発明のこの実施形態では詳細は再び説明されない。
【０１４２】
ＤＣＩまたはＲＡＲは第２の指示情報を含み、端末がタイプ１の端末能力とタイプ２の端末能力とをサポートするか、または端末がタイプ１の端末能力とタイプ３の端末能力とをサポートする場合、ＤＣＩまたはＲＡＲは、端末によってアップリンクデータを送信するために使用されるアップリンクリソースがタイプ１のアップリンクリソースであるか、タイプ２のアップリンクリソースであるかを示すために使用される第３の指示情報をさらに含む。代替として、タイプ１の端末能力、タイプ２の端末能力、もしくはタイプ３の端末能力のうちの１つ、２つ、または３つをサポートしているかどうかにかかわらず、ＤＣＩまたはＲＡＲは、端末によってアップリンクデータを送信するために使用されるアップリンクリソースがタイプ１のアップリンクリソースであるか、タイプ２のアップリンクリソースであるかを示すために使用される第３の指示情報を含む。
【０１４３】
ステップ２０４における第３の指示情報およびスケジューリング情報は、ステップ２０３における第３の指示情報およびスケジューリング情報とそれぞれ同様であり、本発明のこの実施形態では詳細は再び説明されない点に留意されたい。
【０１４４】
さらに、図４を参照すると、ＤＣＩまたはＲＡＲが、端末がアップリンクデータを送信するようにスケジューリングするために使用されるスケジューリング情報をさらに含む場合、本方法は、ステップ２０４の後に、以下をさらに含む。
【０１４５】
ステップ２０５ａ：端末がタイプ１の端末能力をサポートする場合、端末は、タイプ１のアップリンクリソース上でアップリンクデータまたはアップリンク制御情報を送信する。
【０１４６】
それに対応して、本方法は以下をさらに含む。
【０１４７】
ステップ２０６ａ：基地局は、タイプ１のアップリンクリソース上で、タイプ１の端末能力をサポートする端末によってタイプ１のアップリンクリソース上で送信されたアップリンクデータまたはアップリンク制御情報を受信する。
【０１４８】
代替として、ステップ２０４の後、本方法は以下をさらに含む。
【０１４９】
ステップ２０５ｂ：端末がタイプ２の端末能力またはタイプ３の端末能力をサポートする場合、端末は、タイプ２のアップリンクリソース上でアップリンクデータまたはアップリンク制御情報を送信する。
【０１５０】
それに対応して、本方法は以下をさらに含む。
【０１５１】
ステップ２０６ｂ：基地局は、タイプ２のアップリンクリソース上で、タイプ２の端末能力またはタイプ３の端末能力をサポートする端末によってタイプ２のアップリンクリソース上で送信されたアップリンクデータまたはアップリンク制御情報を受信する。
【０１５２】
代替として、ステップ２０４の後、本方法は以下をさらに含む。
【０１５３】
ステップ２０５ｃ：端末がタイプ１の端末能力とタイプ２の端末能力とをサポートする場合、または端末がタイプ１の端末能力とタイプ３の端末能力とをサポートする場合、端末は、タイプ１のアップリンクリソースまたはタイプ２のアップリンクリソース上でアップリンクデータまたはアップリンク制御情報を送信する。
【０１５４】
それに対応して、本方法は以下をさらに含む。
【０１５５】
ステップ２０６ｃ：基地局は、タイプ１のアップリンクリソース上で、タイプ１の端末能力とタイプ２の端末能力とをサポートする端末によってタイプ１のアップリンクリソース上で送信されたアップリンクデータを受信するか、タイプ２のアップリンクリソース上で、タイプ１の端末能力とタイプ３の端末能力とをサポートする端末によってタイプ２のアップリンクリソース上で送信されたアップリンクデータを受信する。
【０１５６】
３つのステップのグループ、すなわち、ステップ２０５ａおよびステップ２０６ａと、ステップ２０５ｂおよびステップ２０６ｂと、ステップ２０５ｃおよびステップ２０６ｃとを実行する順序は限定されず、３つのステップのグループが並列である点に留意されたい。具体的には、どのステップのグループが基地局および端末によって実行されるかは、端末によってサポートされる端末能力に依存する。
【０１５７】
さらに、端末が、ステップ２０５ａおよびステップ２０５ｃにおいてタイプ１のアップリンクリソース上でアップリンクデータを送信することは、具体的には、端末によって、タイプ１のアップリンクリソースに対応する第１のタイミング関係に従って、タイプ１のアップリンクリソース上で、スケジューリング情報を使用することによってスケジューリングされたアップリンクデータを送信することである。タイプ１のアップリンクリソースにおけるサブキャリア間の間隔は３．７５ｋＨｚであるか、各サブチャネルの帯域幅は３．７５ｋＨｚである。
【０１５８】
タイプ１のアップリンクリソースに対応する第１のタイミング関係は、ＤＣＩまたはＲＡＲに含まれるスケジューリング情報と、スケジューリング情報を使用することによってスケジューリングされたアップリンクデータとの間のタイミング関係を示すために使用される。
【０１５９】
それに対応して、基地局が、タイプ１のアップリンクリソース上で、ステップ２０６ａおよびステップ２０６ｃにおいてタイプ１のアップリンクリソース上で端末によって送信されたアップリンクデータを受信することは、具体的には、基地局によって、タイプ１のアップリンクリソースに対応する第１のタイミング関係に従って、タイプ１のアップリンクリソース上で、スケジューリング情報を使用することによってスケジューリングされ、端末によって送信された、アップリンクデータを受信することである。タイプ１のアップリンクリソースにおけるサブキャリア間の間隔は３．７５ｋＨｚであるか、各サブチャネルの帯域幅は３．７５ｋＨｚである。
【０１６０】
ＤＣＩまたはＲＡＲに含まれるスケジューリング情報と、スケジューリング情報を使用することによってスケジューリングされたアップリンクデータとのタイミング関係は、ＤＣＩまたはＲＡＲを送信するためのエンドサブフレームのサブフレーム番号と、アップリンクデータを送信するための開始サブフレームのサブフレーム番号との間の時間差を指し、フレーム数、サブフレーム数、スケジューリング時間間隔ＴＴＩ量等が単位として使用される点に留意されたい。代替として、ＤＣＩまたはＲＡＲを送信するために複数のサブフレームが占有されている場合、タイミング関係は、ＤＣＩまたはＲＡＲを送信するための開始サブフレームのサブフレーム番号と、アップリンクデータを送信するための開始サブフレームのサブフレーム番号との間の時間差を指してもよく、端末がＤＣＩまたはＲＡＲを正しく受信した場合、ＤＣＩまたはＲＡＲを送信するためのサブフレームのサブフレーム番号と、アップリンクデータを送信するための開始サブフレームのサブフレーム番号との間の時間差を指してもよい。たとえば、図４Ａに示されるように、本発明では、ＤＣＩまたはＲＡＲを送信するためのエンドサブフレームのサブフレーム番号と、アップリンクデータを送信するための開始サブフレームのサブフレーム番号との時間差Ｔ１１が使用される。
【０１６１】
さらに、図５を参照すると、基地局が、タイプ１のアップリンクリソース上で、スケジューリング情報を使用することによってスケジューリングされ、端末によって送信されたアップリンクデータを受信した後、本方法は以下をさらに含む。
【０１６２】
ステップ２０７ａ：基地局は、タイプ１のアップリンクリソースに対応する第２のタイミング関係に従って、タイプ１のダウンリンクリソース上で、端末に応答フィードバック情報を送信する。
【０１６３】
タイプ１のアップリンクリソースに対応する第２のタイミング関係は、端末によって送信されたアップリンクデータと、アップリンクデータに対応する応答フィードバック情報との間のタイミング関係を示すために使用される。
【０１６４】
端末によって送信されたアップリンクデータと、アップリンクデータに対応する応答フィードバック情報との間のタイミング関係は、端末によってアップリンクデータを送信するためのエンドサブフレームのサブフレーム番号と、アップリンクデータに対応する応答フィードバック情報を送信するための開始サブフレームのサブフレーム番号との間の時間差を指し、フレーム数、サブフレーム数、スケジューリング時間間隔ＴＴＩ量等が単位として使用される点に留意されたい。代替として、端末によって送信されたアップリンクデータのために複数のサブフレームが占有されている場合、タイミング関係は、端末によってアップリンクデータを送信するための開始サブフレームのサブフレーム番号と、アップリンクデータに対応する応答フィードバック情報を送信するための開始サブフレームのサブフレーム番号との間の時間差を指してもよく、基地局が端末によって送信されたアップリンクデータを正しく受信した場合、端末がＤＣＩまたはＲＡＲを正しく受信した場合、アップリンクデータを送信するためのサブフレームのサブフレーム番号と、アップリンクデータに対応する応答フィードバック情報を送信するための開始サブフレームのサブフレーム番号との間の時間差を指してもよい。たとえば、図５Ａに示されるように、本発明では、端末によってアップリンクデータを送信するためのエンドサブフレームのサブフレーム番号と、アップリンクデータに対応する応答フィードバック情報を送信するための開始サブフレームのサブフレーム番号との時間差Ｔ１２が使用される。
【０１６５】
さらに、タイプ１のアップリンクリソースに対応する第１のタイミング関係Ｔ１１と、タイプ１のアップリンクリソースに対応する第２のタイミング関係Ｔ１２は、あらかじめ設定されていてもよく、ＤＣＩまたはＲＡＲに含まれていてもよく、システム情報に含まれていてもよい。これは、本発明のこの実施形態において特に限定されない。あらかじめ設定されているとは、規格または仕様において明確に指定されていることを意味する。
【０１６６】
さらに、基地局によってタイプ１のダウンリンクリソース上で端末に送信される応答フィードバック情報は、ＡＣＫ／ＮＡＣＫであり得る。応答フィードバック情報がＡＣＫである場合、端末によって送信されたアップリンクデータを基地局が正しく受信したことを示し、または、応答フィードバック情報がＮＡＣＫである場合、端末によって送信されたアップリンクデータを基地局が受信したが、アップリンクデータを正しく復号しないことを示す。ＡＣＫ／ＮＡＣＫは、専用物理チャネル上で搬送されてもよく、物理チャネルのリソースマッピング方式はあらかじめ設定されており、たとえば、規格または仕様において明確に指定されており、またはＡＣＫ／ＮＡＣＫが、次回に送信されるダウンリンク制御情報ＤＣＩに含まれてもよく、たとえば、ＤＣＩは、ＡＣＫ／ＮＡＣＫを示すために使用されるインジケータフィールドを含む。これは、本発明のこの実施形態では限定されない。
【０１６７】
同様に、端末が、ステップ２０５ｂにおいて、タイプ２のアップリンクリソース上でアップリンクデータを送信することは、具体的には、端末によって、タイプ２のアップリンクリソースに対応する第１のタイミング関係に従って、タイプ２のアップリンクリソース上で、スケジューリング情報を使用することによってスケジューリングされたアップリンクデータを送信することである。タイプ２のアップリンクリソースにおけるサブキャリア間の間隔は１５ｋＨｚである。
【０１６８】
タイプ２のアップリンクリソースに対応する第１のタイミング関係は、ＤＣＩまたはＲＡＲに含まれるスケジューリング情報と、スケジューリング情報を使用することによってスケジューリングされたアップリンクデータとの間のタイミング関係を示すために使用される。
【０１６９】
ＤＣＩまたはＲＡＲに含まれるスケジューリング情報と、スケジューリング情報を使用することによってスケジューリングされたアップリンクデータとのタイミング関係は、ＤＣＩまたはＲＡＲを送信するためのエンドサブフレームのサブフレーム番号と、アップリンクデータを送信するための開始サブフレームのサブフレーム番号との間の時間差を指し、フレーム数、サブフレーム数、スケジューリング時間間隔ＴＴＩ量等が単位として使用される点に留意されたい。代替として、ＤＣＩまたはＲＡＲを送信するために複数のサブフレームが占有されている場合、タイミング関係は、ＤＣＩまたはＲＡＲを送信するための開始サブフレームのサブフレーム番号と、アップリンクデータを送信するための開始サブフレームのサブフレーム番号との間の時間差を指してもよく、端末がＤＣＩまたはＲＡＲを正しく受信した場合、ＤＣＩまたはＲＡＲを送信するためのサブフレームのサブフレーム番号と、アップリンクデータを送信するための開始サブフレームのサブフレーム番号との間の時間差を指してもよい。たとえば、図５Ｂに示されるように、本発明では、ＤＣＩまたはＲＡＲを送信するためのエンドサブフレームのサブフレーム番号と、アップリンクデータを送信するための開始サブフレームのサブフレーム番号との時間差Ｔ２１が使用される。
【０１７０】
それに対応して、基地局が、タイプ２のアップリンクリソース上で、ステップ２０６ｂおよびステップ２０６ｃにおいて端末によってタイプ２のアップリンクリソース上で送信されたアップリンクデータを受信することは、具体的には、基地局によって、タイプ２のアップリンクリソースに対応する第１のタイミング関係に従って、タイプ２のアップリンクリソース上で、スケジューリング情報を使用することによってスケジューリングされ、端末によって送信された、アップリンクデータを受信することである。タイプ２のアップリンクリソースにおけるサブキャリア間の間隔は１５ｋＨｚである。
【０１７１】
さらに、基地局が、タイプ２のアップリンクリソース上で、スケジューリング情報を使用することによってスケジューリングされ、端末によって送信されたアップリンクデータを受信した後、本方法は以下をさらに含む。
【０１７２】
ステップ２０７ｂ：基地局は、タイプ２のアップリンクリソースに対応する第２のタイミング関係に従って、タイプ２のダウンリンクリソース上で、端末に応答フィードバック情報を送信する。
【０１７３】
タイプ２のアップリンクリソースに対応する第２のタイミング関係は、端末によって送信されたアップリンクデータと、アップリンクデータに対応する応答フィードバック情報との間のタイミング関係を示すために使用される。
【０１７４】
端末によって送信されたアップリンクデータと、アップリンクデータに対応する応答フィードバック情報との間のタイミング関係は、端末によってアップリンクデータを送信するためのエンドサブフレームのサブフレーム番号と、アップリンクデータに対応する応答フィードバック情報を送信するための開始サブフレームのサブフレーム番号との間の時間差を指し、フレーム数、サブフレーム数、スケジューリング時間間隔ＴＴＩ量等が単位として使用される点に留意されたい。代替として、端末によって送信されたアップリンクデータのために複数のサブフレームが占有されている場合、タイミング関係は、端末によってアップリンクデータを送信するための開始サブフレームのサブフレーム番号と、アップリンクデータに対応する応答フィードバック情報を送信するための開始サブフレームのサブフレーム番号との間の時間差を指してもよく、基地局が端末によって送信されたアップリンクデータを正しく受信した場合、アップリンクデータを送信するためのサブフレームのサブフレーム番号と、アップリンクデータに対応する応答フィードバック情報を送信するための開始サブフレームのサブフレーム番号との間の時間差を指してもよい。たとえば、図５Ｃに示されるように、本発明では、端末によってアップリンクデータを送信するためのエンドサブフレームのサブフレーム番号と、アップリンクデータに対応する応答フィードバック情報を送信するための開始サブフレームのサブフレーム番号との時間差Ｔ２２が使用される。
【０１７５】
さらに、タイプ２のアップリンクリソースに対応する第１のタイミング関係Ｔ２１と、タイプ２のアップリンクリソースに対応する第２のタイミング関係Ｔ２２は、あらかじめ設定されていてもよく、ＤＣＩまたはＲＡＲに含まれていてもよく、システム情報に含まれていてもよい。これは、本発明のこの実施形態において特に限定されない。あらかじめ設定されているとは、規格または仕様において明確に指定されていることを意味する。
【０１７６】
さらに、基地局によってタイプ２のダウンリンクリソース上で端末に送信される応答フィードバック情報は、ＡＣＫ／ＮＡＣＫであり得る。応答フィードバック情報がＡＣＫである場合、端末によって送信されたアップリンクデータを基地局が正しく受信したことを示し、または、応答フィードバック情報がＮＡＣＫである場合、端末によって送信されたアップリンクデータを基地局が受信したが、アップリンクデータを正しく復号しないことを示す。ＡＣＫ／ＮＡＣＫは、専用物理チャネル上で搬送されてもよく、物理チャネルのリソースマッピング方式はあらかじめ設定されており、たとえば、規格または仕様において明確に指定されており、またはＡＣＫ／ＮＡＣＫが、次回に送信されるダウンリンク制御情報ＤＣＩに含まれてもよく、たとえば、ＤＣＩは、ＡＣＫ／ＮＡＣＫを示すために使用されるインジケータフィールドを含む。これは、本発明のこの実施形態では限定されない。
【０１７７】
さらに、タイプ１のアップリンクリソースに対応する第１のタイミング関係Ｔ１１と、タイプ２のアップリンクリソースに対応する第１のタイミング関係Ｔ２１とは、同じであってもよく、異なっていてもよい。タイプ１のアップリンクリソースに対応する第２のタイミング関係Ｔ１２と、タイプ２のアップリンクリソースに対応する第２のタイミング関係Ｔ２２とは、同じであってもよく、異なっていてもよい。
【０１７８】
ステップ２０７ａおよびステップ２０７ｂを実行する順序は限定されず、２つのステップは並列であり、基地局によってどのステップが実行されるかは、端末によって使用されるアップリンクリソースのタイプに依存する点に留意されたい。
【０１７９】
さらに、図６を参照すると、ステップ２０１の前に、本方法は以下のステップをさらに含む。
【０１８０】
ステップ２０８：端末は、物理ランダムアクセスチャネルＰＲＡＣＨ上でランダムアクセス情報を送信し、周波数領域における各ＰＲＡＣＨチャネルによって占有される帯域幅は３．７５ｋＨｚまたは１５ｋＨｚであるか、または１５ｋＨｚより大きく１８０ｋＨｚ以下であり、ランダムアクセス情報はランダムプリアンブル、直交シーケンスコード、または変調シンボルである。
【０１８１】
任意選択で、周波数領域における各ＰＲＡＣＨチャネルによって占有される帯域幅は、０より大きく、３．７５ｋＨｚ未満である。たとえば、周波数領域における各ＰＲＡＣＨチャネルによって占有される帯域幅が１．２５ｋＨｚまたは２．５ｋＨｚである場合、各ＰＲＡＣＨチャネル上で１つのシングルキャリアランダムアクセス情報のみが送信される。
【０１８２】
ランダムプリアンブルは、巡回プレフィックスＣＰおよびシーケンスＳＥＱを含む。ランダムプリアンブルは、ゼロ相関ゾーンを有する１つまたは複数のＺａｄｏｆｆ−Ｃｈｕルートシーケンスによって生成される。端末は、ネットワーク側で構成されたランダムプリアンブルシーケンスセットを使用する。各セルにおいて利用可能なランダムプリアンブルの数は、ネットワーク側で構成されてもよく、規格または仕様において明確に指定されてもよい。ランダムプリアンブルシーケンスは、まず、ＺＣルートシーケンスを巡回的にシフトすることによって取得される。単一のＺＣルートシーケンスを巡回的にシフトすることによって、各セル内の利用可能なランダムプリアンブルの必要数が生成され得ない場合、別のランダムプリアンブルシーケンスが、後続の論理インデックスに対応するＺＣルートシーケンスから生成される。論理インデックスは巡回的かつ連続的であり、論理インデックスの値の範囲は０から８３７までである。
【０１８３】
ｕ番目のＺＣルートシーケンスｘu（ｎ）が式（１）に示されており、式において、ＮzcはＺＣシーケンスの長さであり、たとえば、長さは１３９、２５１、または８３９などの素数である。ランダムアクセスプリアンブルは、式（２）に従って、Ｎcsによってｕ番目のＺＣルートシーケンスｘu（ｎ）を巡回的にシフトすることによって取得される。
【０１８４】
【数１】
2019501597.tif 000026
【０１８５】
ｘu,v（ｎ）＝ｘu（（ｎ＋Ｃv）ｍｏｄ  Ｎzc）    （２）
【０１８６】
式において、ｕはＺＣルートシーケンスインデックスであり、Ｎcsは巡回シフト長であり、セルカバレッジ半径は巡回シフトＮcsに依存し、Ｃvは巡回シフト値であり、ｖは巡回数であり、ｍｏｄはＭＯＤ関数のシンボルである。各セル内の利用可能なランダムプリアンブルは、異なるｕ値を使用することによって得られる拡張されたシーケンス数およびシーケンス生成のための巡回シフトに従って取得され、端末は、各セルの利用可能なランダムプリアンブルのうちの１つをランダムに選択して送信する。
【０１８７】
ランダムアクセス情報が直交シーケンスコードである場合、直交シーケンスコードはＺＣシーケンスから生成されるのではなく、直交シーケンスコードは、アダマール（Ｈａｄａｍａｒｄ）行列によって生成される直交コードなどの直交性を満たす点に留意されたい。各セルにおいて利用可能な直交シーケンスコードの数は、ネットワーク側で構成されてもよく、規格または仕様において明確に指定されてもよい。セルごとに利用可能な直交シーケンスコードセットは、ネットワーク側で構成されるか、またはあらかじめ設定されたルールに従って生成される。端末は、各セルの利用可能な直交シーケンスコードのうちの１つをランダムに選択して送信する。ランダムアクセス情報が変調シンボルであり、端末がアップリンクデータを送信する必要がある場合、端末が、ＰＲＡＣＨチャネル上で、アップリンクデータを変調することによって取得されたシンボルを直接送信するか、端末がＰＲＡＣＨチャネル上で特定の変調シンボルを送信する。変調シンボルにおいて搬送される情報は、基地局からアップリンクデータを送信するためのリソースを要求するために使用される。
【０１８８】
具体的には、端末は、異なる方法を使用することによってランダムアクセス情報をＰＲＡＣＨ上で基地局に送信し得る。詳細は以下の通りである。
【０１８９】
方法１：端末が、各ランダムアクセス情報送信機会において、ランダムに選択されたＰＲＡＣＨチャネル上でランダムに選択されたランダムプリアンブルまたは直交シーケンスコードを基地局に送信する。
【０１９０】
すなわち、端末によって使用されるランダムプリアンブルまたは直交シーケンスコードのフォーマットは同じであり、使用されるランダムプリアンブルまたは直交シーケンスコードのシーケンスセットは同じである。シーケンスセットは、あらかじめ設定されていてもよく、システム情報において構成されていてもよい。端末は、シーケンスセットから１つのランダムプリアンブルまたは直交シーケンスコードをランダムに選択し、ランダムプリアンブルまたは直交シーケンスコードを送信する。周波数領域における各ＰＲＡＣＨチャネルによって占有される帯域幅は、３．７５ｋＨｚもしくは１５ｋＨｚであるか、１５ｋＨｚより大きく１８０ｋＨｚ以下であるか、または０より大きく３．７５ｋＨｚ未満である。同じ送信時点において周波数領域内に少なくとも１つのＰＲＡＣＨチャネルが存在する場合、端末はランダムにＰＲＡＣＨチャネルを選択し、ＰＲＡＣＨチャネル上でランダムに選択されたランダムプリアンブルまたは直交シーケンスコードを送信する。
【０１９１】
たとえば、図７に示されるように、ランダムプリアンブルまたは直交シーケンスコードは３．７５ｋＨｚ以内で送信され、ランダムプリアンブルのサブキャリア間隔は１．２５ｋＨｚ、３１２．５Ｈｚ、またはそれより小さい。１つのＰＲＢは、４８個の３．７５ｋＨｚサブキャリアまたは１２個の１５ｋＨｚサブキャリアを含む。これらのサブキャリアのすべてまたは一部は、基地局によって、ランダムプリアンブルまたは直交シーケンスコードを送信するように構成され得る。たとえば、各ＰＲＡＣＨチャネルの帯域幅は３．７５ｋＨｚであり、１つのＰＲＢ内の４８個のサブキャリアのすべてがＰＲＡＣＨチャネルとして構成される。端末は、システム情報の構成情報に従って、ランダムプリアンブルまたは直交シーケンスコードのシーケンスセットから１つのランダムプリアンブルまたは直交シーケンスコードをランダムに選択し、ランダムプリアンブルまたは直交シーケンスコードを送信するために４８個のＰＲＡＣＨチャネルのうちの１つをランダムに選択し得る。
【０１９２】
方法２：端末は、ランダムプリアンブルまたは直交シーケンスコードを基地局にｎ回送信し、ランダムプリアンブルまたは直交シーケンスコードのセグメントを送信し、各ランダムアクセス情報送信機会において端末がＰＲＡＣＨチャネルを占有し、ｎは１以上の整数である。
【０１９３】
すなわち、端末によって使用されるランダムプリアンブルまたは直交シーケンスコードのフォーマットは同じであり、使用されるランダムプリアンブルまたは直交シーケンスコードのシーケンスセットは同じである。シーケンスセットは、あらかじめ設定されていてもよく、システム情報において構成されていてもよい。端末は、シーケンスセットから１つのランダムプリアンブルまたは直交シーケンスコードをランダムに選択し、ランダムプリアンブルまたは直交シーケンスコードを送信する。各ランダムプリアンブルは、一度に送信されるのではなく、セグメント化されて、セグメントによって送信される。たとえば、長さが１３９または５７１の長さを有するランダムプリアンブルまたは直交シーケンスコードの場合、
端末は毎回ランダムプリアンブルまたは直交シーケンスコードの３つのシンボルを送信し、周波数領域において３つのサブキャリアを占有し、次の送信で次の３つのサブキャリアを占有し、以下同様である。時間領域においてプリアンブルを送信するフォーマットが図８または図９に示されている。１３９の長さを有するランダムプリアンブルが送信された場合、ＰＲＡＣＨチャネル上でランダムプリアンブルを送信するために使用されるサブキャリア間隔は１．２５ｋＨｚであり、または、５７１の長さを有するランダムプリアンブルが送信された場合、ＰＲＡＣＨチャネル上でランダムプリアンブルを送信するために使用されるサブキャリア間隔は３１２．５Ｈｚである。
【０１９４】
各ランダムアクセス情報送信機会は、ＰＲＡＣＨチャネルの送信時点、すなわち、ＰＲＡＣＨチャネルが送信されることができる特定の無線フレームおよび／またはサブフレームを指し、または、ＰＲＡＣＨチャネルが対応する時点において送信された時にＰＲＡＣＨチャネルによって占有される周波数リソース情報をさらに含む点に留意されたい。ランダムアクセス情報送信機会に関する情報は、システム情報において構成されてもよく、および／または規格または仕様において指定されてもよい。
【０１９５】
さらに、端末がランダムアクセス情報を基地局に送信する前に、本方法は、
基地局によって、システム情報を端末に送信するステップをさらに含み、システム情報はＰＲＡＣＨチャネルの構成情報を含み、ＰＲＡＣＨチャネルの構成情報は、タイプ１のＰＲＡＣＨチャネルに関する情報および／またはタイプ２のＰＲＡＣＨチャネルに関する情報を含む。
【０１９６】
周波数領域における各タイプ１のＰＲＡＣＨチャネルによって占有される帯域幅は３．７５ｋＨｚまたは１５ｋＨｚであるか、０より大きく３．７５ｋＨｚ未満である。タイプ１のＰＲＡＣＨチャネルに関する情報は、タイプ１のＰＲＡＣＨチャネルの数、送信が許可される特定のフレームもしくはサブフレームを含む時間領域情報、周波数領域におけるタイプ１のＰＲＡＣＨチャネルの数、または周波数領域におけるタイプ１のＰＲＡＣＨチャネルのインデックスもしくは位置情報のうちの少なくとも１つを含む。
【０１９７】
周波数領域における各タイプ２のＰＲＡＣＨチャネルによって占有される帯域幅は１５ｋＨｚより大きく１８０ｋＨｚ以下である。タイプ２のＰＲＡＣＨチャネルに関する情報は、タイプ２のＰＲＡＣＨチャネルの数、送信が許可される特定のフレームもしくはサブフレームを含む時間領域情報、周波数領域におけるタイプ２のＰＲＡＣＨチャネルの数、または周波数領域におけるタイプ２のＰＲＡＣＨチャネルのインデックスもしくは位置情報のうちの少なくとも１つを含む。
【０１９８】
タイプ１のＰＲＡＣＨチャネルとタイプ２のＰＲＡＣＨチャネルは、ＴＤＭ方式またはＦＤＭ方式で多重化され得る点に留意されたい。すなわち、タイプ１のＰＲＡＣＨチャネルおよびタイプ２のＰＲＡＣＨチャネルにＴＤＭが使用される場合、システム情報は、タイプ１のＰＲＡＣＨチャネルに対応する時間領域情報と、タイプ２のＰＲＡＣＨチャネルに対応する時間領域情報とが互いに排他的であることを示すために使用され、すなわち、タイプ１のＰＲＡＣＨチャネルが利用可能である場合にはタイプ２のＰＲＡＣＨチャネルが利用可能ではなく、またはタイプ２のＰＲＡＣＨチャネルが利用可能である場合にはタイプ１のＰＲＡＣＨチャネルが利用可能ではない。タイプ１のＰＲＡＣＨチャネルおよびタイプ２のＰＲＡＣＨチャネルにＦＤＭが使用される場合、システム情報は、タイプ１のＰＲＡＣＨチャネルに対応する周波数領域情報と、タイプ２のＰＲＡＣＨチャネルに対応する周波数領域情報とが互いに排他的であり、すなわち、タイプ１のＰＲＡＣＨチャネルが利用可能な周波数上でタイプ２のＰＲＡＣＨチャネルは、利用可能ではない、またはタイプ２のＰＲＡＣＨチャネルが利用可能な周波数上でタイプ１のＰＲＡＣＨチャネルは利用可能ではないことを示すために使用される。
【０１９９】
さらに、タイプ１のＰＲＡＣＨチャネルによって占有される時間−周波数リソース位置は、タイプ１のアップリンクリソースによって占有される時間−周波数リソース位置と同じであってもよく、異なっていてもよい。タイプ２のＰＲＡＣＨチャネルによって占有される時間−周波数リソース位置は、タイプ２のアップリンクリソースによって占有される時間−周波数リソース位置と同じであってもよく、異なっていてもよい。
【０２００】
基地局がシステム情報を端末に送信した後、端末がタイプ１の端末能力および／もしくはタイプ２の端末能力をサポートする場合、端末はタイプ１のＰＲＡＣＨチャネル上で基地局にランダムアクセス情報を送信し、または、端末がタイプ１の端末能力および／もしくはタイプ３の端末能力をサポートする場合、端末はタイプ２のＰＲＡＣＨチャネル上でランダムアクセス情報を基地局に送信する。
【０２０１】
すなわち、ＰＲＡＣＨチャネルは、タイプ１のＰＲＡＣＨチャネルとタイプ２のＰＲＡＣＨチャネルとを含む。タイプ１のＰＲＡＣＨチャネルは、端末がタイプ１の端末能力をサポートする場合にランダムアクセス情報を送信するために使用される。タイプ２のＰＲＡＣＨチャネルは、端末がタイプ２の端末能力および／またはタイプ３の端末能力をサポートする場合にランダムアクセス情報を送信するために使用される。
【０２０２】
タイプ１のＰＲＡＣＨチャネルは、基地局によって構成され、周波数領域における複数の３．７５ｋＨｚのサブキャリアもしくはサブチャネル、または複数の１５ｋＨｚのサブキャリアを含み得る。各ＰＲＡＣＨチャネルは、周波数領域における１つの３．７５ｋＨｚのサブキャリアもしくはサブチャネル、または１つの１５ｋＨｚのサブキャリアを占有する。タイプ２のＰＲＡＣＨチャネルは、周波数領域において１８０ｋＨｚ以下であり、各ＰＲＡＣＨチャネルは、２５１または５７１などの素数を有する１３９個のサブキャリアを占有する。１３９個のサブキャリアが占有される場合、１．２５ｋＨｚのサブキャリア間隔でランダムプリアンブルまたは直交シーケンスコードが送信されるか、５７１個のサブキャリアが占有される場合、３１２．５Ｈｚのサブキャリア間隔でランダムプリアンブルまたは直交シーケンスコードが送信される。具体的には、タイプ１のＰＲＡＣＨチャネルおよびタイプ２のＰＲＡＣＨチャネル上でランダムアクセス情報を送信する処理は方法１と同様であり、本発明のこの実施形態では詳細は再び説明されない。
【０２０３】
端末は、方法１または方法２のいずれかを使用することによってタイプ１のＰＲＡＣＨチャネル上でランダムアクセス情報を基地局に送信し得、これは本発明では特に限定されない点に留意されたい。端末は、方法１もしくは方法２のいずれかを使用することによって、または、ＬＴＥシステムにおいて定義されたランダムアクセスコード送信フォーマットを使用することによって、タイプ２のＰＲＡＣＨチャネル上でランダムアクセス情報を基地局に送信し得、これは本発明において特に限定されない。
【０２０４】
それに対応して、本方法は以下をさらに含む。
【０２０５】
ステップ２０９：基地局は、端末によってＰＲＡＣＨ上で送信されたランダムアクセス情報を受信する。
【０２０６】
端末が方法３を使用することによってランダムアクセス情報を基地局に送信する場合、基地局は、端末によってＰＲＡＣＨ上で送信されたランダムアクセス情報を受信する。具体的には、端末がタイプ１の端末能力および／もしくはタイプ２の端末能力をサポートする場合、基地局は、タイプ１のＰＲＡＣＨチャネル上で、端末によって送信されたランダムアクセス情報を受信するか、または、端末がタイプ３の端末能力をサポートする場合、端末は、タイプ２のＰＲＡＣＨチャネル上で、端末によって送信されたランダムアクセス情報を受信する。
【０２０７】
さらに、図１０を参照すると、端末によってサポートされる端末能力が異なる場合、基地局が端末によって送信されたランダムアクセス情報を受信した後、本方法は異なっていてよく、具体的には、以下の通りである。
【０２０８】
端末がタイプ１の端末能力および／もしくはタイプ２の端末能力をサポートする場合、基地局が、タイプ１のＰＲＡＣＨチャネル上で、端末によって送信されたランダムアクセス情報を受信した後、本方法は以下をさらに含む。
【０２０９】
ステップ２１０ａ：基地局は、タイプ１のＰＲＡＣＨチャネルに対応するダウンリンクリソース上で、またタイプ１のＰＲＡＣＨチャネルに対応するタイミング関係に従って、ＲＡＲを端末に送信する。
【０２１０】
タイプ１のＰＲＡＣＨチャネルに対応するタイミング関係は、端末によって送信されたランダムアクセス情報と基地局によって送信されたＲＡＲとの間のタイミング関係を示すために使用される。
【０２１１】
端末によって送信されたランダムアクセス情報と、基地局によって送信されたＲＡＲとの間のタイミング関係は、端末によってランダムアクセス情報を送信するためのエンドサブフレームのサブフレーム番号と、基地局によってＲＡＲを送信するための開始サブフレームのサブフレーム番号との間の時間差を指し、フレーム数、サブフレーム数、スケジューリング時間間隔ＴＴＩ量等が単位として使用される点に留意されたい。代替として、端末によってランダムアクセス情報を送信するために複数のサブフレームが占有されている場合、タイミング関係は、端末によってランダムアクセス情報を送信するための開始サブフレームのサブフレーム番号と、基地局によってＲＡＲを送信するための開始サブフレームのサブフレーム番号との間の時間差を指してもよく、基地局が端末によって送信されたランダムアクセス情報を正しく受信した場合、ランダムアクセス情報を送信するためのサブフレームのサブフレーム番号と、基地局によってＲＡＲを送信するための開始サブフレームのサブフレーム番号との間の時間差を指してもよい。たとえば、図１０Ａに示されるように、本発明では、端末によってランダムアクセス情報を送信するためのエンドサブフレームのサブフレーム番号と、基地局によってＲＡＲを送信するための開始サブフレームのサブフレーム番号との間の時間差Ｔ３１が使用される。ＲＡＩはランダムアクセス情報を表す。
【０２１２】
さらに、タイプ１のＰＲＡＣＨチャネルに対応するタイミング関係は、あらかじめ設定されていてもよく、システム情報に含まれていてもよく、これは、本発明のこの実施形態において特に限定されない。あらかじめ設定されているとは、規格または仕様において明確に指定されていることを意味する。
【０２１３】
それに対応して、本方法は以下をさらに含む。
【０２１４】
ステップ２１１ａ：端末は、タイプ１のＰＲＡＣＨチャネルに対応するダウンリンクリソース上で、またタイプ１のＰＲＡＣＨチャネルに対応するタイミング関係に従って、基地局によって送信されたＲＡＲを受信する。
【０２１５】
端末がタイプ３の端末能力をサポートする場合、基地局が、タイプ２のＰＲＡＣＨチャネル上で、端末によって送信されたランダムアクセス情報を受信した後、本方法は、以下をさらに含む。
【０２１６】
ステップ２１０ｂ：基地局は、タイプ２のＰＲＡＣＨチャネルに対応するダウンリンクリソース上で、またタイプ２のＰＲＡＣＨチャネルに対応するタイミング関係に従って、ＲＡＲを端末に送信する。
【０２１７】
タイプ２のＰＲＡＣＨチャネルに対応するタイミング関係は、端末によって送信されたランダムアクセス情報と基地局によって送信されたＲＡＲとの間のタイミング関係を示すために使用される。
【０２１８】
端末によって送信されたランダムアクセス情報と、基地局によって送信されたＲＡＲとの間のタイミング関係は、端末によってランダムアクセス情報を送信するためのエンドサブフレームのサブフレーム番号と、基地局によってＲＡＲを送信するための開始サブフレームのサブフレーム番号との間の時間差を指し、フレーム数、サブフレーム数、スケジューリング時間間隔ＴＴＩ量等が単位として使用される点に留意されたい。代替として、端末によってランダムアクセス情報を送信するために複数のサブフレームが占有されている場合、タイミング関係は、端末によってランダムアクセス情報を送信するための開始サブフレームのサブフレーム番号と、基地局によってＲＡＲを送信するための開始サブフレームのサブフレーム番号との間の時間差を指してもよく、基地局が端末によって送信されたランダムアクセス情報を正しく受信した場合、ランダムアクセス情報を送信するためのサブフレームのサブフレーム番号と、基地局によってＲＡＲを送信するための開始サブフレームのサブフレーム番号との間の時間差を指してもよい。たとえば、図１０Ｂに示されるように、本発明では、端末によってランダムアクセス情報を送信するためのエンドサブフレームのサブフレーム番号と、基地局によってＲＡＲを送信するための開始サブフレームのサブフレーム番号との間の時間差Ｔ３２が使用される。
【０２１９】
さらに、タイプ２のＰＲＡＣＨチャネルに対応するタイミング関係は、あらかじめ設定されていてもよく、システム情報に含まれていてもよく、これは、本発明のこの実施形態において特に限定されない。あらかじめ設定されているとは、規格または仕様において明確に指定されていることを意味する。
【０２２０】
さらに、タイプ１のＰＲＡＣＨチャネルに対応するタイミング関係Ｔ３１は、タイプ２のＰＲＡＣＨチャネルに対応するタイミング関係Ｔ３２と同じであってもよく、異なっていてもよい。
【０２２１】
それに対応して、本方法は以下をさらに含む。
【０２２２】
ステップ２１１ｂ：端末は、タイプ２のＰＲＡＣＨチャネルに対応するダウンリンクリソース上で、タイプ２のＰＲＡＣＨチャネルに対応するタイミング関係に従って、基地局によって送信されたＲＡＲを受信する。
【０２２３】
タイプ１のＰＲＡＣＨチャネルはダウンリンクリソースに対応し、タイプ２のＰＲＡＣＨチャネルはダウンリンクリソースに対応する点に留意されたい。本明細書における対応関係は、アップリンクリソースとダウンリンクリソースのタイプとの間の対応関係であり、アップリンクリソースの数とダウンリンクリソースの数との間の対応関係を表すものではない。たとえば、タイプ１のダウンリンクリソースは、１つの物理リソースブロックＰＲＢ、すなわち１８０ｋＨｚであり、周波数領域におけるタイプ１のＰＲＡＣＨチャネルの帯域幅は３．７５ｋＨｚであり、１８０ｋＨｚのタイプ１のダウンリンクリソースは少なくとも１つのタイプ１のＰＲＡＣＨチャネルに対応し得る。特定の対応関係があらかじめ設定されていてもよい。たとえば、対応関係はシステムにおいて使用されている周波数帯域に関連し、規格または仕様において明確に指定されており、対応関係はダウンリンク同期信号またはシステムによって送信される基準信号に従って取得され、または通知がシステム情報において提供され得る。これは、本発明のこの実施形態において限定されない。さらに、タイプ１のＰＲＡＣＨチャネルに対応するダウンリンクリソースとタイプ２のＰＲＡＣＨチャネルに対応するダウンリンクリソースとは、時間領域または周波数領域において同じであってもよく、異なっていてもよい。タイプ１のＰＲＡＣＨチャネルに対応するダウンリンクリソースとタイプ２のＰＲＡＣＨチャネルに対応するダウンリンクリソースが時間領域および周波数領域において同じである場合、タイプ１のＰＲＡＣＨチャネルに対応するダウンリンクリソースとタイプ２のＰＲＡＣＨチャネルに対応するダウンリンクリソースは同じダウンリンクリソースを示す。この場合、同じダウンリンクリソースは、タイプ１のＰＲＡＣＨチャネルとタイプ２のＰＲＡＣＨチャネルとの両方に対応し得る。タイプ１のＰＲＡＣＨチャネルに対応するダウンリンクリソースとタイプ２のＰＲＡＣＨチャネルに対応するダウンリンクリソースとが、時間領域において、もしくは周波数領域において、または時間領域と周波数領域との両方において異なり得る場合、ダウンリンクリソースが時間領域において異なることは、異なる開始点、異なる期間、または異なる持続時間のうちの少なくとも１つを含み、ダウンリンクリソースが周波数領域において異なることは、異なる占有される周波数範囲、異なる占有される周波数開始点、異なる占有されるサブキャリアの数などのうちの少なくとも１つを含む。さらに、直交周波数分割多重ＯＦＤＭシンボルは、タイプ１のＰＲＡＣＨチャネルに対応するダウンリンクリソースとタイプ２のＰＲＡＣＨチャネルに対応するダウンリンクリソースとの両方で送信され、サブキャリア間隔は１５ｋＨｚである。
【０２２４】
さらに、２つのステップのグループ、すなわちステップ２１０ａおよびステップ２１１ａと、ステップ２１０ｂおよびステップ２１１ｂとを実行する順序は限定されず、２つのステップのグループは並列である。具体的には、どのステップのグループが基地局および端末によって実行されるかは、端末によってサポートされる端末能力に依存する。
【０２２５】
本発明のこの実施形態において提供されるデータ送信方法および装置によれば、基地局はシステム情報を端末に送信し、システム情報は、端末によってアップリンクデータまたはアップリンク制御情報を送信するために使用されるアップリンクリソースを示すために使用される第１の指示情報を含み、第１の指示情報は、アップリンクリソースがタイプ１のアップリンクリソースであるか、タイプ２のアップリンクリソースであるかを示すために使用される情報と、タイプ１のアップリンクリソースまたはタイプ２のアップリンクリソースの時間領域情報および／または周波数領域情報とを含み、次いで、端末は、アップリンクデータまたはアップリンク制御情報を送信するために使用されるアップリンクリソースの第１の指示情報を取得し、第１の指示情報に基づいて、対応するアップリンクリソースおよびダウンリンクリソース上で送受信されるアップリンクデータおよびダウンリンクデータを送信し、端末のランダムアクセスを実装する。このように、既存のＬＴＥシステムに基づいて、基地局は、タイプ１の端末能力、タイプ２の端末能力、またはタイプ３の端末能力のうちのいずれか１つ、２つ、または３つをサポートする端末とのアップリンクデータ送信およびダウンリンクデータ送信を実行することができる。これにより、ＬＴＥシステムおよび基地局の利用効率が向上する。
【０２２６】
図１１に示されるように、本発明の実施形態は端末を提供する。端末は、上述の方法において端末によって実行されるステップを実行するように構成される。端末は、対応するステップに対応するモジュールを含み得、たとえば、
アップリンクデータまたはアップリンク制御情報を送信するために使用されるアップリンクリソースの第１の指示情報を取得するように構成された取得ユニット３０１を含み得る。
【０２２７】
アップリンクリソースの第１の指示情報は、アップリンクリソースがタイプ１のアップリンクリソースであるか、またはタイプ２のアップリンクリソースであるかを示すために使用される情報を含む。タイプ１のアップリンクリソースが、周波数領域内の少なくとも１つのサブキャリアと、時間領域内の少なくとも１つのＳＣ−ＦＤＭＡシンボルとを含み、サブキャリア数が２以上の場合、サブキャリアが互いに直交し、サブキャリア間隔が３．７５ｋＨｚであるか、または、タイプ１のアップリンクリソースが、周波数領域内の少なくとも１つのサブチャネルと、時間領域内の少なくとも１つの周波数分割多元接続ＦＤＭＡシンボルとを含み、各サブチャネルの幅が３．７５ｋＨｚである。タイプ２のアップリンクリソースが、周波数領域内の少なくとも１つのサブキャリアと、時間領域内の少なくとも１つのシングルキャリア周波数分割多元接続ＳＣ−ＦＤＭＡシンボルとを含み、サブキャリア数が２以上の場合、サブキャリアが互いに直交し、サブキャリア間隔が１５ｋＨｚである。
【０２２８】
アップリンクリソースの第１の指示情報が、タイプ１のアップリンクリソースまたはタイプ２のアップリンクリソースの時間領域情報および／または周波数領域情報をさらに含む。
【０２２９】
任意選択で、取得ユニット３０１は、具体的には、
基地局によって送信されたシステム情報を受信するように構成され得、システム情報は、タイプ１のアップリンクリソースの時間領域情報および／もしくは周波数領域情報、ならびに／またはタイプ２のアップリンクリソースの時間領域情報および／もしくは周波数領域情報を含む。
【０２３０】
任意選択で、端末がタイプ１の端末能力をサポートする場合、第１の指示情報は、アップリンクリソースがタイプ１のアップリンクリソースであることを示すために使用され、
端末がタイプ２の端末能力もしくはタイプ３の端末能力をサポートする場合、第１の指示情報は、アップリンクリソースがタイプ２のアップリンクリソースであることを示すために使用され、または、
端末がタイプ１の端末能力とタイプ２の端末能力とをサポートする場合、もしくは端末がタイプ１の端末能力とタイプ３の端末能力とをサポートする場合、第１の指示情報は、アップリンクリソースがタイプ１のアップリンクリソースであるか、タイプ２のアップリンクリソースであるかを示すために使用される。
【０２３１】
任意選択で、図１２を参照すると、端末は、
端末がタイプ１の端末能力をサポートする場合、タイプ１のアップリンクリソース上でアップリンクデータもしくはアップリンク制御情報を送信し、
端末がタイプ２の端末能力もしくはタイプ３の端末能力をサポートする場合、タイプ２のアップリンクリソース上でアップリンクデータまたはアップリンク制御情報を送信し、または、
端末がタイプ１の端末能力とタイプ２の端末能力とをサポートする場合、または端末がタイプ１の端末能力とタイプ３の端末能力とをサポートする場合、タイプ１のアップリンクリソースまたはタイプ２のアップリンクリソース上でアップリンクデータまたはアップリンク制御情報を送信する
ように構成された送信ユニット３０２をさらに含む。
【０２３２】
本発明の別の実施形態では、取得ユニット３０１は、アップリンクデータを送信するために使用されるアップリンクリソースの第２の指示情報を取得するようにさらに構成される。第２の指示情報は、端末によってアップリンクデータを送信するために使用されるタイプ１のアップリンクリソースもしくはタイプ２アップリンクリソースのサブキャリア情報またはサブチャネル情報を含む。
【０２３３】
サブキャリア情報は、サブキャリア数、サブキャリアインデックス、または周波数領域におけるサブキャリアの位置またはインデックスを示すために使用される情報のうちの少なくとも１つを含む。
【０２３４】
サブチャネル情報は、サブチャネル数、サブチャネルインデックス、または周波数領域におけるサブチャネルの位置またはインデックスを示すために使用される情報のうちの少なくとも１つを含む。
【０２３５】
本発明の別の実施形態では、取得ユニット３０１は、
基地局によって送信されるダウンリンク制御情報ＤＣＩまたはランダムアクセス応答ＲＡＲを受信するように具体的に構成され得、ＤＣＩまたはＲＡＲは第２の指示情報を含む。
【０２３６】
本発明の別の実施形態では、送信ユニット３０２は、
端末がタイプ１の端末能力をサポートする場合、タイプ１のアップリンクリソース上でアップリンクデータを送信するか、
端末がタイプ２の端末能力もしくはタイプ３の端末能力をサポートする場合、タイプ２のアップリンクリソース上でアップリンクデータを送信するか、または、
端末がタイプ１の端末能力とタイプ２の端末能力とをサポートする場合、または端末がタイプ１の端末能力とタイプ３の端末能力とをサポートする場合、タイプ１のアップリンクリソースまたはタイプ２のアップリンクリソース上でアップリンクデータを送信する
ように具体的に構成され得る。
【０２３７】
本発明の別の実施形態では、送信ユニット３０２は、
タイプ１のアップリンクリソースに対応する第１のタイミング関係に従って、タイプ１のアップリンクリソース上で、スケジューリング情報を使用することによってスケジューリングされたアップリンクデータを送信するようにさらに具体的に構成され、タイプ１のアップリンクリソースに対応する第１のタイミング関係は、ＤＣＩまたはＲＡＲに含まれるスケジューリング情報と、スケジューリング情報を使用することによってスケジューリングされたアップリンクデータとの間のタイミング関係を示すために使用される。
【０２３８】
それに対応して、取得ユニット３０１は、送信ユニット３０２がスケジューリング情報を使用することによってスケジューリングされたアップリンクデータを送信した後、タイプ１のアップリンクリソースに対応する第２のタイミング関係に従って、タイプ１のダウンリンクリソース上で、基地局によって送信された応答フィードバック情報を受信するようにさらに構成される。タイプ１のアップリンクリソースに対応する第２のタイミング関係は、端末によって送信されたアップリンクデータと、アップリンクデータに対応する応答フィードバック情報との間のタイミング関係を示すために使用される。
【０２３９】
本発明の別の実施形態では、送信ユニット３０２は、
タイプ２のアップリンクリソースに対応する第１のタイミング関係に従って、タイプ２のアップリンクリソース上で、スケジューリング情報を使用することによってスケジューリングされたアップリンクデータを送信するようにさらに具体的に構成され、タイプ２のアップリンクリソースに対応する第１のタイミング関係は、ＤＣＩまたはＲＡＲに含まれるスケジューリング情報と、スケジューリング情報を使用することによってスケジューリングされたアップリンクデータとの間のタイミング関係を示すために使用される。
【０２４０】
それに対応して、取得ユニット３０１は、送信ユニット３０２がスケジューリング情報を使用することによってスケジューリングされたアップリンクデータを送信した後、タイプ２のアップリンクリソースに対応する第２のタイミング関係に従って、タイプ２のダウンリンクリソース上で、基地局によって送信された応答フィードバック情報を受信するようにさらに構成される。タイプ２のアップリンクリソースに対応する第２のタイミング関係は、端末によって送信されたアップリンクデータと、アップリンクデータに対応する応答フィードバック情報との間のタイミング関係を示すために使用される。
【０２４１】
本発明の別の実施形態では、取得ユニット３０１は、
端末がタイプ１の端末能力をサポートする場合、タイプ１のダウンリンクリソース上で、ＤＣＩまたはＲＡＲを検出することであって、ＤＣＩまたはＲＡＲは、端末がアップリンクデータを送信するようにスケジューリングするために使用されるスケジューリング情報をさらに含むこと、
端末がタイプ２の端末能力とタイプ３の端末能力とをサポートする場合、タイプ２のダウンリンクリソース上で、ＤＣＩまたはＲＡＲを検出することであって、ＤＣＩまたはＲＡＲは、端末がアップリンクデータを送信するようにスケジューリングするために使用されるスケジューリング情報を含むこと、または、
端末がタイプ１の端末能力とタイプ２の端末能力とをサポートする場合、もしくは、端末がタイプ１の端末能力とタイプ３の端末能力とをサポートする場合、タイプ１のダウンリンクリソースおよび／またはタイプ２のダウンリンクリソース上で、ＤＣＩまたはＲＡＲを検出することであって、ＤＣＩまたはＲＡＲは、端末がアップリンクデータを送信するようにスケジューリングするために使用されるスケジューリング情報を含むこと
を行うようにさらに具体的に構成される。
【０２４２】
任意選択で、端末がタイプ１の端末能力とタイプ２の端末能力とをサポートする場合、または、端末がタイプ１の端末能力とタイプ３の端末能力とをサポートする場合、ＤＣＩまたはＲＡＲは、端末によってアップリンクデータを送信するために使用されるアップリンクリソースがタイプ１のアップリンクリソースであるか、タイプ２のアップリンクリソースであるかを示すために使用される第３の指示情報をさらに含む。
【０２４３】
具体的には、受信されたＤＣＩが第１のＤＣＩフォーマットである場合、第３の指示情報は、端末によってアップリンクデータを送信するために使用されるタイプ１のアップリンクリソースのサブキャリア情報もしくはサブチャネル情報を示し、または、受信されたＤＣＩが第２のＤＣＩフォーマットである場合、第３の指示情報は、端末によってアップリンクデータを送信するために使用されるタイプ２のアップリンクリソースのサブキャリア情報もしくはサブチャネル情報を示し、または、
ＤＣＩ内の巡回冗長検査ＣＲＣが第１のスクランブリングコードを使用することによってスクランブリングされている場合、第３の指示情報は、端末によってアップリンクデータを送信するために使用されるタイプ１のアップリンクリソースのサブキャリア情報もしくはサブチャネル情報を示し、または、ＤＣＩ内のＣＲＣが第２のスクランブリングコードを使用することによってスクランブリングされている場合、第３の指示情報は、端末によってアップリンクデータを送信するために使用されるタイプ２のアップリンクリソースのサブキャリア情報もしくはサブチャネル情報を示す。
【０２４４】
本発明の別の実施形態では、送信ユニット３０２は、物理ランダムアクセスチャネルＰＲＡＣＨ上でランダムアクセス情報を送信するようにさらに構成される。周波数領域における各ＰＲＡＣＨチャネルによって占有される帯域幅は３．７５ｋＨｚまたは１５ｋＨｚであるか、または１５ｋＨｚより大きく１８０ｋＨｚ以下であり、ランダムアクセス情報はランダムプリアンブル、直交シーケンスコード、または変調シンボルである。
【０２４５】
任意選択で、取得ユニット３０１は、基地局によって送信されたシステム情報を受信するようにさらに構成される。システム情報はＰＲＡＣＨチャネルの構成情報を含み、ＰＲＡＣＨチャネルの構成情報は、タイプ１のＰＲＡＣＨチャネルに関する情報および／またはタイプ２のＰＲＡＣＨチャネルに関する情報を含む。
【０２４６】
周波数領域における各タイプ１のＰＲＡＣＨチャネルによって占有される帯域幅は３．７５ｋＨｚまたは１５ｋＨｚであり、タイプ１のＰＲＡＣＨチャネルに関する情報は、周波数領域におけるタイプ１のＰＲＡＣＨチャネルの数、または周波数領域におけるタイプ１のＰＲＡＣＨチャネルのインデックスもしくは位置情報のうちの少なくとも１つを含む。
【０２４７】
周波数領域における各タイプ２のＰＲＡＣＨチャネルによって占有される帯域幅は１５ｋＨｚより大きく１８０ｋＨｚ以下であり、タイプ２のＰＲＡＣＨチャネルに関する情報は、周波数領域におけるタイプ２のＰＲＡＣＨチャネルの数、または周波数領域におけるタイプ２のＰＲＡＣＨチャネルのインデックスもしくは位置情報のうちの少なくとも１つを含む。
【０２４８】
本発明の別の実施形態では、送信ユニット３０２は、
各ランダムアクセス情報送信機会においてランダムに選択されたＰＲＡＣＨチャネル上でランダムに選択されたランダムプリアンブルを基地局に送信すること、または、
ランダムプリアンブルのセグメントを送信するために、ランダムプリアンブルを基地局にｎ回送信することであって、ＰＲＡＣＨチャネルが各ランダムアクセス情報送信機会において占有され、ｎは１以上の整数であること
を行うように具体的に構成される。
【０２４９】
本発明の別の実施形態では、送信ユニット３０２は、
端末がタイプ１の端末能力および／もしくはタイプ２の端末能力をサポートする場合、タイプ１のＰＲＡＣＨチャネル上でランダムアクセス情報を基地局に送信すること、または、
端末がタイプ１の端末能力および／もしくはタイプ３の端末能力をサポートする場合、タイプ２のＰＲＡＣＨチャネル上でランダムアクセス情報を基地局に送信すること
を行うように具体的に構成される。
【０２５０】
さらに、端末がタイプ１の端末能力および／もしくはタイプ２の端末能力をサポートする場合、取得ユニット３０１は、タイプ１のＰＲＡＣＨチャネルに対応するダウンリンクリソース上で、またタイプ１のＰＲＡＣＨチャネルに対応するタイミング関係に従って、基地局によって送信されたＲＡＲを受信するようにさらに構成される。タイプ１のＰＲＡＣＨチャネルに対応するタイミング関係は、端末によって送信されたランダムアクセス情報と基地局によって送信されたＲＡＲとの間のタイミング関係を示すために使用される。
【０２５１】
それに対応して、端末がタイプ１の端末能力および／もしくはタイプ３の端末能力をサポートする場合、取得ユニット３０１は、タイプ２のＰＲＡＣＨチャネルに対応するダウンリンクリソース上で、またタイプ２のＰＲＡＣＨチャネルに対応するタイミング関係に従って、基地局によって送信されたＲＡＲを受信するようにさらに構成される。タイプ２のＰＲＡＣＨチャネルに対応するタイミング関係は、端末によって送信されたランダムアクセス情報と基地局によって送信されたＲＡＲとの間のタイミング関係を示すために使用される。
【０２５２】
本発明のこの実施形態において提供される端末によれば、端末は、アップリンクデータまたはアップリンク制御情報を送信するために使用されるアップリンクリソースの第１の指示情報を取得し、第１の指示情報は、アップリンクリソースがタイプ１のアップリンクリソースであるか、第２のアップリンクリソースであるかを示すために使用される情報と、タイプ１のアップリンクリソースまたはタイプ２のアップリンクリソースの時間領域情報および／または周波数領域情報とを含み、次いで、端末は、第１の指示情報に基づいて、対応するアップリンクリソースおよびダウンリンクリソース上で送受信されるアップリンクデータおよびダウンリンクデータを送信する。このように、既存のＬＴＥシステムに基づいて、基地局は、タイプ１の端末能力、タイプ２の端末能力、またはタイプ３の端末能力のうちのいずれか１つ、２つ、または３つをサポートする端末とのアップリンクデータ送信およびダウンリンクデータ送信を実行することができる。これにより、ＬＴＥシステムおよび基地局の利用効率が向上する。
【０２５３】
図１３に示されるように、本発明の実施形態は、基地局を提供する。基地局は、上述の方法において基地局によって実行されるステップを実行するように構成される。基地局は、対応するステップに対応するモジュールを含み得、たとえば、
システム情報を端末に送信するように構成された送信ユニット４０１を含み、システム情報は、端末によってアップリンクデータまたはアップリンク制御情報を送信するために使用されるアップリンクリソースを示すために使用される第１の指示情報を含む。
【０２５４】
アップリンクリソースの第１の指示情報は、アップリンクリソースがタイプ１のアップリンクリソースであるか、またはタイプ２のアップリンクリソースであるかを示すために使用される情報を含む。タイプ１のアップリンクリソースが、周波数領域内の少なくとも１つのサブキャリアと、時間領域内の少なくとも１つのシングルキャリア周波数分割多元接続ＳＣ−ＦＤＭＡシンボルとを含み、サブキャリア数が２以上の場合、サブキャリアが互いに直交し、サブキャリア間隔が３．７５ｋＨｚであるか、または、タイプ１のアップリンクリソースが、周波数領域内の少なくとも１つのサブチャネルと、時間領域内の少なくとも１つの周波数分割多元接続ＦＤＭＡシンボルとを含み、各サブチャネルの幅が３．７５ｋＨｚであり、タイプ２のアップリンクリソースが、周波数領域内の少なくとも１つのサブキャリアと、時間領域内の少なくとも１つのＳＣ−ＦＤＭＡシンボルとを含み、サブキャリア数が２以上の場合、サブキャリアが互いに直交し、サブキャリア間隔が１５ｋＨｚである。
【０２５５】
アップリンクリソースの第１の指示情報が、タイプ１のアップリンクリソースまたはタイプ２のアップリンクリソースの時間領域情報および／または周波数領域情報をさらに含む。
【０２５６】
任意選択で、端末がタイプ１の端末能力をサポートする場合、第１の指示情報は、アップリンクリソースがタイプ１のアップリンクリソースであることを示すために使用され、
端末がタイプ２の端末能力もしくはタイプ３の端末能力をサポートする場合、第１の指示情報は、アップリンクリソースがタイプ２のアップリンクリソースであることを示すために使用され、または、
端末がタイプ１の端末能力とタイプ２の端末能力とをサポートする場合、もしくは端末がタイプ１の端末能力とタイプ３の端末能力とをサポートする場合、第１の指示情報は、アップリンクリソースがタイプ１のアップリンクリソースであるか、タイプ２のアップリンクリソースであるかを示すために使用される。
【０２５７】
本発明の別の実施形態では、送信ユニット４０１は、ＤＣＩまたはＲＡＲを端末に送信するようにさらに構成される。ＤＣＩまたはＲＡＲは、端末によってアップリンクデータを送信するために使用されるアップリンクリソースを示すために使用される第２の指示情報を含む。
【０２５８】
第２の指示情報は、端末によってアップリンクデータを送信するために使用されるタイプ１のアップリンクリソースもしくはタイプ２のアップリンクリソースのサブキャリア情報またはサブチャネル情報を含む。
【０２５９】
サブキャリア情報は、サブキャリア数、サブキャリアインデックス、または周波数領域におけるサブキャリアの位置またはインデックスを示すために使用される情報のうちの少なくとも１つを含む。
【０２６０】
サブチャネル情報は、サブチャネル数、サブチャネルインデックス、または周波数領域におけるサブチャネルの位置またはインデックスを示すために使用される情報のうちの少なくとも１つを含む。
【０２６１】
本発明の別の実施形態では、受信ユニット４０２は、タイプ１のアップリンクリソース上で、タイプ１の端末能力をサポートする端末によってタイプ１のアップリンクリソース上で送信されたアップリンクデータを受信すること、または、
タイプ２のアップリンクリソース上で、タイプ２の端末能力もしくはタイプ３の端末能力をサポートする端末によってタイプ２のアップリンクリソース上で送信されたアップリンクデータを受信すること、または、
タイプ１のアップリンクリソース上で、タイプ１の端末能力とタイプ２の端末能力とをサポートする端末によってタイプ１のアップリンクリソース上で送信されたアップリンクデータを受信すること、または、タイプ２のアップリンクリソース上で、タイプ１の端末能力とタイプ２の端末能力をサポートする端末によってタイプ２のアップリンクリソース上で送信されたアップリンクデータを受信すること
を行うようにさらに構成される。
【０２６２】
さらに、図１４を参照すると、受信ユニット４０２は、
タイプ１のアップリンクリソースに対応する第１のタイミング関係に従って、タイプ１のアップリンクリソース上で、スケジューリング情報を使用することによってスケジューリングされ、端末によって送信されたアップリンクデータを受信するようにさらに構成され、タイプ１のアップリンクリソースに対応する第１のタイミング関係は、ＤＣＩまたはＲＡＲに含まれるスケジューリング情報と、スケジューリング情報を使用することによってスケジューリングされたアップリンクデータとの間のタイミング関係を示すために使用される。
【０２６３】
それに対応して、送信ユニット４０１は、スケジューリング情報を使用することによってスケジューリングされ、端末によって送信されたアップリンクデータがタイプ１のアップリンクリソース上で受信された後、タイプ１のアップリンクリソースに対応する第２のタイミング関係に従って、タイプ１のダウンリンクリソース上で、応答フィードバック情報を端末に送信するようにさらに構成される。タイプ１のアップリンクリソースに対応する第２のタイミング関係は、端末によって送信されたアップリンクデータと、アップリンクデータに対応する応答フィードバック情報との間のタイミング関係を示すために使用される。
【０２６４】
本発明の別の実施形態では、受信ユニット４０２は、
タイプ２のアップリンクリソースに対応する第１のタイミング関係に従って、タイプ２のアップリンクリソース上で、スケジューリング情報を使用することによってスケジューリングされ、端末によって送信されたアップリンクデータを受信するようにさらに構成され、タイプ２のアップリンクリソースに対応する第１のタイミング関係は、ＤＣＩまたはＲＡＲに含まれるスケジューリング情報と、スケジューリング情報を使用することによってスケジューリングされたアップリンクデータとの間のタイミング関係を示すために使用される。
【０２６５】
それに対応して、送信ユニット４０１は、スケジューリング情報を使用することによってスケジューリングされ、端末によって送信されたアップリンクデータがタイプ２のアップリンクリソース上で受信された後、タイプ２のアップリンクリソースに対応する第２のタイミング関係に従って、タイプ２のダウンリンクリソース上で、応答フィードバック情報を端末に送信するようにさらに構成される。タイプ２のアップリンクリソースに対応する第２のタイミング関係は、端末によって送信されたアップリンクデータと、アップリンクデータに対応する応答フィードバック情報との間のタイミング関係を示すために使用される。
【０２６６】
さらに、送信ユニット４０１は、
端末がタイプ１の端末能力をサポートする場合、タイプ１のダウンリンクリソース上で、ＤＣＩまたはＲＡＲを送信することであって、ＤＣＩまたはＲＡＲは、端末がアップリンクデータを送信するようにスケジューリングするために使用されるスケジューリング情報をさらに含むこと、
端末がタイプ２の端末能力とタイプ３の端末能力とをサポートする場合、タイプ２のダウンリンクリソース上で、ＤＣＩまたはＲＡＲを送信することであって、ＤＣＩまたはＲＡＲは、端末がアップリンクデータを送信するようにスケジューリングするために使用されるスケジューリング情報を含むこと、または、
端末がタイプ１の端末能力とタイプ２の端末能力とをサポートする場合、もしくは、端末がタイプ１の端末能力とタイプ３の端末能力とをサポートする場合、タイプ１のダウンリンクリソースおよび／またはタイプ２のダウンリンクリソース上で、ＤＣＩまたはＲＡＲを送信することであって、ＤＣＩまたはＲＡＲは、端末がアップリンクデータを送信するようにスケジューリングするために使用されるスケジューリング情報を含むこと
を行うようにさらに構成される。
【０２６７】
本発明の別の実施形態では、ＤＣＩまたはＲＡＲは第２の指示情報を含み、端末がタイプ１の端末能力とタイプ２の端末能力とをサポートするか、または端末がタイプ１の端末能力とタイプ３の端末能力とをサポートする場合、ＤＣＩまたはＲＡＲは、端末によってアップリンクデータを送信するために使用されるアップリンクリソースがタイプ１のアップリンクリソースであるか、タイプ２のアップリンクリソースであるかを示すために使用される第３の指示情報をさらに含む。
【０２６８】
具体的には、ＤＣＩが第１のＤＣＩフォーマットである場合、第３の指示情報は、端末によってアップリンクデータを送信するために使用されるタイプ１のアップリンクリソースのサブキャリア情報もしくはサブチャネル情報を示し、または、ＤＣＩが第２のＤＣＩフォーマットである場合、第３の指示情報は、端末によってアップリンクデータを送信するために使用されるタイプ２のアップリンクリソースのサブキャリア情報もしくはサブチャネル情報を示し、または、
ＤＣＩ内の巡回冗長検査ＣＲＣが第１のスクランブリングコードを使用することによってスクランブリングされている場合、第３の指示情報は、端末によってアップリンクデータを送信するために使用されるタイプ１のアップリンクリソースのサブキャリア情報もしくはサブチャネル情報を示し、または、ＤＣＩ内のＣＲＣが第２のスクランブリングコードを使用することによってスクランブリングされている場合、第３の指示情報は、端末によってアップリンクデータを送信するために使用されるタイプ２のアップリンクリソースのサブキャリア情報もしくはサブチャネル情報を示す。
【０２６９】
本発明の別の実施形態では、受信ユニット４０２は、端末によって物理ランダムアクセスチャネルＰＲＡＣＨ上で送信されたランダムアクセス情報を受信するようにさらに構成される。周波数領域における各ＰＲＡＣＨチャネルによって占有される帯域幅は３．７５ｋＨｚまたは１５ｋＨｚであるか、または１５ｋＨｚより大きく１８０ｋＨｚ以下であり、ランダムアクセス情報はランダムプリアンブル、直交シーケンスコード、または変調シンボルである。
【０２７０】
本発明の別の実施形態では、送信ユニット４０１は、システム情報を端末に送信するようにさらに構成される。システム情報はＰＲＡＣＨチャネルの構成情報を含み、ＰＲＡＣＨチャネルの構成情報は、タイプ１のＰＲＡＣＨチャネルに関する情報および／またはタイプ２のＰＲＡＣＨチャネルに関する情報を含む。
【０２７１】
周波数領域における各タイプ１のＰＲＡＣＨチャネルによって占有される帯域幅は３．７５ｋＨｚまたは１５ｋＨｚであり、タイプ１のＰＲＡＣＨチャネルに関する情報は、周波数領域におけるタイプ１のＰＲＡＣＨチャネルの数、または周波数領域におけるタイプ１のＰＲＡＣＨチャネルのインデックスもしくは位置情報のうちの少なくとも１つを含む。
【０２７２】
周波数領域における各タイプ２のＰＲＡＣＨチャネルによって占有される帯域幅は１５ｋＨｚより大きく１８０ｋＨｚ以下であり、タイプ２のＰＲＡＣＨチャネルに関する情報は、周波数領域におけるタイプ２のＰＲＡＣＨチャネルの数、または周波数領域におけるタイプ２のＰＲＡＣＨチャネルのインデックスもしくは位置情報のうちの少なくとも１つを含む。
【０２７３】
本発明の別の実施形態では、受信ユニット４０２は、具体的には、
各ランダムアクセス情報送信機会において、端末によってランダムに選択されたＰＲＡＣＨチャネル上で送信されたランダムに選択されたランダムプリアンブルを受信すること、または、
ランダムプリアンブルのセグメントを送信するために、端末によって送信されたランダムプリアンブルをｎ回受信することであって、各ランダムアクセス情報送信機会において端末がＰＲＡＣＨチャネルを占有し、ｎは１以上の整数であること
を行うように構成される。
【０２７４】
本発明の別の実施形態では、受信ユニット４０２は、
端末がタイプ１の端末能力および／もしくはタイプ２の端末能力をサポートする場合、タイプ１のＰＲＡＣＨチャネル上で、端末によって送信されたランダムアクセス情報を受信すること、または、
端末がタイプ３の端末能力をサポートする場合、タイプ２のＰＲＡＣＨチャネル上で、端末によって送信されたランダムアクセス情報を受信すること
を行うようにさらに具体的に構成される。
【０２７５】
本発明の別の実施形態では、送信ユニット４０１は、タイプ１のＰＲＡＣＨチャネルに対応するダウンリンクリソース上で、またタイプ１のＰＲＡＣＨチャネルに対応するタイミング関係に従って、ＲＡＲを端末に送信するようにさらに構成される。タイプ１のＰＲＡＣＨチャネルに対応するタイミング関係は、端末によって送信されたランダムアクセス情報と基地局によって送信されたＲＡＲとの間のタイミング関係を示すために使用される。
【０２７６】
それに対応して、送信ユニット４０１は、タイプ２のＰＲＡＣＨチャネルに対応するダウンリンクリソース上で、またタイプ２のＰＲＡＣＨチャネルに対応するタイミング関係に従って、ＲＡＲを端末に送信するようにさらに構成される。タイプ２のＰＲＡＣＨチャネルに対応するタイミング関係は、端末によって送信されたランダムアクセス情報と基地局によって送信されたＲＡＲとの間のタイミング関係を示すために使用される。
【０２７７】
本発明のこの実施形態において提供される基地局によれば、基地局はシステム情報を端末に送信し、システム情報は、端末によってアップリンクデータまたはアップリンク制御情報を送信するために使用されるアップリンクリソースを示すために使用される第１の指示情報を含み、第１の指示情報は、アップリンクリソースがタイプ１のアップリンクリソースであるか、第２のアップリンクリソースであるかを示すために使用される情報と、タイプ１のアップリンクリソースまたはタイプ２のアップリンクリソースの時間領域情報および／または周波数領域情報とを含み、次いで、端末は、アップリンクデータまたはアップリンク制御情報を送信するために使用されるアップリンクリソースの第１の指示情報を取得し、第１の指示情報に基づいて、対応するアップリンクリソースおよびダウンリンクリソース上で送受信されるアップリンクデータおよびダウンリンクデータを送信する。このように、既存のＬＴＥシステムに基づいて、基地局は、タイプ１の端末能力、タイプ２の端末能力、またはタイプ３の端末能力のうちのいずれか１つ、２つ、または３つをサポートする端末とのアップリンクデータ送信およびダウンリンクデータ送信を実行することができる。これにより、ＬＴＥシステムおよび基地局の利用効率が向上する。
【０２７８】
図１５は、本発明の実施形態による、端末の概略構成図である。図１５に示されるように、端末は、プロセッサ５１と、メモリ５２と、システムバス５３と、通信インターフェース５４とを含む。
【０２７９】
当業者であれば、図１５に示される構造は一例にすぎず、端末の構造上の制限として解釈されるものではないことが理解できる。たとえば、端末は、図１５に示されているものよりもより多数またはより少数の構成要素を代替として含んでもよく、図１５に示される構成と異なる構成を有してもよい。
【０２８０】
以下で、端末の各構成部分について詳細に説明する。
【０２８１】
メモリ５２はコンピュータ実行可能命令を記憶するように構成され、プロセッサ５１はシステムバス５３を使用することによってメモリ５２に接続され、端末が動作する時、プロセッサ５１は、メモリ５２に記憶されたコンピュータ実行可能命令を実行し、端末が図２、図３、図４、図５、図６、または図１０のいずれかに示される方法プロセスにおいて、端末によって実行されるステップを実行できるようにする。特定の方法については、図２、図３、図４、図５、図６、または図１０のいずれかにおける実施形態の関連する説明を参照されたい。本明細書では詳細は再び説明されない。
【０２８２】
この実施形態は、記憶媒体をさらに提供する。記憶媒体はメモリ５２を含み得る。
【０２８３】
プロセッサ５１は、中央処理装置（ｃｅｎｔｒａｌ  ｐｒｏｃｅｓｓｉｎｇ  ｕｎｉｔ、ＣＰＵ）であり得る。代替として、プロセッサ５１は、別の汎用プロセッサ、デジタル信号プロセッサ（ｄｉｇｉｔａｌ  ｓｉｇｎａｌ  ｐｒｏｃｅｓｓｏｒ、ＤＳＰ）、特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ、ＡＳＩＣ）、フィールドプログラマブルゲートアレイ（ｆｉｅｌｄ−ｐｒｏｇｒａｍｍａｂｌｅ  ｇａｔｅ  ａｒｒａｙ、ＦＰＧＡ）または別のプログラマブルロジックデバイス、ディスクリートゲートまたはトランジスタロジックデバイス、ディスクリートハードウェアアセンブリなどであり得る。汎用プロセッサはマイクロプロセッサであってもよく、プロセッサは任意の従来のプロセッサなどであってもよい。
【０２８４】
プロセッサ５１は、専用プロセッサであり得る。専用プロセッサは、ベースバンド処理チップ、無線周波数処理チップなどのうちの少なくとも１つを含み得る。さらに、専用プロセッサは、端末の別の専用処理機能を有するチップをさらに含み得る。
【０２８５】
メモリ５２は、ランダムアクセスメモリ（ｒａｎｄｏｍ−ａｃｃｅｓｓ  ｍｅｍｏｒｙ、ＲＡＭ）などの揮発性メモリ（ｖｏｌａｔｉｌｅ  ｍｅｍｏｒｙ）を含んでもよく、メモリ５２は、読出し専用メモリ（ｒｅａｄ−ｏｎｌｙ  ｍｅｍｏｒｙ、ＲＯＭ）、フラッシュメモリ（ｆｌａｓｈ  ｍｅｍｏｒｙ）、ハードディスクドライブ（ｈａｒｄ  ｄｉｓｋ  ｄｒｉｖｅ、ＨＤＤ）、またはソリッドステートドライブ（ｓｏｌｉｄ−ｓｔａｔｅ  ｄｒｉｖｅ、ＳＳＤ）などの不揮発性メモリ（ｎｏｎ−ｖｏｌａｔｉｌｅ  ｍｅｍｏｒｙ）を含んでもよく、メモリ５２は、上述のタイプのメモリの組合せを含んでもよい。
【０２８６】
システムバス５３は、データバス、電源バス、制御バス、信号ステータスバスなどを含み得る。この実施形態における明確な説明のために、図２２における様々なバスがシステムバス５３としてマーク付けされている。
【０２８７】
通信インターフェース５４は、具体的には、端末上のトランシーバであり得る。トランシーバは、無線トランシーバであり得る。たとえば、無線トランシーバは、端末のアンテナ等であり得る。プロセッサ５１は、通信インターフェース５４を使用することによって、基地局などの別のデバイスからデータを受信するか、またはそこにデータを送信する。
【０２８８】
特定の実装形態プロセスにおいて、図２、図３、図４、図５、図６、または図１０のいずれか１つに示される方法プロセスにおいて端末によって実行されるすべてのステップは、ハードウェア形式のプロセッサ５１によって、メモリ５２に記憶されたソフトウェア形式のコンピュータ実行可能命令を実行することによって実装され得る。重複を避けるために、本明細書では詳細は再び説明されない。
【０２８９】
本発明のこの実施形態において提供される端末によれば、端末は、アップリンクデータまたはアップリンク制御情報を送信するために使用されるアップリンクリソースの第１の指示情報を取得し、第１の指示情報は、アップリンクリソースがタイプ１のアップリンクリソースであるか、第２のアップリンクリソースであるかを示すために使用される情報と、タイプ１のアップリンクリソースまたはタイプ２のアップリンクリソースの時間領域情報および／または周波数領域情報とを含み、次いで、端末は、第１の指示情報に基づいて、対応するアップリンクリソースおよびダウンリンクリソース上で送受信されるアップリンクデータおよびダウンリンクデータを送信する。このように、既存のＬＴＥシステムに基づいて、基地局は、タイプ１の端末能力、タイプ２の端末能力、またはタイプ３の端末能力のうちのいずれか１つ、２つ、または３つをサポートする端末とのアップリンクデータ送信およびダウンリンクデータ送信を実行することができる。これにより、ＬＴＥシステムおよび基地局の利用効率が向上する。
【０２９０】
図１６は、本発明の実施形態による、基地局の概略構成図である。図１６を参照すると、基地局は、プロセッサ６１と、メモリ６２と、システムバス６３と、通信インターフェース６４とを含む。
【０２９１】
当業者であれば、図１６に示される構造は一例にすぎず、基地局の構造上の制限として解釈されるものではないことが理解できる。たとえば、基地局は、図１６に示されているものよりもより多数またはより少数の構成要素を代替として含んでもよく、図１６に示される構成と異なる構成を有してもよい。
【０２９２】
以下で、基地局の各構成部分について詳細に説明する。
【０２９３】
メモリ６２はコンピュータ実行可能命令を記憶するように構成され、プロセッサ６１はシステムバス６３を使用することによってメモリ６２に接続され、基地局が動作する時、プロセッサ６１は、メモリ６２に記憶されたコンピュータ実行可能命令を実行し、基地局が図２、図３、図４、図５、図６、または図１０のいずれかに示される方法において、基地局によって実行されるステップを実行できるようにする。特定の方法については、図２、図３、図４、図５、図６、または図１０のいずれかにおける実施形態の関連する説明を参照されたい。本明細書では詳細は再び説明されない。
【０２９４】
この実施形態は、記憶媒体をさらに提供する。記憶媒体はメモリ６２を含み得る。
【０２９５】
プロセッサ６１は、ＣＰＵであり得る。代替として、プロセッサ６１は、別の汎用プロセッサ、ＤＳＰ、ＡＳＩＣ、ＦＰＧＡまたは別のプログラマブルロジックデバイス、ディスクリートゲートまたはトランジスタロジックデバイス、ディスクリートハードウェアアセンブリなどであり得る。汎用プロセッサはマイクロプロセッサであってもよく、プロセッサは任意の従来のプロセッサなどであってもよい。
【０２９６】
プロセッサ６１は、専用プロセッサであり得る。専用プロセッサは、ベースバンド処理チップ、無線周波数処理チップなどのうちの少なくとも１つを含み得る。さらに、専用プロセッサは、基地局の別の専用処理機能を有するチップをさらに含み得る。
【０２９７】
メモリ６２は、揮発性メモリ、たとえばランダムアクセスメモリＲＡＭを含んでもよく、メモリ６２は、不揮発性メモリ、たとえば読出し専用メモリＲＯＭ、フラッシュメモリ、ＨＤＤ、またはＳＳＤを含んでもよく、メモリ６２は、上述のタイプのメモリの組合せを含んでもよい。
【０２９８】
システムバス６３は、データバス、電源バス、制御バス、信号ステータスバスなどを含み得る。この実施形態における明確な説明のために、図２３における様々なバスがシステムバス６３としてマーク付けされている。
【０２９９】
通信インターフェース６４は、具体的には、基地局上のトランシーバであり得る。トランシーバは、無線トランシーバであり得る。たとえば、無線トランシーバは、基地局のアンテナ等であり得る。プロセッサ６１は、通信インターフェース６４を使用することによって、端末などの別のデバイスからデータを受信するか、またはそこにデータを送信する。
【０３００】
特定の実装形態プロセスにおいて、図２、図３、図４、図５、図６、または図１０のいずれか１つに示される方法プロセスにおいて基地局によって実行されるすべてのステップは、ハードウェア形式のプロセッサ６１によって、メモリ６２に記憶されたソフトウェア形式のコンピュータ実行可能命令を実行することによって実装され得る。重複を避けるために、本明細書では詳細は再び説明されない。
【０３０１】
本発明のこの実施形態において提供される基地局によれば、基地局は、システム情報を端末に送信し、システム情報は、端末によってアップリンクデータまたはアップリンク制御情報を送信するために使用されるアップリンクリソースを示すために使用される第１の指示情報を含み、第１の指示情報は、アップリンクリソースがタイプ１のアップリンクリソースであるか、第２のアップリンクリソースであるかを示すために使用される情報と、タイプ１のアップリンクリソースまたはタイプ２のアップリンクリソースの時間領域情報および／または周波数領域情報とを含み、次いで、端末は、アップリンクデータまたはアップリンク制御情報を送信するために使用されるアップリンクリソースの第１の指示情報を取得し、第１の指示情報に基づいて、対応するアップリンクリソースおよびダウンリンクリソース上で送受信されるアップリンクデータおよびダウンリンクデータを送信する。このように、既存のＬＴＥシステムに基づいて、基地局は、タイプ１の端末能力、タイプ２の端末能力、またはタイプ３の端末能力のうちのいずれか１つ、２つ、または３つをサポートする端末とのアップリンクデータ送信およびダウンリンクデータ送信を実行することができる。これにより、ＬＴＥシステムおよび基地局の利用効率が向上する。
【０３０２】
最後に、上述の実施形態は、本発明の技術的解決策を説明することが意図されるにすぎず、本発明を限定するためのものではない点に留意されたい。本発明は、上述の実施形態を参照して詳細に説明されているが、当業者は、本発明の実施形態の技術的解決策の趣旨および範囲から逸脱することなしに、上述の実施形態において説明された技術的解決策を依然として変更してもよく、それらのいくつかの技術的特徴を同等に置き換えてもよいことを理解するべきである。
【国際調査報告】
2019501597.tif 000027
2019501597.tif 000028
2019501597.tif 000029
2019501597.tif 000030